(57)【要約】  本発明は、デオキシリボヌクレアーゼ（ＤＮａｓｅ）を含む洗剤および医薬組成物に関し、ここで、ＤＮａｓｅは、真菌供給源から得られる。本発明はまた、洗濯方法およびＤＮａｓｅの使用にも関する。本発明はさらに、ＤＮａｓｅ活性を有するポリペプチド、ポリペプチドをコードするヌクレオチド、ならびにポリペプチドを生成する方法にも関する。【特許請求の範囲】
【請求項１】
品目からバイオフィルムを防止、低減または除去するためのＤＮａｓｅ活性を有するポリペプチドの使用であって、前記ポリペプチドが、真菌供給源から得られ、前記品目が生地である、使用。
【請求項２】
前記品目の粘着性を防止、低減または除去するための請求項１に記載の使用。
【請求項３】
前記品目の汚れを前処理するための請求項１または２のいずれか１項に記載の使用。
【請求項４】
洗浄サイクル中の汚れの再付着を防止、低減または除去するための請求項１〜３のいずれか１項に記載の使用。
【請求項５】
前記品目への汚れの付着を防止、低減または除去するための請求項１〜４のいずれか１項に記載の使用。
【請求項６】
前記品目の白色度を維持または改善するための請求項１〜５のいずれか１項に記載の使用。
【請求項７】
前記ポリペプチドが、請求項１４に記載のポリペプチドである、請求項１〜６のいずれか１項に記載の使用。
【請求項８】
前記品目から悪臭を低減または除去する、請求項１〜７のいずれか１項に記載の使用。
【請求項９】
デオキシリボヌクレアーゼ（ＤＮａｓｅ）活性を有するポリペプチドと、洗剤補助成分を含む洗剤組成物であって、前記ポリペプチドが、真菌供給源から得られる、洗剤組成物。
【請求項１０】
前記ポリペプチドが、アスペルギルス属（Ａｓｐｅｒｇｉｌｌｕｓ）から得られる、請求項９に記載の洗剤組成物。
【請求項１１】
前記洗剤補助成分が、以下：界面活性剤、ビルダー、凝集助剤、キレート化剤、移染防止剤、酵素、酵素安定剤、酵素阻害剤、触媒材料、漂白活性化剤、過酸化水素、過酸化水素の供給源、事前形成された過酸（ｐｒｅｆｏｒｍｅｄ  ｐｅｒａｃｉｄ）、ポリマー分散剤、泥汚れ除去／再付着防止剤、増白剤、セッケン泡抑制剤、染料、香料、構造弾性化剤、布地柔軟剤、キャリア、ヒドロトロープ、ビルターおよびコビルダー、布地色相剤、消泡剤、分散剤、加工助剤、および／または顔料からなる群から選択される、請求項９または１０のいずれか１項に記載の洗剤組成物。
【請求項１２】
前記酵素が、プロテアーゼである、請求項１１に記載の洗剤組成物。
【請求項１３】
品目を洗濯する方法であって、以下：
ａ．請求項１４に記載のポリペプチドを含む洗浄液または請求項９〜１２のいずれか１項に記載の洗剤組成物に、品目を曝露するステップ；
ｂ．少なくとも１つの洗浄サイクルを完了するステップ；および
ｃ．任意選択で品目をすすぐステップ
を含み、
ここで、前記品目は、生地である、方法。
【請求項１４】
ＤＮａｓｅ活性を有する単離されたポリペプチドであって、以下：
ａ．配列番号２の成熟型ポリペプチドに対して、少なくとも６０％の配列同一性を有するポリペプチド、または配列番号９の成熟型ポリペプチドに対して、少なくとも６０％の配列同一性を有するポリペプチド；
ｂ．低度の緊縮条件下で、
ｉ．配列番号１の成熟型ポリペプチドコード配列、
ｉｉ．そのｃＤＮＡ配列、または
ｉｉｉ．（ｉ）もしくは（ｉｉ）の完全長相補体
にハイブリダイズするポリヌクレオチドによりコードされるポリペプチド；
ｃ．配列番号１の成熟型ポリペプチドまたはそのｃＤＮＡ配列に対して、少なくとも６０％の配列同一性を有するポリヌクレオチドによりコードされるポリペプチド；
ｄ．１つまたは複数の位置に置換、欠失および／もしくは挿入を含む、配列番号２の成熟型ポリペプチドの変異体、または１つまたは複数の位置に置換、欠失および／もしくは挿入を含む、配列番号９の成熟型ポリペプチドの変異体；ならびに
ｅ．ＤＮａｓｅ活性を有する（ａ）、（ｂ）、（ｃ）、または（ｄ）のポリペプチドの断片からなる群から選択される、単離されたポリペプチド。
【請求項１５】
請求項１４に記載のポリペプチドをコードする、単離されたポリヌクレオチド。
【請求項１６】
発現宿主において、前記ポリペプチドの産生を指令する１つまたは複数の制御配列に作動可能にリンクされた請求項１５に記載のポリペプチドを含む、核酸構築物または発現ベクター。
【請求項１７】
前記ポリペプチドの産生を指令する１つまたは複数の制御配列に作動可能にリンクされた請求項１６に記載のポリペプチドを含む、組換え宿主細胞。
【請求項１８】
請求項１４に記載のポリペプチドを生成する方法であって、前記ポリペプチドを産生する請求項１７に記載の細胞を、前記ポリペプチドの産生を促す条件下で培養するステップを含む、方法。
【請求項１９】
前記ポリペプチドを回収するステップをさらに含む、請求項１８に記載の方法。
【請求項２０】
請求項１４に記載のポリペプチドを含む、全ブロス配合物または細胞培養組成物。
【発明の詳細な説明】
【技術分野】
【０００１】
配列表の参照
本出願は、コンピュータ読み取り可能な形態の配列表を含んでおり、これは本明細書において参照により援用される。
【０００２】
本発明は、デオキシリボヌクレアーゼ（ＤＮａｓｅ）を含む洗剤および医薬組成物に関し、ここで、ＤＮａｓｅは、真菌供給源から得られる。本発明はまた、洗濯方法およびＤＮａｓｅの使用にも関する。本発明はさらに、ＤＮａｓｅ活性を有するポリペプチド、ポリペプチドをコードするヌクレオチド、ならびにポリペプチドを生成する方法にも関する。
【背景技術】
【０００３】
微生物は、一般に、多くの自然、産業および医療環境における表面に生きたまま付着し、バイオポリマーおよび高分子などの細胞外物質によって被包される。こうして形成される粘性の被包微生物の層はバイオフィルムと呼ばれる。バイオフィルムは、自然環境の細菌の優勢な増殖方法であり、バイオフィルムで増殖する細菌は、独特な生理的特徴を呈示する。浮遊状態で（ｐｌａｎｋｔｏｎｉｃａｌｌｙ）増殖するそれらの対応物と比較して、バイオフィルム内の細菌は、抗生物質、紫外線照射、洗剤および宿主免疫応答に対して、より耐性である。
【０００４】
バイオフィルムは、グラム陽性およびグラム陰性菌、海藻、原生動物、ならびに／または酵母もしくは糸状真菌およびウイルスならびに／またはバクテリオファージなどの１種または複数種の微生物を含み得る。問題となるバイオフィルムの例として、歯垢、医療移植片の感染があるが、船体の初期汚染も含まれる。バイオフィルムは、ヒトにおける多くの感染症の病因となり、露出した表面の生物付着に関しては産業界で重要な問題であり、その場合、バイオフィルムコロニー化は、局在化した生態系の主成分を形成する可能性があり、これによって、産業工程および構成要素が中断および妨害され得る。
【０００５】
Ｔシャツまたはスポーツウエアなどの洗濯品目を使用する場合、これらは、使用者の身体や、それらが用いられるその他の環境からの細菌に曝露される。これらの細菌の一部は、洗濯品目に付着することができ、その品目にバイオフィルムを形成する。細菌の存在は、洗濯品目が、粘着性になり、従って、汚れが粘着性の部分に付着することを意味する。この汚れは、市販の洗剤組成物によって除去し難いことが判明している。さらに、非常に汚れた洗濯品目をあまり汚れていない洗濯品目と一緒に洗浄する場合、洗浄液中に存在する汚れが、バイオフィルムに付着する傾向がある。その結果、洗濯品目は、洗浄前よりも洗浄後の方が「汚れる」ことになる。さらにまた、こうした細菌は、洗濯品目の使用後に発生する悪臭源でもある。悪臭は、除去するのが難しく、洗浄後も残留し得る。この悪臭の理由は、生地表面への細菌の付着である。生地への付着によって、細菌は、洗浄後も残留して、悪臭源となり続ける恐れがある。
【０００６】
国際公開出願：国際公開第２０１１／０９８５７９号パンフレットは、デオキシリボヌクレアーゼ化合物およびバイオフィルム破壊および防止のための方法に関する。
【発明の概要】
【課題を解決するための手段】
【０００７】
本発明は、デオキシリボヌクレアーゼ（ＤＮａｓｅ）を含む洗剤組成物および洗剤補助成分に関し、ここで、ＤＮａｓｅは、真菌供給源から得られる。
【０００８】
本発明はさらに、品目を洗浄または洗濯するためのクリーニングまたは洗濯方法に関し、この方法は、以下：
ａ．真菌性ＤＮａｓｅを含有する洗浄液または真菌性ＤＮａｓｅを含む洗剤組成物に、品目を曝露するステップ；
ｂ．少なくとも１つの洗浄サイクルを完了するステップ；
ｃ．任意選択で品目をすすぐステップ
を含み、
ここで、上記品目は、生地である。
【０００９】
加えて、品目のバイオフィルムを防止、低減または除去するためのＤＮａｓｅの使用も記載される。
【００１０】
本発明はさらに、ＤＮａｓｅ活性を有するポリペプチド、ポリペプチドをコードするヌクレオチドおよびポリペプチドを生成する方法にも関する。
【００１１】
定義
対立遺伝子変異体：「対立遺伝子変異体」という用語は、同一の染色体座を占有する遺伝子の２つ以上の代替的な形態のいずれかを意味する。対立遺伝子変異は、突然変異を介して自然に生じ、また、個体群に多型性をもたらし得る。遺伝子突然変異は、サイレント（コードされるポリペプチドにおける変化なし）であってもよいし、または、改変されたアミノ酸配列を有するポリペプチドをコードするものでもよい。ポリペプチドの対立遺伝子変異体は、遺伝子の対立遺伝子変異体によってコードされたポリペプチドである。
【００１２】
バイオフィルム：バイオフィルムは、細胞が、生地、食器類または硬質表面などの表面上に互いに付着している、いずれかの微生物群である。こうした付着細胞は、多くの場合、細胞外高分子物質（ＥＰＳ）の自己生成マトリックス内に包埋されている。バイオフィルムＥＰＳは、一般に、細胞外ＤＮＡ、タンパク質、および多糖から構成された高分子凝集塊である。バイオフィルムは、生存または非生存表面上に形成し得る。バイオフィルム内で増殖する微生物細胞は、同じ生物の浮遊細胞とは生理学的に異なり、浮遊細胞は、対照的に、液体媒体中に浮遊または泳動し得る単細胞である。
【００１３】
バイオフィルム内に生存する細菌は、通常フィルムの高密且つ保護された環境によって、これらの細菌が多様な方法で協同および相互作用することが可能になるため、同じ種の浮遊細菌とは極めて異なる特性を有する。このような環境の１つの利点は、高密度の細胞外マトリックスおよび細胞の外層が集団の内部を保護するために、洗剤および抗生物質に対する耐性が増大することである。
【００１４】
洗濯の際、細菌を産生するバイオフィルムは、以下の種から見出すことができる：アシネトバクター属（Ａｃｉｎｅｔｏｂａｃｔｅｒ  ｓｐ．）、アエロミクロビウム属（Ａｅｒｏｍｉｃｒｏｂｉｕｍ  ｓｐ．）、ブレバンジモナス属（Ｂｒｅｖｕｎｄｉｍｏｎａｓ  ｓｐ．）、ミクロバクテリウム属（Ｍｉｃｒｏｂａｃｔｅｒｉｕｍ  ｓｐ．）、ミクロコッカス・ルテウス（Ｍｉｃｒｏｃｏｃｃｕｓ  ｌｕｔｅｕｓ）、シュードモナス属（Ｐｓｅｕｄｏｍｏｎａｓ  ｓｐ．）、表皮ブドウ球菌（Ｓｔａｐｈｙｌｏｃｏｃｃｕｓ  ｅｐｉｄｅｒｍｉｄｉｓ）、およびステノトロホモナス属（Ｓｔｅｎｏｔｒｏｐｈｏｍｏｎａｓ  ｓｐ．）。
【００１５】
ｃＤＮＡ：「ｃＤＮＡ」という用語は、真核もしくは原核細胞から得られる成熟型のスプライシングされたｍＲＮＡ分子からの逆転写によって調製することができるＤＮＡ分子である。ｃＤＮＡは、対応するゲノムＤＮＡに存在し得るイントロン配列が欠失している。初期の一次ＲＮＡ転写物は、ｍＲＮＡの前駆体であり、これは、スプライシングを含む一連のステップで処理された後、成熟型スプライシングｍＲＮＡとして出現する。
【００１６】
コード配列：「コード配列」という用語は、ポリペプチドのアミノ酸配列を直接規定するポリヌクレオチドを意味する。コード配列の境界は、一般に、オープンリーディングフレームによって決定されるが、これは、ＡＴＧ、ＧＴＧ、またはＴＴＧなどの開始コドンで開始し、ＴＡＡ、ＴＡＧ、またはＴＧＡなどの終止コドンで終了する。コード配列は、ゲノムＤＮＡ、ｃＤＮＡ、合成ＤＮＡ、またはこれらの組合せのいずれであってもよい。
【００１７】
色差（Ｌ値）：Ｌａｂ色空間は、明度を意味する次元Ｌを有する反対色空間である。Ｌ値、Ｌ*は、Ｌ*＝０で、最も暗い黒を示し、Ｌ*＝１００で、最も明るい白を示す。本発明に関連して、Ｌ値は、色差とも呼ばれる。
【００１８】
制御配列：「制御配列」という用語は、本発明の成熟型ポリペプチドをコードするポリヌクレオチドの発現に必要な核酸配列を意味する。各制御配列は、ポリペプチドをコードするポリヌクレオチドに対して在来（すなわち、同じ遺伝子に由来する）もしくは外来の（すなわち、異なる遺伝子に由来する）ものであっても、または、相互に在来もしくは外来のものであってもよい。このような制御配列としては、これらに限定されないが、リーダ、ポリアデニル化配列、プロペプチド配列、プロモータ、シグナルペプチド配列、および転写ターミネータが挙げられる。少なくとも、制御配列は、プロモータ、ならびに、転写および翻訳終止シグナルを含む。制御配列は、ポリペプチドをコードするポリヌクレオチドのコード領域と制御配列の連結を促進させる特定の制限部位を導入する目的で、リンカーを備えていてもよい。
【００１９】
「ディープクリーニング」という用語は、バイオフィルム、またはバイオフィルム内に存在する多糖、タンパク質、ＤＮＡ、汚れもしくは他の成分などのバイオフィルムの成分の破壊または除去を意味する。
【００２０】
洗剤補助成分：洗剤補助成分は、本発明のＤＮＡｓｅとは異なる。こうした追加的補助成分の厳密な性質、ならびにその含有レベルは、組成物の物理的形態およびそれを用いようとする作業の種類に応じて変動し得る。好適な補助成分としては、限定されないが、後述する成分、例えば、界面活性剤、ビルダー、凝集助剤、キレート化剤、移染防止剤、酵素、酵素安定剤、酵素阻害剤、触媒材料、漂白活性化剤、過酸化水素、過酸化水素供給源、事前形成された過酸（ｐｒｅｆｏｒｍｅｄ  ｐｅｒａｃｉｄ）、ポリマー分散剤、泥汚れ除去／再付着防止剤、増白剤、セッケン泡抑制剤、染料、香料、構造弾性化剤、布地柔軟剤、キャリア、ヒドロトロープ、ビルターおよびコビルダー、布地色相剤、消泡剤、分散剤、加工助剤、および／または顔料が挙げられる。
【００２１】
洗剤組成物：「洗剤組成物」という用語は、生地などの洗浄しようとする品目から不要な化合物を除去する上で有用な組成物を指す。洗剤組成物は、家庭用クリーニングおよび業務用クリーニングの両方の用途で、例えば、生地をクリーニングするために用いることができる。この用語は、特定のタイプの所望のクリーニング組成物および製品の形態（例えば、液体、ゲル、粉末、顆粒、ペースト、またはスプレー組成物）のために選択されるあらゆる材料／化合物を包含し、限定されないが、洗剤組成物（例えば、液体および／または固体洗濯洗剤ならびにデリケート用洗剤；布地フレッシュナ；布地柔軟剤；ならびに生地および洗濯プレスポッター／前処理剤）を包含する。本発明の酵素を含有する以外に、洗剤製剤は、１種または複数種の別の酵素（例えば、プロテアーゼ、アミラーゼ、リパーゼ、クチナーゼ、セルラーゼ、エンドグルカナーゼ、キシログルカナーゼ、ペクチナーゼ、ペクチンリアーゼ、キサンタナーゼ、ペルオキシダーゼ、ハロペルオキシゲナーゼ、カタラーゼおよびマンナナーゼ、もしくはこれらの任意の混合物）、ならびに／または洗剤補助成分、例えば、界面活性剤、ビルダー、キレート剤もしくはキレート化剤、漂白剤系もしくは漂白剤成分、ポリマー、布地コンディショナ、起泡増進剤、セッケン泡抑制剤、染料、香料、色あせ防止剤、光学増白剤、殺菌剤、殺カビ剤、汚染物懸濁剤、腐食防止剤、酵素抑制剤もしくは安定化剤、酵素活性化剤、トランスフェラーゼ、加水分解酵素、酸化還元酵素、青み付け剤および蛍光性染料、酸化防止剤、および溶解剤を含有してもよい。
【００２２】
ＤＮａｓｅ（デオキシリボヌクレアーゼ）：「ＤＮａｓｅ」という用語は、ＤＮＡ骨格において、ホスホジエステル結合の加水分解切断を触媒することにより、ＤＮＡを分解するＤＮａｓｅ活性を有するポリペプチドを意味する。本発明の対象のために、ＤＮａｓｅ活性は、アッセイＩに記載する手順に従って決定される。一態様では、本発明のポリペプチドは、配列番号２の成熟型ポリペプチドのＤＮａｓｅ活性の少なくとも２０％、例えば、少なくとも４０％、少なくとも５０％、少なくとも６０％、少なくとも７０％、少なくとも８０％、少なくとも９０％、少なくとも９５％、または少なくとも１００％を有する。一実施形態では、本発明のポリペプチドは、向上したＤＮＡｓｅ活性を有し、例えば、それによって、ポリペプチドのＤＮＡｓｅ活性は、配列番号２の成熟型ポリペプチドのＤＮａｓｅ活性を基準として、少なくとも１０５％、例えば、少なくとも１１０％、少なくとも１２０％、少なくとも１３０％、少なくとも１４０％、少なくとも１６０％、少なくとも１７０％、少なくとも１８０％、または少なくとも２００％である。
【００２３】
酵素洗浄力有益性：本明細書において、「酵素洗浄力有益性」という用語は、酵素を伴わない同一の洗剤と比して、酵素が洗剤に追加し得る有利な効果として定義される。酵素によりもたらされることが可能である重要な洗浄力有益性は、洗浄および／またはクリーニング後に視認可能な汚染物がないかほとんどないしみ除去（再付着防止とも呼ばれる効果である）、洗浄プロセスで遊離した汚染物の再付着の防止または低減（白色化とも呼ばれる効果である）、元々は白色であったが反復的な使用および洗浄の後に灰色がかったもしくは黄色がかった外観となってしまった生地の白色度の完全なまたは部分的な回復である。触媒によるしみ除去もしくは汚染物の再付着防止に直接関係はしない、生地の取り扱いによる有益性（ｔｅｘｔｉｌｅ  ｃａｒｅ  ｂｅｎｅｆｉｔ）もまた酵素洗浄力有益性に重要である。このような生地の取り扱いによる有益性の例は、一の布地から他の布地へ、もしくは、同一の布地の他の部分への移染の防止もしくは低減（移染防止または逆汚染防止とも呼ばれる効果である）；ピル性を低減するための布地表面からの突出繊維もしくは破断繊維の除去、または、既に存在しているピルもしくは毛羽の除去（抗ピルとも呼ばれる効果である）；布地柔軟性の向上；布地の色の清澄化；および、布地もしくは衣服の繊維中に詰まった粒状の汚染物の除去である。酵素漂白はさらなる酵素洗浄力有益性であり、ここで、触媒活性は、一般に、過酸化水素もしくは他の過酸化物などの漂白成分の形成を触媒するために用いられる。
【００２４】
発現：「発現」という用語は、限定するものではないが、転写、転写後修飾、翻訳、翻訳後修飾および分泌物を含むポリペプチドの生成に関与するいずれかのステップを含む。
【００２５】
発現ベクター：「発現ベクター」という用語は、ポリペプチドをコードするポリヌクレオチドを含み、また、その発現をもたらす制御配列に作動可能にリンクされている直鎖または環状ＤＮＡ分子を含む。
【００２６】
断片：「断片」という用語は、成熟型ポリペプチドまたはドメインのアミノおよび／またはカルボキシル末端から欠失された１つまたは複数（数個）のアミノ酸を有するポリペプチドを意味し；ここで、断片はＤＮａｓｅ活性を有する。一態様において、断片は、少なくとも２０６個のアミノ酸残基（例えば、配列番号２のアミノ酸１〜２０６）、少なくとも２０５個のアミノ酸残基（例えば、配列番号２のアミノ酸２〜２０６）、または少なくとも２０４個のアミノ酸残基（例えば、配列番号２のアミノ酸３〜２０６）を含む。
【００２７】
真菌（性）：本発明に関連して、ポリペプチド（酵素、例えば、ＤＮＡｓｅなど）に関して「真菌（性）」という用語は、真菌のゲノムによってコードされ、従ってそのゲノムから直接誘導可能なポリペプチドを指し、こうした真菌は、例えば、組換えＤＮＡ技術によりゲノムにコード配列を導入することによって、前記ポリペプチドをコードするように遺伝改変されていない。そのため、本発明に関連して、「真菌性ＤＮＡｓｅ」または「真菌供給源から得られるＤＮＡｓｅ活性を有するポリペプチド」という用語は、真菌種のゲノムによってコードされ、従ってそのゲノムから直接誘導可能なＤＮＡｓｅを指し、この真菌種は、前記ＤＮＡｓｅをコードする組換えＤＮＡを導入する遺伝子改変に付されていない。従って、ＤＮＡｓｅ活性を有する真菌ポリペプチドをコードするヌクレオチド配列は、真菌種の遺伝的背景に天然に存在する配列である。こうした配列によりコードされるＤＮＡｓｅ活性を有する真菌性ポリペプチドも、野生型ＤＮＡｓｅ（または親ＤＮＡｓｅ）と呼ばれることがある。別の態様では、本発明は、ＤＮａｓｅ活性を有するポリペプチドを提供し、ここで、前記ポリペプチドは、真菌性ＤＮａｓｅと実質的に相同性である。本発明に関連して、「実質的に相同性である」という用語は、選択した真菌性ＤＮａｓｅのアミノ酸配列と、少なくとも８０％、好ましくは少なくとも８５％、より好ましくは少なくとも９０％、より好ましくは少なくとも９５％、さらに好ましくは少なくとも９６％、９７％、９８％、および最も好ましくは少なくとも９９％同一であるＤＮａｓｅ活性を有するポリペプチドを表す。真菌性ＤＮａｓｅと実質的に相同性のポリペプチドは、本発明の洗剤に含有させてもよいし、および／または本発明の方法で使用してもよい。
【００２８】
宿主細胞：「宿主細胞」という用語は、本発明のポリヌクレオチドを含む核酸構築物または発現ベクターによる形質転換、形質移入、形質導入等などに対する感受性を有するあらゆる細胞型を意味する。「宿主細胞」という用語は、複製の最中に生じる突然変異のために、親細胞と同じではない親細胞のあらゆる子孫を包含する。
【００２９】
向上した洗浄性能：「向上した洗浄性能」という用語は、本明細書では、酵素を含まない同じ洗剤組成物の洗浄性能に対して、例えば、汚れの除去の増加または再付着の減少による、洗剤組成物の洗浄性能の増加を示す酵素として定義される。「向上した洗浄性能」という用語は、洗濯における洗浄性能を包含する。
【００３０】
単離された：「単離された」という用語は、自然界においては生じない形態または環境にある物質を意味する。単離された物質の非限定的な例としては、（１）いずれかの非天然物質、（２）限定されないが、自然界において関連している天然構成成分の１種または複数種もしくは全てから少なくとも部分的に取り出されたいずれかの酵素、変異体、核酸、タンパク質、ペプチドもしくは補因子を含むいずれかの物質；（３）自然界に見出される物質に対して人為的に修飾されたいずれかの物質；または（４）自然界で関連する他の成分に対して物質量の増加により修飾されたいずれかの物質（例えば、宿主細胞における組換え産生；物質をコードする遺伝子の複数のコピー；ならびに、物質をコードする遺伝子と自然界で関連するプロモータよりも強力なプロモータの使用）が挙げられる。単離された物質は、発酵ブロスサンプル中に存在してもよく；例えば、本発明のポリペプチドを発現するように、宿主細胞を遺伝子改変してもよい。宿主細胞からの発酵ブロスは、単離されたポリペプチドを含み得る。
【００３１】
洗濯する：「洗濯する」という用語は、家庭での洗濯および業務用洗濯の両方に関し、本発明のクリーニングまたは洗剤組成物を含む溶液で生地を処理する工程を意味する。洗濯工程は、例えば、家庭用または業務用洗浄機を用いて実施することもできるし、または手で実施することもできる。
【００３２】
「悪臭」という用語は、清浄な品目に対して望ましくない臭いを意味する。洗浄された品目は、その品目に付着する悪臭がなく、新鮮かつ清浄な臭いがすべきである。悪臭の一例として、微生物によって発生され得る不快な臭いを有する化合物がある。別の例は、ヒトまたは動物と接触していた品目に付着した汗または体臭であり得る不快な臭いである。悪臭の別の例は、品目に付着する香辛料からの臭いである場合もあり、例えば、カレーや、強烈な臭いがする他の外来香辛料がある。品目が悪臭を付着する程度を計測する一方法は、本明細書に開示するアッセイＩＩの使用によるものである。
【００３３】
成熟型ポリペプチド：「成熟型ポリペプチド」という用語は、Ｎ末端プロセシング、Ｃ末端切断、グリコシル化、リン酸化等などの翻訳およびいずれかの翻訳後修飾の後に、その最終形態にあるポリペプチドを意味する。一態様において、成熟型ポリペプチドは、配列番号２のアミノ酸１〜２０６であり、配列番号２のアミノ酸−３７〜−１６は、シグナルペプチドであり、また、配列番号２のアミノ酸−１５〜−１は、プロペプチドである。同じポリヌクレオチドによって発現された宿主細胞が、２つのさらに異なる成熟型ポリペプチド（すなわち、異なるＣ末端および／またはＮ末端アミノ酸を含む）の混合物を産生しうることは当分野において公知である。さらに、異なる宿主細胞は、ポリペプチドを異なる様式でプロセシングするため、あるポリヌクレオチドを発現する１宿主細胞は、同じポリヌクレオチドを発現する別の宿主細胞と比較して、異なる成熟型ポリペプチド（例えば、異なるＣ末端および／またはＮ末端アミノ酸を有する）を産生し得ることも当分野において公知である。一態様では、成熟型ポリペプチドは、配列番号２または配列番号９の２０６個以下のアミノ酸残基（例えば、配列番号２のアミノ酸１〜２０６）、または２０４個以下のアミノ酸残基（例えば、配列番号２のアミノ酸３〜２０６）を含有する。
【００３４】
成熟型ポリペプチドコード配列：「成熟型ポリペプチドコード配列」という用語は、ＤＮａｓｅ活性を有する成熟型ポリペプチドをコードするポリヌクレオチドを意味する。一態様において、成熟型ポリペプチドコード配列は、配列番号１の結合ヌクレオチド１〜２４２、３０９〜４９４、５５６〜７１４および７６６〜９０７である。
【００３５】
核酸構築物：「核酸構築物」という用語は、一本鎖または二本鎖いずれかの核酸分子を意味し、これは、天然の遺伝子から単離されるか、もしくは、そうでなければ自然に存在しないであろう様式で核酸のセグメントを含有するよう修飾されるか、または、合成物であり、これは、１つまたは複数の制御配列を含む。
【００３６】
作動可能にリンクされた：「作動可能にリンクされた」という用語は、制御配列がコード配列の発現を指令するように、ポリヌクレオチドのコード配列に対して適切な位置に制御配列が配置される構造を意味する。
【００３７】
医薬補助成分は、医薬化合物を製剤化する上で好適ないずれかの医薬品賦形剤を意味する。
【００３８】
こうした賦形剤、キャリア、ビヒクルなどは、当業者にはよく知られており、Ｒｅｍｉｎｇｔｏｎ’ｓ  Ｐｈａｒｍａｃｅｕｔｉｃａｌ  Ｓｃｉｅｎｃｅｓ，Ｍａｃｋ  Ｐｕｂｌｉｓｈｉｎｇ  Ｃｏ．，Ｅａｓｔｏｎ，Ｐａ．，１９８５といったテキストに記載されている。
【００３９】
錠剤製剤での使用に好適な薬学的に許容される賦形剤として、例えば、炭酸カルシウム、炭酸ナトリウム、ラクトース、リン酸カルシウムまたはリン酸ナトリウムなどの不活性希釈剤；造粒剤および崩壊剤、例えば、トウモロコシデンプン、またはアルギン酸；結合剤、例えば、デンプン、ゼラチンまたはアカシア、ならびに潤滑剤、例えば、ステアリン酸マグネシウム、ステアリン酸またはタルクが挙げられる。錠剤は、素錠であってもよいし、または消化管での崩壊および吸収を遅延させることによって、より長期間にわたって持続的作用をもたらす公知の技術によりコーティングしてもよい。例えば、モノステアリン酸グリセリルまたはジステアリン酸グリセリルなどの時間遅延材料を使用してもよい。
【００４０】
硬質ゼラチンカプセル製剤の場合には、活性成分を不活性固体希釈剤、例えば、炭酸カルシウム、リン酸カルシウムまたはカオリンと混合することができる。軟質ゼラチンカプセル製剤の場合には、活性成分を水または油媒質、例えば、ピーナッツ油、液体パラフィンもしくはオリーブ油と混合することができる。
【００４１】
水性懸濁液の製造に好適な賦形剤としては、懸濁剤、例えば、ナトリウムカルボキシメチルセルロース、メチルセルロース、ヒドロプロピルメチルセルロース、アルギン酸ナトリウム、ポリビニルピロリドン、トラガカントゴムおよびアカシアゴムが挙げられ；分散または湿潤剤は、天然に存在するリン脂質、例えば、レシチン、またはアルキレンオキシドと脂肪酸の縮合物、例えば、ステアリン酸ポリオキシエチレン、またはエチレンオキシドと長鎖脂肪族アルコールの縮合物、例えば、ヘプタデカエチレンオキシエタノール、またはエチレンオキシドと、脂肪酸およびヘキシトールから得られる部分エステルとの縮合物、例えば、ポリオキシエチレンソルビトールモノオレエート、またはエチレンオキシドと、脂肪酸および無水ヘキシトールから得られる部分エステルとの縮合物、例えば、ポリエチレンソルビタンモノオレエートであってもよい。
【００４２】
水性懸濁液はまた、１種または複数種の防腐剤、例えば、エチルもしくはｐ−ヒドロキシ安息香酸ｎ−プロピルなどの安息香酸塩、１種または複数種の着色料、１種または複数種の香味料、ならびに１種または複数種の甘味料、例えば、スクロースもしくはサッカリンを含有してもよい。
【００４３】
油性懸濁液は、植物油、例えば、落花生油、オリーブ油、ゴマ油もしくはヤシ油、または液体パラフィンのような鉱油に活性成分を懸濁させることによって製剤化することができる。油性懸濁液は、増粘剤、例えば、蜜蝋、固形パラフィンまたはセチルアルコールを含有してもよい。甘味料および香味料を添加してもよい。これらの組成物は、アスコルビン酸のような抗酸化剤の添加によって保存することができる。
【００４４】
再発光（Ｒｅｍｉｓｓｉｏｎ）値：洗浄性能は、汚れた布きれの再発光値として表される。洗浄およびすすぎの後、布きれを一面に広げて、室温で一晩空気乾燥させた。洗浄した布きれは全て、洗浄の翌日に評価する。開口部が非常に小さいＭａｃｂｅｔｈ  Ｃｏｌｏｒ  Ｅｙｅ  ７０００反射光分光計を用いて、布きれの光の反射率評価を実施した。計測は、入射光においてＵＶなしで実施し、４６０ｎｍでの再発光を抽出した。
【００４５】
配列同一性：２つのアミノ酸配列間または２つのヌクレオチド配列間の関連性は、「配列同一性」というパラメータによって表される。本発明の目的のために、２つのアミノ酸配列間の配列同一性の程度は、好ましくはバージョン５．０．０以降のＥＭＢＯＳＳパッケージ（ＥＭＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００，Ｔｒｅｎｄｓ  Ｇｅｎｅｔ．１６：２７６−２７７）のＮｅｅｄｌｅプログラムにおいて実装されている、Ｎｅｅｄｌｅｍａｎ−Ｗｕｎｓｃｈアルゴリズム（Ｎｅｅｄｌｅｍａｎ  ａｎｄ  Ｗｕｎｓｃｈ，１９７０，Ｊ．Ｍｏｌ．Ｂｉｏｌ．４８：４４３−４５３）を用いて判定される。用いられるパラメータは、１０のギャップオープンペナルティ、０．５のギャップエクステンションペナルティおよびＥＢＬＯＳＵＭ６２（ＢＬＯＳＵＭ６２のＥＭＢＯＳＳバージョン）置換マトリックスである。Ｎｅｅｄｌｅ標識された「最長の同一性」（−ｎｏｂｒｉｅｆオプションを用いて得られる）の出力が同一性割合として用いられ、以下のように算出される：
（同等の残基×１００）／（アラインメントの長さ−アラインメント中のギャップの総数）
【００４６】
本発明の目的のために、２つのデオキシリボヌクレオチド配列間の配列同一性の程度は、好ましくはバージョン５．０．０以降のＥＭＢＯＳＳパッケージ（前述のＥＭ−ＢＯＳＳ：Ｔｈｅ  Ｅｕｒｏｐｅａｎ  Ｍｏｌｅｃｕｌａｒ  Ｂｉｏｌｏｇｙ  Ｏｐｅｎ  Ｓｏｆｔｗａｒｅ  Ｓｕｉｔｅ，Ｒｉｃｅ  ｅｔ  ａｌ．，２０００）のＮｅｅｄｌｅプログラムにおいて実装されている、Ｎｅｅｄｌｅｍａｎ−Ｗｕｎｓｃｈアルゴリズム（前述のＮｅｅｄｌｅｍａｎ  ａｎｄ  Ｗｕｎｓｃｈ，１９７０）を用いて判定される。用いられるパラメータは、１０のギャップオープンペナルティ、０．５のギャップエクステンションペナルティおよびＥＤＮＡＦＵＬＬ（ＮＣＢＩ  ＮＵＣ４．４のＥＭＢＯＳＳバージョン）置換マトリックスである。Ｎｅｅｄｌｅ標識された「最長の同一性」（−ｎｏｂｒｉｅｆオプションを用いて得られる）の出力が同一性割合として用いられ、以下のように算出される：
（同等のデオキシリボヌクレオチド×１００）／（アラインメントの長さ−アラインメント中のギャップの総数）
【００４７】
生地：「生地」という用語は、ヤーン、ヤーン中間物、繊維、不織布材料、天然材料、合成材料などのいずれかの生地材料、およびその他いずれかの生地材料、これらの材料から製造される布地、ならびに布地から製造される製品（例えば、衣服および他の物品）を意味する。生地または布地は、ニット、織物、デニム、不織物、フェルト、ヤーンおよびタオル地の形態であってよい。生地は、綿、亜麻／リンネル、ジュート、ラミー、サイザルもしくはコイアを含む天然セルロース系材料、または、ビスコース／レーヨン、酢酸セルロース繊維（三細胞性）、リオセルもしくはこれらのブレンドを含む人工セルロース系材料（例えば、木材パルプ由来のもの）などのセルロース系材料であってよい。生地または布地はまた、ウール、ラクダ、カシミヤ、モヘア、ウサギおよび絹を含む天然ポリアミドなどの非セルロース系材料、または、ナイロン、アラミド、ポリエステル、アクリル、ポリプロピレンおよびスパンデックス／エラスタンなどの合成ポリマー、またはこれらのブレンド、ならびに、セルロース系および非セルロース系繊維のブレンドであってよい。ブレンドの例は、綿および／またはレーヨン／ビスコースと、ウール、合成繊維（例えば、ポリアミド繊維、アクリル繊維、ポリエステル繊維、ポリ塩化ビニル繊維、ポリウレタン繊維、ポリウレア繊維、アラミド繊維）、および／またはセルロース含有繊維（例えば、レーヨン／ビスコース、ラミー、亜麻／リンネル、ジュート、酢酸セルロース繊維、リオセル）などの１種または複数種の随伴材料とのブレンドである。布地は、例えば、汚れた家庭ランドリーなどの従来の可洗ランドリーであってよい。布地または衣服という用語が用いられる場合、より広義の生地という用語も含むものとする。本発明に関連して、「生地」という用語は、布地も包含する。
【００４８】
緊縮条件：「極めて低度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、２５％ホルムアミドでのプレハイブリーダイゼーションおよびハイブリーダイゼーションを意味する。キャリア材料は、最終的に、２×ＳＳＣ、０．２％ＳＤＳを用いて、４５℃で１５分間ずつ３回洗浄される。
【００４９】
「低度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、２５％ホルムアミドでのプレハイブリーダイゼーションおよびハイブリーダイゼーションを意味する。キャリア材料は、最終的に、２×ＳＳＣ、０．２％ＳＤＳを用いて、５０℃で１５分間ずつ３回洗浄される。
【００５０】
「中度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、３５％ホルムアミドでのプレハイブリーダイゼーションおよびハイブリーダイゼーションを意味する。キャリア材料は、最終的に、２×ＳＳＣ、０．２％ＳＤＳを用いて、５５℃で１５分間ずつ３回洗浄される。
【００５１】
「中度−高度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、３５％ホルムアミドでのプレハイブリーダイゼーションおよびハイブリーダイゼーションを意味する。キャリア材料は、最終的に、２×ＳＳＣ、０．２％ＳＤＳを用いて、６０℃で１５分間ずつ３回洗浄される。
【００５２】
「高度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、５０％ホルムアミドでのプレハイブリーダイゼーションおよびハイブリーダイゼーションを意味する。キャリア材料は、最終的に、２×ＳＳＣ、０．２％ＳＤＳを用いて、６５℃で１５分間ずつ３回洗浄される。
【００５３】
「極めて高度の緊縮条件」という用語は、長さが少なくとも１００ヌクレオチドのプローブに関して、１２〜２４時間の標準的なサザンブロッティング法に続く、４２℃、５×ＳＳＰＥ、０．３％ＳＤＳ、２００マイクログラム／ｍｌ断片処理および修飾済みのサケ精子ＤＮＡ、ならびに、５０％ホルムアミドでのプレハイブリーダイゼーションおよびハイブリーダイゼーションを意味する。キャリア材料は、最終的に、２×ＳＳＣ、０．２％ＳＤＳを用いて、７０℃で１５分間ずつ３回洗浄される。
【００５４】
サブ配列：「サブ配列」という用語は、成熟型ポリペプチドコード配列の５’および／または３’末端から欠失された１つまたは複数（例えば、数個）のヌクレオチドを有するポリヌクレオチドを意味し；ここで、サブ配列は、ＤＮａｓｅ活性を有する断片をコードする。一態様において、サブ配列は、少なくとも７９６個のヌクレオチド（例えば、配列番号１のヌクレオチド１１２〜９０７）、少なくとも７９３個のヌクレオチド（例えば、配列番号１のヌクレオチド１１５〜９０７）、または少なくとも７９０個のヌクレオチド（例えば、配列番号１のヌクレオチド１１８〜９０７）を含む。
【００５５】
生地：「生地」という用語は、ヤーン、ヤーン中間物、繊維、不織布材料、天然材料、合成材料などのいずれかの生地材料、およびその他いずれかの生地材料、これらの材料から製造される布地、ならびに布地から製造される製品（例えば、衣服および他の物品）を意味する。生地または布地は、ニット、織物、デニム、不織物、フェルト、ヤーンおよびタオル地の形態であってよい。生地は、綿、亜麻／リンネル、ジュート、ラミー、サイザルもしくはコイアを含む天然セルロース系材料、または、ビスコース／レーヨン、酢酸セルロース繊維（三細胞性）、リオセルもしくはこれらのブレンドを含む人工セルロース系材料（例えば、木材パルプ由来のもの）などのセルロース系材料であってよい。生地または布地はまた、ウール、ラクダ、カシミヤ、モヘア、ウサギおよび絹などの天然ポリアミドなどの非セルロース系材料、または、ナイロン、アラミド、ポリエステル、アクリル、ポリプロピレンおよびスパンデックス／エラスタンなどの合成ポリマー、または、これらのブレンド、ならびに、セルロース系および非セルロース系繊維のブレンドであってよい。ブレンドの例は、綿および／またはレーヨン／ビスコースと、ウール、合成繊維（例えば、ポリアミド繊維、アクリル繊維、ポリエステル繊維、ポリ塩化ビニル繊維、ポリウレタン繊維、ポリウレア繊維、アラミド繊維）、および／またはセルロース含有繊維（例えば、レーヨン／ビスコース、ラミー、亜麻／リンネル、ジュート、酢酸セルロース繊維、リオセル）などの１種または複数種の随伴材料とのブレンドである。布地は、例えば、汚れた家庭ランドリーなどの従来の可洗ランドリーであってよい。布地または衣服という用語が用いられる場合、より広義の生地という用語も含むものとする。本発明に関連して、「生地」という用語は、布地も包含する。
【００５６】
変異体：「変異体」という用語は、１つまたは複数（例えば、数個）の位置に改変（すなわち、置換、挿入および／または欠失）を含む、親酵素と同じ活性を有するポリペプチドを意味する。置換とは、ある位置のアミノ酸の異なるアミノ酸による置き換えを意味し；欠失とは、ある位置のアミノ酸の除去を意味し；また、挿入とは、ある位置のアミノ酸に隣接し、この直後に続く１アミノ酸を付加することを意味する。本発明に関連して、同定されたＤＮＡｓｅの変異体は、親の酵素活性、すなわち、ＤＮＡ骨格におけるホスホジエステル結合の加水分解切断を触媒する能力（デオキシリボヌクレアーゼ活性）を有する。一実施形態では、変異体のデオキシリボヌクレアーゼ活性は、親ＤＮＡｓｅ、例えば、配列番号２の成熟型ポリペプチドに対して増加している。
【００５７】
洗浄サイクル：「洗浄サイクル」という用語は、本明細書において、生地を洗浄液に浸漬し、汚れを放出すると共に、生地への洗浄液の流入および流出を促進するために、ある種の機械的作用を生地に加え、最後に、余分な洗浄液を除去する、洗浄操作として定義される。１回または複数回の洗浄サイクル後に、一般的に、生地をすすぎ、乾燥させる。
【００５８】
洗浄液：「洗浄液」という用語は、本明細書において、水と洗剤成分（任意選択で、本発明の酵素を含有する）の溶液または混合物として定義される。
【００５９】
洗浄時間：「洗浄時間」という用語は、本明細書において、全洗浄工程にかかる時間；すなわち、洗浄サイクルおよびすすぎサイクルの合計時間として定義される。
【００６０】
白色度：「白色度」という用語は、本明細書において、様々な分野において、また様々な顧客について、異なる意味を有する広義の用語として定義される。白色度の喪失は、例えば、灰色化、黄色化、または蛍光増白剤／色相剤の除去に起因し得る。灰色化および黄色化は、汚れの再付着、身体の汚れ、例えば、鉄および鉄イオン由来の着色料または移染に起因して起こり得る。白色度は、以下に挙げるリストからの１つまたは複数の項目を含みうる：着色料または染料作用；不完全な汚れの除去（例えば、身体の汚れ、皮脂など）；再付着（対象物の灰色化、黄色化、またはその他の変色）（除去した汚れが、汚れた、または汚れていない生地の別の部分に再結合したもの）；使用中の生地における化学変化；ならびに色の明瞭化もしくは白色化。
【発明を実施するための形態】
【００６１】
本発明者らは、デオキシリボヌクレアーゼ（ＤＮａｓｅ）活性を有し、且つ、真菌供給源から得られるポリペプチドが、生地および／または布地などの品目におけるバイオフィルムを防止または除去するために用いられ得ることを見出した。バイオフィルムは、微生物が、ある品目上に存在し、その品目上で互いに付着するとき生地の上に形成され得る。一部の微生物は、生地などの品目の表面に付着する傾向がある。一部の微生物は、こうした表面に付着して、その表面にバイオフィルムを形成する。バイオフィルムは、粘着性であると考えられるため、付着した微生物および／またはバイオフィルムは、除去するのが難しいことがある。さらに、バイオフィルムは、バイオフィルムの粘着性によって、汚れに付着する。市販の洗濯洗剤組成物では、このような微生物またはバイオフィルムは除去されない。
【００６２】
本発明は、品目からバイオフィルムを防止、低減または除去するためのＤＮａｓｅ活性を有するポリペプチドの使用に関し、ここで、ＤＮａｓｅ活性を有するポリペプチドは、真菌供給源から得られ、上記品目は、生地である。本発明の一実施形態では、ＤＮａｓｅ活性を有するポリペプチドは、品目の粘着性を防止、低減または除去するために用いられる。ＤＮａｓｅ活性を有するポリペプチドは、さらに、顕著な量のバイオフィルムが付着した生地などの生地における汚れを前処理するために用いることもできる。
【００６３】
加えて、本発明は、洗浄サイクル中の汚れの再付着を防止、低減または除去するためのＤＮａｓｅ活性を有するポリペプチドの使用にも関する。例えば、生地の洗濯のためにポリペプチドを使用する場合、ポリペプチドは、洗浄液中に存在する汚れが生地に付着するのを阻止する。
【００６４】
さらに、本発明は、品目への汚れの付着を防止、低減または除去するためのＤＮａｓｅ活性を有するポリペプチドの使用にも関する。一実施形態では、上記品目は、生地である。汚れが品目に付着しなければ、その品目はより清浄に見える。従って、本発明は、さらに、品目の白色度を維持または改善するためのＤＮａｓｅ活性を有するポリペプチドの使用にも関する。
【００６５】
Ｔシャツまたはスポーツウエアなどの品目を使用する場合、これらの品目は、使用者の身体や、それらが用いられるその他の環境からの細菌に曝露される。これによって、品目を洗浄した後も、その品目の悪臭が生じ得る。従って、本発明は、生地に付いた悪臭の除去または低減にも関する。この悪臭は、不快な臭いを有する化合物を生成する細菌に起因し得る。こうした不快な臭いがする化合物の一例は、Ｅ−２−ノネナールである。悪臭は、まだ濡れている新しく洗浄した生地に存在し得る。あるいは、悪臭は、新しく洗浄し、後に乾燥させた生地にも存在し得る。また、悪臭は、洗浄後しばらく溜めておいた生地にも存在し得る。本発明は、濡れた、または乾いた生地からのＥ−２−ノネナールなどの悪臭の低減または除去にも関する。
【００６６】
本発明は、さらに、ＤＮａｓｅ活性を有するポリペプチドと洗剤補助成分を含む洗剤組成物に関し、ここで、ＤＮａｓｅは、真菌供給源から得られる。本洗剤組成物は、品目からバイオフィルムを防止、低減または除去するために、品目の粘着性を防止、低減または除去するために、品目に付いた汚れを前処理するために、洗浄サイクル中の汚れの再付着を防止、低減または除去するために、品目への汚れの付着を低減または除去するために、品目の白色度を維持または改善するために、品目からＥ−２−ノネナールなどの悪臭を防止、低減または除去するために、用いることができる（実施例１０、１３および１４を参照のこと）。本洗剤組成物は、従来技術の問題を解決する。
【００６７】
本発明者らは、驚くことに、真菌供給源から得られるＤＮａｓｅ活性を有するポリペプチドが、他の洗剤酵素と一緒に配合された場合、ＤＮａｓｅ活性を有する細菌性ポリペプチドよりも安定していることを見出した。特に、本発明者らは、プロテアーゼを含む組成物中に真菌供給源から得られるＤＮａｓｅを配合すると、真菌性ＤＮａｓｅが、細菌供給源から得られる細菌性ＤＮａｓｅよりも安定していることを見出した。ＤＮａｓｅ活性を有するポリペプチドは、アスペルギルス属（Ａｓｐｅｒｇｉｌｌｕｓ）、例えば、アスペルギルス・オリゼー（Ａｓｐｅｒｇｉｌｌｕｓ  ｏｒｙｚａｅ）から得ることができる。アスペルギルス・オリゼー（Ａｓｐｅｒｇｉｌｌｕｓ  ｏｒｙｚａｅ）から得られるＤＮａｓｅ活性を有するポリペプチドは、プロテアーゼと一緒に配合された場合、細菌性ＤＮａｓｅとプロテアーゼの組み合わせよりも安定していることが立証されている（実施例１１および１２を参照のこと）。
【００６８】
本発明の一実施形態では、洗剤組成物は、特許請求の範囲に記載されるＤＮａｓｅ活性を有するポリペプチドを含む。
【００６９】
本発明の一実施形態では、洗剤補助成分は、以下：界面活性剤、ビルダー、凝集助剤、キレート化剤、移染防止剤、酵素、酵素安定剤、酵素阻害剤、触媒材料、漂白活性化剤、過酸化水素、過酸化水素の供給源、事前形成された過酸（ｐｒｅｆｏｒｍｅｄ  ｐｅｒａｃｉｄ）、ポリマー分散剤、泥汚れ除去／再付着防止剤、増白剤、セッケン泡抑制剤、染料、香料、構造弾性化剤、布地柔軟剤、キャリア、ヒドロトロープ、ビルターおよびコビルダー、布地色相剤、消泡剤、分散剤、加工助剤、および／または顔料からなる群から選択される。
【００７０】
洗剤補助成分は、界面活性剤であってよい。真菌性ＤＮａｓｅを含む洗剤組成物に界面活性剤を含有する１つの利点は、洗浄性能が向上することである。一実施形態では、洗剤補助成分は、ビルダーまたは泥汚れ除去／再付着防止剤である。
【００７１】
一実施形態では、洗剤補助成分は、酵素である。洗剤補助成分は、１種または複数種の酵素を含んでもよい。１種または複数種の酵素は、以下：プロテアーゼ、リパーゼ、クチナーゼ、アミラーゼ、カルボヒドラーゼ、セルラーゼ、ペクチナーゼ、マンナナーゼ、アラビナーゼ、ガラクタナーゼ、キシラナーゼおよびオキシダーゼからなる群から選択してよい。
【００７２】
本発明者らは、真菌供給源から得られるＤＮａｓｅが、他の酵素と一緒に製剤化した場合、良好な安定性を示すことを見出した。細菌供給源から得られるＤＮａｓｅは、細菌性ＤＮａｓｅをプロテアーゼなどの他の酵素と一緒に製剤化すると、不十分な安定性を有することが明らかにされた。本発明者らは、真菌供給源から得られるＤＮａｓｅが、細菌供給源から得られるＤＮａｓｅと比較して、高い安定性を有することを見出した。
【００７３】
一実施形態では、本発明の洗剤組成物は、動物、植物または微生物由来のプロテアーゼと一緒に製剤化する。プロテアーゼは、化学的に修飾されているか、またはタンパク質操作されている。プロテアーゼは、セリンプロテアーゼまたはメタロプロテアーゼであってよく、アルカリ微生物プロテアーゼまたはトリプシン様プロテアーゼであるのが好ましい。
【００７４】
本発明の一実施形態では、プロテアーゼは、以下：バチルス属（Ｂａｃｉｌｌｕｓ）、例えば、スブチリシン・ノボ（Ｎｏｖｏ）、スブチリシン・カールスバーグ（Ｃａｒｌｓｂｅｒｇ）、スブチリシン３０９、スブチリシン１４７、スブチリシン１６８、ウシ由来のトリプシン、ブタ由来のトリプシン、およびフサリウム（Ｆｕｓａｒｉｕｍ）プロテアーゼからなる群から選択される。プロテアーゼは、配列番号１０に対して、少なくとも９０％、例えば、少なくとも９５％の配列同一性を有し得る。一実施形態では、プロテアーゼは、配列番号１０のアミノ酸配列、または１つまたは複数の以下の位置：２７、３６、５７、７６、８７、９７、１０１、１０４、１２０、１２３、１６７、１７０、１９４、２０６、２１８、２２２、２２４、２３５、および２７４に置換を有する変異体に対して、少なくとも９０％の配列同一性を有し、変異体は、次の置換：Ｍ２２２Ｓまたは置換Ｎ７６Ｄ＋Ｇ１９５Ｅを伴い、配列番号１０のアミノ酸配列に対して、少なくとも９０％の配列同一性を有するアルカリプロテアーゼであるのが好ましい。
【００７５】
一実施形態では、本発明の洗剤組成物は、以下：アシネトバクター属（Ａｃｉｎｅｔｏｂａｃｔｅｒ  ｓｐ．）、アエロミクロビウム属（Ａｅｒｏｍｉｃｒｏｂｉｕｍ  ｓｐ．）、ブレバンジモナス属（Ｂｒｅｖｕｎｄｉｍｏｎａｓ  ｓｐ．）、ミクロバクテリウム属（Ｍｉｃｒｏｂａｃｔｅｒｉｕｍ  ｓｐ．）、ミクロコッカス・ルテウス（Ｍｉｃｒｏｃｏｃｃｕｓ  ｌｕｔｅｕｓ）、シュードモナス属（Ｐｓｅｕｄｏｍｏｎａｓ  ｓｐ．）、表皮ブドウ球菌（Ｓｔａｐｈｙｌｏｃｏｃｃｕｓ  ｅｐｉｄｅｒｍｉｄｉｓ）、およびステノトロホモナス属（Ｓｔｅｎｏｔｒｏｐｈｏｍｏｎａｓ  ｓｐ．）からなる群から選択される細菌の、表面への付着を低減する、またはそれらが付着した表面から細菌を解離させることができる。
【００７６】
本発明の一実施形態では、表面は、生地表面である。生地は、綿、綿／ポリエステル、ポリエステル、ポリアミド、ポリアクリルおよび／または絹から製造されたものでよい。
【００７７】
洗剤組成物は、バー、均質錠剤、２つ以上の層を有する錠剤、１つまたは複数のコンパートメントを有するポーチ、通常のもしくは圧縮された粉末、顆粒、ペースト、ゲル、または通常の、圧縮もしくは濃縮液体として製剤化してもよい。洗剤組成物は、液体洗剤、粉末洗剤または顆粒状洗剤であってよい。
【００７８】
本発明は、さらに、少なくとも３重量％の合計濃度の界面活性剤および洗剤ビルダーと、マイクロカプセルを含む洗剤酵素とを含む液体洗剤組成物に関し、ここで、マイクロカプセルの膜は、１ｋＤａ超の分子量を有する多分岐ポリアミンの架橋によって生成される。本発明者らは、本発明の半透膜を用いたマイクロカプセルに酵素をカプセル化し、これらのカプセル内部の水活性を（液体洗剤への添加の前に）液体洗剤より高くすることによって、カプセルが洗剤に添加される（水が流れ出る）と（部分的に）崩壊を被り、これによって、カプセル内部に含まれる濃度および粘性がより高い酵素が残ることを見出した。また、膜の崩壊によって、透過性の低下も起こり得る。これは、安定剤／ポリマー、特に膜を透過することができないものの添加によっても利用することができる。こうした崩壊およびその結果起こる粘性の増加は、カプセル内への敵対（ｈｏｓｔｉｌｅ）成分（例えば、界面活性剤または隔離剤）の拡散を低減／妨害し、これによって、液体洗剤中の酵素の保存安定性を高める。また、酵素に対して感受性の液体洗剤中の成分（例えば、酵素の基質として作用する成分）も、酵素による分解から保護される。洗浄中、液体洗剤は、水によって希釈されるため、水活性が増加する。このとき、水は、カプセル内に拡散する（浸透）。カプセルは膨潤して、膜は、酵素に対して透過性になるため、酵素がカプセルから流出できるようになるか、または単純に破裂することによって酵素を放出するかのいずれかである。このコンセプトは、液体洗剤中の敵対成分に対して酵素を安定化する上で非常に効率的であり、その逆も、液体洗剤中の酵素に感受性成分を酵素から保護する。
【００７９】
酵素に対して感受性であり、酵素により分解され得る洗剤成分の例として、以下のものが挙げられる（括弧内は、関連酵素）：キサンタンゴム（キサンタナーゼ）、エステル結合を有するポリマー（リパーゼ）、水添ヒマシ油（リパーゼ）、香料（リパーゼ）、メチルエステルスルホン酸塩（リパーゼ）、セルロースおよびセルロース誘導体（例えば、ＣＭＣ）（セルラーゼ）ならびにデキストリンおよびシクロデキストリン（アミラーゼ）。
【００８０】
また、感受性洗剤成分を本発明のマイクロカプセル中にカプセル化し、これによって、安定化させることもできる。感受性洗剤成分は、保存中に分解しやすい。このような洗剤成分には、漂白化合物、漂白活性化剤、香料、ポリマー、ビルダー、界面活性剤などがある。
【００８１】
一般に、本発明のマイクロカプセルを用いて、洗剤中の不適合性成分／化合物を分離することができる。
【００８２】
洗剤へのマイクロカプセルの添加を用いて、洗剤製品の視覚的外観、例えば、不透明化作用（小型マイクロカプセル）またははっきりと見える粒子（大型マイクロカプセル）の作用に影響を与えることができる。また、マイクロカプセルは着色してもよい。
【００８３】
マイクロカプセルを用いて、取り扱いおよび酵素製品の加工中の酵素ダストレベルを低減することができる。
【００８４】
別途記載のない限り、本願全体を通して、パーセンテージは全て、重量パーセント（％ｗ／ｗ）として表示される。
【００８５】
マイクロカプセル：マイクロカプセルは、典型的に、水と非混和性の連続体中に水滴を形成する、すなわち、典型的には、油中水型乳剤を調製した後、架橋剤の添加による界面重合によって膜を形成することにより生成する。最終的硬化の後、カプセルを回収し、さらにすすいでから、当分野で公知の方法により製剤化することができる。その後、カプセル製剤を洗剤に添加する。
【００８６】
カプセル化しようとするペイロード、主要膜成分、および最終的追加成分は、水相中に存在する。連続体には、水滴を合体に対して安定化させる成分（乳化剤、乳剤安定剤、界面活性剤など）が存在し、連続体を介して架橋剤も添加される。
【００８７】
乳剤は、当分野で公知の任意の方法、例えば、機械的攪拌、滴下方法、膜乳化法、マイクロフルイディクス、音波処理などによって調製することができる。一部の態様では、各相の単純な混合によって自動的に乳剤が得られ、これは往々にして自己乳化と呼ばれる。狭い粒度分布をもたらす方法の使用が有利である。
【００８８】
続いて、架橋剤を、典型的には乳剤に直接添加するか、またはより一般的には、連続相に可溶性の溶媒中に架橋剤の溶液を調製する。乳剤および架橋剤またはそれらの溶液の混合は、当分野において使用される従来の方法、例えば、単純な混合、またはインラインミキサーを用いて、乳剤および架橋剤溶液の流れを注意深く制御することによって実施することができる。
【００８９】
一部の態様では、膜形成を完了するために、カプセルの硬化が必要とされる。硬化は、多くの場合、界面重合反応の停止を可能にする時間にわたってカプセルを単純に攪拌することである。別の態様では、膜形成は、反応クエンチャーの添加によって停止することができる。
【００９０】
カプセルは、例えば、国際公開第９９／０１５３４号パンフレットに記載されているように、洗剤中の粒子の凝集を妨害または低減するために、成分を膜上で反応させることにより、後修飾してもよい。
【００９１】
生成されたカプセルは、当分野で公知の方法、例えば、カプセル分散液の濾過、遠心分離、蒸留またはデカンテーションによって単離または濃縮することができる。
【００９２】
得られたカプセルは、さらに、例えば、貯蔵、輸送および後の取り扱い、ならびに洗剤への添加について所望の特性を製品に付与するための界面活性剤の添加によって製剤化することもできる。他のマイクロカプセル製剤物質として、レオロジー改質剤、殺生物剤（例えば、Ｐｒｏｘｅｌ）、ｐＨ調節のための酸／塩基（マイクロカプセル内部も調節する）、および水活性調節のための水が挙げられる。
【００９３】
カプセル形成工程は、以下のステップを含み得る：
−初期水および油相の調製、
−油中水型乳剤の形成、
−界面重合による膜形成、
−任意選択の後修飾、
−任意選択の単離および／または製剤化、
−洗剤への添加。
【００９４】
この工程は、バッチプロセスまたは連続プロセスもしくは半連続プロセスのいずれであってもよい。
【００９５】
本発明のマイクロカプセルは、均一な膜が周囲を取り囲む微小な水性球体である。マイクロカプセル内部の材料は、コア、内部相、または充填物とよばれ、膜は、シェル、コーティング、または壁と呼ばれることがある。本発明のマイクロカプセルは、０．５μｍ〜２ミリメートルの直径を有する。好ましくは、マイクロカプセルの平均直径は、１μｍ〜１０００μｍの範囲であり、より好ましくは５μｍ〜５００μｍの範囲、さらに好ましくは１０μｍ〜５００μｍの範囲、さらに好ましくは５０μｍ〜５００μｍの範囲、最も好ましくは５０μｍ〜２００μｍの範囲である。あるいは、マイクロカプセルの直径は、０．５μｍ〜３０μｍ；または１μｍ〜２５μｍの範囲である。マイクロカプセルの直径は、重合が完了した後、油相中で計測する。カプセルの直径は、周囲の化学的環境の水活性に応じて変動し得る。
【００９６】
本発明で用いられる酵素のマイクロカプセル化は、界面重合によって達成することができ、この場合、重合反応物中の２つの反応体は、界面で遭遇し、急速に反応する。この方法の基本原理は、ポリアミンと酸誘導体、通常、酸ハロゲン化物（架橋剤として作用する）との反応である。ポリアミンは、実質的に水溶性である（遊離塩基形態の場合）のが好ましい。適切な条件下では、薄い柔軟な膜が界面に急速に形成される。重合を実施する１つの方法は、酵素およびポリアミンの水溶液を使用して、これを非水性溶媒（および乳化剤）で乳化した後、酸誘導体を含有する溶液を添加するものである。酵素溶液中には、反応の最中に形成された酸を中和するために、アルカリ剤が存在してもよい。ポリマー（ポリアミド）膜が、乳剤液滴の界面に直ちに形成される。マイクロカプセルのポリマー膜は、典型的に、カチオン性のものであるため、アニオン性の化合物に結合し／複合体を形成する。
【００９７】
マイクロカプセルの直径は、乳剤液滴の粒径によって決定されるが、これは、例えば、攪拌速度によって制御される。
【００９８】
乳剤：乳剤は、第２液相内の１つの液相の一過性または永続的分散液である。第２液体は、一般に、連続相と呼ばれる。乳剤の形成および安定化を助けるために、一般に界面活性剤が使用される。全ての界面活性剤が一様に乳剤を安定化できるわけではない。界面活性剤の種類および量は、特に乳剤の調製および物理的安定性、ならびに希釈およびさらなる処理の際の安定性に関して、最適な乳剤有用性のために選択する必要がある。物理的安定性とは、乳剤を分散液形態で維持することを指す。合体、凝集、容器壁への吸着、沈殿およびクリーム化などのプロセスは、物理的不安定性の形態であり、回避すべきである。好適な界面活性剤の例は、国際公開第９７／２４１７７号パンフレット、ページ１９〜２１；および国際公開第９９／０１５３４号パンフレットに記載されている。
【００９９】
乳剤は、分散液相が単純な均質液体である単純な乳剤か、または分散液相が、液相もしくは固相の異種組み合わせである、より複雑な乳剤、例えば、二相乳剤もしくは多相乳剤のいずれかとしてさらに分類することができる。例えば、油中水型二相乳剤または多相乳剤は、水相自体が乳化油相をさらに含有する場合に形成され得るが；このタイプの乳剤は、油中水中油型（ｏ／ｗ／ｏ）乳剤として規定され得る。あるいは、油中水型乳剤は、水相が、往々にして懸濁液−乳剤と呼ばれる分散固相を含有する場合、形成され得る。より複雑な他の乳剤を記載することができる。このような系を説明する上で特有の難しさのために、乳剤という用語は、乳剤の形態、または存在する相のタイプおよび数を必ずしも限定することなく、単純および複雑な乳剤の両方を表すのに用いられる。
【０１００】
ポリアミン：膜の剛性／柔軟性および透過性は、主として、ポリアミンの選択に影響される。本発明のポリアミンは、多分岐ポリアミンである。好ましくは第１級アミノ基で終わる各分枝は、膜ネットワークにおけるテザリング点の役割を果たし、これによって、本発明の好ましい特性がもたらされる。本発明の多分岐ポリアミンは、３つ以上の分岐点と、３つ以上の反応性アミノ基（架橋剤と反応することができる、すなわち第１級および第２級アミノ基）を有するポリアミンである。多分岐ポリアミンは、乳剤を調製する際に、出発材料として用いられ、他の出発材料からｉｎ  ｓｉｔｕで形成されない。本発明の魅力的な特性を達成するために、ポリアミンの多分岐構造は、出発材料として存在しなければならない。
【０１０１】
第１級アミンは、常に分枝の末端に位置することから、分岐点の数と第１級アミンの数の間に密接な関係がある：直鎖アミンは、２つの第１級アミンのみを含有し得る。仮定としてこのような直鎖ジアミンに導入された各分岐点により、１つまたは複数の第１級アミンが、導入された分枝の末端に導入されることが可能になるのであろう。これに関連して、本発明者らは、第１級アミンを分枝の一部、すなわち分枝の末端として理解する。例えば、本発明者らは、トリス（２−アミノエチル）アミンおよび１，２，３−プロパントリアミンの両方を、１つの分岐点を有する分子として考える。本発明に関して、ポリアミンは、少なくとも４つの第１級アミンを有する。分岐点は、既述した例のように脂肪族炭化水素鎖から、または例えば、３，３’−ジアミノベンジジンのように不飽和炭素結合から、またはＮ，Ｎ，Ｎ’，Ｎ’−テトラキス−（２−アミノエチル）エチレンジアミンのように第３級アミノ基から導入することができる。
【０１０２】
分岐点の数以外に、本発明者らは、反応性アミノ基の密集度が非常に重要であることを見出した。Ｎ，Ｎ，Ｎ’，Ｎ’−テトラキス−（１２−アミノドデシル）エチレンジアミンなどの物質は好適ではないであろう。酵素などのペプチドまたはタンパク質も膜形成には好適ではないであろう。従って、多分岐ポリアミンは、ペプチドまたはタンパク質ではない。
【０１０３】
一実施形態では、反応性アミノ基は、多分岐ポリアミンの分子量の少なくとも１５％、例えば、２０％超、または２５％超を占める。好ましくは、多分岐ポリアミンの分子量は、少なくとも１ｋＤａであり；より好ましくは、多分岐ポリアミンの分子量は、少なくとも１．３ｋＤａである。
【０１０４】
好ましい実施形態では、多分岐ポリアミンは、３つ以上の分岐点と３つ以上の反応性アミノ基とを有するポリエチレンイミン（ＰＥＩ）、およびその修飾物であり；ここで、反応性アミノ基は、ＰＥＩの分子量の少なくとも１５％、例えば、２０％超、または２５％超を占める。好ましくは、ＰＥＩの分子量は、少なくとも１ｋＤａである。
【０１０５】
本発明のマイクロカプセルを調製するために、様々な多分岐ポリアミンの組み合わせを用いることができる。
【０１０６】
本発明のマイクロカプセルの有利な特性（例えば、酵素保存安定性、酵素漏出の低減、洗剤成分流入の低減）は、分子量が１ｋＤａ未満の１種または複数種の低分子アミンを添加することによって改善することができる。低分子アミンは、好ましくは、実質的に水溶性であり（遊離塩基形態の場合）、エチレンジアミン、ヘキサメチレンジアミン、ヘキサンジアミン、ジエチレンテトラミン、エチレンテトラミン、ジアミノベンゼン、ピペラジン、テトラメチレンペンタミンまたは、好ましくは、ジエチレントリアミン（ＤＥＴＡ）などの材料であってよい。本発明のマイクロカプセルを調製する場合、低分子アミンは、低分子アミンと多分岐ポリアミンの合計含量の５０重量％以下、好ましくは４０重量％以下、３０重量％以下、２０重量％以下、１０重量％以下、または５重量％以下の量で添加してよい。
【０１０７】
架橋剤：本発明で用いられる架橋剤は、アミンと反応して、共有結合を形成することができる、少なくとも２つの基／部位を有する分子である。
【０１０８】
架橋剤は、好ましくは油溶性であり、酸無水物または酸ハロゲン化物、好ましくは酸塩化物の形態であるものでよい。例えば、アジピン酸クロライド、セバシン酸クロライド、ドデンカン二酸クロライド、フタロイルクロライド、テレフタロイルクロライド、イソフタロイルクロライド、またはトリメソイルクロライドであってよいが；好ましくは、架橋剤は、テレフタロイルクロライドまたはトリメソイルクロライドである。
【０１０９】
本発明は、さらに、品目を洗濯する方法に関し、この方法は、以下：
ａ．ＤＮａｓｅ活性を有する本発明のポリペプチドを含む洗浄液またはポリペプチドを含む洗剤組成物に、品目を曝露するステップ；
ｂ．少なくとも１つの洗浄サイクルを完了するステップ；および
ｃ．任意選択で品目をすすぐステップ
を含み、
ここで、上記品目は、生地である。
【０１１０】
液体溶液のｐＨは、１〜１１の範囲、例えば、５．５〜１１の範囲、例えば、７〜９の範囲、７〜８の範囲または７〜８．５の範囲である。
【０１１１】
洗浄液は、５℃〜９５℃の範囲、または１０℃〜８０℃の範囲、１０℃〜７０℃の範囲、１０℃〜６０℃の範囲、１０℃〜５０℃の範囲、１５℃〜４０℃の範囲または２０℃〜３０℃の範囲の温度を有し得る。一実施形態では、洗浄液の温度は、３０℃である。
【０１１２】
本発明の一実施形態では、品目を洗浄する方法は、洗浄サイクルの完了後に洗浄液または洗浄液の一部を排出するステップをさらに含む。次に、洗浄液は、続く洗浄サイクルまたは続くすすぎサイクルにおいて再利用することができる。品目は、第１洗浄サイクル、および任意選択で第２または第３洗浄サイクル中に洗浄液に曝露してよい。一実施形態では、品目を洗浄液に曝露した後、すすぐ。品目は、水またはコンディショナを含む水ですすぐことができる。
【０１１３】
本発明は、さらに、本発明の方法に従って洗浄された品目にも関する。
【０１１４】
本発明は、さらに、ＤＮａｓｅ活性を有するポリペプチドと医薬補助成分を含む医薬組成物にも関し、ここで、ＤＮａｓｅ活性を有するポリペプチドは、真菌供給源から得られる。組成物は、バイオフィルムを解離または除去するか、またはバイオフィルム形成を防止するために用いることもできる。
【０１１５】
抗寄生体化合物は、以下：ベンザゾール、例えば、アルベンダゾール、メベンダゾールおよびチアベンダゾール；アゾール、例えば、メトロニダゾールおよびチニダゾール；大環状化合物、例えば、アムホテリシンＢ、リファンピンおよびイベルメクチン；パモ酸ピランテル；ジエチルカルバマジン；ニクロサミド；プラジカンテル；メラルソプロ；およびエフロルニチンのうちの１つまたは複数であってよい。
【０１１６】
抗ウイルス化合物は、以下：ヌクレオシド類似体逆転写酵素阻害剤、例えば、アシクロビル、ジダノシン、スタブジン、ジドブジン、ラミブジン、アバカビル、エムトリシタビンおよびエンテカビル；脱殻阻害剤、例えば、アマンタジン、リマンタジンおよびプレコナリル；プロテアーゼ阻害剤、例えば、サキナビル、リトナビル、インジナビル、ネルフィナビルおよびアムプレナビル；ザナミビル；オセルタミビル；およびリファンピンのうちの１つまたは複数であってよい。抗菌化合物は、以下：アミノグリコシド、例えば、ゲンタマイシン、カナマイシンおよびストレプトマイシン；β−ラクタム、例えば、ペニシリン、アンピシリンおよびイミペネム；セファロスポリン、例えば、セフタジジム、キノリン、例えば、シプロフロキサシン；マクロライド、例えば、アジスロマイシン、クラリスロマイシン、ジリスロマイシン、エリスロマイシン、ロキシスロマイシンおよびテリスロマイシン；オキサゾリジノン、例えば、リネゾリド；アンサマイシン、例えば、リファマイシン；スルホンアミド；テトラサイクリン、例えば、ドキシサイクリン；グリコペプチド、例えば、バンコマイシン；スルフィソキサゾール、トリメスロプリム、ノボビオシン、ダプトマイシンおよびリネゾリドのうちの１つまたは複数であってよい。
【０１１７】
抗真菌化合物は、以下：アゾール、例えば、ミコナゾール、ケトコナゾール、クロトリマゾール、エコナゾール、オモコナゾール、ビフォナゾール、ブトコナゾール、フェンチコナゾール、イソコナゾール、セルタコナゾール、スルコナゾール、チオコナゾール、フルコナゾール、イトラコナゾール、イサブコナゾール、ラブコナゾール、ポサコナゾール、ボリコナゾール、テルコナゾールおよびアバファンギン；大環状化合物、例えば、ナタマイシン、リモシジン、フィリピン、ニスタチン、アンホテリシンＢ、カンジシン、ハマイシン；アリルアミン、例えば、テルビナフィン、ナフチフィンおよびブテナフィン；エキノカンジン、例えば、アンジデュラファンギン、カスポファンギンおよびミカファンギン；またはその他、例えば、ポリゴジアール、シクロピロックス、トルナフテート、安息香酸、ウンデシレン酸、フルシトシンおよびグリセオフルビンのうちの１つまたは複数であってよい。
【０１１８】
本発明はまた、患者に接触可能なデバイスの表面の少なくとも一部が、医薬組成物でコーティングされていることを特徴とする留置医療デバイスにも関する。
【０１１９】
デバイスは、中心静脈カテーテル、血管内カテーテル、尿道カテーテル、ヒックマン（Ｈｉｃｋｍａｎ）カテーテル、腹膜透析カテーテル、気管内カテーテルなどのカテーテル、またはデバイスが人工心臓弁である場合、心臓ペースメーカ、動静脈シャント、強膜バックル、人工関節、鼓膜換気チューブ、気管切開チューブ、ボイスプロテーゼ、人工陰茎、人工尿道括約筋、合成恥骨膣スリング、縫合糸、骨アンカー、骨ねじ、眼内レンズ、コンタクトレンズ、子宮内避妊器具、大動脈大腿動脈移植片、血管移植片、ニードル、ルアーロック（Ｌｕｅｒ−Ｌｏｋ）コネクター、ニードルレスコネクターまたは手術器具であってよい。
【０１２０】
医薬組成物は、液体、ローション、クリーム、スプレー、ゲルまたは軟膏として製剤化することができる。
【０１２１】
医薬組成物は、動物患者への投与用であってよい。動物患者は、哺乳動物患者であってよい。哺乳動物患者は、ヒトであってよい。
【０１２２】
ＤＮａｓｅ活性を有するポリペプチドは、アスペルギルス属（Ａｓｐｅｒｇｉｌｌｕｓ）、例えば、アスペルギルス・オリゼー（Ａｓｐｅｒｇｉｌｌｕｓ  ｏｒｙｚａｅ）から得ることができる。本発明の一実施形態では、ＤＮａｓｅ活性を有するポリペプチドは、特許請求の範囲に記載するポリペプチドである。
【０１２３】
本発明の一態様は、配列番号２の成熟型ポリペプチドに対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮａｓｅ活性を有する、単離されたポリペプチドに関する。一態様では、本ポリペプチドは、配列番号２の成熟型ポリペプチドと、１０以下、例えば、１、２、３、４、５、６、７、８、９、または１０アミノ酸だけ異なる。
【０１２４】
一実施形態では、本発明は、配列番号９の成熟型ポリペプチドに対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮａｓｅ活性を有する、単離されたポリペプチドに関する。一態様では、本ポリペプチドは、配列番号９の成熟型ポリペプチドと、１０以下、例えば、１、２、３、４、５、６、７、８、９、または１０アミノ酸だけ異なる。
【０１２５】
一実施形態では、本発明は、配列番号８に対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮａｓｅ活性を有する、単離されたポリペプチドに関する。一態様では、本ポリペプチドは、配列番号８の成熟型ポリペプチドと、１０以下、例えば、１、２、３、４、５、６、７、８、９、または１０アミノ酸だけ異なる。
【０１２６】
一実施形態では、本発明は、配列番号２の成熟型ポリペプチドに対して、少なくとも６０％の配列同一性を有し、ＤＮａｓｅ活性を有するポリペプチドに関し、ポリペプチドは、品目からバイオフィルムを防止、低減または除去するために用いられる。
【０１２７】
一実施形態では、本発明は、配列番号９の成熟型ポリペプチドに対して、少なくとも６０％の配列同一性を有し、ＤＮａｓｅ活性を有するポリペプチドに関し、ポリペプチドは、品目からバイオフィルムを防止、低減または除去するために用いられる。
【０１２８】
一実施形態では、本発明は、配列番号２の成熟型ポリペプチドに対して、少なくとも６５％の配列同一性を有し、ＤＮａｓｅ活性を有するポリペプチドに関し、ポリペプチドは、品目からバイオフィルムを防止、低減または除去するために用いられる。
【０１２９】
一実施形態では、本発明は、配列番号９の成熟型ポリペプチドに対して、少なくとも６５％の配列同一性を有し、ＤＮａｓｅ活性を有するポリペプチドに関し、ポリペプチドは、品目からバイオフィルムを防止、低減または除去するために用いられる。
【０１３０】
一実施形態では、本発明は、配列番号２の成熟型ポリペプチドに対して、少なくとも７０％の配列同一性を有し、ＤＮａｓｅ活性を有するポリペプチドに関し、ポリペプチドは、品目からバイオフィルムを防止、低減または除去するために用いられる。
【０１３１】
一実施形態では、本発明は、配列番号９の成熟型ポリペプチドに対して、少なくとも７０％の配列同一性を有し、ＤＮａｓｅ活性を有するポリペプチドに関し、ポリペプチドは、品目からバイオフィルムを防止、低減または除去するために用いられる。
【０１３２】
一実施形態では、本発明は、配列番号２の成熟型ポリペプチドに対して、少なくとも７５％の配列同一性を有し、ＤＮａｓｅ活性を有するポリペプチドに関し、ポリペプチドは、品目からバイオフィルムを防止、低減または除去するために用いられる。
【０１３３】
一実施形態では、本発明は、配列番号９の成熟型ポリペプチドに対して、少なくとも７５％の配列同一性を有し、ＤＮａｓｅ活性を有するポリペプチドに関し、ポリペプチドは、品目からバイオフィルムを防止、低減または除去するために用いられる。
【０１３４】
一実施形態では、本発明は、配列番号２の成熟型ポリペプチドに対して、少なくとも８０％の配列同一性を有し、ＤＮａｓｅ活性を有するポリペプチドに関し、ポリペプチドは、品目からバイオフィルムを防止、低減または除去するために用いられる。
【０１３５】
一実施形態では、本発明は、配列番号９の成熟型ポリペプチドに対して、少なくとも８０％の配列同一性を有し、ＤＮａｓｅ活性を有するポリペプチドに関し、ポリペプチドは、品目からバイオフィルムを防止、低減または除去するために用いられる。
【０１３６】
一実施形態では、本発明は、配列番号２の成熟型ポリペプチドに対して、少なくとも８５％の配列同一性を有し、ＤＮａｓｅ活性を有するポリペプチドに関し、ポリペプチドは、品目からバイオフィルムを防止、低減または除去するために用いられる。
【０１３７】
一実施形態では、本発明は、配列番号９の成熟型ポリペプチドに対して、少なくとも８５％の配列同一性を有し、ＤＮａｓｅ活性を有するポリペプチドに関し、ポリペプチドは、品目からバイオフィルムを防止、低減または除去するために用いられる。
【０１３８】
一実施形態では、本発明は、配列番号２の成熟型ポリペプチドに対して、少なくとも９０％の配列同一性を有し、ＤＮａｓｅ活性を有するポリペプチドに関し、ポリペプチドは、品目からバイオフィルムを防止、低減または除去するために用いられる。
【０１３９】
一実施形態では、本発明は、配列番号９の成熟型ポリペプチドに対して、少なくとも９０％の配列同一性を有し、ＤＮａｓｅ活性を有するポリペプチドに関し、ポリペプチドは、品目からバイオフィルムを防止、低減または除去するために用いられる。
【０１４０】
一実施形態では、本発明は、配列番号２の成熟型ポリペプチドに対して、少なくとも９１％の配列同一性を有し、ＤＮａｓｅ活性を有するポリペプチドに関し、ポリペプチドは、品目からバイオフィルムを防止、低減または除去するために用いられる。
【０１４１】
一実施形態では、本発明は、配列番号９の成熟型ポリペプチドに対して、少なくとも９１％の配列同一性を有し、ＤＮａｓｅ活性を有するポリペプチドに関し、ポリペプチドは、品目からバイオフィルムを防止、低減または除去するために用いられる。
【０１４２】
一実施形態では、本発明は、配列番号２の成熟型ポリペプチドに対して、少なくとも９２％の配列同一性を有し、ＤＮａｓｅ活性を有するポリペプチドに関し、ポリペプチドは、品目からバイオフィルムを防止、低減または除去するために用いられる。
【０１４３】
一実施形態では、本発明は、配列番号９の成熟型ポリペプチドに対して、少なくとも９２％の配列同一性を有し、ＤＮａｓｅ活性を有するポリペプチドに関し、ポリペプチドは、品目からバイオフィルムを防止、低減または除去するために用いられる。
【０１４４】
一実施形態では、本発明は、配列番号２の成熟型ポリペプチドに対して、少なくとも９３％の配列同一性を有し、ＤＮａｓｅ活性を有するポリペプチドに関し、ポリペプチドは、品目からバイオフィルムを防止、低減または除去するために用いられる。
【０１４５】
一実施形態では、本発明は、配列番号９の成熟型ポリペプチドに対して、少なくとも９３％の配列同一性を有し、ＤＮａｓｅ活性を有するポリペプチドに関し、ポリペプチドは、品目からバイオフィルムを防止、低減または除去するために用いられる。
【０１４６】
一実施形態では、本発明は、配列番号２の成熟型ポリペプチドに対して、少なくとも９４％の配列同一性を有し、ＤＮａｓｅ活性を有するポリペプチドに関し、ポリペプチドは、品目からバイオフィルムを防止、低減または除去するために用いられる。
【０１４７】
一実施形態では、本発明は、配列番号９の成熟型ポリペプチドに対して、少なくとも９４％の配列同一性を有し、ＤＮａｓｅ活性を有するポリペプチドに関し、ポリペプチドは、品目からバイオフィルムを防止、低減または除去するために用いられる。
【０１４８】
一実施形態では、本発明は、配列番号２の成熟型ポリペプチドに対して、少なくとも９５％の配列同一性を有し、ＤＮａｓｅ活性を有するポリペプチドに関し、ポリペプチドは、品目からバイオフィルムを防止、低減または除去するために用いられる。
【０１４９】
一実施形態では、本発明は、配列番号９の成熟型ポリペプチドに対して、少なくとも９５％の配列同一性を有し、ＤＮａｓｅ活性を有するポリペプチドに関し、ポリペプチドは、品目からバイオフィルムを防止、低減または除去するために用いられる。
【０１５０】
一実施形態では、本発明は、配列番号２の成熟型ポリペプチドに対して、少なくとも９６％の配列同一性を有し、ＤＮａｓｅ活性を有するポリペプチドに関し、ポリペプチドは、品目からバイオフィルムを防止、低減または除去するために用いられる。
【０１５１】
一実施形態では、本発明は、配列番号９の成熟型ポリペプチドに対して、少なくとも９６％の配列同一性を有し、ＤＮａｓｅ活性を有するポリペプチドに関し、ポリペプチドは、品目からバイオフィルムを防止、低減または除去するために用いられる。
【０１５２】
一実施形態では、本発明は、配列番号２の成熟型ポリペプチドに対して、少なくとも９７％の配列同一性を有し、ＤＮａｓｅ活性を有するポリペプチドに関し、ポリペプチドは、品目からバイオフィルムを防止、低減または除去するために用いられる。
【０１５３】
一実施形態では、本発明は、配列番号９の成熟型ポリペプチドに対して、少なくとも９７％の配列同一性を有し、ＤＮａｓｅ活性を有するポリペプチドに関し、ポリペプチドは、品目からバイオフィルムを防止、低減または除去するために用いられる。
【０１５４】
一実施形態では、本発明は、配列番号２の成熟型ポリペプチドに対して、少なくとも９８％の配列同一性を有し、ＤＮａｓｅ活性を有するポリペプチドに関し、ポリペプチドは、品目からバイオフィルムを防止、低減または除去するために用いられる。
【０１５５】
一実施形態では、本発明は、配列番号９の成熟型ポリペプチドに対して、少なくとも９８％の配列同一性を有し、ＤＮａｓｅ活性を有するポリペプチドに関し、ポリペプチドは、品目からバイオフィルムを防止、低減または除去するために用いられる。
【０１５６】
一実施形態では、本発明は、配列番号２の成熟型ポリペプチドに対して、少なくとも９９％の配列同一性を有し、ＤＮａｓｅ活性を有するポリペプチドに関し、ポリペプチドは、品目からバイオフィルムを防止、低減または除去するために用いられる。
【０１５７】
一実施形態では、本発明は、配列番号９の成熟型ポリペプチドに対して、少なくとも９９％の配列同一性を有し、ＤＮａｓｅ活性を有するポリペプチドに関し、ポリペプチドは、品目からバイオフィルムを防止、低減または除去するために用いられる。
【０１５８】
一実施形態では、本発明は、配列番号２の成熟型ポリペプチドに対して、１００％の配列同一性を有し、ＤＮａｓｅ活性を有するポリペプチドに関し、ポリペプチドは、品目からバイオフィルムを防止、低減または除去するために用いられる。
【０１５９】
一実施形態では、本発明は、配列番号９の成熟型ポリペプチドに対して、１００％の配列同一性を有し、ＤＮａｓｅ活性を有するポリペプチドに関し、ポリペプチドは、品目からバイオフィルムを防止、低減または除去するために用いられる。
【０１６０】
一実施形態において、ポリペプチドは、単離されている。本発明のポリペプチドは、配列番号２のアミノ酸配列もしくはその対立遺伝子変異体を含むか、または、これから構成されることが好ましく；あるいは、ＤＮａｓｅ活性を有するその断片である。別の態様では、ポリペプチドは、配列番号２の成熟型ポリペプチドを含むか、または、これから構成される。他の態様において、ポリペプチドは、配列番号２のアミノ酸１〜２０６を含むか、または、これから構成される。
【０１６１】
一実施形態において、ポリペプチドは、単離されている。本発明のポリペプチドは、配列番号９のアミノ酸配列もしくはその対立遺伝子変異体を含むか、または、これから構成されることが好ましく；あるいは、ＤＮａｓｅ活性を有するその断片である。別の態様では、ポリペプチドは、配列番号９の成熟型ポリペプチドを含むか、または、これから構成される。他の態様において、ポリペプチドは、配列番号９のアミノ酸１〜２０４を含むか、または、これから構成される。本発明の一態様は、配列番号８のアミノ酸配列からなるポリペプチドと、配列番号９のアミノ酸配列からなる本発明のポリペプチドとを含むか、または、これらから本質的に構成される組成物に関する。
【０１６２】
別の実施形態において、本発明は、低度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体（Ｓａｍｂｒｏｏｋ，ｅｔ  ａｌ．，１９８９，Ｍｏｌｅｃｕｌａｒ  Ｃｌｏｎｉｎｇ，Ａ  Ｌａｂｏｒａｔｏｒｙ  Ｍａｎｕａｌ，２ｄ  ｅｄｉｔｉｏｎ，Ｃｏｌｄ  Ｓｐｒｉｎｇ  Ｈａｒｂｏｒ，Ｎｅｗ  Ｙｏｒｋ）にハイブリダイズするポリヌクレオチドによりコードされるＤＮａｓｅ活性を有する、単離されたポリペプチドに関する。一実施形態では、ポリペプチドは、単離されている。
【０１６３】
別の実施形態において、本発明は、低度−中度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０１６４】
別の実施形態において、本発明は、中度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０１６５】
別の実施形態において、本発明は、中度−高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０１６６】
別の実施形態において、本発明は、高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０１６７】
別の実施形態において、本発明は、極めて高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０１６８】
配列番号１のポリヌクレオチドもしくはそのサブ配列、ならびに、配列番号２のポリペプチドもしくはその断片、または配列番号９のポリペプチドもしくはその断片は、技術分野において周知である方法に従って、異なる属もしくは種の系統からＤＮａｓｅ活性を有するポリペプチドをコードするＤＮＡを同定およびクローン化するために核酸プローブの設計に用いられ得る。特に、このようなプローブは、標準的なサザンブロッティング法の後に、含まれる対応する遺伝子を同定および単離するために、対象の細胞のゲノムＤＮＡもしくはｃＤＮＡとのハイブリーダイゼーションに用いられることが可能である。このようなプローブは配列全体よりもかなり短いことが可能であるが、例えば、長さが少なくとも２５、少なくとも３５または少なくとも７０ヌクレオチドと少なくとも１５ヌクレオチドであるべきである。好ましくは、核酸プローブは、例えば、少なくとも２００ヌクレオチド、少なくとも３００ヌクレオチド、少なくとも４００ヌクレオチド、少なくとも５００ヌクレオチド、少なくとも６００ヌクレオチド、少なくとも７００ヌクレオチド、少なくとも８００ヌクレオチドまたは少なくとも９００ヌクレオチドの長さといった、少なくとも１００ヌクレオチドの長さである。ＤＮＡおよびＲＮＡプローブの両方が用いられることが可能である。プローブは、典型的には、対応する遺伝子を検出するために標識化される（例えば、32Ｐ、3Ｈ、35Ｓ、ビオチンまたはアビジンで）。このようなプローブは本発明によって包含される。
【０１６９】
このような他の系統から調製したゲノムＤＮＡもしくはｃＤＮＡライブラリは、上記のプローブとハイブリダイズし、ＤＮａｓｅ活性を有するポリペプチドをコードするＤＮＡについてスクリーニングされ得る。このような他の系統由来のゲノムまたは他のＤＮＡは、アガロースもしくはポリアクリルアミドゲル電気泳動、または、他の分離技術によって分離され得る。これらのライブラリからのＤＮＡまたは分離されたＤＮＡが、ニトロセルロースもしくは他の好適なキャリア材料に移され固定化され得る。配列番号１もしくは３もしくはそのサブ配列とハイブリダイズするクローンもしくはＤＮＡを同定するために、キャリア材料がサザンブロッティングに用いられる。
【０１７０】
本発明の目的に関して、ハイブリーダイゼーションとは、極めて低度の緊縮条件、低度の緊縮条件、低度−中度の緊縮条件、中度の緊縮条件、中度−高度の緊縮条件、高度の緊縮条件から極めて高度までの緊縮条件下で、（ｉ）配列番号１；（ｉｉ）配列番号１の成熟型ポリペプチドコード配列；（ｉｉｉ）そのｃＤＮＡ配列；（ｉｖ）その完全長相補体；または（ｖ）そのサブ配列に対応する標識核酸プローブに、ポリヌクレオチドがハイブリダイズすることを意味する。核酸プローブがこれらの条件下でハイブリダイズする分子は、例えば、Ｘ線フィルムまたは当分野では公知の他のいずれかの検出手段を用いて検出することができる。
【０１７１】
一実施形態では、本発明は、配列番号１の成熟型ポリペプチドコード配列またはそのｃＤＮＡ配列に対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有するポリヌクレオチドによってコードされるＤＮａｓｅ活性を有するポリペプチドに関する。さらなる実施形態では、ポリペプチドは、単離されている。
【０１７２】
別の実施形態では、本発明は、１つまたは複数（例えば、数個）の位置に置換、欠失および／または挿入を含む、配列番号２の成熟型ポリペプチドの変異体に関する。一実施形態では、配列番号２の成熟型ポリペプチドに導入されるアミノ酸置換、欠失および／または挿入の数は、１０以下、例えば、１、２、３、４、５、６、７、８、９、または１０である。アミノ酸変異は、副次的な性質のものであってもよく、すなわち、タンパク質の折り畳みおよび／若しくは活性に顕著に影響しない保存的アミノ酸置換もしくは挿入；典型的には１〜３０アミノ酸の小さな欠失；アミノ−末端メチオニン残基などの小さなアミノ−もしくはカルボキシル−末端伸長；２０〜２５個以下の残基の小さなリンカーペプチド；あるいは、正味電荷、またはポリ−ヒスチジン配列、抗原性エピトープもしくは結合性ドメインなどの他の機能を変化させることによって精製を促進させる小さな伸長であってもよい。
【０１７３】
別の実施形態では、本発明は、１つまたは複数（例えば、数個）の位置に置換、欠失および／または挿入を含む、配列番号９の成熟型ポリペプチドの変異体に関する。一実施形態では、配列番号９の成熟型ポリペプチドに導入されるアミノ酸置換、欠失および／または挿入の数は、１０以下、例えば、１、２、３、４、５、６、７、８、９、または１０である。アミノ酸変異は、副次的な性質のものであってもよく、すなわち、タンパク質の折り畳みおよび／もしくは活性に顕著に影響しない保存的アミノ酸置換もしくは挿入；典型的には１〜３０アミノ酸の小さな欠失；アミノ−末端メチオニン残基などの小さなアミノ−もしくはカルボキシル−末端伸長；２０〜２５個以下の残基の小さなリンカーペプチド；あるいは、正味電荷、またはポリ−ヒスチジン配列、抗原性エピトープもしくは結合性ドメインなどの他の機能を変化させることによって精製を促進させる小さな伸長であってもよい。
【０１７４】
保存的置換の例は、塩基性アミノ酸（アルギニン、リシンおよびヒスチジン）、酸性アミノ酸（グルタミン酸およびアスパラギン酸）、極性アミノ酸（グルタミンおよびアスパラギン）、疎水性アミノ酸（ロイシン、イソロイシンおよびバリン）、芳香族アミノ酸（フェニルアラニン、トリプトファンおよびチロシン）、および、小さいアミノ酸（グリシン、アラニン、セリン、スレオニンおよびメチオニン）の群の範囲内である。特異活性を一般に改変しないアミノ酸置換は技術分野において公知であり、例えば、Ｈ．Ｎｅｕｒａｔｈ  ａｎｄ  Ｒ．Ｌ．Ｈｉｌｌ，１９７９，Ｉｎ，Ｔｈｅ  Ｐｒｏｔｅｉｎｓ，Ａｃａｄｅｍｉｃ  Ｐｒｅｓｓ，Ｎｅｗ  Ｙｏｒｋに記載されている。頻繁に生じる置換は、Ａｌａ／Ｓｅｒ、Ｖａｌ／Ｉｌｅ、Ａｓｐ／Ｇｌｕ、Ｔｈｒ／Ｓｅｒ、Ａｌａ／Ｇｌｙ、Ａｌａ／Ｔｈｒ、Ｓｅｒ／Ａｓｎ、Ａｌａ／Ｖａｌ、Ｓｅｒ／Ｇｌｙ、Ｔｙｒ／Ｐｈｅ、Ａｌａ／Ｐｒｏ、Ｌｙｓ／Ａｒｇ、Ａｓｐ／Ａｓｎ、Ｌｅｕ／Ｉｌｅ、Ｌｅｕ／Ｖａｌ、Ａｌａ／ＧｌｕおよびＡｓｐ／Ｇｌｙである。
【０１７５】
あるいは、アミノ酸変異は、ポリペプチドの物理化学的特性が改変されるような性質のものである。例えば、アミノ酸変異は、ポリペプチドの熱安定性を向上させ、基質特異性を改変し、至適ｐＨを変化させることであり得る。
【０１７６】
ポリペプチドにおける必須アミノ酸は、部位特異的突然変異誘発またはアラニン走査突然変異誘発（Ｃｕｎｎｉｎｇｈａｍ  ａｎｄ  Ｗｅｌｌｓ，１９８９，Ｓｃｉｅｎｃｅ  ２４４：１０８１−１０８５）などの技術分野において公知である手法に従って同定することが可能である。後者の技術においては、単一のアラニン突然変異が分子中のすべての残基に導入され、得られたミュータント分子が、分子の活性に重要であるアミノ酸残基を同定するためにＤＮａｓｅ活性についてテストされる。また、Ｈｉｌｔｏｎ  ｅｔ  ａｌ．，１９９６，Ｊ．Ｂｉｏｌ．Ｃｈｅｍ．２７１：４６９９−４７０８を参照のこと。酵素の活性部位または他の生物学的相互作用は、推定上の接触部位アミノ酸の突然変異が併用される、核磁気共嗚、結晶構造解析、電子回折または光親和性標識などの技術によって判定される、構造の物理的分析によって判定されることも可能である。例えば、ｄｅ  Ｖｏｓ  ｅｔ  ａｌ．，１９９２，Ｓｃｉｅｎｃｅ  ２５５：３０６−３１２；Ｓｍｉｔｈ  ｅｔ  ａｌ．，１９９２，Ｊ．Ｍｏｌ．Ｂｉｏｌ．２２４：８９９−９０４；Ｗｌｏｄａｖｅｒ  ｅｔ  ａｌ．，１９９２，ＦＥＢＳ  Ｌｅｔｔ．３０９：５９−６４を参照のこと。必須アミノ酸のアイデンティティーは、関連ポリペプチドとのアラインメントから推測することもできる。
【０１７７】
単一もしくは複数のアミノ酸置換、欠失、および／または挿入は、Ｒｅｉｄｈａａｒ−Ｏｌｓｏｎ  ａｎｄ  Ｓａｕｅｒ，１９８８，Ｓｃｉｅｎｃｅ  ２４１：５３−５７；Ｂｏｗｉｅ  ａｎｄ  Ｓａｕｅｒ，１９８９，Ｐｒｏｃ．Ｎａｔｌ．Ａｃａｄ．Ｓｃｉ．ＵＳＡ  ８６：２１５２−２１５６；国際公開第９５／１７４１３号パンフレット；または、国際公開第９５／２２６２５号パンフレットにより開示されているものなどの公知の突然変異誘発方法、組換え法、および／または、シャッフリング法、これに続く関連するスクリーニング法を用いて行い、テストすることが可能である。用いられることが可能である他の方法としては、エラープローンＰＣＲ、ファージディスプレイ（例えば、Ｌｏｗｍａｎ  ｅｔ  ａｌ．，１９９１，Ｂｉｏｃｈｅｍｉｓｔｒｙ  ３０：１０８３２−１０８３７；米国特許第５，２２３，４０９号明細書；国際公開第９２／０６２０４号パンフレット）、および、領域特異的突然変異誘発（Ｄｅｒｂｙｓｈｉｒｅ  ｅｔ  ａｌ．，１９８６，Ｇｅｎｅ  ４６：１４５；Ｎｅｒ  ｅｔ  ａｌ．，１９８８，ＤＮＡ  ７：１２７）が挙げられる。
【０１７８】
突然変異誘発／シャッフリング法は、宿主細胞によって発現されたクローン化突然変異誘発ポリペプチドの活性を検出するために、高スループット自動スクリーニング法と組み合わせることが可能である（Ｎｅｓｓ  ｅｔ  ａｌ．，１９９９，Ｎａｔｕｒｅ  Ｂｉｏｔｅｃｈｎｏｌｏｇｙ  １７：８９３−８９６）。活性ポリペプチドをコードする突然変異誘発ＤＮＡ分子は、宿主細胞から回収可能であり、技術分野における標準的な方法を用いて直ぐに配列決定されることが可能である。これらの方法では、ポリペプチドにおける個別のアミノ酸残基の重要性を直ぐに判定することが可能である。
【０１７９】
ポリペプチドは、一のポリペプチドの一領域が、他のポリペプチドの一領域のＮ−末端またはＣ−末端で融合したハイブリッドポリペプチドであり得る。
【０１８０】
ポリペプチドは、他のポリペプチドが本発明のポリペプチドのＮ−末端またはＣ−末端で融合した融合ポリペプチドまたは切断可能な融合ポリペプチドであり得る。融合ポリペプチドは、他のポリペプチドをコードするポリヌクレオチドを本発明のポリヌクレオチドに融合させることにより生成される。融合ポリペプチドを生成する技術は、技術分野において公知であると共に、フレーム中に収まり、融合ポリペプチドの発現が同一のプロモータおよびターミネータによる制御下にあるよう、ポリペプチドをコードするコード配列を連結するステップを含む。融合ポリペプチドはまた、翻訳後に融合ポリペプチドが形成されるインテインテクノロジーを用いて構築されてもよい（Ｃｏｏｐｅｒ  ｅｔ  ａｌ．，１９９３，ＥＭＢＯ  Ｊ．１２：２５７５−２５８３；Ｄａｗｓｏｎ  ｅｔ  ａｌ．，１９９４，Ｓｃｉｅｎｃｅ  ２６６：７７６−７７９）。
【０１８１】
融合ポリペプチドは、２つのポリペプチドの間に切断部位をさらに含んでいることが可能である。融合タンパク質が分泌される際に、この部位が切断されて２つのポリペプチドが遊離される。切断部位の例としては、これらに限定されないが、Ｍａｒｔｉｎ  ｅｔ  ａｌ．，２００３，Ｊ．Ｉｎｄ．Ｍｉｃｒｏｂｉｏｌ．Ｂｉｏｔｅｃｈｎｏｌ．３：５６８−５７６；Ｓｖｅｔｉｎａ  ｅｔ  ａｌ．，２０００，Ｊ．Ｂｉｏｔｅｃｈｎｏｌ．７６：２４５−２５１；Ｒａｓｍｕｓｓｅｎ−Ｗｉｌｓｏｎ  ｅｔ  ａｌ．，１９９７，Ａｐｐｌ．Ｅｎｖｉｒｏｎ．Ｍｉｃｒｏｂｉｏｌ．６３：３４８８−３４９３；Ｗａｒｄ  ｅｔ  ａｌ．，１９９５，Ｂｉｏｔｅｃｈｎｏｌｏｇｙ  １３：４９８−５０３；および、Ｃｏｎｔｒｅｒａｓ  ｅｔ  ａｌ．，１９９１，Ｂｉｏｔｅｃｈｎｏｌｏｇｙ  ９：３７８−３８１；Ｅａｔｏｎ  ｅｔ  ａｌ．，１９８６，Ｂｉｏｃｈｅｍｉｓｔｒｙ  ２５：５０５−５１２；Ｃｏｌｌｉｎｓ−Ｒａｃｉｅ  ｅｔ  ａｌ．，１９９５，Ｂｉｏｔｅｃｈｎｏｌｏｇｙ  １３：９８２−９８７；Ｃａｒｔｅｒ  ｅｔ  ａｌ．，１９８９，Ｐｒｏｔｅｉｎｓ：Ｓｔｒｕｃｔｕｒｅ，Ｆｕｎｃｔｉｏｎ，ａｎｄ  Ｇｅｎｅｔｉｃｓ  ６：２４０−２４８；および、Ｓｔｅｖｅｎｓ，２００３，Ｄｒｕｇ  Ｄｉｓｃｏｖｅｒｙ  Ｗｏｒｌｄ  ４：３５−４８に開示されている部位が挙げられる。
【０１８２】
ポリヌクレオチド
本発明はまた、本明細書に記載するように、ポリペプチドをコードするポリヌクレオチドにも関する。一実施形態では、本発明のポリペプチドをコードするポリヌクレオチドは、単離されている。別の実施形態では、本発明のポリペプチドをコードするポリヌクレオチドは、配列番号１２に記載されるポリヌクレオチド配列を含むか、これから構成される。
【０１８３】
ポリヌクレオチドの単離またはクローン化に用いられる技術は技術分野において公知であり、ゲノムＤＮＡまたはｃＤＮＡからの単離、または、これらの組み合わせが含まれる。ゲノムＤＮＡからのポリヌクレオチドのクローン化は、例えば、発現ライブラリの周知のポリメラーゼ連鎖反応（ＰＣＲ）または抗体スクリーニングを用いて共有される構造機構を伴うクローン化されたＤＮＡ断片を検出することにより実施されることが可能である。例えば、Ｉｎｎｉｓ  ｅｔ  ａｌ．，１９９０，ＰＣＲ：Ａ  Ｇｕｉｄｅ  ｔｏ  Ｍｅｔｈｏｄｓ  ａｎｄ  Ａｐｐｌｉｃａｔｉｏｎ，Ａｃａｄｅｍｉｃ  Ｐｒｅｓｓ，Ｎｅｗ  Ｙｏｒｋを参照のこと。リガーゼ連鎖反応（ＬＣＲ）、連結活性化転写（ＬＡＴ）およびポリヌクレオチドベース増幅（ＮＡＳＢＡ）などの他の核酸増幅法が用いられ得る。ポリヌクレオチドは、アスペルギルス属（Ａｓｐｅｒｇｉｌｌｕｓ）の系統、または、関連する生体からクローン化され得、それ故、例えば、ポリヌクレオチドの領域をコードするポリペプチドの対立形質もしくは種変異体であり得る。
【０１８４】
本発明のポリペプチドをコードするポリヌクレオチドの修飾は、ポリペプチドに実質的に類似するポリペプチドを合成するのに必要であり得る。ポリペプチドに「実質的に同様」という用語は、ポリペプチドの非天然形態を指す。これらのポリペプチドは、天然のソースから単離されたポリペプチドとはいくらかの操作法で異なっていてもよく、例えば、特異活性、耐熱性、至適ｐＨなどが異なる変異体である。変異体は、配列番号１の成熟型ポリペプチドコード配列またはそのｃＤＮＡ配列（例えば、そのサブ配列）として表されるポリヌクレオチドに基づいて構築され得、および／または、ポリペプチドのアミノ酸配列に変化をもたらさないが、酵素の生成のために意図される宿主生体のコドン利用に対応するヌクレオチド置換の導入により、または、異なるアミノ酸配列をもたらし得るヌクレオチド置換の導入により構築され得る。ヌクレオチド置換の概要については、例えば、Ｆｏｒｄ  ｅｔ  ａｌ．，１９９１，Ｐｒｏｔｅｉｎ  Ｅｘｐｒｅｓｓｉｏｎ  ａｎｄ  Ｐｕｒｉｆｉｃａｔｉｏｎ  ２：９５−１０７を参照のこと。従って、一実施形態では、ポリヌクレオチドは、配列番号１２に記載されるポリヌクレオチド配列を含むか、これから構成され、ここで、コドンは、ヌクレオチド置換によって、本発明のポリペプチドの生成を目的とする宿主生物のコドン使用頻度に対応するように修飾されている。
【０１８５】
核酸構築物
本発明はまた、制御配列に適合する条件下で好適な宿主細胞中にコード配列を発現させる１つまたは複数の制御配列に作動可能にリンクした本発明のポリヌクレオチドを含む核酸構築物に関する。
【０１８６】
ポリヌクレオチドは、多様な方法で処置されてポリペプチドの発現がもたらされ得る。ベクターへ挿入される前のポリヌクレオチドの処置が、発現ベクターに応じて、望ましいか、または、必要であり得る。組換えＤＮＡ法を利用するポリヌクレオチドを修飾するための技術は技術分野において周知である。
【０１８７】
制御配列は、本発明のポリペプチドをコードするポリヌクレオチドの発現のための宿主細胞によって認識されるポリヌクレオチドであるプロモータであり得る。プロモータは、ポリペプチドの発現を媒介する転写制御配列を含有する。プロモータは、ミュータント、切断およびハイブリッドプロモータを含む宿主細胞において転写活性を示すいずれかのポリヌクレオチドであり得、ならびに、宿主細胞に対して相同性または非相同性である細胞外または細胞内ポリペプチドをコードする遺伝子から得られ得る。
【０１８８】
細菌宿主細胞において本発明の核酸構築物の転写を指令する好適なプロモータの例としては、バチルス・アミロリケファシエンス（Ｂａｃｉｌｌｕｓ  ａｍｙｌｏｌｉｑｕｅｆａｃｉｅｎｓ）α−アミラーゼ遺伝子（ａｍｙＱ）、バチルス・リケニホルミス（Ｂａｃｉｌｌｕｓ  ｌｉｃｈｅｎｉｆｏｒｍｉｓ）α−アミラーゼ遺伝子（ａｍｙＬ）、バチルス・リケニホルミス（Ｂａｃｉｌｌｕｓ  ｌｉｃｈｅｎｉｆｏｒｍｉｓ）ペニシリナーゼ遺伝子（ｐｅｎＰ）、バチルス・ステアロテルモフィルス（Ｂａｃｉｌｌｕｓ  ｓｔｅａｒｏｔｈｅｒｍｏｐｈｉｌｕｓ）マルトジェニックアミラーゼ遺伝子（ａｍｙＭ）、枯草菌（Ｂａｃｉｌｌｕｓ  ｓｕｂｔｉｌｉｓ）レバンスクラーゼ遺伝子（ｓａｃＢ）、枯草菌（Ｂａｃｉｌｌｕｓ  ｓｕｂｔｉｌｉｓ）ｘｙｌＡおよびｘｙｌＢ遺伝子、バチルス・チューリンゲンシス（Ｂａｃｉｌｌｕｓ  ｔｈｕｒｉｎｇｉｅｎｓｉｓ）ｃｒｙＩＩＩＡ遺伝子（ＡｇａｉｓｓｅおよびＬｅｒｅｃｌｕｓ、１９９４、Ｍｏｌｅｃｕｌａｒ  Ｍｉｃｒｏｂｉｏｌｏｇｙ  １３：９７−１０７）、大腸菌（Ｅ．ｃｏｌｉ）ｌａｃオペロン、大腸菌（Ｅ．ｃｏｌｉ）ｔｒｃプロモータ（Ｅｇｏｎ  ｅｔ  ａｌ．，１９８８，Ｇｅｎｅ  ６９：３０１−３１５）、ストレプトマイセス・コエリコロル（Ｓｔｒｅｐｔｏｍｙｃｅｓ  ｃｏｅｌｉｃｏｌｏｒ）アガラーゼ遺伝子（ｄａｇＡ）および原核β−ラクタマーゼ遺伝子（Ｖｉｌｌａ−Ｋａｍａｒｏｆｆ  ｅｔ  ａｌ．，１９７８，Ｐｒｏｃ．Ｎａｔｌ．Ａｃａｄ．Ｓｃｉ．ＵＳＡ  ７５：３７２７−３７３１）、ならびに、ｔａｃプロモータ（ＤｅＢｏｅｒ  ｅｔ  ａｌ．，１９８３，Ｐｒｏｃ．Ｎａｔｌ．Ａｃａｄ．Ｓｃｉ．ＵＳＡ  ８０：２１−２５）から得られるプロモータがある。さらなるプロモータが、「Ｕｓｅｆｕｌ  ｐｒｏｔｅｉｎｓ  ｆｒｏｍ  ｒｅｃｏｍｂｉｎａｎｔ  ｂａｃｔｅｒｉａ」，Ｇｉｌｂｅｒｔ  ｅｔ  ａｌ．，１９８０，Ｓｃｉｅｎｔｉｆｉｃ  Ａｍｅｒｉｃａｎ  ２４２：７４−９４；および、前述のＳａｍｂｒｏｏｋ  ｅｔ  ａｌ．，１９８９に記載されている。タンデムプロモータの例が、国際公開第９９／４２８３５号パンフレットに開示されている。
【０１８９】
糸状真菌宿主細胞において本発明の核酸構築物の転写を指令する好適なプロモータの例としては、以下：アスペルギルス・ニズランス（Ａｓｐｅｒｇｉｌｌｕｓ  ｎｉｄｕｌａｎｓ）アセトアミダーゼ、アスペルギルス・ニガー（Ａｓｐｅｒｇｉｌｌｕｓ  ｎｉｇｅｒ）中性α−アミラーゼ、アスペルギルス・ニガー（Ａｓｐｅｒｇｉｌｌｕｓ  ｎｉｇｅｒ）酸安定α−アミラーゼ、アスペルギルス・ニガー（Ａｓｐｅｒｇｉｌｌｕｓ  ｎｉｇｅｒ）またはアスペルギルス・アワモリ（Ａｓｐｅｒｇｉｌｌｕｓ  ａｗａｍｏｒｉ）グルコアミラーゼ（ｇｌａＡ）、アスペルギルス・オリゼー（Ａｓｐｅｒｇｉｌｌｕｓ  ｏｒｙｚａｅ）ＴＡＫＡアミラーゼ、アスペルギルス・オリゼー（Ａｓｐｅｒｇｉｌｌｕｓ  ｏｒｙｚａｅ）アルカリ性タンパク分解酵素、アスペルギルス・オリゼー（Ａｓｐｅｒｇｉｌｌｕｓ  ｏｒｙｚａｅ）トリオースリン酸イソメラーゼ、フザリウム・オキシスポルム（Ｆｕｓａｒｉｕｍ  ｏｘｙｓｐｏｒｕｍ）トリプシン様プロテアーゼ（国際公開第９６／００７８７号パンフレット）、フザリウム・ベネナツム（Ｆｕｓａｒｉｕｍ  ｖｅｎｅｎａｔｕｍ）アミログルコシダーゼ（国際公開第００／５６９００号パンフレット）、フザリウム・ベネナツム・ダリア（Ｆｕｓａｒｉｕｍ  ｖｅｎｅｎａｔｕｍ  Ｄａｒｉａ）（国際公開第００／５６９００号パンフレット）、フザリウム・ベネナツム・クイン（Ｆｕｓａｒｉｕｍ  ｖｅｎｅｎａｔｕｍ  Ｑｕｉｎｎ）（国際公開第００／５６９００号パンフレット）、リゾムコール・ミエヘイ（Ｒｈｉｚｏｍｕｃｏｒ  ｍｉｅｈｅｉ）リパーゼ、リゾムコール・ミエヘイ（Ｒｈｉｚｏｍｕｃｏｒ  ｍｉｅｈｅｉ）アスパラギン酸プロテイナーゼ、トリコデルマ・レエセイ（Ｔｒｉｃｈｏｄｅｒｍａ  ｒｅｅｓｅｉ）β−グルコシダーゼ、トリコデルマ・レエセイ（Ｔｒｉｃｈｏｄｅｒｍａ  ｒｅｅｓｅｉ）セロビオヒドロラーゼＩ、トリコデルマ・レエセイ（Ｔｒｉｃｈｏｄｅｒｍａ  ｒｅｅｓｅｉ）セロビオヒドロラーゼＩＩ、トリコデルマ・レエセイ（Ｔｒｉｃｈｏｄｅｒｍａ  ｒｅｅｓｅｉ）エンドグルカナーゼＩ、トリコデルマ・レエセイ（Ｔｒｉｃｈｏｄｅｒｍａ  ｒｅｅｓｅｉ）エンドグルカナーゼＩＩ、トリコデルマ・レエセイ（Ｔｒｉｃｈｏｄｅｒｍａ  ｒｅｅｓｅｉ）エンドグルカナーゼＩＩＩ、トリコデルマ・レエセイ（Ｔｒｉｃｈｏｄｅｒｍａ  ｒｅｅｓｅｉ）エンドグルカナーゼＶ、トリコデルマ・レエセイ（Ｔｒｉｃｈｏｄｅｒｍａ  ｒｅｅｓｅｉ）キシラナーゼＩ、トリコデルマ・レエセイ（Ｔｒｉｃｈｏｄｅｒｍａ  ｒｅｅｓｅｉ）キシラナーゼＩＩ、トリコデルマ・レエセイ（Ｔｒｉｃｈｏｄｅｒｍａ  ｒｅｅｓｅｉ）キシラナーゼＩＩＩ、トリコデルマ・レエセイ（Ｔｒｉｃｈｏｄｅｒｍａ  ｒｅｅｓｅｉ）β−キシロシダーゼ、およびトリコデルマ・レエセイ（Ｔｒｉｃｈｏｄｅｒｍａ  ｒｅｅｓｅｉ）翻訳延長因子、ならびに、ＮＡ２−ｔｐｉプロモータ（非翻訳リーダが、アスペルギルス属（Ａｓｐｅｒｇｉｌｌｕｓ）トリオースリン酸イソメラーゼ遺伝子由来の非翻訳リーダで置換された、アスペルギルス属（Ａｓｐｅｒｇｉｌｌｕｓ）中性α−アミラーゼ遺伝子由来の修飾プロモータ；非限定的例としては、非翻訳リーダがアスペルギルス・ニズランス（Ａｓｐｅｒｇｉｌｌｕｓ  ｎｉｄｕｌａｎｓ）またはアスペルギルス・オリゼー（Ａｓｐｅｒｇｉｌｌｕｓ  ｏｒｙｚａｅ）トリオースリン酸イソメラーゼ遺伝子由来の非翻訳リーダで置換された、アスペルギルス・ニガー（Ａｓｐｅｒｇｉｌｌｕｓ  ｎｉｇｅｒ）中性α−アミラーゼ遺伝子由来の修飾プロモータが挙げられる）の遺伝子から得られるプロモータ；ならびに、その突然変異体、切断およびハイブリッドプロモータがある。他のプロモータは、米国特許第６，０１１，１４７号明細書に記載されている。
【０１９０】
イースト菌宿主において、有用なプロモータは、サッカロマイセス・セレビシエ（Ｓａｃｃｈａｒｏｍｙｃｅｓ  ｃｅｒｅｖｉｓｉａｅ）エノラーゼ（ＥＮＯ−１）、サッカロマイセス・セレビシエ（Ｓａｃｃｈａｒｏｍｙｃｅｓ  ｃｅｒｅｖｉｓｉａｅ）ガラクトキナーゼ（ＧＡＬ１）、サッカロマイセス・セレビシエ（Ｓａｃｃｈａｒｏｍｙｃｅｓ  ｃｅｒｅｖｉｓｉａｅ）アルコール脱水素酵素／グリセルアルデヒド−３−リン酸脱水素酵素（ＡＤＨ１、ＡＤＨ２／ＧＡＰ）、サッカロマイセス・セレビシエ（Ｓａｃｃｈａｒｏｍｙｃｅｓ  ｃｅｒｅｖｉｓｉａｅ）トリオースリン酸イソメラーゼ（ＴＰＩ）、サッカロマイセス・セレビシエ（Ｓａｃｃｈａｒｏｍｙｃｅｓ  ｃｅｒｅｖｉｓｉａｅ）メタロチオネイン（ＣＵＰ１）およびサッカロマイセス・セレビシエ（Ｓａｃｃｈａｒｏｍｙｃｅｓ  ｃｅｒｅｖｉｓｉａｅ）３−ホスホグリセリン酸キナーゼの遺伝子から得られる。イースト菌宿主細胞に対する他の有用なプロモータは、Ｒｏｍａｎｏｓ  ｅｔ  ａｌ．，１９９２，Ｙｅａｓｔ  ８：４２３−４８８により記載されている。
【０１９１】
制御配列はまた、宿主細胞によって認識されて転写を終結させる転写ターミネータであり得る。ターミネータは、ポリペプチドをコードするポリヌクレオチドの３’−末端に作動可能にリンクする。本発明においては、宿主細胞において機能するいずれかのターミネータが用いられ得る。
【０１９２】
細菌宿主細胞の好ましいターミネータは、バチルス・クラウシイ（Ｂａｃｉｌｌｕｓ  ｃｌａｕｓｉｉ）アルカリ性プロテアーゼ（ａｐｒＨ）、バチルス・リケニホルミス（Ｂａｃｉｌｌｕｓ  ｌｉｃｈｅｎｉｆｏｒｍｉｓ）α−アミラーゼ遺伝子（ａｍｙＬ）、および大腸菌（Ｅｓｃｈｅｒｉｃｈｉａ  ｃｏｌｉ）リボソームＲＮＡ（ｒｒｎＢ）の遺伝子から得られる。
【０１９３】
糸状真菌宿主細胞の好ましいターミネータは、アスペルギルス・ニズランス（Ａｓｐｅｒｇｉｌｌｕｓ  ｎｉｄｕｌａｎｓ）アセトアミダーゼ、アスペルギルス・ニズランス（Ａｓｐｅｒｇｉｌｌｕｓ  ｎｉｄｕｌａｎｓ）アントラニル酸シンターゼ、アスペルギルス・ニガー（Ａｓｐｅｒｇｉｌｌｕｓ  ｎｉｇｅｒ）グルコアミラーゼ、アスペルギルス・ニガー（Ａｓｐｅｒｇｉｌｌｕｓ  ｎｉｇｅｒ）α−グルコシダーゼ、アスペルギルス・オリゼー（Ａｓｐｅｒｇｉｌｌｕｓ  ｏｒｙｚａｅ）ＴＡＫＡアミラーゼ、フザリウム・オキシスポルム（Ｆｕｓａｒｉｕｍ  ｏｘｙｓｐｏｒｕｍ）トリプシン−様プロテアーゼ、トリコデルマ・レエセイ（Ｔｒｉｃｈｏｄｅｒｍａ  ｒｅｅｓｅｉ）β−グルコシダーゼ、トリコデルマ・レエセイ（Ｔｒｉｃｈｏｄｅｒｍａ  ｒｅｅｓｅｉ）セロビオヒドロラーゼＩ、トリコデルマ・レエセイ（Ｔｒｉｃｈｏｄｅｒｍａ  ｒｅｅｓｅｉ）セロビオヒドロラーゼＩＩ、トリコデルマ・レエセイ（Ｔｒｉｃｈｏｄｅｒｍａ  ｒｅｅｓｅｉ）エンドグルカナーゼＩ、トリコデルマ・レエセイ（Ｔｒｉｃｈｏｄｅｒｍａ  ｒｅｅｓｅｉ）エンドグルカナーゼＩＩ、トリコデルマ・レエセイ（Ｔｒｉｃｈｏｄｅｒｍａ  ｒｅｅｓｅｉ）エンドグルカナーゼＩＩＩ、トリコデルマ・レエセイ（Ｔｒｉｃｈｏｄｅｒｍａ  ｒｅｅｓｅｉ）エンドグルカナーゼＶ、トリコデルマ・レエセイ（Ｔｒｉｃｈｏｄｅｒｍａ  ｒｅｅｓｅｉ）キシラナーゼＩ、トリコデルマ・レエセイ（Ｔｒｉｃｈｏｄｅｒｍａ  ｒｅｅｓｅｉ）キシラナーゼＩＩ、トリコデルマ・レエセイ（Ｔｒｉｃｈｏｄｅｒｍａ  ｒｅｅｓｅｉ）キシラナーゼＩＩＩ、トリコデルマ・レエセイ（Ｔｒｉｃｈｏｄｅｒｍａ  ｒｅｅｓｅｉ）β−キシロシダーゼ、およびトリコデルマ・レエセイ（Ｔｒｉｃｈｏｄｅｒｍａ  ｒｅｅｓｅｉ）翻訳延長因子の遺伝子から得られる。
【０１９４】
イースト菌宿主細胞の好ましいターミネータは、サッカロマイセス・セレビシエ（Ｓａｃｃｈａｒｏｍｙｃｅｓ  ｃｅｒｅｖｉｓｉａｅ）エノラーゼ、サッカロマイセス・セレビシエ（Ｓａｃｃｈａｒｏｍｙｃｅｓ  ｃｅｒｅｖｉｓｉａｅ）チトクロムＣ（ＣＹＣ１）およびサッカロマイセス・セレビシエ（Ｓａｃｃｈａｒｏｍｙｃｅｓ  ｃｅｒｅｖｉｓｉａｅ）グリセルアルデヒド−３−リン酸脱水素酵素の遺伝子から得られる。イースト菌宿主細胞の他の有用なターミネータが、前述のＲｏｍａｎｏｓ  ｅｔ  ａｌ．，１９９２に記載されている。
【０１９５】
制御配列は、プロモータの下流で、かつ遺伝子のコード配列の上流のｍＲＮＡ安定化領域であってもよく、これは、遺伝子の発現を増大させる。
【０１９６】
好適なｍＲＮＡ安定化領域の例は、バチルス・チューリンゲンシス（Ｂａｃｉｌｌｕｓ  ｔｈｕｒｉｎｇｉｅｎｓｉｓ）ｃｒｙＩＩＩＡ遺伝子（国際公開９４／２５６１２号パンフレット）および枯草菌（Ｂａｃｉｌｌｕｓ  ｓｕｂｔｉｌｉｓ）ＳＰ８２遺伝子（Ｈｕｅ  ｅｔ  ａｌ．，１９９５，Ｊｏｕｒｎａｌ  ｏｆ  Ｂａｃｔｅｒｉｏｌｏｇｙ  １７７：３４６５−３４７１）から得られる。
【０１９７】
制御配列はまた、リーダ、すなわち、ｍＲＮＡの非翻訳領域であってもよく、これは、宿主細胞による翻訳にとって重要である。リーダは、ポリペプチドをコードするポリヌクレオチドの５’−末端に作動可能にリンクさせる。宿主細胞において機能性であれば、どんなリーダを用いてもよい。
【０１９８】
糸状真菌宿主細胞の好ましいリーダは、アスペルギルス・オリゼー（Ａｓｐｅｒｇｉｌｌｕｓ  ｏｒｙｚａｅ）ＴＡＫＡアミラーゼおよびアスペルギルス・ニズランス（Ａｓｐｅｒｇｉｌｌｕｓ  ｎｉｄｕｌａｎｓ）トリオースリン酸イソメラーゼの遺伝子から得られる。
【０１９９】
イースト菌宿主細胞の好適なリーダは、サッカロマイセス・セレビシエ（Ｓａｃｃｈａｒｏｍｙｃｅｓ  ｃｅｒｅｖｉｓｉａｅ）エノラーゼ（ＥＮＯ−１）、サッカロマイセス・セレビシエ（Ｓａｃｃｈａｒｏｍｙｃｅｓ  ｃｅｒｅｖｉｓｉａｅ）３−ホスホグリセリン酸キナーゼ、サッカロマイセス・セレビシエ（Ｓａｃｃｈａｒｏｍｙｃｅｓ  ｃｅｒｅｖｉｓｉａｅ）α−因子およびサッカロマイセス・セレビシエ（Ｓａｃｃｈａｒｏｍｙｃｅｓ  ｃｅｒｅｖｉｓｉａｅ）アルコール脱水素酵素／グリセルアルデヒド−３−リン酸脱水素酵素（ＡＤＨ２／ＧＡＰ）の遺伝子から得られる。
【０２００】
制御配列はまた、ポリヌクレオチドの３’−末端に作動可能にリンクし、転写された場合に、ポリアデノシン残基を転写ｍＲＮＡに負荷するシグナルとして宿主細胞により認識される配列であるポリアデニル化配列であり得る。宿主細胞において機能するポリアデニル化配列のいずれかが用いられ得る。
【０２０１】
糸状真菌宿主細胞の好ましいポリアデニル化配列は、アスペルギルス・ニズランス（Ａｓｐｅｒｇｉｌｌｕｓ  ｎｉｄｕｌａｎｓ）アントラニル酸シンターゼ、アスペルギルス・ニガー（Ａｓｐｅｒｇｉｌｌｕｓ  ｎｉｇｅｒ）グルコアミラーゼ、アスペルギルス・ニガー（Ａｓｐｅｒｇｉｌｌｕｓ  ｎｉｇｅｒ）α−グルコシダーゼ、アスペルギルス・オリゼー（Ａｓｐｅｒｇｉｌｌｕｓ  ｏｒｙｚａｅ）ＴＡＫＡアミラーゼ、およびフザリウム・オキシスポルム（Ｆｕｓａｒｉｕｍ  ｏｘｙｓｐｏｒｕｍ）トリプシン様プロテアーゼの遺伝子から得られる。
【０２０２】
イースト菌宿主細胞の有用なポリアデニル化配列が、Ｇｕｏ  ａｎｄ  Ｓｈｅｒｍａｎ，１９９５，Ｍｏｌ．Ｃｅｌｌｕｌａｒ  Ｂｉｏｌ．１５：５９８３−５９９０に記載されている。
【０２０３】
制御配列はまた、ポリペプチドのＮ−末端にリンクしたシグナルペプチドをコードし、および、ポリペプチドを細胞の分泌経路に送るシグナルペプチドコード領域であり得る。ポリヌクレオチドのコード配列の５’−末端は、ポリペプチドをコードするコード配列のセグメントと共に、翻訳読み枠に元々リンクしたシグナルペプチドコード配列を本質的に含有し得る。または、コード配列の５’−末端は、コード配列に対して外来性のシグナルペプチドコード配列を含有し得る。コード配列がシグナルペプチドコード配列を元々含有していない場合には、外来性のシグナルペプチドコード配列が必要とされる場合がある。または、外来性のシグナルペプチドコード配列は単に、ポリペプチドの分泌を増強するために天然シグナルペプチドコード配列を置き換えてもよい。しかしながら、発現ポリペプチドを宿主細胞の分泌経路に送るいずれかのシグナルペプチドコード配列がもちいられてもよい。
【０２０４】
細菌宿主細胞の効果的なシグナルペプチドコード配列は、バチルス属（Ｂａｃｉｌｌｕｓ）ＮＣＩＢ１１８３７マルトジェニックアミラーゼ、バチルス・リケニホルミス（Ｂａｃｉｌｌｕｓ  ｌｉｃｈｅｎｉｆｏｒｍｉｓ）サブチリシン、バチルス・リケニホルミス（Ｂａｃｉｌｌｕｓ  ｌｉｃｈｅｎｉｆｏｒｍｉｓ）β−ラクタマーゼ、バチルス・ステアロテルモフィルス（Ｂａｃｉｌｌｕｓ  ｓｔｅａｒｏｔｈｅｒｍｏｐｈｉｌｕｓ）α−アミラーゼ、バチルス・ステアロテルモフィルス（Ｂａｃｉｌｌｕｓ  ｓｔｅａｒｏｔｈｅｒｍｏｐｈｉｌｕｓ）中性プロテアーゼ（ｎｐｒＴ、ｎｐｒＳ、ｎｐｒＭ）および古草菌（Ｂａｃｉｌｌｕｓ  ｓｕｂｔｉｌｉｓ）ｐｒｓＡの遺伝子から得られるシグナルペプチドコード配列である。さらなるシグナルペプチドが、Ｓｉｍｏｎｅｎ  ａｎｄ  Ｐａｌｖａ，１９９３，Ｍｉｃｒｏｂｉｏｌｏｇｉｃａｌ  Ｒｅｖｉｅｗｓ  ５７：１０９−１３７に記載されている。
【０２０５】
糸状真菌宿主細胞の効果的なシグナルペプチドコード配列は、アスペルギルス・ニガー（Ａｓｐｅｒｇｉｌｌｕｓ  ｎｉｇｅｒ）中性アミラーゼ、アスペルギルス・ニガー（Ａｓｐｅｒｇｉｌｌｕｓ  ｎｉｇｅｒ）グルコアミラーゼ、アスペルギルス・オリゼー（Ａｓｐｅｒｇｉｌｌｕｓ  ｏｒｙｚａｅ）ＴＡＫＡアミラーゼ、フミコラ・インソレンス（Ｈｕｍｉｃｏｌａ  ｉｎｓｏｌｅｎｓ）セルラーゼ、フミコラ・インソレンス（Ｈｕｍｉｃｏｌａ  ｉｎｓｏｌｅｎｓ）エンドグルカナーゼＶ、フミコラ・ラヌギノサ（Ｈｕｍｉｃｏｌａ  ｌａｎｕｇｉｎｏｓａ）リパーゼおよびリゾムコール・ミエヘイ（Ｒｈｉｚｏｍｕｃｏｒ  ｍｉｅｈｅｉ）アスパラギン酸プロテイナーゼの遺伝子から得られるシグナルペプチドコード配列である。
【０２０６】
イースト菌宿主細胞の有用なシグナルペプチドは、サッカロマイセス・セレビシエ（Ｓａｃｃｈａｒｏｍｙｃｅｓ  ｃｅｒｅｖｉｓｉａｅ）α−因子およびサッカロマイセス・セレビシエ（Ｓａｃｃｈａｒｏｍｙｃｅｓ  ｃｅｒｅｖｉｓｉａｅ）インベルターゼの遺伝子から得られる。他の有用なシグナルペプチドコード配列が、前述のＲｏｍａｎｏｓ  ｅｔ  ａｌ．，１９９２により記載されている。
【０２０７】
制御配列はまた、ポリペプチドのＮ−末端でプロペプチド位置をコードするプロペプチドコード配列であり得る。得られたポリペプチドは、酵素原またはプロポリペプチド（または、いくつかの場合においてチモーゲン）として公知である。プロポリペプチドは、一般に非活性であり、プロポリペプチドからのプロペプチドの触媒または自己触媒切断によって活性ポリペプチドに転換されることが可能である。プロペプチドコード配列は、古草菌（Ｂａｃｉｌｌｕｓ  ｓｕｂｔｉｌｉｓ）アルカリ性タンパク分解酵素（ａｐｒＥ）、古草菌（Ｂａｃｉｌｌｕｓ  ｓｕｂｔｉｌｉｓ）中性タンパク分解酵素（ｎｐｒＴ）、ミセリオフトラ・テルモフィラ（Ｍｙｃｅｌｉｏｐｈｔｈｏｒａ  ｔｈｅｒｍｏｐｈｉｌａ）ラッカーゼ（国際公開第９５／３３８３６号パンフレット）、リゾムコール・ミエヘイ（Ｒｈｉｚｏｍｕｃｏｒ  ｍｉｅｈｅｉ）アスパラギン酸プロテイナーゼおよびサッカロマイセス・セレビシエ（Ｓａｃｃｈａｒｏｍｙｃｅｓ  ｃｅｒｅｖｉｓｉａｅ）α−因子の遺伝子から得られ得る。
【０２０８】
シグナルペプチドおよびプロペプチド配列の両方が存在する場合、プロペプチド配列はポリペプチドのＮ−末端に隣接して位置されており、また、シグナルペプチド配列は、プロペプチド配列のＮ−末端に隣接して位置されている。
【０２０９】
宿主細胞の増殖に関してポリペプチドの発現を調節する調節配列を付加することが望ましい場合もある。調節配列の例は、調節化合物の存在を含む化学的または物理的刺激に応じて、遺伝子の発現をオンまたはオフさせるものである。原核系における調節配列としては、ｌａｃ、ｔａｃ、およびｔｒｐオペレータ系が挙げられる。酵母においては、ＡＤＨ２系またはＧＡＬ１系が用いられ得る。糸状真菌においては、アスペルギルス・ニガー（Ａｓｐｅｒｇｉｌｌｕｓ  ｎｉｇｅｒ）グルコアミラーゼプロモータ、アスペルギルス・オリゼー（Ａｓｐｅｒｇｉｌｌｕｓ  ｏｒｙｚａｅ）ＴＡＫＡα−アミラーゼプロモータ、およびアスペルギルス・オリゼー（Ａｓｐｅｒｇｉｌｌｕｓ  ｏｒｙｚａｅ）グルコアミラーゼプロモータ、トリコデルマ・レエセイ（Ｔｒｉｃｈｏｄｅｒｍａ  ｒｅｅｓｅｉ）セロビオヒドロラーゼＩプロモータ、およびトリコデルマ・レエセイ（Ｔｒｉｃｈｏｄｅｒｍａ  ｒｅｅｓｅｉ）セロビオヒドロラーゼＩＩプロモータが用いられ得る。調節配列の他の例は、遺伝子増幅を可能とするものである。真核系において、これらの調節配列は、メトトレキセートの存在下で増幅されるジヒドロ葉酸レダクターゼ遺伝子、および、重金属を伴って増幅されるメタロチオネイン遺伝子を含む。これらの事例において、ポリペプチドをコードするポリヌクレオチドは、調節配列と作動可能にリンクしているであろう。
【０２１０】
発現ベクター
本発明はまた、本発明のポリヌクレオチド、プロモータ、ならびに、転写および翻訳終止シグナルを含む組換え発現ベクターに関する。種々のヌクレオチドおよび制御配列が一緒になって、このような部位でポリペプチドをコードするポリヌクレオチドの挿入または置換を可能とするために１つまたは複数の好都合な制限部位を含み得る組換え発現ベクターが生成される。あるいは、ポリヌクレオチドは、ポリヌクレオチドまたはポリヌクレオチドを含む核酸構築物を、発現のための適切なベクターに挿入することにより発現され得る。発現ベクターの形成に際し、コード配列は、コード配列が、発現のための適切な制御配列と作動可能にリンクするようにベクター中に配置されている。一実施形態では、発現ベクターは、発現のための適切な制御配列と作動可能にリンクした配列番号１２に記載のポリヌクレオチド配列を含む。別の実施形態では、ポリヌクレオチド配列コドンは、ヌクレオチド置換によって、本発明のポリペプチドの生成を目的とする宿主生物のコドン使用頻度に対応するように修飾されている。組換え発現ベクターは、組換えＤＮＡ法に簡便に供されることが可能であり、ポリヌクレオチドの発現をもたらすことができるいずれかのベクター（例えば、プラスミドまたはウイルス）であってよい。ベクターの選択は、典型的には、ベクターが導入される宿主細胞に対するベクターの適合性に左右されることになる。ベクターは、直鎖プラスミドまたは閉じた環状プラスミドであってもよい。
【０２１１】
ベクターは、例えばプラスミド、染色体外要素、微小染色体または人工染色体といった、自己複製ベクター（すなわち、染色体外のエンティティとして存在し、その複製が染色体複製とは無関係なベクター）であってもよい。ベクターは、自己複製を確実にするための何らかの手段を含有し得る。あるいは、ベクターは、宿主細胞に導入された際に、ゲノム中に統合され、および、中に統合された染色体と一緒に複製されるものであってもよい。さらに、単一のベクターもしくはプラスミド、または、一緒になって、宿主細胞のゲノムに導入される全ＤＮＡを含有する２つ以上のベクターもしくはプラスミド、または、トランスポゾンを用いてもよい。
【０２１２】
ベクターは、形質転換、形質移入、形質導入などを受けた細胞の容易な選択を可能にする１つまたは複数の選択マーカを含有することが好ましい。選択マーカは、その産物が、殺生剤またはウイルス耐性、重金属に対する耐性、栄養要求体に対する原栄養性等などをもたらす遺伝子である。
【０２１３】
細菌性選択マーカの例としては、バチルス・リケニホルミス（Ｂａｃｉｌｌｕｓ  ｌｉｃｈｅｎｉｆｏｒｍｉｓ）もしくは枯草菌（Ｂａｃｉｌｌｕｓ  ｓｕｂｔｉｌｉｓ）ｄａｌ遺伝子、または、アンピシリン、クロラムフェニコール、カナマイシン、ネオマイシン、スペクチノマイシン、もしくはテトラサイクリン耐性などの抗生物質耐性を賦与するマーカである。酵母宿主細胞の好適なマーカとしては、限定されないが、ＡＤＥ２、ＨＩＳ３、ＬＥＵ２、ＬＹＳ２、ＭＥＴ３、ＴＲＰ１、およびＵＲＡ３が挙げられる。糸状真菌宿主細胞に使用する選択マーカとしては、限定されないが、ａｄｅＡ（ホスホリボシルアミノイミダゾール−スクシノカルボキサミドシンターゼ）、ａｄｅＢ（ホスホリボシルアミノイミダゾールシンターゼ）、ａｍｄＳ（アセトアミダーゼ）、ａｒｇＢ（オルニチンカルバモイルトランスフェラーゼ）、ｂａｒ（ホスフィノトリシンアセチルトランスフェラーゼ）、ｈｐｈ（ハイグロマイシンホスホトランスフェラーゼ）、ｎｉａＤ（硝酸レダクターゼ）、ｐｙｒＧ（オロチジン−５’−リン酸デカルボキシラーゼ）、ｓＣ（硫酸アデニルトランスフェラーゼ）、およびｔｒｐＣ（アントラニル酸シンターゼ）、ならびにこれらの同等物が挙げられる。アスペルギルス・ニズランス（Ａｓｐｅｒｇｉｌｌｕｓ  ｎｉｄｕｌａｎｓ）またはアスペルギルス・オリゼー（Ａｓｐｅｒｇｉｌｌｕｓ  ｏｒｙｚａｅ）ａｍｄＳおよびｐｙｒＧ遺伝子、ならびに、ストレプトマイセス・ハイグロスコピクス（Ｓｔｒｅｐｔｏｍｙｃｅｓ  ｈｙｇｒｏｓｃｏｐｉｃｕｓ）ｂａｒ遺伝子が、アスペルギルス属（Ａｓｐｅｒｇｉｌｌｕｓ）細胞での使用に好ましい。ａｄｅＡ、ａｄｅＢ、ａｍｄＳ、ｈｐｈ、およびｐｙｒＧ遺伝子が、トリコデルマ（Ｔｒｉｃｈｏｄｅｒｍａ）細胞での使用に好ましい。
【０２１４】
選択マーカは、国際公開第２０１０／０３９８８９号パンフレットに記載されている二重選択マーカ系であってもよい。一態様では、二重選択マーカは、ｈｐｈ−ｔｋ二重選択マーカ系である。
【０２１５】
ベクターは、宿主細胞のゲノムへのベクターの統合、または、ゲノムとは無関係の細胞中のベクターの自律複製を許容する要素を含有することが好ましい。
【０２１６】
宿主細胞ゲノムへの統合に関して、ベクターは、ポリペプチドをコードするポリヌクレオチドの配列、または、相同的もしくは非相同的組換えによるゲノムへの統合に係るベクターのいずれかの他の要素に依存し得る。または、ベクターは、染色体における正確な位置での宿主細胞のゲノムへの相同的組換えによる統合をもたらす追加のポリヌクレオチドを含有していてもよい。正確な位置で統合される可能性を高めるために、統合要素は、相同的組換えの確率を高めるために対応する標的配列に対して高度の配列同一性を有する、１００〜１０，０００塩基対、４００〜１０，０００塩基対および８００〜１０，０００塩基対などの十分な数の核酸を含有しているべきである。統合要素は、宿主細胞のゲノム中の標的配列と相同的であるいずれかの配列であり得る。さらに、統合要素は、非コーディングまたはコーディングポリヌクレオチドであり得る。他方で、ベクターは、非相同的組換えにより宿主細胞のゲノムに統合され得る。
【０２１７】
自律複製に関して、ベクターは、対象の宿主細胞におけるベクターの自律的な複製を可能とする複製起点をさらに含んでいてもよい。複製起点は、細胞において機能する自律複製を媒介するいずれかのプラスミドレプリケータであり得る。「複製起点」または「プラスミドレプリケータ」という用語は、インビボでのプラスミドまたはベクターの複製を可能とするポリヌクレオチドを意味する。
【０２１８】
細菌性複製起点の例は、大腸菌（Ｅ．ｃｏｌｉ）における複製を許容するプラスミドｐＢＲ３２２、ｐＵＣ１９、ｐＡＣＹＣ１７７およびｐＡＣＹＣ１８４の複製起点、ならびに、バチルス属（Ｂａｃｉｌｌｕｓ）における複製を許容するｐＵＢ１１０、ｐＥ１９４、ｐＴＡ１０６０およびｐＡＭβ１の複製起点である。
【０２１９】
イースト菌宿主細胞において用いられる複製起点の例は、２ミクロン複製起点、ＡＲＳ１、ＡＲＳ４、ＡＲＳ１とＣＥＮ３との組み合わせ、および、ＡＲＳ４とＣＥＮ６との組み合わせである。
【０２２０】
糸状真菌細胞において有用な複製起点の例は、ＡＭＡ１およびＡＮＳ１（Ｇｅｍｓ  ｅｔ  ａｌ．，１９９１，Ｇｅｎｅ  ９８：６１−６７；Ｃｕｌｌｅｎ  ｅｔ  ａｌ．，１９８７，Ｎｕｃｌｅｉｃ  Ａｃｉｄｓ  Ｒｅｓ．１５：９１６３−９１７５；国際公開第００／２４８８３号パンフレット）である。ＡＭＡ１遺伝子の単離およびＡＭＡ１遺伝子を含むプラスミドまたはベクターの構築は、国際公開第００／２４８８３号パンフレットに開示されている方法に従って達成可能である。
【０２２１】
本発明のポリヌクレオチドの２つ以上のコピーが宿主細胞に挿入されて、ポリペプチドの生成が高められてもよい。ポリヌクレオチドのコピーの数は、配列の少なくとも１つの追加のコピーを宿主細胞ゲノムに統合することにより、または、増幅可能な選択マーカ遺伝子をポリヌクレオチドに含めることにより増加させることが可能であり、ここで、選択マーカ遺伝子の増幅されたコピー、従って、ポリヌクレオチドの追加のコピーを含有する細胞は、適切な選択可能な薬剤中で細胞を培養することにより選択可能である。
【０２２２】
上記の要素を連結して本発明の組換え発現ベクターを構築するために用いられる手法は、当業者に周知である（例えば、前述のＳａｍｂｒｏｏｋ  ｅｔ  ａｌ．，１９８９を参照のこと）。
【０２２３】
宿主細胞
本発明はまた、本発明のポリペプチドの生成をもたらす１つまたは複数の制御配列に作動可能にリンクした本発明のポリヌクレオチドを含む組換え宿主細胞に関する。ポリヌクレオチドを含む構築物もしくはベクターは、構築物もしくはベクターが染色体性組み込み体として、もしくは、既述の自己複製余剰−染色体性ベクターとして維持されるよう宿主細胞に導入される。「宿主細胞」という用語は、複製の最中に生じる突然変異により親細胞と同等ではない親細胞のいずれかの子孫を包含する。宿主細胞の選択は、ポリペプチドをコードする遺伝子およびそのソースに大きく依存することとなる。
【０２２４】
宿主細胞は、例えば、原核生物または真核生物といった、本発明のポリペプチドの組換え生成において有用ないずれかの細胞であり得る。
【０２２５】
原核宿主細胞は、グラム陽性またはグラム陰性バクテリアのいずれかであり得る。グラム陽性バクテリアとしては、これらに限定されないが、バチルス属（Ｂａｃｉｌｌｕｓ）、クロストリジウム属（Ｃｌｏｓｔｒｉｄｉｕｍ）、エンテロコッカス属（Ｅｎｔｅｒｏｃｏｃｃｕｓ）、ゲオバチルス属（Ｇｅｏｂａｃｉｌｌｕｓ）、ラクトバチルス属（Ｌａｃｔｏｂａｃｉｌｌｕｓ）、ラクトコッカス属（Ｌａｃｔｏｃｏｃｃｕｓ）、オセアノバチルス属（Ｏｃｅａｎｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）およびストレプトマイセス属（Ｓｔｒｅｐｔｏｍｙｃｅｓ）が挙げられる。グラム陰性バクテリアとしては、これらに限定されないが、カムピロバクター属（Ｃａｍｐｙｌｏｂａｃｔｅｒ）、大腸菌（Ｅ．ｃｏｌｉ）、フラボバクテリウム属（Ｆｌａｖｏｂａｃｔｅｒｉｕｍ）、フソバクテリウム属（Ｆｕｓｏｂａｃｔｅｒｉｕｍ）、ヘリコバクター属（Ｈｅｌｉｃｏｂａｃｔｅｒ）、イリオバクター属（Ｉｌｙｏｂａｃｔｅｒ）、ネイッセリア属（Ｎｅｉｓｓｅｒｉａ）、シュードモナス属（Ｐｓｅｕｄｏｍｏｎａｓ）、サルモネラ属（Ｓａｌｍｏｎｅｌｌａ）およびウレアプラズマ属（Ｕｒｅａｐｌａｓｍａ）が挙げられる。
【０２２６】
細菌宿主細胞は、特にこれらに限定されないが、バチルス・アルカロフィルス（Ｂａｃｉｌｌｕｓ  ａｌｋａｌｏｐｈｉｌｕｓ）、バチルス・アミロリケファシエンス（Ｂａｃｉｌｌｕｓ  ａｍｙｌｏｌｉｑｕｅｆａｃｉｅｎｓ）、バチルス・ブレビス（Ｂａｃｉｌｌｕｓ  ｂｒｅｖｉｓ）、バチルス・シルクランス（Ｂａｃｉｌｌｕｓ  ｃｉｒｃｕｌａｎｓ）、バチルス・クラウシイ（Ｂａｃｉｌｌｕｓ  ｃｌａｕｓｉｉ）、バチルス・コアグランス（Ｂａｃｉｌｌｕｓ  ｃｏａｇｕｌａｎｓ）、バチルス・フィルムス（Ｂａｃｉｌｌｕｓ  ｆｉｒｍｕｓ）、バチルス・ラウツス（Ｂａｃｉｌｌｕｓ  ｌａｕｔｕｓ）、バチルス・レンツス（Ｂａｃｉｌｌｕｓ  ｌｅｎｔｕｓ）、バチルス・リケニホルミス（Ｂａｃｉｌｌｕｓ  ｌｉｃｈｅｎｉｆｏｒｍｉｓ）、バチルス・メガテリウム（Ｂａｃｉｌｌｕｓ  ｍｅｇａｔｅｒｉｕｍ）、バチルス・プミルス（Ｂａｃｉｌｌｕｓ  ｐｕｍｉｌｕｓ）、バチルス・ステアロテルモフィルス（Ｂａｃｉｌｌｕｓ  ｓｔｅａｒｏｔｈｅｒｍｏｐｈｉｌｕｓ）、古草菌（Ｂａｃｉｌｌｕｓ  ｓｕｂｔｉｌｉｓ）、およびバチルス・チューリンゲンシス（Ｂａｃｉｌｌｕｓ  ｔｈｕｒｉｎｇｉｅｎｓｉｓ）細胞を含むいずれかのバチルス属（Ｂａｃｉｌｌｕｓ）細胞であり得る。
【０２２７】
細菌宿主細胞はまた、特にこれらに限定されないが、ストレプトコッカス・エクイシミリス（Ｓｔｒｅｐｔｏｃｏｃｃｕｓ  ｅｑｕｉｓｉｍｉｌｉｓ）、化膿レンサ球菌（Ｓｔｒｅｐｔｏｃｏｃｃｕｓ  ｐｙｏｇｅｎｅｓ）、ストレプトコッカス・ウベリス（Ｓｔｒｅｐｔｏｃｏｃｃｕｓ  ｕｂｅｒｉｓ）、およびストレプトコッカス・ズーエピデミカス（Ｓｔｒｅｐｔｏｃｏｃｃｕｓ  ｅｑｕｉ  ｓｕｂｓｐ．Ｚｏｏｅｐｉｄｅｍｉｃｕｓ）細胞のいずれかのストレプトコッカス属（Ｓｔｒｅｐｔｏｃｏｃｃｕｓ）細胞を含むいずれかのストレプトコッカス属（Ｓｔｒｅｐｔｏｃｏｃｃｕｓ）細胞であり得る。
【０２２８】
細菌宿主細胞はまた、特にこれらに限定されないが、ストレプトマイセス・アウロモゲネス（Ｓｔｒｅｐｔｏｍｙｃｅｓ  ａｃｈｒｏｍｏｇｅｎｅｓ）、ストレプトマイセス・アベルミチリス（Ｓｔｒｅｐｔｏｍｙｃｅｓ  ａｖｅｒｍｉｔｉｌｉｓ）、ストレプトマイセス・コエリコロル（Ｓｔｒｅｐｔｏｍｙｃｅｓ  ｃｏｅｌｉｃｏｌｏｒ）、ストレプトマイセス・グリセウス（Ｓｔｒｅｐｔｏｍｙｃｅｓ  ｇｒｉｓｅｕｓ）、およびストレプトマイセス・リビダンス（Ｓｔｒｅｐｔｏｍｙｃｅｓ  ｌｉｖｉｄａｎｓ）細胞を含むいずれかのストレプトマイセス属（Ｓｔｒｅｐｔｏｍｙｃｅｓ）細胞であり得る。
【０２２９】
バチルス属（Ｂａｃｉｌｌｕｓ）細胞へのＤＮＡの導入は、プロトプラスト形質転換（例えば、Ｃｈａｎｇ  ａｎｄ  Ｃｏｈｅｎ，１９７９，Ｍｏｌ．Ｇｅｎ．Ｇｅｎｅｔ．１６８：１１１−１１５を参照のこと）、コンピテント細胞転換（例えば、Ｙｏｕｎｇ  ａｎｄ  Ｓｐｉｚｉｚｅｎ，１９６１，Ｊ．Ｂａｃｔｅｒｉｏｌ．８１：８２３−８２９、またはＤｕｂｎａｕ  ａｎｄ  Ｄａｖｉｄｏｆｆ−Ａｂｅｌｓｏｎ，１９７１，Ｊ．Ｍｏｌ．Ｂｉｏｌ．５６：２０９−２２１を参照のこと）、電気穿孔法（例えば、Ｓｈｉｇｅｋａｗａ  ａｎｄ  Ｄｏｗｅｒ，１９８８，Ｂｉｏｔｅｃｈｎｉｑｕｅｓ  ６：７４２−７５１を参照のこと）、または、接合により（例えば、Ｋｏｅｈｌｅｒ  ａｎｄ  Ｔｈｏｒｎｅ，１９８７，Ｊ．Ｂａｃｔｅｒｉｏｌ．１６９：５２７１−５２７８を参照のこと）行われ得る。大腸菌（Ｅ．ｃｏｌｉ）細胞へのＤＮＡの導入は、プロトプラスト形質転換により（例えば、Ｈａｎａｈａｎ，１９８３，Ｊ．Ｍｏｌ．Ｂｉｏｌ．１６６：５５７−５８０を参照のこと）または電気穿孔法により（例えば、Ｄｏｗｅｒ  ｅｔ  ａｌ．，１９８８，Ｎｕｃｌｅｉｃ  Ａｃｉｄｓ  Ｒｅｓ．１６：６１２７−６１４５を参照のこと）行われ得る。ストレプトマイセス属（Ｓｔｒｅｐｔｏｍｙｃｅｓ）細胞へのＤＮＡの導入は、プロトプラスト形質転換電気穿孔法（例えば、Ｇｏｎｇ  ｅｔ  ａｌ．，２００４，Ｆｏｌｉａ  Ｍｉｃｒｏｂｉｏｌ．（Ｐｒａｈａ）４９：３９９−４０５を参照のこと）、接合（例えば、Ｍａｚｏｄｉｅｒ  ｅｔ  ａｌ．，１９８９，Ｊ．Ｂａｃｔｅｒｉｏｌ．１７１：３５８３−３５８５を参照のこと）、または、形質導入により（例えば、Ｂｕｒｋｅ  ｅｔ  ａｌ．，２００１，Ｐｒｏｃ．Ｎａｔｌ．Ａｃａｄ．Ｓｃｉ．ＵＳＡ  ９８：６２８９−６２９４を参照のこと）行われ得る。シュードモナス属（Ｐｓｅｕｄｏｍｏｎａｓ）細胞へのＤＮＡの導入は、電気穿孔法（例えば、Ｃｈｏｉ  ｅｔ  ａｌ．，２００６，Ｊ．Ｍｉｃｒｏｂｉｏｌ．Ｍｅｔｈｏｄｓ  ６４：３９１−３９７を参照のこと）、または、接合により（例えば、Ｐｉｎｅｄｏ  ａｎｄ  Ｓｍｅｔｓ，２００５，Ａｐｐｌ．Ｅｎｖｉｒｏｎ．Ｍｉｃｒｏｂｉｏｌ．７１：５１−５７を参照のこと）行われ得る。ストレプトコッカス属（Ｓｔｒｅｐｔｏｃｏｃｃｕｓ）細胞へのＤＮＡの導入は、天然コンピテンス（例えば、Ｐｅｒｒｙ  ａｎｄ  Ｋｕｒａｍｉｔｓｕ，１９８１，Ｉｎｆｅｃｔ．Ｉｍｍｕｎ．３２：１２９５−１２９７を参照のこと）、プロトプラスト形質転換（例えば、Ｃａｔｔ  ａｎｄ  Ｊｏｌｌｉｃｋ，１９９１，Ｍｉｃｒｏｂｉｏｓ  ６８：１８９−２０７を参照のこと）、電気穿孔法（例えば、Ｂｕｃｋｌｅｙ  ｅｔ  ａｌ．，１９９９，Ａｐｐｌ．Ｅｎｖｉｒｏｎ．Ｍｉｃｒｏｂｉｏｌ．６５：３８００−３８０４を参照のこと）、または、接合により（例えば、Ｃｌｅｗｅｌｌ，１９８１，Ｍｉｃｒｏｂｉｏｌ．Ｒｅｖ．４５：４０９−４３６を参照のこと）行われ得る。しかしながら、ＤＮＡを宿主細胞に導入するための技術分野において公知である方法のいずれかを用いることが可能である。
【０２３０】
宿主細胞はまた、哺乳類、昆虫、植物または真菌細胞などの真核生物であり得る。
【０２３１】
宿主細胞は真菌細胞であってもよい。本明細書において用いられる「真菌」は、子嚢菌門（Ａｓｃｏｍｙｃｏｔａ）、担子菌門（Ｂａｓｉｄｉｏｍｙｃｏｔａ）、ツボカビ門（Ｃｈｙｔｒｉｄｉｏｍｙｃｏｔａ）および接合菌門（Ｚｙｇｏｍｙｃｏｔａ）、ならびに、卵菌門（Ｏｏｍｙｃｏｔａ）およびすべての栄養胞子形成真菌を含む（Ｈａｗｋｓｗｏｒｔｈ  ｅｔ  ａｌ．，Ｉｎ，Ａｉｎｓｗｏｒｔｈ  ａｎｄ  Ｂｉｓｂｙ’ｓ  Ｄｉｃｔｉｏｎａｒｙ  ｏｆ  Ｔｈｅ  Ｆｕｎｇｉ，８ｔｈ  ｅｄｉｔｉｏｎ，１９９５，ＣＡＢ  Ｉｎｔｅｒｎａｔｉｏｎａｌ，Ｕｎｉｖｅｒｓｉｔｙ  Ｐｒｅｓｓ，Ｃａｍｂｒｉｄｇｅ，ＵＫに定義されているとおり）。
【０２３２】
真菌宿主細胞はイースト菌細胞であり得る。本明細書において用いられるところ、「イースト菌」は、子嚢菌酵母（エンドミセス目（Ｅｎｄｏｍｙｃｅｔａｌｅｓ））、担子菌イースト菌を含み、イースト菌は、不完全菌類（不完全酵母菌類（Ｂｌａｓｔｏｍｙｃｅｔｅｓ））に属する。イースト菌の分類は将来において変更される可能性があるため、本発明の目的について、イースト菌は、Ｂｉｏｌｏｇｙ  ａｎｄ  Ａｃｔｉｖｉｔｉｅｓ  ｏｆ  Ｙｅａｓｔ（Ｓｋｉｎｎｅｒ，ＰａｓｓｍｏｒｅおよびＤａｖｅｎｐｏｒｔ編，Ｓｏｃ．Ａｐｐ．Ｂａｃｔｅｒｉｏｌ．Ｓｙｍｐｏｓｉｕｍ  Ｓｅｒｉｅｓ  Ｎｏ．９，１９８０）に記載されているとおりに定義されるものとする。
【０２３３】
イースト菌宿主細胞は、クルイベロマイセスラクティス（Ｋｌｕｙｖｅｒｏｍｙｃｅｓ  ｌａｃｔｉｓ）、サッカロマイセスカルスベルゲンシス（Ｓａｃｃｈａｒｏｍｙｃｅｓ  ｃａｒｌｓｂｅｒｇｅｎｓｉｓ）、サッカロマイセス・セレビシエ（Ｓａｃｃｈａｒｏｍｙｃｅｓ  ｃｅｒｅｖｉｓｉａｅ）、サッカロマイセス・ジアスタチクス（Ｓａｃｃｈａｒｏｍｙｃｅｓ  ｄｉａｓｔａｔｉｃｕｓ）、サッカロマイセス・ドウグラシイ（Ｓａｃｃｈａｒｏｍｙｃｅｓ  ｄｏｕｇｌａｓｉｉ）、サッカロマイセス・クルイベリ（Ｓａｃｃｈａｒｏｍｙｃｅｓ  ｋｌｕｙｖｅｒｉ）、サッカロマイセス・ノルベンシス（Ｓａｃｃｈａｒｏｍｙｃｅｓ  ｎｏｒｂｅｎｓｉｓ）、サッカロマイセス・オビホルミス（Ｓａｃｃｈａｒｏｍｙｃｅｓ  ｏｖｉｆｏｒｍｉｓ）またはヤロウイア・リポリチカ（Ｙａｒｒｏｗｉａ  ｌｉｐｏｌｙｔｉｃａ）細胞などのカンジダ属（Ｃａｎｄｉｄａ）、ハンセヌラ属（Ｈａｎｓｅｎｕｌａ）、クルイベロマイセス属（Ｋｌｕｙｖｅｒｏｍｙｃｅｓ）、ピチア属（Ｐｉｃｈｉａ）、サッカロマイセス属（Ｓａｃｃｈａｒｏｍｙｃｅｓ）、シゾサッカロマイセス属（Ｓｃｈｉｚｏｓａｃｃｈａｒｏｍｙｃｅｓ）またはヤロウイア属（Ｙａｒｒｏｗｉａ）細胞であり得る。
【０２３４】
真菌宿主細胞は糸状真菌細胞であり得る。「糸状菌」は、真菌植物門（Ｅｕｍｙｃｏｔａ）および卵菌門（Ｏｏｍｙｃｏｔａ）亜門（前述のＨａｗｋｓｗｏｒｔｈ  ｅｔ  ａｌ．，１９９５で定義されているとおり）のすべてのフィラメント形を含む。糸状菌は、一般に、キチン、セルロース、グルカン、キトサン、マンナンおよび他の複雑な多糖類から組成される菌糸体壁によって特徴付けられる。栄養成長は菌糸の伸展によるものであり、および、炭素異化は絶対好気性である。対照的に、サッカロマイセス・セレビシエ（Ｓａｃｃｈａｒｏｍｙｃｅｓ  ｃｅｒｅｖｉｓｉａｅ）などのイースト菌による栄養成長は単細胞葉状体の出芽によるものであり、および、炭素異化は発酵性であり得る。
【０２３５】
糸状真菌宿主細胞は、アクレモニウム属（Ａｃｒｅｍｏｎｉｕｍ）、アスペルギルス属（Ａｓｐｅｒｇｉｌｌｕｓ）、アウレオバシジウム属（Ａｕｒｅｏｂａｓｉｄｉｕｍ）、ブエルカンデラ属（Ｂｊｅｒｋａｎｄｅｒａ）、セリポリオプシス属（Ｃｅｒｉｐｏｒｉｏｐｓｉｓ）、クリソスポリウム属（Ｃｈｒｙｓｏｓｐｏｒｉｕｍ）、コプリヌス属（Ｃｏｐｒｉｎｕｓ）、コリオルス属（Ｃｏｒｉｏｌｕｓ）、クリプトコッカス属（Ｃｒｙｐｔｏｃｏｃｃｕｓ）、フィリバシジウム属（Ｆｉｌｉｂａｓｉｄｉｕｍ）、フザリウム属（Ｆｕｓａｒｉｕｍ）、フミコラ属（Ｈｕｍｉｃｏｌａ）、マグナポルテ属（Ｍａｇｎａｐｏｒｔｈｅ）、ムコール属（Ｍｕｃｏｒ）、ミセリオフトラ属（Ｍｙｃｅｌｉｏｐｈｔｈｏｒａ）、ネオカリマスチクス属（Ｎｅｏｃａｌｌｉｍａｓｔｉｘ）、ニューロスポラ属（Ｎｅｕｒｏｓｐｏｒａ）、パエシロマイセス属（Ｐａｅｃｉｌｏｍｙｃｅｓ）、ペニシリウム属（Ｐｅｎｉｃｉｌｌｉｕｍ）、ファネロケーテ属（Ｐｈａｎｅｒｏｃｈａｅｔｅ）、フレビア属（Ｐｈｌｅｂｉａ）、ピロマイセス属（Ｐｉｒｏｍｙｃｅｓ）、プレウロツス属（Ｐｌｅｕｒｏｔｕｓ）、シゾフィルム属（Ｓｃｈｉｚｏｐｈｙｌｌｕｍ）、タラロマイセス属（Ｔａｌａｒｏｍｙｃｅｓ）、テルモアスクス属（Ｔｈｅｒｍｏａｓｃｕｓ）、チエラビア属（Ｔｈｉｅｌａｖｉａ）、トリポクラジウム属（Ｔｏｌｙｐｏｃｌａｄｉｕｍ）、トラメテス属（Ｔｒａｍｅｔｅｓ）またはトリコデルマ属（Ｔｒｉｃｈｏｄｅｒｍａ）細胞であり得る。
【０２３６】
例えば、糸状真菌宿主細胞は、アスペルギルス・アワモリ（Ａｓｐｅｒｇｉｌｌｕｓ  ａｗａｍｏｒｉ）、アスペルギルス・フォエティダス（Ａｓｐｅｒｇｉｌｌｕｓ  ｆｏｅｔｉｄｕｓ）、アスペルギルス・フミガーツス（Ａｓｐｅｒｇｉｌｌｕｓ  ｆｕｍｉｇａｔｕｓ）、アスペルギルス・ジャポニクス（Ａｓｐｅｒｇｉｌｌｕｓ  ｊａｐｏｎｉｃｕｓ）、アスペルギルス・ニズランス（Ａｓｐｅｒｇｉｌｌｕｓ  ｎｉｄｕｌａｎｓ）、アスペルギルス・ニガー（Ａｓｐｅｒｇｉｌｌｕｓ  ｎｉｇｅｒ）、アスペルギルス・オリゼー（Ａｓｐｅｒｇｉｌｌｕｓ  ｏｒｙｚａｅ）、ヤケイロタケ（Ｂｊｅｒｋａｎｄｅｒａ  ａｄｕｓｔａ）、セリポリオプシス・アネイリナ（Ｃｅｒｉｐｏｒｉｏｐｓｉｓ  ａｎｅｉｒｉｎａ）、セリポリオプシス・カレギエア（Ｃｅｒｉｐｏｒｉｏｐｓｉｓ  ｃａｒｅｇｉｅａ）、セリポリオプシス・ギルベスセンス（Ｃｅｒｉｐｏｒｉｏｐｓｉｓ  ｇｉｌｖｅｓｃｅｎｓ）、セリポリオプシス・パンノシンタ（Ｃｅｒｉｐｏｒｉｏｐｓｉｓ  ｐａｎｎｏｃｉｎｔａ）、セリポリオプシス・リブロサ（Ｃｅｒｉｐｏｒｉｏｐｓｉｓ  ｒｉｖｕｌｏｓａ）、セリポリオプシス・スブルファ（Ｃｅｒｉｐｏｒｉｏｐｓｉｓ  ｓｕｂｒｕｆａ）、セリポリオプシス・スブベルミスポラ（Ｃｅｒｉｐｏｒｉｏｐｓｉｓ  ｓｕｂｖｅｒｍｉｓｐｏｒａ）、クリソスポリウム・イノプス（Ｃｈｒｙｓｏｓｐｏｒｉｕｍ  ｉｎｏｐｓ）、クリソスポリウム・ケラチノフィルム（Ｃｈｒｙｓｏｓｐｏｒｉｕｍ  ｋｅｒａｔｉｎｏｐｈｉｌｕｍ）、クリソスポリウム・ルクノウェンス（Ｃｈｒｙｓｏｓｐｏｒｉｕｍ  ｌｕｃｋｎｏｗｅｎｓｅ）、クリソスポリウム・メルダリウム（Ｃｈｒｙｓｏｓｐｏｒｉｕｍ  ｍｅｒｄａｒｉｕｍ）、クリソスポリウム・パンニコラ（Ｃｈｒｙｓｏｓｐｏｒｉｕｍ  ｐａｎｎｉｃｏｌａ）、クリソスポリウム・クイーンスランジクム（Ｃｈｒｙｓｏｓｐｏｒｉｕｍ  ｑｕｅｅｎｓｌａｎｄｉｃｕｍ）、クリソスポリウム・トロピクム（Ｃｈｒｙｓｏｓｐｏｒｉｕｍ  ｔｒｏｐｉｃｕｍ）、クリソスポリウム・ゾナツム（Ｃｈｒｙｓｏｓｐｏｒｉｕｍ  ｚｏｎａｔｕｍ）、コプリヌス・シネレウス（Ｃｏｐｒｉｎｕｓ  ｃｉｎｅｒｅｕｓ）、クリオルス・ヒルスツス（Ｃｏｒｉｏｌｕｓ  ｈｉｒｓｕｔｕｓ）、フザリウム・バクテリジオイデス（Ｆｕｓａｒｉｕｍ  ｂａｃｔｒｉｄｉｏｉｄｅｓ）、フザリウム・セレアリス（Ｆｕｓａｒｉｕｍ  ｃｅｒｅａｌｉｓ）、フザリウム・クロークウェレンス（Ｆｕｓａｒｉｕｍ  ｃｒｏｏｋｗｅｌｌｅｎｓｅ）、フザリウム・クルモルム（Ｆｕｓａｒｉｕｍ  ｃｕｌｍｏｒｕｍ）、フザリウム・グラミネアルム（Ｆｕｓａｒｉｕｍ  ｇｒａｍｉｎｅａｒｕｍ）、フザリウムグラミヌム（Ｆｕｓａｒｉｕｍ  ｇｒａｍｉｎｕｍ）、フザリウム・ヘテロスポルム（Ｆｕｓａｒｉｕｍ  ｈｅｔｅｒｏｓｐｏｒｕｍ）、フザリウム・ネグンディ（Ｆｕｓａｒｉｕｍ  ｎｅｇｕｎｄｉ）、フザリウム・オキシスポルム（Ｆｕｓａｒｉｕｍ  ｏｘｙｓｐｏｒｕｍ）、フザリウム・レチクランツム（Ｆｕｓａｒｉｕｍ  ｒｅｔｉｃｕｌａｔｕｍ）、フザリウム・ロゼウム（Ｆｕｓａｒｉｕｍ  ｒｏｓｅｕｍ）、フザリウム・サムブシヌム（Ｆｕｓａｒｉｕｍ  ｓａｍｂｕｃｉｎｕｍ）���フザリウム・サルコクロウム（Ｆｕｓａｒｉｕｍ  ｓａｒｃｏｃｈｒｏｕｍ）、フザリウムス・ポロトリキオイデス（Ｆｕｓａｒｉｕｍ  ｓｐｏｒｏｔｒｉｃｈｉｏｉｄｅｓ）、フザリウム・スルフレウム（Ｆｕｓａｒｉｕｍ  ｓｕｌｐｈｕｒｅｕｍ）、フザリウム・トルロスム（Ｆｕｓａｒｉｕｍ  ｔｏｒｕｌｏｓｕｍ）、フザリウム・トリコテシオイデス（Ｆｕｓａｒｉｕｍ  ｔｒｉｃｈｏｔｈｅｃｉｏｉｄｅｓ）、フザリウム・ベネナツム（Ｆｕｓａｒｉｕｍ  ｖｅｎｅｎａｔｕｍ）、フミコラ・インソレンス（Ｈｕｍｉｃｏｌａ  ｉｎｓｏｌｅｎｓ）、フミコラ・ラヌギノサ（Ｈｕｍｉｃｏｌａ  ｌａｎｕｇｉｎｏｓａ）、ムコール・ミエヘイ（Ｍｕｃｏｒ  ｍｉｅｈｅｉ）、ミセリオフトラ・テルモフィラ（Ｍｙｃｅｌｉｏｐｈｔｈｏｒａ  ｔｈｅｒｍｏｐｈｉｌａ）、ニューロスポラ・クラッサ（Ｎｅｕｒｏｓｐｏｒａ  ｃｒａｓｓａ）、ペニシリウム・プルプロゲヌム（Ｐｅｎｉｃｉｌｌｉｕｍ  ｐｕｒｐｕｒｏｇｅｎｕｍ）、ファネロケーテ・クリソスポリウム（Ｐｈａｎｅｒｏｃｈａｅｔｅ  ｃｈｒｙｓｏｓｐｏｒｉｕｍ）、フレビア・ラジアタ（Ｐｈｌｅｂｉａ  ｒａｄｉａｔａ）、プレウロツス・エリンギイ（Ｐｌｅｕｒｏｔｕｓ  ｅｒｙｎｇｉｉ）、チエラビア・テルレストリス（Ｔｈｉｅｌａｖｉａ  ｔｅｒｒｅｓｔｒｉｓ）、トラメテス・ビロサ（Ｔｒａｍｅｔｅｓ  ｖｉｌｌｏｓａ）、トラメテス・ベルシコロル（Ｔｒａｍｅｔｅｓ  ｖｅｒｓｉｃｏｌｏｒ）、トリコデルマ・ハルジアヌム（Ｔｒｉｃｈｏｄｅｒｍａ  ｈａｒｚｉａｎｕｍ）、トリコデルマ・コニンギイ（Ｔｒｉｃｈｏｄｅｒｍａ  ｋｏｎｉｎｇｉｉ）、トリコデルマ・ロンギブラキアツム（Ｔｒｉｃｈｏｄｅｒｍａ  ｌｏｎｇｉｂｒａｃｈｉａｔｕｍ）、トリコデルマ・レエセイ（Ｔｒｉｃｈｏｄｅｒｍａ  ｒｅｅｓｅｉ）またはトリコデルマ・ビリデ（Ｔｒｉｃｈｏｄｅｒｍａ  ｖｉｒｉｄｅ）細胞であり得る。
【０２３７】
真菌細胞は、それ自体公知の様式でのプロトプラスト形成、プロトプラストの形質転換、および、細胞壁の再生を含むプロセスにより形質転換され得る。アスペルギルス属（Ａｓｐｅｒｇｉｌｌｕｓ）およびトリコデルマ属（Ｔｒｉｃｈｏｄｅｒｍａ）宿主細胞の形質転換に好適な手法は、欧州特許第２３８０２３号明細書、Ｙｅｌｔｏｎ  ｅｔ  ａｌ．，１９８４，Ｐｒｏｃ．Ｎａｔｌ．Ａｃａｄ．Ｓｃｉ．ＵＳＡ  ８１：１４７０−１４７４、ならびにＣｈｒｉｓｔｅｎｓｅｎ  ｅｔ  ａｌ．，１９８８，Ｂｉｏ／Ｔｅｃｈｎｏｌｏｇｙ  ６：１４１９−１４２２に記載されている。フザリウム属（Ｆｕｓａｒｉｕｍ）種の形質転換に好適な方法は、Ｍａｌａｒｄｉｅｒ  ｅｔ  ａｌ．，１９８９，Ｇｅｎｅ  ７８：１４７−１５６および国際公開第９６／００７８７号パンフレットに記載されている。イースト菌は、Ｂｅｃｋｅｒ  ａｎｄ  Ｇｕａｒｅｎｔｅ，Ｉｎ  Ａｂｅｌｓｏｎ，Ｊ．Ｎ．ａｎｄ  Ｓｉｍｏｎ，Ｍ．Ｉ．，ｅｄｉｔｏｒｓ，Ｇｕｉｄｅ  ｔｏ  Ｙｅａｓｔ  Ｇｅｎｅｔｉｃｓ  ａｎｄ  Ｍｏｌｅｃｕｌａｒ  Ｂｉｏｌｏｇｙ，Ｍｅｔｈｏｄｓ  ｉｎ  Ｅｎｚｙｍｏｌｏｇｙ，Ｖｏｌｕｍｅ  １９４，ｐｐ  １８２−１８７，Ａｃａｄｅｍｉｃ  Ｐｒｅｓｓ，Ｉｎｃ．，Ｎｅｗ  Ｙｏｒｋ；Ｉｔｏ  ｅｔ  ａｌ．，１９８３，Ｊ．Ｂａｃｔｅｒｉｏｌ．１５３：１６３；および、Ｈｉｎｎｅｎ  ｅｔ  ａｌ．，１９７８，Ｐｒｏｃ．Ｎａｔｌ．Ａｃａｄ．Ｓｃｉ．ＵＳＡ  ７５：１９２０に記載の手法を用いて形質転換され得る。
【０２３８】
生成方法
本発明はまた：（ａ）ポリペプチドの生成を実施可能な条件下で、野生型形態でポリペプチドを生成する細胞を培養するステップ；および、任意選択で（ｂ）ポリペプチドを回収するステップを含む本発明のポリペプチドを生成する方法に関する一態様において、細胞は、アスペルギルス（Ａｓｐｅｒｇｉｌｌｕｓ）属細胞である。他の態様において、細胞は、アスペルギルス・オリゼー（Ａｓｐｅｒｇｉｌｌｕｓ  ｏｒｙｚａｅ）細胞である。
【０２３９】
本発明はまた：（ａ）ポリペプチドの生成を実施可能な条件下で本発明の組換え宿主細胞を培養するステップ；および、任意選択で（ｂ）ポリペプチドを回収するステップを含む本発明のポリペプチドを生成する方法に関する。
【０２４０】
宿主細胞は、技術分野において既知である方法を用いてポリペプチドの生成に好適な栄養培地中で培養される。例えば、細胞は、好適な培地中ならびにポリペプチドの発現および／または単離が許容される条件下で、振盪フラスコ培養により、および、実験用もしくは産業用発酵槽における小規模もしくは大規模発酵（連続式、バッチ式、フェドバッチ式または固体状発酵を含む）により培養され得る。培養は、炭素および窒素源および無機塩を含む好適な栄養培地において、技術分野において公知である手法を用いて行われる。好適な媒体は、商業的な供給者から入手可能であるか、または、公開された組成に従って調製され得る（例えば、Ａｍｅｒｉｃａｎ  Ｔｙｐｅ  Ｃｕｌｔｕｒｅ  Ｃｏｌｌｅｃｔｉｏｎのカタログ）。ポリペプチドが栄養培地に分泌される場合、ポリペプチドは培地から直接回収可能である。ポリペプチドが分泌されない場合、細胞ライセートから回収可能である。
【０２４１】
ポリペプチドは、ポリペプチドに特異的な技術分野において公知である方法を用いて検出され得る。これらの検出方法として、限定するものではないが、特定の抗体の使用、酵素産物の形成、または、酵素基質の消失などが挙げられる。例えば、酵素アッセイを用いてポリペプチドの活性を判定してもよい。
【０２４２】
ポリペプチドは技術分野において公知である方法を用いて回収され得る。例えば、ポリペプチドは、特にこれらに限定されないが、収集、遠心分離、ろ過、抽出、噴霧乾燥、蒸発または沈殿を含む従来の手法により栄養培地から回収され得る。一態様において、ポリペプチドを含む発酵ブロスが回収される。
【０２４３】
ポリペプチドは、実質的に純粋なポリペプチドを得るために、特にこれらに限定されないが、クロマトグラフィ（例えば、イオン交換、親和性、疎水性、クロマトフォーカシングおよびサイズ排除）、電気泳動的手法（例えば、分取等電点電気泳動）、較差溶解度（例えば、硫酸アンモニウム沈殿）、ＳＤＳ−ＰＡＧＥ、または、抽出（例えば、Ｐｒｏｔｅｉｎ  Ｐｕｒｉｆｉｃａｔｉｏｎ，ＪａｎｓｏｎおよびＲｙｄｅｎ編，ＶＣＨ  Ｐｕｂｌｉｓｈｅｒｓ，Ｎｅｗ  Ｙｏｒｋ，１９８９を参照のこと）を含む技術分野において公知である多様な手法によって精製され得る。
【０２４４】
代替的な態様においては、ポリペプチドは回収されず、ポリペプチドを発現する本発明の宿主細胞がポリペプチドのソースとして用いられ得る。
【０２４５】
一実施形態では、本発明は、さらに、対象の第２ポリペプチド；好ましくは対象の酵素；より好ましくは対象の分泌酵素；さらに好ましくはヒドロラーゼ、イソメラーゼ、リガーゼ、リアーゼ、オキシドレダクターゼ、またはトランスフェラーゼをコードするポリヌクレオチドをさらに含む組換え宿主細胞を培養することによってポリペプチドを生成するステップを含み；分泌酵素は、α−ガラクトシダーゼ、α−グルコシダーゼ、アミノペプチダーゼ、アミラーゼ、アスパラギナーゼ、β−ガラクトシダーゼ、β−グルコシダーゼ、β−キシロシダーゼ、カルボヒドラーゼ、カルボキシペプチダーゼ、カタラーゼ、セロビオヒドロラーゼ、セルラーゼ、キチナーゼ、クチナーゼ、シクロデキストリングリコシルトランスフェラーゼ、デオキシリボヌクレアーゼ、エンドグルカナーゼ、エステラーゼ、緑色蛍光タンパク質、グルカノ−トランスフェラーゼ、グルコアミラーゼ、インベルターゼ、ラッカーゼ、リパーゼ、マンノシダーゼ、ムタナーゼ、オキシダーゼ、ペクチン分解酵素、ペルオキシダーゼ、フィターゼ、ポリフェノールオキシダーゼ、タンパク質分解酵素、リボヌクレアーゼ、トランスグルタミナーゼ、またはキシラナーゼであるのが、最も好ましい。
【０２４６】
一実施形態では、対象の第２ポリペプチドは、宿主細胞に対して異種または相同性である。
【０２４７】
一実施形態では、組換え宿主細胞は、真菌宿主細胞；好ましくは、糸状真菌宿主細胞；より好ましくは、アクレモニウム属（Ａｃｒｅｍｏｎｉｕｍ）、アスペルギルス属（Ａｓｐｅｒｇｉｌｌｕｓ）、アウレオバシジウム属（Ａｕｒｅｏｂａｓｉｄｉｕｍ）、ブエルカンデラ属（Ｂｊｅｒｋａｎｄｅｒａ）、セリポリオプシス属（Ｃｅｒｉｐｏｒｉｏｐｓｉｓ）、クリソスポリウム属（Ｃｈｒｙｓｏｓｐｏｒｉｕｍ）、コプリヌス属（Ｃｏｐｒｉｎｕｓ）、コリオルス属（Ｃｏｒｉｏｌｕｓ）、クリプトコッカス属（Ｃｒｙｐｔｏｃｏｃｃｕｓ）、フィリバシジウム属（Ｆｉｌｉｂａｓｉｄｉｕｍ）、フザリウム属（Ｆｕｓａｒｉｕｍ）、フミコラ属（Ｈｕｍｉｃｏｌａ）、マグナポルテ属（Ｍａｇｎａｐｏｒｔｈｅ）、ムコール属（Ｍｕｃｏｒ）、ミセリオフトラ属（Ｍｙｃｅｌｉｏｐｈｔｈｏｒａ）、ネオカリマスチクス属（Ｎｅｏｃａｌｌｉｍａｓｔｉｘ）、ニューロスポラ属（Ｎｅｕｒｏｓｐｏｒａ）、パエシロマイセス属（Ｐａｅｃｉｌｏｍｙｃｅｓ）、ペニシリウム属（Ｐｅｎｉｃｉｌｌｉｕｍ）、ファネロケーテ属（Ｐｈａｎｅｒｏｃｈａｅｔｅ）、フレビア属（Ｐｈｌｅｂｉａ）、ピロマイセス属（Ｐｉｒｏｍｙｃｅｓ）、プレウロツス属（Ｐｌｅｕｒｏｔｕｓ）、シゾフィルム属（Ｓｃｈｉｚｏｐｈｙｌｌｕｍ）、タラロマイセス属（Ｔａｌａｒｏｍｙｃｅｓ）、テルモアスクス属（Ｔｈｅｒｍｏａｓｃｕｓ）、チエラビア属（Ｔｈｉｅｌａｖｉａ）、トリポクラジウム属（Ｔｏｌｙｐｏｃｌａｄｉｕｍ）、トラメテス属（Ｔｒａｍｅｔｅｓ）、またはトリコデルマ属（Ｔｒｉｃｈｏｄｅｒｍａ）細胞；最も好ましくは、アスペルギルス・アワモリ（Ａｓｐｅｒｇｉｌｌｕｓ  ａｗａｍｏｒｉ）、アスペルギルス・フォエティダス（Ａｓｐｅｒｇｉｌｌｕｓ  ｆｏｅｔｉｄｕｓ）、アスペルギルス・フミガーツス（Ａｓｐｅｒｇｉｌｌｕｓ  ｆｕｍｉｇａｔｕｓ）、アスペルギルス・ジャポニクス（Ａｓｐｅｒｇｉｌｌｕｓ  ｊａｐｏｎｉｃｕｓ）、アスペルギルス・ニズランス（Ａｓｐｅｒｇｉｌｌｕｓ  ｎｉｄｕｌａｎｓ）、アスペルギルス・ニガー（Ａｓｐｅｒｇｉｌｌｕｓ  ｎｉｇｅｒ）、アスペルギルス・オリゼー（Ａｓｐｅｒｇｉｌｌｕｓ  ｏｒｙｚａｅ）、ヤケイロタケ（Ｂｊｅｒｋａｎｄｅｒａ  ａｄｕｓｔａ）、セリポリオプシス・アネイリナ（Ｃｅｒｉｐｏｒｉｏｐｓｉｓ  ａｎｅｉｒｉｎａ）、セリポリオプシス・カレギエア（Ｃｅｒｉｐｏｒｉｏｐｓｉｓ  ｃａｒｅｇｉｅａ）、セリポリオプシス・ギルベスセンス（Ｃｅｒｉｐｏｒｉｏｐｓｉｓ  ｇｉｌｖｅｓｃｅｎｓ）、セリポリオプシス・パンノシンタ（Ｃｅｒｉｐｏｒｉｏｐｓｉｓ  ｐａｎｎｏｃｉｎｔａ）、セリポリオプシス・リブロサ（Ｃｅｒｉｐｏｒｉｏｐｓｉｓ  ｒｉｖｕｌｏｓａ）、セリポリオプシス・スブルファ（Ｃｅｒｉｐｏｒｉｏｐｓｉｓ  ｓｕｂｒｕｆａ）、セリポリオプシス・スブベルミスポラ（Ｃｅｒｉｐｏｒｉｏｐｓｉｓ  ｓｕｂｖｅｒｍｉｓｐｏｒａ）、クリソスポリウム・イノプス（Ｃｈｒｙｓｏｓｐｏｒｉｕｍ  ｉｎｏｐｓ）、クリソスポリウム・ケラチノフィルム（Ｃｈｒｙｓｏｓｐｏｒｉｕｍ  ｋｅｒａｔｉｎｏｐｈｉｌｕｍ）、クリソスポリウム・ルクノウェンス（Ｃｈｒｙｓｏｓｐｏｒｉｕｍ  ｌｕｃｋｎｏｗｅｎｓｅ）、クリソスポリウム・メルダリウム（Ｃｈｒｙｓｏｓｐｏｒｉｕｍ  ｍｅｒｄａｒｉｕｍ）、クリソスポリウム・パンニコラ（Ｃｈｒｙｓｏｓｐｏｒｉｕｍ  ｐａｎｎｉｃｏｌａ）、クリソスポリウム・クイーンスランジクム（Ｃｈｒｙｓｏｓｐｏｒｉｕｍ  ｑｕｅｅｎｓｌａｎｄｉｃｕｍ）、クリソスポリウム・トロピクム（Ｃｈｒｙｓｏｓｐｏｒｉｕｍ  ｔｒｏｐｉｃｕｍ）、クリソスポリウム・ゾナツム（Ｃｈｒｙｓｏｓｐｏｒｉｕｍ  ｚｏｎａｔｕｍ）、コプリヌス・シネレウス（Ｃｏｐｒｉｎｕｓ  ｃｉｎｅｒｅｕｓ）、コリオルス・ヒルスツス（Ｃｏｒｉｏｌｕｓ  ｈｉｒｓｕｔｕｓ）、フザリウム・バクテリジオイデス（Ｆｕｓａｒｉｕｍ  ｂａｃｔｒｉｄｉｏｉｄｅｓ）、フザリウム・セレアリス（Ｆｕｓａｒｉｕｍ  ｃｅｒｅａｌｉｓ）、フザリウム・クロークウェレンス（Ｆｕｓａｒｉｕｍ  ｃｒｏｏｋｗｅｌｌｅｎｓｅ）、フザリウム・クルモルム（Ｆｕｓａｒｉｕｍ  ｃｕｌｍｏｒｕｍ）、フザリウム・グラミネアルム（Ｆｕｓａｒｉｕｍ  ｇｒａｍｉｎｅａｒｕｍ）、フザリウム・グラミヌム（Ｆｕｓａｒｉｕｍ  ｇｒａｍｉｎｕｍ）、フザリウム・ヘテロスポルム（Ｆｕｓａｒｉｕｍ  ｈｅｔｅｒｏｓｐｏｒｕｍ）、フザリウム・ネグンディ（Ｆｕｓａｒｉｕｍ  ｎｅｇｕｎｄｉ）、フザリウム・オキシスポルム（Ｆｕｓａｒｉｕｍ  ｏｘｙｓｐｏｒｕｍ）、フザリウム・レチクラツム（Ｆｕｓａｒｉｕｍ  ｒｅｔｉｃｕｌａｔｕｍ）、フザリウム・ロゼウム（Ｆｕｓａｒｉｕｍ  ｒｏｓｅｕｍ）、フザリウム・サムブシヌム（Ｆｕｓａｒｉｕｍ  ｓａｍｂｕｃｉｎｕｍ）、フザリウム・サルコクロウム（Ｆｕｓａｒｉｕｍ  ｓａｒｃｏｃｈｒｏｕｍ）、フザリウム・スポロトリキオイデス（Ｆｕｓａｒｉｕｍ  ｓｐｏｒｏｔｒｉｃｈｉｏｉｄｅｓ）、フザリウム・スルフレウム（Ｆｕｓａｒｉｕｍ  ｓｕｌｐｈｕｒｅｕｍ）、フザリウム・トルロスム（Ｆｕｓａｒｉｕｍ  ｔｏｒｕｌｏｓｕｍ）、フザリウム・トリコテシオイデス（Ｆｕｓａｒｉｕｍ  ｔｒｉｃｈｏｔｈｅｃｉｏｉｄｅｓ）、フザリウム・ベネナツム（Ｆｕｓａｒｉｕｍ  ｖｅｎｅｎａｔｕｍ）、フミコラ・インソレンス（Ｈｕｍｉｃｏｌａ  ｉｎｓｏｌｅｎｓ）、フミコラ・ラヌギノサ（Ｈｕｍｉｃｏｌａ  ｌａｎｕｇｉｎｏｓａ）、ムコール・ミエヘイ（Ｍｕｃｏｒ  ｍｉｅｈｅｉ）、ミセリオフトラ・テルモフィラ（Ｍｙｃｅｌｉｏｐｈｔｈｏｒａ  ｔｈｅｒｍｏｐｈｉｌａ）、ニューロスポラ・クラッサ（Ｎｅｕｒｏｓｐｏｒａ  ｃｒａｓｓａ）、ペニシリウム・プルプロゲヌム（Ｐｅｎｉｃｉｌｌｉｕｍ  ｐｕｒｐｕｒｏｇｅｎｕｍ）、ファネロケーテ・クリソスポリウム（Ｐｈａｎｅｒｏｃｈａｅｔｅ  ｃｈｒｙｓｏｓｐｏｒｉｕｍ）、フレビア・ラジアタ（Ｐｈｌｅｂｉａ  ｒａｄｉａｔａ）、プレウロツス・エリンギイ（Ｐｌｅｕｒｏｔｕｓ  ｅｒｙｎｇｉｉ）、チエラビア・テルレストリス（Ｔｈｉｅｌａｖｉａ  ｔｅｒｒｅｓｔｒｉｓ）、トラメテス・ビロサ（Ｔｒａｍｅｔｅｓ  ｖｉｌｌｏｓａ）、トラメテス・ベルシコロル（Ｔｒａｍｅｔｅｓ  ｖｅｒｓｉｃｏｌｏｒ）、トリコデルマ・ハルジアヌム（Ｔｒｉｃｈｏｄｅｒｍａ  ｈａｒｚｉａｎｕｍ）、トリコデルマ・コニンギイ（Ｔｒｉｃｈｏｄｅｒｍａ  ｋｏｎｉｎｇｉｉ）、トリコデルマ・ロンギブラキアツム（Ｔｒｉｃｈｏｄｅｒｍａ  ｌｏｎｇｉｂｒａｃｈｉａｔｕｍ）、トリコデルマ・レエセイ（Ｔｒｉｃｈｏｄｅｒｍａ  ｒｅｅｓｅｉ）、またはトリコデルマ・ビリデ（Ｔｒｉｃｈｏｄｅｒｍａ  ｖｉｒｉｄｅ）細胞である。
【０２４８】
一実施形態では、組換え宿主細胞は、細菌宿主細胞；好ましくは、原核宿主細胞；より好ましくは、グラム陽性宿主細胞；さらに好ましくは、バチルス属（Ｂａｃｉｌｌｕｓ）、クロストリジウム属（Ｃｌｏｓｔｒｉｄｉｕｍ）、エンテロコッカス属（Ｅｎｔｅｒｏｃｏｃｃｕｓ）、ゲオバチルス属（Ｇｅｏｂａｃｉｌｌｕｓ）、ラクトバチルス属（Ｌａｃｔｏｂａｃｉｌｌｕｓ）、ラクトコッカス属（Ｌａｃｔｏｃｏｃｃｕｓ）、オセアノバチルス属（Ｏｃｅａｎｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）、またはストレプトマイセス属（Ｓｔｒｅｐｔｏｍｙｃｅｓ）宿主細胞；ならびに最も好ましくは、バチルス・アルカロフィルス（Ｂａｃｉｌｌｕｓ  ａｌｋａｌｏｐｈｉｌｕｓ）、バチルス・アミロリケファシエンス（Ｂａｃｉｌｌｕｓ  ａｍｙｌｏｌｉｑｕｅｆａｃｉｅｎｓ）、バチルス・ブレビス（Ｂａｃｉｌｌｕｓ  ｂｒｅｖｉｓ）、バチルス・シルクランス（Ｂａｃｉｌｌｕｓ  ｃｉｒｃｕｌａｎｓ）、バチルス・クラウシイ（Ｂａｃｉｌｌｕｓ  ｃｌａｕｓｉｉ）、バチルス・コアグランス（Ｂａｃｉｌｌｕｓ  ｃｏａｇｕｌａｎｓ）、バチルス・フィルムス（Ｂａｃｉｌｌｕｓ  ｆｉｒｍｕｓ）、バチルス・ラウツス（Ｂａｃｉｌｌｕｓ  ｌａｕｔｕｓ）、バチルス・レンツス（Ｂａｃｉｌｌｕｓ  ｌｅｎｔｕｓ）、バチルス・リケニホルミス（Ｂａｃｉｌｌｕｓ  ｌｉｃｈｅｎｉｆｏｒｍｉｓ）、バチルス・メガテリウム（Ｂａｃｉｌｌｕｓ  ｍｅｇａｔｅｒｉｕｍ）、バチルス・プミルス（Ｂａｃｉｌｌｕｓ  ｐｕｍｉｌｕｓ）、バチルス・ステアロテルモフィルス（Ｂａｃｉｌｌｕｓ  ｓｔｅａｒｏｔｈｅｒｍｏｐｈｉｌｕｓ）、枯草菌（Ｂａｃｉｌｌｕｓ  ｓｕｂｔｉｌｉｓ）、およびバチルス・チューリンゲンシス（Ｂａｃｉｌｌｕｓ  ｔｈｕｒｉｎｇｉｅｎｓｉｓ）宿主細胞である。
【０２４９】
一実施形態では、対象の第２ポリペプチドを生成する方法は、対象の第２ポリペプチドの産生を促す条件下で、宿主細胞を培養するステップを含む。
【０２５０】
一実施形態では、本方法は、対象の第２ポリペプチドを回収するステップをさらに含む。
【０２５１】
発酵ブロス配合物または細胞組成物
本発明はまた、本発明のポリヌクレオチドを含む、発酵ブロス配合物または細胞組成物にも関する。発酵ブロス配合物はさらに、発酵工程で使用される追加の成分、例えば、細胞（対象のポリペプチドを生成するのに用いられる、本発明のポリペプチドをコードする遺伝子を含有する宿主細胞）、細胞残屑、バイオマス、発酵培地および／または発酵産物も含む。一部の実施形態では、組成物は、有機酸、死滅細胞および／または細胞残屑、ならびに培地を含有する細胞死滅全ブロスである。
【０２５２】
本明細書で使用される場合、「発酵ブロス」という用語は、回収および／もしくは精製を全く経ないか、または最低限しか経ていない、細胞発酵により生成された調製物を指す。例えば、発酵ブロスは、微生物培養物を飽和まで増殖させ、タンパク質合成（例えば、宿主細胞による酵素の発現）および細胞培地中への分泌を可能にする炭素制限条件下でインキュベートするときに生成される。発酵ブロスは、発酵終了時に得られる発酵材料の非分画または分画内容物を含有し得る。典型的には、発酵ブロスは、非分画であり、例えば、遠心分離によって微生物細胞（例えば、糸状真菌細胞）を除去した後に存在する使用済み培地および細胞残屑を含む。一部の実施形態では、発酵ブロスは、使用済み細胞培地、細胞外酵素、ならびに生存可能および／または生存不能微生物細胞を含有する。
【０２５３】
一実施形態では、発酵ブロス形成および細胞組成物は、少なくとも１つの炭素数１〜５の有機酸および／またはその塩を含む第１有機酸成分と、少なくとも１つの炭素数６以上の有機酸および／またはその塩を含む第２有機酸成分とを含む。具体的な実施形態では、第１有機酸成分は、酢酸、ギ酸、プロピオン酸、その塩、またはこれらの２種以上の混合物であり、第２有機酸成分は、安息香酸、シクロヘキサンカルボン酸、４−メチル吉草酸、フェニル酢酸、その塩、またはこれらの２種以上の混合物を含む。
【０２５４】
一態様では、組成物は、有機酸を含み、さらに任意選択で、死滅細胞および／または細胞残屑も含有する。一実施形態では、死滅細胞および／または細胞残屑を細胞死滅全ブロスから除去することにより、これらの成分を含まない組成物を取得する。
【０２５５】
発酵ブロス配合物または細胞組成物は、防腐剤および／または抗菌（例えば、静菌）剤を含有してもよく、こうしたものとして、限定するものではないが、ソルビトール、塩化ナトリウム、ソルビン酸カリウム、ならびに当業者には周知の他のものが挙げられる。
【０２５６】
細胞死滅全ブロスまたは組成物は、発酵終了時に得られる発酵材料の非分画内容物を含有し得る。典型的には、細胞死滅全ブロスまたは組成物は、微生物培養物（例えば、糸状真菌細胞）を飽和まで増殖させ、タンパク質合成を可能にする炭素制限条件下でインキュベートした後存在する使用済み培地および細胞残屑を含む。一部の実施形態では、細胞死滅全ブロスまたは組成物は、使用済み細胞培地、細胞外酵素、ならびに死滅糸状真菌細胞を含有する。一部の実施形態では、細胞死滅全ブロスまたは組成物に存在する微生物細胞は、当分野で公知の方法を用いて、透過処理および／または溶解させることができる。
【０２５７】
本明細書に記載する全ブロスまたは組成物は、典型的に、液体であるが、不溶性成分、例えば、死滅細胞、細胞残屑、培地成分、および／または不溶性酵素を含有し得る。一部の実施形態では、不溶性成分を除去することにより、清澄にした液体組成物を取得してもよい。
【０２５８】
本発明の全ブロス配合物および細胞組成物は、国際公開第９０／１５８６１号パンフレットまたは国際公開第２０１０／０９６６７３号パンフレットに記載されている方法によって生成することができる。
【０２５９】
シグナルペプチド
本発明はまた、配列番号２のアミノ酸−３７〜−１６を含むか、またはこれらから構成されるシグナルペプチドをコードするポリヌクレオチドにも関する。本発明はさらに、配列番号２のアミノ酸−１５〜−１を含むか、またはこれらから構成されるプロペプチドをコードするポリヌクレオチドにも関する。さらに、本発明は、配列番号２のアミノ酸−３７〜−１を含むか、またはこれらから構成されるシグナルペプチドおよびプロペプチドをコードするポリヌクレオチドにも関する。
【０２６０】
ポリヌクレオチドはさらに、シグナルペプチドおよび／またはプロペプチドに作動可能にリンクされたタンパク質をコードする遺伝子も含み得る。タンパク質は、シグナルペプチドおよび／またはプロペプチドに対して外来であるのが好ましい。一態様では、シグナルペプチドをコードするポリヌクレオチドは、配列番号１のヌクレオチド１〜６６である。別の態様では、プロペプチドをコードするポリヌクレオチドは、配列番号１のヌクレオチド６７〜１１１である。別の態様では、シグナルペプチドおよびプロペプチドをコードするポリヌクレオチドは、配列番号１のヌクレオチド１〜１１１である。
【０２６１】
本発明はまた、このようなポリヌクレオチドを含む核酸構築物、発現ベクターおよび組換え宿主細胞にも関する。
【０２６２】
本発明はまた、タンパク質を生成する方法にも関し、この方法は、（ａ）このようなポリヌクレオチドを含む組換え宿主細胞を培養するステップ；および（ｂ）タンパク質を回収するステップを含む。
【０２６３】
タンパク質は、宿主細胞に対してナイーブまたは異種であってもよい。本明細書において「タンパク質」という用語は、特定の長さのコードされた産物を指すことを意図するわけではなく、従って、ペプチド、オリゴペプチド、およびポリペプチドを包含する。「タンパク質」という用語はまた、組み合わされて、コードされた産物を形成する２つ以上のポリペプチドも包含する。タンパク質はさらに、ハイブリッドポリペプチドおよび融合ポリペプチドも含む。
【０２６４】
タンパク質は、ホルモン、酵素、受容体もしくはその部分、抗体もしくはその部分、またはリポータであるのが好ましい。例えば、タンパク質は、ヒドロラーゼ、イソメラーゼ、リガーゼ、リアーゼ、オキシドレダクターゼ、またはトランスフェラーゼ、例えば、α−ガラクトシダーゼ、α−グルコシダーゼ、アミノペプチダーゼ、アミラーゼ、β−ガラクトシダーゼ、β−グルコシダーゼ、β−キシロシダーゼ、カルボヒドラーゼ、カルボキシペプチダーゼ、カタラーゼ、セロビオヒドロラーゼ、セルラーゼ、キチナーゼ、クチナーゼ、シクロデキストリングリコシルトランスフェラーゼ、デオキシリボヌクレアーゼ、エンドグルカナーゼ、エステラーゼ、グルコアミラーゼ、インベルターゼ、ラッカーゼ、リパーゼ、マンノシダーゼ、ムタナーゼ、オキシダーゼ、ペクチン分解酵素、ペルオキシダーゼ、フィターゼ、ポリフェノールオキシダーゼ、タンパク質分解酵素、リボヌクレアーゼ、トランスグルタミナーゼ、またはキシラナーゼであってよい。
【０２６５】
遺伝子は、原核生物、真核生物、またはその他の供給源から得ることができる。
【０２６６】
本発明の酵素−デオキシリボヌクレアーゼ（ＤＮａｓｅ）
ＤＮａｓｅ活性を有するポリペプチド、またはデオキシリボヌクレアーゼ（ＤＮａｓｅ）は、ＤＮＡ骨格におけるホスホジエステル結合の加水分解切断を触媒し、これによって、ＤＮＡを分解するいずれかの酵素である。Ｄｎａｓｅ活性を有するポリペプチドおよびＤｎａｓｅという２つの用語は、置き換え可能に用いられる。
【０２６７】
本発明によれば、ＤＮａｓｅは、真菌から取得可能であり；特に、アスペルギルス属（Ａｓｐｅｒｇｉｌｌｕｓ）から取得可能なＤＮａｓｅが好ましく；とりわけ、アスペルギルス・オリゼー（Ａｓｐｅｒｇｉｌｌｕｓ  ｏｒｙｚａｅ）から取得可能なＤＮａｓｅが好ましい。本発明の一実施形態では、デオキシリボヌクレアーゼ活性を有するポリペプチドは、アスペルギルス・オリゼー（Ａｓｐｅｒｇｉｌｌｕｓ  ｏｒｙｚａｅ）由来のＳ１ヌクレアーゼではない。
【０２６８】
本発明で用いるＤＮａｓｅは、配列番号２のアミノ酸１〜２０６として示される配列番号２の成熟型ポリペプチドを含み、これは、アスペルギルス・オリゼー（Ａｓｐｅｒｇｉｌｌｕｓ  ｏｒｙｚａｅ）から取得可能である。
【０２６９】
ＤＮａｓｅ活性を有するポリペプチドは、アスペルギルス属（Ａｓｐｅｒｇｉｌｌｕｓ）、例えば、アスペルギルス・オリゼー（Ａｓｐｅｒｇｉｌｌｕｓ  ｏｒｙｚａｅ）から得ることができる。本発明の一実施形態では、ＤＮａｓｅ活性を有するポリペプチドは、特許請求の範囲に記載するポリペプチドである。
【０２７０】
本発明の一態様は、配列番号２の成熟型ポリペプチドに対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮａｓｅ活性を有する、単離されたポリペプチドに関する。一態様では、ポリペプチドは、配列番号２の成熟型ポリペプチドと、１０以下、例えば、１、２、３、４、５、６、７、８、９、または１０アミノ酸だけ異なる。
【０２７１】
一実施形態では、本発明は、配列番号９の成熟型ポリペプチドに対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮＡｓｅ活性を有する、単離されたポリペプチドに関する。一態様では、本ポリペプチドは、配列番号９の成熟型ポリペプチドと、１０以下、例えば、１、２、３、４、５、６、７、８、９、または１０アミノ酸だけ異なる。
【０２７２】
一実施形態では、本発明は、配列番号８に対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有し、ＤＮＡｓｅ活性を有する、単離されたポリペプチドに関する。一態様では、本ポリペプチドは、配列番号８の成熟型ポリペプチドと、１０以下、例えば、１、２、３、４、５、６、７、８、９、または１０アミノ酸だけ異なる。
【０２７３】
本発明のポリペプチドは、配列番号２のアミノ酸配列もしくはその対立遺伝子変異体を含むか、これから構成されることが好ましく；または、ＤＮＡｓｅ活性を有するその断片である。別の態様では、ポリペプチドは、配列番号２の成熟型ポリペプチドを含むか、これから構成される。他の態様において、ポリペプチドは、配列番号２のアミノ酸１〜２０６を含むか、これから構成される。
【０２７４】
一実施形態において、ポリペプチドは、単離されている。本発明のポリペプチドは、配列番号９のアミノ酸配列もしくはその対立遺伝子変異体を含むか、これから構成されることが好ましく；または、ＤＮＡｓｅ活性を有するその断片である。別の態様では、ポリペプチドは、配列番号９の成熟型ポリペプチドを含むか、これから構成される。他の態様において、ポリペプチドは、配列番号９のアミノ酸１〜２０４を含むか、これから構成される。本発明の一態様は、配列番号８のアミノ酸配列からなるポリペプチドと、配列番号９のアミノ酸配列からなる本発明のポリペプチドを含むか、これらから本質的に構成される組成物に関する。
【０２７５】
別の実施形態において、本発明は、低度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体（Ｓａｍｂｒｏｏｋ，ｅｔ  ａｌ．，１９８９，Ｍｏｌｅｃｕｌａｒ  Ｃｌｏｎｉｎｇ，Ａ  Ｌａｂｏｒａｔｏｒｙ  Ｍａｎｕａｌ，２ｄ  ｅｄｉｔｉｏｎ，Ｃｏｌｄ  Ｓｐｒｉｎｇ  Ｈａｒｂｏｒ，Ｎｅｗ  Ｙｏｒｋ）にハイブリダイズするポリヌクレオチドによりコードされるＤＮａｓｅ活性を有する、単離されたポリペプチドに関する。一実施形態では、ポリペプチドは、単離されている。
【０２７６】
別の実施形態において、本発明は、低度−中度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０２７７】
別の実施形態において、本発明は、中度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０２７８】
別の実施形態において、本発明は、中度−高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０２７９】
別の実施形態において、本発明は、高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０２８０】
別の実施形態において、本発明は、極めて高度の緊縮条件下で、（ｉ）配列番号１の成熟型ポリペプチドコード配列、（ｉｉ）そのｃＤＮＡ配列、または（ｉｉｉ）（ｉ）もしくは（ｉｉ）の完全長相補体にハイブリダイズするポリヌクレオチドによりコードされるＤＮａｓｅ活性を有する、単離されたポリペプチドに関する。一実施形態では、ポリペプチドは、単離されている。
【０２８１】
配列番号１のポリヌクレオチドもしくはそのサブ配列、ならびに配列番号２のポリペプチドもしくはその断片、または配列番号９のポリペプチドもしくはその断片を用いて、当技術分野でよく知られている方法に従って、異なる属もしくは種の系統からＤＮａｓｅ活性を有するポリペプチドをコードするＤＮＡを同定およびクローン化するための核酸プローブを設計することができる。特に、このようなプローブは、標準的なサザンブロッティング法の後に、含まれる対応する遺伝子を同定および単離するために、対象の細胞のゲノムＤＮＡもしくはｃＤＮＡとのハイブリーダイゼーションに用いることできる。このようなプローブは配列全体よりもかなり短くてもよいが、長さが、例えば、少なくとも２５、少なくとも３５、または少なくとも７０ヌクレオチドと、少なくとも１５ヌクレオチドであるべきである。好ましくは、核酸プローブは、例えば、長さが少なくとも２００ヌクレオチド、少なくとも３００ヌクレオチド、少なくとも４００ヌクレオチド、少なくとも５００ヌクレオチド、少なくとも６００ヌクレオチド、少なくとも７００ヌクレオチド、少なくとも８００ヌクレオチド、または少なくとも９００ヌクレオチドと、長さが少なくとも１００ヌクレオチドである。ＤＮＡおよびＲＮＡプローブの両方を用いることができる。プローブは、典型的には、対応する遺伝子を検出するために標識化される（例えば、32Ｐ、3Ｈ、35Ｓ、ビオチン、またはアビジンで）。このようなプローブは本発明によって包含される。
【０２８２】
このような他の系統から調製したゲノムＤＮＡもしくはｃＤＮＡライブラリは、前述のプローブとハイブリダイズし、ＤＮａｓｅ活性を有するポリペプチドをコードするＤＮＡについてスクリーニングしてもよい。このような他の系統由来のゲノムまたは他のＤＮＡは、アガロースもしくはポリアクリルアミドゲル電気泳動、または、他の分離技術によって分離してもよい。これらのライブラリからのＤＮＡまたは分離されたＤＮＡは、ニトロセルロースもしくは他の好適なキャリア材料に移し、そこに固定化してもよい。配列番号１もしくはそのサブ配列とハイブリダイズするクローンもしくはＤＮＡを同定するために、キャリア材料をサザンブロッティングに用いる。
【０２８３】
本発明の目的に関して、ハイブリーダイゼーションとは、極めて低度の緊縮条件、低度の緊縮条件、低度−中度の緊縮条件、中度の緊縮条件、中度−高度の緊縮条件、高度の緊縮条件から極めて高度までの緊縮条件下で、（ｉ）配列番号１；（ｉｉ）配列番号１の成熟型ポリペプチドコード配列；（ｉｉｉ）そのｃＤＮＡ配列；（ｉｖ）その完全長相補体；または（ｖ）そのサブ配列に対応する標識核酸プローブに、ポリヌクレオチドがハイブリダイズすることを意味する。核酸プローブがこれらの条件下でハイブリダイズする分子は、例えば、Ｘ線フィルムまたは当分野では公知の他のいずれかの検出手段を用いて検出することができる。
【０２８４】
一実施形態では、本発明は、配列番号１の成熟型ポリペプチドコード配列またはそのｃＤＮＡ配列に対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有するポリヌクレオチドによってコードされるＤＮａｓｅ活性を有するポリペプチドに関する。別の態様では、ポリペプチドは、単離されている。
【０２８５】
別の実施形態では、本発明は、１つまたは複数（例えば、数個）の位置に置換、欠失および／または挿入を含む、配列番号２の成熟型ポリペプチドの変異体に関する。一実施形態では、配列番号２の成熟型ポリペプチドに導入されるアミノ酸置換、欠失および／または挿入の数は、１０以下、例えば、１、２、３、４、５、６、７、８、９、または１０である。アミノ酸変異は、副次的な性質のものであってもよく、すなわち、タンパク質の折り畳みおよび／もしくは活性に顕著に影響しない保存的アミノ酸置換もしくは挿入；典型的には１〜３０アミノ酸の小さな欠失；アミノ−末端メチオニン残基などの小さなアミノ−もしくはカルボキシル−末端伸長；２０〜２５個以下の残基の小さなリンカーペプチド；あるいは、正味電荷、またはポリヒスチジン配列、抗原性エピトープもしくは結合性ドメインなどの他の機能を変化させることによって精製を促進させる小さな伸長であってもよい。
【０２８６】
別の実施形態では、本発明は、１つまたは複数（例えば、数個）の位置に置換、欠失および／または挿入を含む、配列番号９の成熟型ポリペプチドの変異体に関する。一実施形態では、配列番号９の成熟型ポリペプチドに導入されるアミノ酸置換、欠失および／または挿入の数は、１０以下、例えば、１、２、３、４、５、６、７、８、９、または１０である。アミノ酸変異は、副次的な性質のものであってもよく、すなわち、タンパク質の折り畳みおよび／もしくは活性に顕著に影響しない保存的アミノ酸置換もしくは挿入；典型的には１〜３０アミノ酸の小さな欠失；アミノ−末端メチオニン残基などの小さなアミノ−もしくはカルボキシル−末端伸長；２０〜２５個以下の残基の小さなリンカーペプチド；あるいは、正味電荷、またはポリヒスチジン配列、抗原性エピトープもしくは結合性ドメインなどの他の機能を変化させることによって精製を促進させる小さな伸長であってもよい。
【０２８７】
ＤＮａｓｅ酵素は、配列番号２のアミノ酸−３７〜２０６として示されるアミノ酸配列またはＤＮａｓｅ活性を有するその断片、例えば、成熟型ポリペプチドを含むか、またはこれから構成され得る。あるいは、ＤＮａｓｅ酵素は、配列番号２のアミノ酸−３７〜２０６または配列番号２のアミノ酸１〜２０６の断片を含むか、またはこれから構成されてもよく、上記断片は、配列番号２のアミノおよび／またはカルボキシ末端から１つまたは複数のアミノ酸が欠失している。
【０２８８】
ＤＮａｓｅ酵素は、配列番号９のアミノ酸１〜２０４として示されるアミノ酸配列またはＤＮａｓｅ活性を有するその断片、例えば、成熟型ポリペプチドを含むか、またはこれから構成され得る。あるいは、ＤＮａｓｅ酵素は、配列番号９のアミノ酸１〜２０４または配列番号９のアミノ酸１〜２０４の断片を含むか、またはこれから構成されてもよく、上記断片は、配列番号９のアミノおよび／またはカルボキシ末端から１つまたは複数のアミノ酸が欠失している。
【０２８９】
本発明はまた、前述のポリペプチドに対して実質的に相同性であるＤＮａｓｅポリペプチド、およびその種相同体（パラログもしくはオルトログ）も提供する。本明細書において、「実質的に相同性である」という用語は、配列番号２のアミノ酸配列または配列番号９のアミノ酸配列、またはＤＮａｓｅ活性を有するその断片、またはそのオルトログもしくはパラログに対して、少なくとも８０％、好ましくは少なくとも８５％、より好ましくは少なくとも９０％、より好ましくは少なくとも９５％、さらに好ましくは少なくとも９７％、および最も好ましくは少なくとも９９％以上同一である、ポリペプチドを表すのに用いられる。
【０２９０】
別の実施形態において、配列番号２のＤＮａｓｅは、１つまたは複数の（例えば、数個）の位置に置換、欠失および／または挿入を含む。別の実施形態では、配列番号９のＤＮａｓｅは、１つまたは複数の（例えば、数個）の位置に置換、欠失および／または挿入を含む。一実施形態では、配列番号２の成熟型ポリペプチドまたは配列番号９の成熟型ポリペプチドに導入されるアミノ酸置換、欠失および／または挿入の数は、１０以下、例えば、１、２、３、４、５、６、７、８、または９である。アミノ酸変異は、副次的な性質のものであってもよく、すなわち、タンパク質の折り畳みおよび／もしくは活性に顕著に影響しない保存的アミノ酸置換もしくは挿入；典型的には１〜３０アミノ酸の小さな欠失；アミノ−末端メチオニン残基などの小さなアミノ−もしくはカルボキシル−末端伸長；２０〜２５個以下の残基の小さなリンカーペプチド；あるいは、正味電荷、またはポリヒスチジン配列、抗原性エピトープもしくは結合性ドメインなどの他の機能を変化させることによって精製を促進させる小さな伸長であってもよい。
【０２９１】
保存的置換の例は、塩基性アミノ酸（アルギニン、リシンおよびヒスチジン）、酸性アミノ酸（グルタミン酸およびアスパラギン酸）、極性アミノ酸（グルタミンおよびアスパラギン）、疎水性アミノ酸（ロイシン、イソロイシンおよびバリン）、芳香族アミノ酸（フェニルアラニン、トリプトファンおよびチロシン）、ならびに低分子アミノ酸（グリシン、アラニン、セリン、スレオニンおよびメチオニン）の群に含まれる。特異活性を概して改変しないアミノ酸置換は当技術分野において公知であり、例えば、Ｈ．Ｎｅｕｒａｔｈ  ａｎｄ  Ｒ．Ｌ．Ｈｉｌｌ，１９７９，Ｉｎ，Ｔｈｅ  Ｐｒｏｔｅｉｎｓ，Ａｃａｄｅｍｉｃ  Ｐｒｅｓｓ，Ｎｅｗ  Ｙｏｒｋに記載されている。一般的な置換は、Ａｌａ／Ｓｅｒ、Ｖａｌ／Ｉｌｅ、Ａｓｐ／Ｇｌｕ、Ｔｈｒ／Ｓｅｒ、Ａｌａ／Ｇｌｙ、Ａｌａ／Ｔｈｒ、Ｓｅｒ／Ａｓｎ、Ａｌａ／Ｖａｌ、Ｓｅｒ／Ｇｌｙ、Ｔｙｒ／Ｐｈｅ、Ａｌａ／Ｐｒｏ、Ｌｙｓ／Ａｒｇ、Ａｓｐ／Ａｓｎ、Ｌｅｕ／Ｉｌｅ、Ｌｅｕ／Ｖａｌ、Ａｌａ／ＧｌｕおよびＡｓｐ／Ｇｌｙである。
【０２９２】
あるいは、アミノ酸変異は、ポリペプチドの物理化学的特性が改変されるような性質のものである。例えば、アミノ酸変異によって、ポリペプチドの熱安定性の向上、基質特異性の改変、至適ｐＨの変化などをもたらし得る。
【０２９３】
ポリペプチドにおける必須アミノ酸は、部位特異的突然変異誘発またはアラニン走査突然変異誘発（Ｃｕｎｎｉｎｇｈａｍ  ａｎｄ  Ｗｅｌｌｓ，１９８９，Ｓｃｉｅｎｃｅ  ２４４：１０８１−１０８５）などの当技術分野において公知である手法に従って同定することができる。後者の技術では、単一のアラニン突然変異が分子中のすべての残基に導入され、得られたミュータント分子をＤＮａｓｅ活性についてテストすることにより、分子の活性に重要なアミノ酸残基を同定する。また、Ｈｉｌｔｏｎ  ｅｔ  ａｌ．，１９９６，Ｊ．Ｂｉｏｌ．Ｃｈｅｍ．２７１：４６９９−４７０８を参照のこと。酵素の活性部位または他の生物学的相互作用は、推定上の接触部位アミノ酸の突然変異と併用した、核磁気共嗚、結晶構造解析、電子回折または光親和性標識などの技術によって判定される、構造の物理的分析によって決定することもできる。例えば、ｄｅ  Ｖｏｓ  ｅｔ  ａｌ．，１９９２，Ｓｃｉｅｎｃｅ  ２５５：３０６−３１２；Ｓｍｉｔｈ  ｅｔ  ａｌ．，１９９２，Ｊ．Ｍｏｌ．Ｂｉｏｌ．２２４：８９９−９０４；Ｗｌｏｄａｖｅｒ  ｅｔ  ａｌ．，１９９２，ＦＥＢＳ  Ｌｅｔｔ．３０９：５９−６４を参照のこと。必須アミノ酸のアイデンティティーは、関連ポリペプチドとのアラインメントから推測することもできる。
【０２９４】
単一もしくは複数のアミノ酸置換、欠失、および／または挿入は、Ｒｅｉｄｈａａｒ−Ｏｌｓｏｎ  ａｎｄ  Ｓａｕｅｒ，１９８８，Ｓｃｉｅｎｃｅ  ２４１：５３−５７；Ｂｏｗｉｅ  ａｎｄ  Ｓａｕｅｒ，１９８９，Ｐｒｏｃ．Ｎａｔｌ．Ａｃａｄ．Ｓｃｉ．ＵＳＡ  ８６：２１５２−２１５６；国際公開第９５／１７４１３号パンフレット；または、国際公開第９５／２２６２５号パンフレットにより開示されているものなどの公知の突然変異誘発方法、組換え法、および／またはシャッフリング法、これに続く関連するスクリーニング法を用いて行い、テストすることができる。用いることができる他の方法としては、エラープローンＰＣＲ、ファージディスプレイ（例えば、Ｌｏｗｍａｎ  ｅｔ  ａｌ．，１９９１，Ｂｉｏｃｈｅｍｉｓｔｒｙ  ３０：１０８３２−１０８３７；米国特許第５，２２３，４０９号明細書；国際公開第９２／０６２０４号パンフレット）、および領域特異的突然変異誘発（Ｄｅｒｂｙｓｈｉｒｅ  ｅｔ  ａｌ．，１９８６，Ｇｅｎｅ  ４６：１４５；Ｎｅｒ  ｅｔ  ａｌ．，１９８８，ＤＮＡ  ７：１２７）が挙げられる。
【０２９５】
突然変異誘発／シャッフリング法は、宿主細胞によって発現されたクローン化突然変異誘発ポリペプチドの活性を検出するために、高スループット自動スクリーニング法と組み合わせることができる（Ｎｅｓｓ  ｅｔ  ａｌ．，１９９９，Ｎａｔｕｒｅ  Ｂｉｏｔｅｃｈｎｏｌｏｇｙ  １７：８９３−８９６）。活性ポリペプチドをコードする突然変異誘発ＤＮＡ分子は、宿主細胞から回収可能であり、技術分野における標準的な方法を用いて迅速に配列決定することが可能である。これらの方法によって、ポリペプチドにおける個別のアミノ酸残基の重要性を迅速に判定することが可能になる。
【０２９６】
ポリペプチドは、１つのポリペプチドの一領域が、別のポリペプチドの一領域のＮ−末端またはＣ−末端で融合したハイブリッドポリペプチドであってもよい。
【０２９７】
ポリペプチドは、別のポリペプチドが本発明のポリペプチドのＮ−末端またはＣ−末端で融合した融合ポリペプチドまたは切断可能な融合ポリペプチドであってもよい。融合ポリペプチドは、別のポリペプチドをコードするポリヌクレオチドを本発明のポリヌクレオチドに融合させることにより生成される。融合ポリペプチドを生成する技術は、当技術分野において公知であり、それらがフレーム中に収まり、且つ、融合ポリペプチドの発現が、同一のプロモータおよびターミネータの制御下にあるように、ポリペプチドをコードするコード配列を連結するステップを含む。融合ポリペプチドはまた、翻訳後に融合ポリペプチドが形成されるインテインテクノロジーを用いて構築してもよい（Ｃｏｏｐｅｒ  ｅｔ  ａｌ．，１９９３，ＥＭＢＯ  Ｊ．１２：２５７５−２５８３；Ｄａｗｓｏｎ  ｅｔ  ａｌ．，１９９４，Ｓｃｉｅｎｃｅ  ２６６：７７６−７７９）。
【０２９８】
融合ポリペプチドは、２つのポリペプチドの間に切断部位をさらに含むこともできる。融合タンパク質が分泌される際に、この部位が切断されて、２つのポリペプチドを遊離させる。切断部位の例としては、これらに限定されないが、以下：Ｍａｒｔｉｎ  ｅｔ  ａｌ．，２００３，Ｊ．Ｉｎｄ．Ｍｉｃｒｏｂｉｏｌ．Ｂｉｏｔｅｃｈｎｏｌ．３：５６８−５７６；Ｓｖｅｔｉｎａ  ｅｔ  ａｌ．，２０００，Ｊ．Ｂｉｏｔｅｃｈｎｏｌ．７６：２４５−２５１；Ｒａｓｍｕｓｓｅｎ−Ｗｉｌｓｏｎ  ｅｔ  ａｌ．，１９９７，Ａｐｐｌ．Ｅｎｖｉｒｏｎ．Ｍｉｃｒｏｂｉｏｌ．６３：３４８８−３４９３；Ｗａｒｄ  ｅｔ  ａｌ．，１９９５，Ｂｉｏｔｅｃｈｎｏｌｏｇｙ  １３：４９８−５０３；および、Ｃｏｎｔｒｅｒａｓ  ｅｔ  ａｌ．，１９９１，Ｂｉｏｔｅｃｈｎｏｌｏｇｙ  ９：３７８−３８１；Ｅａｔｏｎ  ｅｔ  ａｌ．，１９８６，Ｂｉｏｃｈｅｍｉｓｔｒｙ  ２５：５０５−５１２；Ｃｏｌｌｉｎｓ−Ｒａｃｉｅ  ｅｔ  ａｌ．，１９９５，Ｂｉｏｔｅｃｈｎｏｌｏｇｙ  １３：９８２−９８７；Ｃａｒｔｅｒ  ｅｔ  ａｌ．，１９８９，Ｐｒｏｔｅｉｎｓ：Ｓｔｒｕｃｔｕｒｅ，Ｆｕｎｃｔｉｏｎ，ａｎｄ  Ｇｅｎｅｔｉｃｓ  ６：２４０−２４８；ならびに、Ｓｔｅｖｅｎｓ，２００３，Ｄｒｕｇ  Ｄｉｓｃｏｖｅｒｙ  Ｗｏｒｌｄ  ４：３５−４８に開示されている部位が挙げられる。
【０２９９】
洗剤液中のＤＮａｓｅの濃度は、典型的には、０．００００４〜１００ｐｐｍ酵素タンパク質の範囲、例えば、 ０．００００８〜１００の範囲、０．０００１〜１００の範囲、０．０００２〜１００の範囲、０．０００４〜１００の範囲、０．０００８〜１００の範囲、０．００１〜１００ｐｐｍ酵素タンパク質の範囲、０．０１〜１００ｐｐｍ酵素タンパク質の範囲、好ましくは０．０５〜５０ｐｐｍ酵素タンパク質の範囲、より好ましくは０．１〜５０ｐｐｍ酵素タンパク質の範囲、より好ましくは０．１〜３０ｐｐｍ酵素タンパク質の範囲、より好ましくは０．５〜２０ｐｐｍ酵素タンパク質の範囲、最も好ましくは０．５〜１０ｐｐｍ酵素タンパク質の範囲である。
【０３００】
本発明のＤＮａｓｅは、少なくとも０．００２ｍｇのＤＮａｓｅタンパク質、例えば、少なくとも０．００４ｍｇのＤＮａｓｅタンパク質、少なくとも０．００６ｍｇのＤＮａｓｅタンパク質、少なくとも０．００８ｍｇのＤＮａｓｅタンパク質、少なくとも０．０１ｍｇのＤＮａｓｅタンパク質、少なくとも０．１ｍｇのタンパク質、好ましくは少なくとも１ｍｇのタンパク質、より好ましくは少なくとも１０ｍｇのタンパク質、さらに好ましくは少なくとも１５ｍｇのタンパク質、非常に好ましくは少なくとも２０ｍｇのタンパク質、最も好ましくは少なくとも２５ｍｇのタンパク質に対応する量で、洗剤組成物に添加してよい。従って、洗剤組成物は、少なくとも０．００００８％のＤＮａｓｅタンパク質、好ましくは少なくとも０．００２％、０．００３％、０．００４％、０．００５％、０．００６％、０．００８％、０．０１％、０．０２％、０．０３％、０．０５％、０．１％、０．２％、０．３％、０．４％、０．６％、０．７％、０．８％、０．９％または１．０％のＤＮａｓｅタンパク質を含み得る。
【０３０１】
本発明の洗剤組成物のＤＮａｓｅは、従来の安定剤、例えば、プロピレングリコールもしくはグリセロールなどのポリオール、糖もしくは糖アルコール、乳酸、ホウ酸、もしくはホウ酸誘導体、例えば、芳香族ホウ酸エステル、または４−ホルミルフェニルボロン酸などのフェニルボロン酸誘導体を用いて安定化させてもよく、組成物は、例えば、国際公開第９２／１９７０９号パンフレットおよび国際公開第９２／１９７０８号パンフレットに記載されているように製剤化してもよい。
【０３０２】
また、本発明のポリペプチドは、本明細書において参照により援用されている国際公開第７２／０７２０２号パンフレットに開示されている洗剤製剤に組み込むことも可能である。
【０３０３】
洗剤組成物
一実施形態において、本発明は、本発明の酵素を１種または複数種の追加のクリーニング組成成分と共に含む洗剤組成物に関する。一実施形態では、洗剤組成物は、配列番号９に記載のアミノ酸配列を含むポリペプチドを含む。別の実施形態では、洗剤は、配列番号８のアミノ酸配列から構成されるポリペプチドと、配列番号９のアミノ酸配列から構成される本発明のポリペプチドとを含む。一実施形態では、洗剤組成物は、固体形態である。別の実施形態では、洗剤組成物は、液体形態である。追加成分の選択は、当業者の技能の範囲内であり、以下に記載する非制限的な成分例などの従来の成分を含む。
【０３０４】
液体洗剤組成物
液体洗剤組成物は、本発明のマイクロカプセルを含むことができ、従って、液体および粉末洗剤、ならびにセッケンおよび洗剤バーなどのあらゆる形態の任意の洗剤組成物の一部を成し得る。
【０３０５】
一実施形態において、本発明は、１種または複数種の追加のクリーニング組成成分の組み合わせた、前述のマイクロカプセルを含む液体洗剤組成物に関する。
【０３０６】
前述のように、マイクロカプセルは、０．０００１％〜５％（ｗ／ｗ）の活性酵素タンパク質（ＡＥＰ）；好ましくは０．００１％〜５％、より好ましくは０．００５％〜５％、より好ましくは０．００５％〜４％、より好ましくは０．００５％〜３％、より好ましくは０．００５％〜２％、さらに好ましくは０．０１％〜２％、および最も好ましくは０．０１％〜１％（ｗ／ｗ）の活性酵素タンパク質に対応する量で液体洗剤組成物に添加することができる。
【０３０７】
液体洗剤組成物は、固体（または気体）ではない物理的形態を有する。これは、注加適性液体、ペースト、注加適性ゲルもしくは非注加適性ゲルであってもよい。これは、等方性または構造化のいずれであってもよく、等方性であるのが好ましい。これは、自動洗浄機での洗浄または手洗いに有用な製剤であってもよい。これはまた、シャンプー、歯磨きペースト、またはハンドソープなどのパーソナルケア製品であってもよい。
【０３０８】
液体洗剤組成物は、水性であってもよく、典型的には少なくとも２０重量％および９５％以下の水、例えば、７０％以下の水、５０％以下の水、４０％以下の水、３０％以下の水、または２０％以下の水を含有する。これらに限定されないが、アルカノール、アミン、ジオール、エーテルおよびポリオールなどの他のタイプの液体を水性液体洗剤に含有させてもよい。水性液体洗剤は、０〜３０％の有機溶媒を含有し得る。液体洗剤は、非水性であってもよく、その場合、含水率は、１０％未満、好ましくは５％未満である。
【０３０９】
洗剤成分は、水溶性ポーチ中のコンパートメントによって互いに物理的に隔離することができる。これによって、成分同士のマイナスの保存相互作用を回避することができる。また、コンパートメント各々の異なる溶解プロフィールによって、洗浄溶液中の選択した成分の溶解を遅延させることもできる。
【０３１０】
洗剤組成物は、単位用量製品の形態を採ってもよい。単位用量製品は、再使用不可能な容器への単回用量のパッケージングである。これは、洗濯用洗剤で使用されることが多くなっている。洗剤の単回用量製品は、１回の洗浄に使用する量の洗剤のパッケージング（例えば、水溶性フィルムから製造されたポーチ中の）である。
【０３１１】
ポーチは、例えば、水との接触前にポーチから組成物を漏出させずに、組成物を保持するのに適したいずれの形態、形状および材料であってもよい。ポーチは、内容積を収容する水溶性フィルムから製造される。この内容積は、ポーチの複数のコンパートメントに分割することができる。好ましいフィルムは、ポリマー材料であり、フィルムまたはシートに形成されるポリマーであるのが好ましい。好ましいポリマー、コポリマーまたはその誘導体は、ポリアクリレート、および水溶性アクリレートコポリマー、メチルセルロース、カルボキシメチルセルロース、ナトリウムデキストリン、エチルセルロース、ヒドロキシエチルセルロース、ヒドロキシプロピルメチルセルロース、マルトデキストリン、ポリメタクリレートから選択され、ポリビニルアルコールコポリマーおよびヒドロキシメチルセルロース（ＨＰＭＣ）であるのが最も好ましい。好ましくは、フィルム、例えば、ＰＶＡ中のポリマーのレベルは、少なくとも約６０％である。好ましい平均分子量は、典型的には、約２０，０００〜約１５０，０００であろう。フィルムはまた、ポリアクチドおよびポリビニルアルコールなどの加水分解性および水溶性ポリマーブレンド（Ｃｈｒｉｓ  Ｃｒａｆｔ  ｉｎ．Ｐｒｏｄ．Ｏｆ  Ｇａｒｙ，Ｉｎｄ．，ＵＳから販売されている商品参照番号Ｍ８６３０で知られる）ならびにグリセロール、エチレングリセロール、プロピレングリコール、ソルビトールおよびこれらの混合物などの可塑剤を含むブレンド組成物であってもよい。ポーチは、水溶性フィルムで隔てられた、固体洗濯クリーニング組成物もしくは一部の成分および／または液体クリーニング組成物または一部の成分を含有することができる。液体成分のコンパートメントは、固形物を含有するコンパートメントと組成が異なり得る（例えば、米国特許出願第２００９／００１１９７０号明細書を参照のこと）。
【０３１２】
洗剤成分の選択には、生地ケアの場合、クリーニングする生地の種類、汚れの種類および／または程度、クリーニングが実施される温度、ならびに洗剤製品の配合の考慮が含まれ得る。以下に述べる成分は、具体的な機能性に従い概略的見出しにより分類するが、当業者には理解されるように、１つの成分が別の機能性を含む場合もあるため、これを限定として解釈すべきではない。
【０３１３】
追加の成分の選択は、当業者の技能の範囲内であり、以下に記載する非限定的成分の例などの従来の成分を含む。
【０３１４】
界面活性剤
洗剤組成物は、アニオン性および／またはカチオン性および／またはノニオン性および／または半極性および／または両イオン性、またはこれらの混合物であり得る１種または複数種の界面活性剤を含んでもよい。特定の実施形態において、洗剤組成物は、１種または複数種のノニオン性界面活性剤および１種または複数種のアニオン性界面活性剤の混合物を含む。界面活性剤は、典型的には、約０．１重量％〜６０重量％、例えば、約１％〜約４０％、または約３％〜約２０％、または約３％〜約１０％などのレベルで存在する。界面活性剤は所望のクリーニング用途に基づいて選択され、当分野において公知であるいずれかの従来の界面活性剤を含み得る。
【０３１５】
含まれる場合、洗剤は、通常、約１重量％〜約４０重量％のアニオン性界面活性剤、例えば、約５％〜約１５％、または約１５％〜約２０％、または約２０％〜約２５％を含む、約５％〜約３０％のアニオン性界面活性剤を含有するであろう。アニオン性界面活性剤の非限定的な例としては、硫酸塩およびスルホン酸塩、特に、直鎖アルキルベンゼンスルホン酸塩（ＬＡＳ）、ＬＡＳの異性体、分岐アルキルベンゼンスルホン酸塩（ＢＡＢＳ）、フェニルアルカンスルホン酸塩、α−オレフィンスルホン酸塩（ＡＯＳ）、オレフィンスルホン酸塩、アルケンスルホン酸塩、アルカン−２，３−ジイルビス（硫酸塩）、ヒドロキシアルカンスルホン酸塩およびジスルホン酸塩、ドデシル硫酸ナトリウム（ＳＤＳ）などの硫酸アルキル（ＡＳ）、脂肪族アルコール硫酸塩（ＦＡＳ）、第１級アルコール硫酸塩（ＰＡＳ）、アルコールエーテル硫酸塩（アルコールエトキシ硫酸塩または脂肪族アルコールエーテル硫酸塩としても知られるＡＥＳまたはＡＥＯＳまたはＦＥＳ）、第２級アルカンスルホン酸塩（ＳＡＳ）、パラフィンスルホン酸塩（ＰＳ）、スルホン酸エステル、スルホン化脂肪酸グリセロールエステル、スルホン酸メチルエステル（ＭＥＳ）を含むα−スルホ脂肪酸メチルエステル（α−ＳＦＭｅまたはＳＥＳ）、アルキル−またはアルケニルコハク酸、ドデセニル／テトラデセニルコハク酸（ＤＴＳＡ）、アミノ酸の脂肪酸誘導体、スルホコハク酸または脂肪酸（セッケン）の塩のジエステルおよびモノエステル、ならびにこれらの組み合わせが挙げられる。
【０３１６】
含まれる場合、洗剤は、通常、約１重量％〜約４０重量％、例えば、約０．５％〜約３０％、特に約１％〜約２０％、約３％〜約１０％、例えば、約３％〜約５％、約８％〜約１２％、または約１０％〜約１２％などのカチオン性界面活性剤を含む。カチオン性界面活性剤の非限定的な例としては、アルキルジメチルエタノール第４級アミン（ＡＤＭＥＡＱ）、臭化セチルトリメチルアンモニウム（ＣＴＡＢ）、ジメチルジステアリルアンモニウム塩化物（ＤＳＤＭＡＣ）、およびアルキルベンジルジメチルアンモニウム、アルキル第４級アンモニウム化合物、アルコキシル化第４級アンモニウム（ＡＱＡ）化合物、エステルクアット（ｅｓｔｅｒ  ｑｕａｔｓ）、ならびにこれらの組合せが挙げられる。
【０３１７】
含まれる場合、洗剤は、通常、約０．２重量％〜約４０重量％、例えば約０．５％〜約３０％、特に約１％〜約２０％、約３％〜約１０％、例えば、約３％〜約５％、約８％〜約１２％、または約１０％〜約１２％などのノニオン性界面活性剤を含有するであろう。ノニオン性界面活性剤の非限定的な例としては、アルコールエトキシレート（ＡＥまたはＡＥＯ）、アルコールプロポキシレート、プロポキシル化脂肪族アルコール（ＰＦＡ）、エトキシル化および／またはプロポキシル化脂肪酸アルキルエステルなどのアルコキシル化脂肪酸アルキルエステル、アルキルフェノールエトキシレート（ＡＰＥ）、ノニルフェノールエトキシレート（ＮＰＥ）、アルキルポリグリコシド（ＡＰＧ）、アルコキシル化アミン、脂肪酸モノエタノールアミド（ＦＡＭ）、脂肪酸ジエタノールアミド（ＦＡＤＡ）、エトキシル化脂肪酸モノエタノールアミド（ＥＦＡＭ）、プロポキシル化脂肪酸モノエタノールアミド（ＰＦＡＭ）、ポリヒドロキシアルキル脂肪酸アミド、または、グルコサミンのＮ−アシルＮ−アルキル誘導体（グルカミド、ＧＡ、もしくは脂肪酸グルカミド、ＦＡＧＡ）、ならびに商品名ＳＰＡＮおよびＴＷＥＥＮで入手可能な生成物、ならびにこれらの組み合わせが挙げられる。
【０３１８】
含まれる場合、洗剤は、通常、約０重量％〜約４０重量％の半極性界面活性剤を含有するであろう。半極性界面活性剤の非限定的な例としては、アルキルジメチルアミンオキシド、Ｎ−（ココアルキル）−Ｎ，Ｎ−ジメチルアミンオキシドおよびＮ−（獣脂−アルキル）−Ｎ，Ｎ−ビス（２−ヒドロキシエチル）アミンオキシド、ならびにこれらの組み合わせなどのアミンオキシド（ＡＯ）が挙げられる。
【０３１９】
含まれる場合、洗剤は、通常、約０重量％〜約４０重量％の両性イオン性界面活性剤を含有するであろう。両性イオン性界面活性剤の非限定的な例としては、アルキルジメチルベタイン、スルホベタイン、およびこれらの組み合わせなどのベタインが挙げられる。
【０３２０】
ヒドロトロープ
ヒドロトロープは、疎水性化合物を水溶液（または、反対に、極性物質を非極性環境）中に可溶化させる化合物である。典型的には、ヒドロトロープは、親水特性および疎水特性の両方を有する（いわゆる、界面活性剤から公知である両親媒性特性）が；しかしながら、ヒドロトロープの分子構造は、一般に、自発的な自己凝集を好まず、例えば、Ｈｏｄｇｄｏｎ  ａｎｄ  Ｋａｌｅｒ（２００７），Ｃｕｒｒｅｎｔ  Ｏｐｉｎｉｏｎ  ｉｎ  Ｃｏｌｌｏｉｄ  ＆  Ｉｎｔｅｒｆａｃｅ  Ｓｃｉｅｎｃｅ  １２：１２１−１２８による概説を参照のこと。ヒドロトロープは、ミセル相、層状相または他の良好に画定されたメソ相を形成する界面活性剤および脂質について見出されるような、超えると自己凝集を生じる限界濃度を示さない。代わりに、多くのヒドロトロープは、凝集物の大きさが濃度の増加に伴って大型化する連続タイプの凝集プロセスを示す。しかしながら、多くのヒドロトロープは、水、脂、界面活性剤およびポリマーの混合物を含む、極性および非極性特性の物質を含有する系の相挙動、安定性およびコロイド特性を改変させる。ヒドロトロープは、伝統的に、製薬、パーソナルケア、食品から技術的用途にわたり産業で用いられている。洗剤組成物中においてヒドロトロープを使用することにより、相分離または高粘度などの望ましくない現象を誘起することなく、例えば、界面活性剤のより濃縮された配合物（水を排除することにより液体洗剤をコンパクトにするプロセスのとおり）が可能となる。
【０３２１】
洗剤は、０〜１０重量％、例えば約０．５〜約５％または約３％〜約５％などの０〜５重量％のヒドロトロープを含有し得る。洗剤において用いられる技術分野において公知であるいずれかのヒドロトロープが利用され得る。ヒドロトロープの非限定的な例としては、ベンゼンスルホン酸ナトリウム、ｐ−トルエンスルホン酸ナトリウム（ＳＴＳ）、キシレンスルホン酸ナトリウム（ＳＸＳ）、クメンスルホン酸ナトリウム（ＳＣＳ）、シメンスルホン酸ナトリウム、アミンオキシド、アルコールおよびポリグリコールエーテル、ヒドロキシナフタレンナトリウム、ヒドロキシナフタレンスルホン酸ナトリウム、エチルヘキシル硫酸ナトリウム、ならびに、これらの組み合わせが挙げられる。
【０３２２】
ビルダーおよびコビルダー
洗剤組成物は、約０〜６５重量％、例えば、約５％〜約５０％などの洗剤ビルダーもしくはコビルダー、またはこれらの混合物を含有してもよい。ビルダーおよび／またはコビルダーは、特に、ＣａおよびＭｇと共に水溶性錯体を形成するキレート化剤であってもよい。洗剤に用いられる、当分野で公知のいずれのビルダーおよび／またはコビルダーを使用してもよい。ビルダーの非限定的な例としては、ゼオライト、二リン酸塩（ピロリン酸塩）、三リン酸ナトリウム（ＳＴＰまたはＳＴＰＰ）などの三リン酸塩、炭酸ナトリウムなどの炭酸塩、メタケイ酸ナトリウムなどの可溶性ケイ酸塩、層状ケイ酸塩（例えば、Ｈｏｅｃｈｓｔ製ＳＫＳ−６）、２−アミノエタン−１−オール（ＭＥＡ）、ジエタノールアミン（ＤＥＡ、また、２，２’−イミノジエタノール−１−オールとしても知られる）、トリエタノールアミン（ＴＥＡ、また、２，２’，２’’−ニトリロトリエタノール−１−オールとしても知られる）などのエタノールアミン、および、（カルボキシメチル）イヌリン（ＣＭＩ）、ならびにこれらの組み合わせが挙げられる。
【０３２３】
洗剤組成物はまた、約０〜５０重量％、例えば、約５％〜約３０％などの洗剤コビルダーを含有してもよい。洗剤組成物は、コビルダーを単独で含んでも、または、例えばゼオライトビルダーといったビルダーと組み合わせて含んでもよい。コビルダーの非限定的な例としては、ポリ（アクリル酸）（ＰＡＡ）またはコポリ（アクリル酸／マレイン酸）（ＰＡＡ／ＰＭＡ）などのポリアクリレートのホモポリマーまたはそのコポリマーが挙げられる。さらに非限定的な例としては、クエン酸塩、アミノカルボン酸塩、アミノポリカルボン酸塩およびホスホン酸塩などのキレート剤、ならびにアルキル−またはアルケニルコハク酸が挙げられる。別の具体例としては、２，２’，２’’−ニトリロ三酢酸（ＮＴＡ）、エチレンジアミン四酢酸（ＥＤＴＡ）、ジエチレントリアミン五酢酸（ＤＴＰＡ）、イミノジコハク酸（ＩＤＳ）、エチレンジアミン−Ｎ，Ｎ’−ジコハク酸（ＥＤＤＳ）、メチルグリシン二酢酸（ＭＧＤＡ）、グルタミン酸−Ｎ，Ｎ−二酢酸（ＧＬＤＡ）、１−ヒドロキシエタン−１，１−ジホスホン酸（ＨＥＤＰ）、エチレンジアミンテトラ（メチレンホスホン酸）（ＥＤＴＭＰＡ）、ジエチレントリアミンペンタキス（メチレンホスホン酸）（ＤＴＭＰＡもしくはＤＴＰＭＰＡ）、Ｎ−（２−ヒドロキシエチル）イミノ二酢酸（ＥＤＧ）、アスパラギン酸−Ｎ−一酢酸（ＡＳＭＡ）、アスパラギン酸−Ｎ，Ｎ−二酢酸（ＡＳＤＡ）、アスパラギン酸−Ｎ−モノプロピオン酸（ＡＳＭＰ）、イミノジコハク酸（ＩＤＡ）、Ｎ−（２−スルホメチル）アスパラギン酸（ＳＭＡＳ）、Ｎ−（２−スルホエチル）アスパラギン酸（ＳＥＡＳ）、Ｎ−（２−スルホメチル）−グルタミン酸（ＳＭＧＬ）、Ｎ−（２−スルホエチル）−グルタミン酸（ＳＥＧＬ）、Ｎ−メチルイミノ二酢酸（ＭＩＤＡ）、α−アラニン−Ｎ，Ｎ−二酢酸（α−ＡＬＤＡ）、セリン−Ｎ，Ｎ−二酢酸（ＳＥＤＡ）、イソセリン−Ｎ，Ｎ−二酢酸（ＩＳＤＡ）、フェニルアラニン−Ｎ，Ｎ−二酢酸（ＰＨＤＡ）、アントラニル酸−Ｎ，Ｎ−二酢酸（ＡＮＤＡ）、スルファニル酸−Ｎ，Ｎ−二酢酸（ＳＬＤＡ）、タウリン−Ｎ，Ｎ−二酢酸（ＴＵＤＡ）およびスルホメチル−Ｎ，Ｎ−二酢酸（ＳＭＤＡ）、Ｎ−（２−ヒドロキシエチル）−エチレンジアミン−Ｎ，Ｎ’，Ｎ’’−三酢酸（ＨＥＤＴＡ）、ジエタノールグリシン（ＤＥＧ）、ジエチレントリアミンペンタ（メチレンホスホン酸）（ＤＴＰＭＰ）、アミノトリス（メチレンホスホン酸）（ＡＴＭＰ）、ならびにこれらの組み合わせおよびこれらの塩が挙げられる。さらなるビルダーおよび／またはコビルダーの例は、例えば、国際公開第０９／１０２８５４号パンフレット、米国特許第５９７７０５３号明細書に開示されている。
【０３２４】
漂白系
洗剤は、０〜３０重量％、例えば、約１％〜約２０％などの漂白系を含有してもよい。洗剤に用いられる、当分野で公知のいずれの漂白系を使用してもよい。好適な漂白系成分としては、漂白触媒、光漂白剤、漂白活性化剤、過炭酸ナトリウム、過ホウ酸ナトリウムおよび過酸化水素−尿素（１：１）などの過酸化水素の供給源、事前に形成した過酸、ならびにこれらの混合物が挙げられる。好適な事前に形成した過酸としては、これらに限定されないが、ペルオキシカルボン酸および塩、ジペルオキシジカルボン酸、ペルイミド酸（ｐｅｒｉｍｉｄｉｃ  ａｃｉｄ）および塩、過イミド酸および塩、ペルオキシ一硫酸および塩、例えば、Ｏｘｏｎｅ（登録商標）、ならびに、これらの混合物が挙げられる。漂白系の非限定的な例としては、ペルオキシド系漂白系が挙げられ、これは、例えば、過ホウ酸（通常は一水和物または四水和物）、過炭酸、過硫酸、過リン酸、過ケイ酸のナトリウム塩などのアルカリ金属塩を含む無機塩を、過酸−形成性漂白活性化剤と組み合わせて含み得る。本明細書において漂白活性化剤という用語は、過酸化水素と反応して、過加水分解（ｐｅｒｈｙｄｒｏｌｙｓｉｓ）により、過酸を形成する化合物を意味する。このようにして形成された過酸は、活性化された漂白剤を構成する。本明細書で用いる好適な漂白活性化剤は、エステル、アミド、イミドまたは無水物のクラスに属するものを含む。好適な例は、テトラアセチルエチレンジアミン（ＴＡＥＤ）、ナトリウム４−［（３，５，５−トリメチルヘキサノイル）オキシ］ベンゼン−１−スルホン酸塩（ＩＳＯＮＯＢＳ）、４−（ドデカノイルオキシ）ベンゼン−１−スルホン酸塩（ＬＯＢＳ）、４−（デカノイルオキシ）ベンゼン−１−スルホン酸塩、４−（デカノイルオキシ）安息香酸塩（ＤＯＢＳもしくはＤＯＢＡ）、４−（ノナノイルオキシ）ベンゼン−１−スルホン酸塩（ＮＯＢＳ）、および／または国際公開第９８／１７７６７号パンフレットに開示されているものである。対象の漂白活性化剤の特定のファミリーが欧州特許第６２４１５４号明細書に開示されており、そのファミリーにおいて、クエン酸アセチルトリエチル（ＡＴＣ）が特に好ましい。ＡＴＣまたは短鎖トリグリセリド様トリアセチンは、環境にやさしいという利点を有する。さらに、クエン酸アセチルトリエチルおよびトリアセチンは、貯蔵に際して生成物における良好な加水分解安定性を有しており、これは効果的な漂白活性化剤である。最後に、ＡＴＣは、過加水分解反応中に放出されたクエン酸塩がビルダーとして機能し得るため、多機能性である。あるいは、漂白系は、例えば、アミド、イミド、またはスルホンタイプの過酸を含み得る。漂白系はまた、６−（フタルイミド）ペルオキシヘキサン酸（ＰＡＰ）などの過酸を含んでもよい。漂白系はまた、漂白触媒を含んでいてもよい。一部の実施形態において、漂白剤成分は、以下の式を有する有機触媒：
【０３２５】
【化１】
2017512885.tif 000002
【０３２６】
（ｉｉｉ）およびこれらの混合物
（式中、各Ｒ1は、独立して、９〜２４個の炭素を含有する分岐アルキル基または１１〜２４個の炭素を含有する直鎖アルキル基であり、好ましくは、各Ｒ1は、独立して、９〜１８個の炭素を含有する分岐アルキル基または１１〜１８個の炭素を含有する直鎖アルキル基であり、より好ましくは、各Ｒ1は、独立して、２−プロピルヘプチル、２−ブチルオクチル、２−ペンチルノニル、２−ヘキシルデシル、ドデシル、テトラデシル、ヘキサデシル、オクタデシル、イソノニル、イソデシル、イソトリデシルおよびイソペンタデシルからなる群から選択される）
からなる群から選択される有機触媒であってもよい。他の例示的な漂白系は、例えば、国際公開第２００７／０８７２５８号パンフレット、国際公開第２００７／０８７２４４号パンフレット、国際公開第２００７／０８７２５９号パンフレット、欧州特許第１８６７７０８号明細書（ビタミンＫ）、および国際公開第２００７／０８７２４２号パンフレットに記載されている。好適な光漂白剤は、例えばスルホン化亜鉛またはアルミニウムフタロシアニンであってよい。
【０３２７】
漂白成分は、漂白触媒、特に、有機漂白触媒以外に、過酸の供給源を含むのが好ましい。過酸の供給源は、（ａ）事前形成された過酸；（ｂ）好ましくは漂白活性化剤と組み合わせた、過炭酸、過ホウ酸または過硫酸塩（過酸化水素の供給源）；ならびに（ｃ）ペルヒドロラーゼ酵素、および生地処理ステップ中に水の存在下、ｉｎ  ｓｉｔｕで過酸を形成するエステルから選択してよい。
【０３２８】
ポリマー
洗剤は、０．５〜５％、２〜５％、０．５〜２％または０．２〜１％などの０〜１０重量％のポリマーを含有する。洗剤において用いられる技術分野において公知であるいずれかのポリマーが利用され得る。ポリマーは、上記のとおりコビルダーとして機能し得、または、再汚染防止、繊維保護、汚染物遊離、移染防止、油脂クリーニングおよび／または消泡特性をもたらし得る。いくつかのポリマーは、上記の特性を２つ以上および／または下記のモチーフを２つ以上有している場合がある。例示的なポリマーとしては、（カルボキシメチル）セルロース（ＣＭＣ）、ポリ（ビニルアルコール）（ＰＶＡ）、ポリ（ビニルピロリドン）（ＰＶＰ）、ポリ（エチレングリコール）またはポリ（エチレンオキシド）（ＰＥＧ）、エトキシル化ポリ（エチレンイミン）、カルボキシメチルイヌリン（ＣＭＩ）、および、ＰＡＡなどのポリカルボキシレート、ＰＡＡ／ＰＭＡ、ポリ−アスパラギン酸、および、ラウリルメタクリレート／アクリル酸コポリマー、疎水性修飾ＣＭＣ（ＨＭ−ＣＭＣ）およびシリコーン、テレフタル酸とオリゴマー系グリコールとのコポリマー、ポリ（エチレンテレフタレート）とポリ（オキシエテンテレフタレート）とのコポリマー（ＰＥＴ−ＰＯＥＴ）、ＰＶＰ、ポリ（ビニルイミダゾール）（ＰＶＩ）、ポリ（ビニルピリジン−Ｎ−オキシド）（ＰＶＰＯまたはＰＶＰＮＯ）、ならびに、ポリビニルピロリドン−ビニルイミダゾール（ＰＶＰＶＩ）が挙げられる。さらに例示的なポリマーとしては、スルホン化ポリカルボキシレート、ポリエチレンオキシドおよびポリプロピレンオキシド（ＰＥＯ−ＰＰＯ）およびジクアタニウムエトキシスルフェートが挙げられる。他の例示的なポリマーは、例えば、国際公開第２００６／１３０５７５号パンフレットに開示されている。上記のポリマーの塩もまた予期される。
【０３２９】
布地色調剤
本発明の洗剤組成物はまた、染料または顔料などの布地色調剤を含んでいてもよく、これは、洗剤組成物に配合された場合に、前記布地が前記洗剤組成物を含む洗浄液と接触させられる際に布地に付着し、これにより、可視光の吸収／反射を介して前記布地の色合いを変えることが可能である。蛍光性白色化剤は少なくともいくらかの可視光を放つ。対照的に、布地色調剤は、可視光スペクトルの少なくとも一部分を吸収することで表面の色合いを変える。好適な布地色調剤としては、染料および染料−クレイ複合体が挙げられ、また、顔料もまた挙げられ得る。好適な染料としては、微小分子染料および高分子染料が挙げられる。好適な微小分子染料としては、例えば国際公開第２００５／０３２７４号パンフレット、国際公開第２００５／０３２７５号パンフレット、国際公開第２００５／０３２７６号パンフレットおよび欧州特許第１８７６２２６号明細書（本明細書において参照により援用される）に記載されている、Ｄｉｒｅｃｔ  Ｂｌｕｅ、Ｄｉｒｅｃｔ  Ｒｅｄ、Ｄｉｒｅｃｔ  Ｖｉｏｌｅｔ、Ａｃｉｄ  Ｂｌｕｅ、Ａｃｉｄ  Ｒｅｄ、Ａｃｉｄ  Ｖｉｏｌｅｔ、Ｂａｓｉｃ  Ｂｌｕｅ、Ｂａｓｉｃ  ＶｉｏｌｅｔおよびＢａｓｉｃ  Ｒｅｄ、または、これらの混合物の染料索引（Ｃ．Ｉ．）分類に属する染料からなる群から選択される微小分子染料が挙げられる。洗剤組成物は、約０．００００３重量％〜約０．２重量％、約０．００００８重量％〜約０．０５重量％またはさらには約０．０００１重量％〜約０．０４重量％の布地色調剤を含むことが好ましい。組成物は、０．０００１重量％〜０．２重量％の布地色調剤を含み得、これは、組成物が単位用量ポーチの形態である場合に特に好ましい場合がある。好適な色調剤はまた、例えば、国際公開第２００７／０８７２５７号パンフレット、および国際公開第２００７／０８７２４３号パンフレットに開示されている。
【０３３０】
酵素
洗剤添加剤、ならびに洗剤組成物は、例えばラッカーゼ、および／またはペルオキシダーゼといった、プロテアーゼ、リパーゼ、クチナーゼ、アミラーゼ、カルボヒドラーゼ、セルラーゼ、ペクチナーゼ、マンナナーゼ、アラビナーゼ、ガラクタナーゼ、キシラナーゼ、オキシダーゼなどの１種または複数種の追加の酵素を含み得る。
【０３３１】
一般に、選択された酵素の特性は、選択された洗剤と適合性であるべきであり（すなわち、至適ｐＨ、他の酵素成分および非酵素成分との適合性など）、また、酵素は有効量で存在すべきである。好ましい実施形態では、洗剤添加物または洗剤組成物は、プロテアーゼを含む。別の実施形態では、前記プロテーゼは、配列番号１０に対して、少なくとも９０％、例えば、少なくとも９５％、例えば、１００％の配列同一性を有する。
【０３３２】
セルラーゼ
好適なセルラーゼは、細菌性または真菌性由来のものを含む。化学的に修飾されたミュータントまたはタンパク質改変ミュータントが含まれる。好適なセルラーゼとしては、例えば、米国特許第４，４３５，３０７号明細書、米国特許第５，６４８，２６３号明細書、米国特許第５，６９１，１７８号明細書、米国特許第５，７７６，７５７号明細書および国際公開第８９／０９２５９号パンフレットに開示されている、フミコラ・インソレンス（Ｈｕｍｉｃｏｌａ  ｉｎｓｏｌｅｎｓ）、ミセリオフトラ・テルモフィラ（Ｍｙｃｅｌｉｏｐｈｔｈｏｒａ  ｔｈｅｒｍｏｐｈｉｌａ）およびフザリウム・オキシスポルム（Ｆｕｓａｒｉｕｍ  ｏｘｙｓｐｏｒｕｍ）から産生される真菌セルラーゼといった、バチルス属（Ｂａｃｉｌｌｕｓ）、シュードモナス属（Ｐｓｅｕｄｏｍｏｎａｓ）、フミコラ属（Ｈｕｍｉｃｏｌａ）、フザリウム属（Ｆｕｓａｒｉｕｍ）、チエラビア属（Ｔｈｉｅｌａｖｉａ）、アクレモニウム属（Ａｃｒｅｍｏｎｉｕｍ）由来のセルラーゼが挙げられる。
【０３３３】
特に好適なセルラーゼは、色の取り扱いに関する有益性を有するアルカリ性または中性セルラーゼである。このようなセルラーゼの例は、欧州特許第０，４９５，２５７号明細書、欧州特許第０，５３１，３７２号明細書、国際公開第９６／１１２６２号パンフレット、国際公開第９６／２９３９７号パンフレット、国際公開第９８／０８９４０号パンフレットに記載されているセルラーゼである。他の例は、国際公開第９４／０７９９８号パンフレット、欧州特許第０，５３１，３１５号明細書、米国特許第５，４５７，０４６号明細書、米国特許第５，６８６，５９３号明細書、米国特許第５，７６３，２５４号明細書、国際公開第９５／２４４７１号パンフレット、国際公開第９８／１２３０７号パンフレットおよび国際公開第９９／００１５４４号パンフレットに記載されているものなどのセルラーゼ変異体である。
【０３３４】
他のセルラーゼは、国際公開第２００２／０９９０９１号パンフレットの配列番号２の１位〜７７３位のアミノ酸配列に対して少なくとも９７％同一性の配列を有するエンド−β−１，４−グルカナーゼ酵素、またはファミリー４４キシログルカナーゼ（国際公開第２００１／０６２９０３号パンフレットの配列番号２の４０位〜５５９位のアミノ酸配列に対して少なくとも６０％同一性の配列を有するキシログルカナーゼ酵素である）。
【０３３５】
市販されているセルラーゼとしては、Ｃｅｌｌｕｚｙｍｅ（商標）、およびＣａｒｅｚｙｍｅ（商標）（Ｎｏｖｏｚｙｍｅｓ  Ａ／Ｓ）、Ｃａｒｅｚｙｍｅ  Ｐｒｅｍｉｕｍ（商標）（Ｎｏｖｏｚｙｍｅｓ  Ａ／Ｓ）、Ｃｅｌｌｕｃｌｅａｎ（商標）（Ｎｏｖｏｚｙｍｅｓ  Ａ／Ｓ）、Ｃｅｌｌｕｃｌｅａｎ  Ｃｌａｓｓｉｃ（商標）（Ｎｏｖｏｚｙｍｅｓ  Ａ／Ｓ）、Ｃｅｌｌｕｓｏｆｔ（商標）（Ｎｏｖｏｚｙｍｅｓ  Ａ／Ｓ）、Ｗｈｉｔｅｚｙｍｅ（商標）（Ｎｏｖｏｚｙｍｅｓ  Ａ／Ｓ）、Ｃｌａｚｉｎａｓｅ（商標）およびＰｕｒａｄａｘ  ＨＡ（商標）（Ｇｅｎｅｎｃｏｒ  Ｉｎｔｅｒｎａｔｉｏｎａｌ  Ｉｎｃ．）およびＫＡＣ−５００（Ｂ）（商標）（花王株式会社）が挙げられる。
【０３３６】
プロテアーゼ
好適なプロテアーゼは、細菌、真菌、植物、ウイルスもしくは動物由来、例えば、野菜または微生物由来のものを含む。微生物由来のものが好ましい。化学的に修飾されたミュータントまたはタンパク質改変ミュータントが含まれる。これは、セリンプロテアーゼまたはメタロプロテアーゼなどのアルカリ性プロテーゼであってよい。セリンプロテアーゼは、例えば、Ｓ１ファミリー、例えば、トリプシン、またはスブチリシンなどのＳ８ファミリーのものであってよい。メタロプロテアーゼは、例えば、ファミリーＭ４などからのサーモリシン、またはＭ５、Ｍ７もしくはＭ８ファミリーのものなどの他のメタロプロテアーゼであってよい。
【０３３７】
「スブチラーゼ」という用語は、Ｓｉｅｚｅｎ  ｅｔ  ａｌ．，Ｐｒｏｔｅｉｎ  Ｅｎｇｎｇ．４（１９９１）７１９−７３７およびＳｉｅｚｅｎ  ｅｔ  ａｌ．Ｐｒｏｔｅｉｎ  Ｓｃｉｅｎｃｅ  ６（１９９７）５０１−５２３による、セリンプロテアーゼのサブグループを指す。セリンプロテアーゼは、活性部位にセリンを有することを特徴とするプロテアーゼのサブグループであり、これは、基質と一緒に共有結合付加体を形成する。スブチラーゼは、６つの下位区分、すなわち、スブチリシンファミリー、サーミターゼ（Ｔｈｅｒｍｉｔａｓｅ）ファミリー、プロテイナーゼＫ（Ｐｒｏｔｅｉｎａｓｅ  Ｋ）ファミリー、ランチビオチック（Ｌａｎｔｉｂｉｏｔｉｃ）ペプチダーゼファミリー、ケキシン（Ｋｅｘｉｎ）ファミリーおよびピロリシン（Ｐｙｒｏｌｙｓｉｎ）ファミリーにさらに分類することができる。
【０３３８】
スブチラーゼの例は、米国特許第７２６２０４２号明細書および国際公開第０９／０２１８６７号パンフレットに記載されている、例えば、バチルス・レンツス（Ｂａｃｉｌｌｕｓ  ｌｅｎｔｕｓ）、バチルス・アルカロフィルス（Ｂ．ａｌｋａｌｏｐｈｉｌｕｓ）、枯草菌（Ｂ．ｓｕｂｔｉｌｉｓ）、バチルス・アミロリケファシエンス（Ｂ．ａｍｙｌｏｌｉｑｕｅｆａｃｉｅｎｓ）、バチルス・プミルス（Ｂａｃｉｌｌｕｓ  ｐｕｍｉｌｕｓ）およびバチルス・ギブソニ（Ｂａｃｉｌｌｕｓ  ｇｉｂｓｏｎｉｉ）などのバチルス属（Ｂａｃｉｌｌｕｓ）から得られるもの、ならびに国際公開第８９／０６２７９号パンフレットに記載されているスブチリシン・レンツス（ｓｕｂｔｉｌｉｓｉｎ  ｌｅｎｔｕｓ）、スブチリシン（ｓｕｂｔｉｌｉｓｉｎ）Ｎｏｖｏ、スブチリシン（ｓｕｂｔｉｌｉｓｉｎ）Ｃａｒｌｓｂｅｒｇ、バチルス・リケニホルミス（Ｂａｃｉｌｌｕｓ  ｌｉｃｈｅｎｉｆｏｒｍｉｓ）、スブチリシン（ｓｕｂｔｉｌｉｓｉｎ）ＢＮＰ’、スブチリシン（ｓｕｂｔｉｌｉｓｉｎ）３０９、スブチリシン（ｓｕｂｔｉｌｉｓｉｎ）１４７およびスブチリシン（ｓｕｂｔｉｌｉｓｉｎ）１６８、ならびに（国際公開第９３／１８１４０号パンフレット）に記載されているプロテアーゼＰＤ１３８である。その他の有用なプロテアーゼの例は、国際公開第９２／１７５１７７号パンフレット、国際公開第０１／０１６２８５号パンフレット、国際公開第０２／０２６０２４号パンフレットおよび国際公開第０２／０１６５４７号パンフレットに記載されているものであり得る。トリプシン様プロテアーゼの例は、トリプシン（例えば、ブタまたはウシ由来）、ならびに国際公開第８９／０６２７０号パンフレット、国際公開第９４／２５５８３号パンフレットおよび国際公開第０５／０４０３７２号パンフレットに記載されているフザリウム属（Ｆｕｓａｒｉｕｍ）プロテアーゼ、ならびに国際公開第０５／０５２１６１号パンフレットおよび国際公開第０５／０５２１４６号パンフレットに記載されているセルモナス（Ｃｅｌｌｕｍｏｎａｓ）から得られるキモトリプシンプロテアーゼである。
【０３３９】
別の好ましいプロテアーゼは、国際公開第９５／２３２２１号パンフレットに記載されているバチルス・レンツス（Ｂａｃｉｌｌｕｓ  ｌｅｎｔｕｓ）ＤＳＭ５４８３からのアルカリ性プロテーゼ、ならびに国際公開第９２／２１７６０号パンフレット、国際公開第９５／２３２２１号パンフレット、欧州特許第１９２１１４７号明細書および欧州特許第１９２１１４８号明細書に記載されているその変異体である。
【０３４０】
メタロプロテアーゼの例は、国際公開第０７／０４４９９３号明細書（Ｇｅｎｅｎｃｏｒｔ  Ｉｎｔ．）に記載されている中性メタロプロテアーゼ、例えば、バチルス・アミロリケファシエンス（Ｂａｃｉｌｌｕｓ  ａｍｙｌｏｌｉｑｕｅｆａｃｉｅｎｓ）から得られるものなどである。
【０３４１】
有用なプロテアーゼの例は、国際公開第９２／１９７２９号パンフレット、国際公開第９６／０３４９４６号パンフレット、国際公開第９８／２０１１５号パンフレット、国際公開第９８／２０１１６号パンフレット、国際公開第９９／０１１７６８号パンフレット、国際公開第０１／４４４５２号パンフレット、国際公開第０３／００６６０２号パンフレット、国際公開第０４／０３１８６号パンフレット、国際公開第０４／０４１９７９号パンフレット、国際公開０７／００６３０５号パンフレット、国際公開第１１／０３６２６３号パンフレット、国際公開第１１／０３６２６４号パンフレットに記載されている変異体であって、特に、ＢＰＮ’番号付けを用いて、以下の１つまたは複数の位置に置換を伴う変異体である：３、４、９、１５、２７、３６、５７、６８、７６、８７、９５、９６、９７、９８、９９、１００、１０１、１０２、１０３、１０４、１０６、１１８、１２０、１２３、１２８、１２９、１３０、１６０、１６７、１７０、１９４、１９５、１９９、２０５、２０６、２１７、２１８、２２２、２２４、２３２、２３５、２３６、２４５、２４８、２５２および２７４。より好ましいスブチラーゼ変異体は、次の突然変異を有し得る：Ｓ３Ｔ、Ｖ４Ｉ、Ｓ９Ｒ、Ａ１５Ｔ、Ｋ２７Ｒ，*３６Ｄ、Ｖ６８Ａ、Ｎ７６Ｄ、Ｎ８７Ｓ，Ｒ、*９７Ｅ、Ａ９８Ｓ、Ｓ９９Ｇ，Ｄ，Ａ、Ｓ９９ＡＤ、Ｓ１０１Ｇ，Ｍ，Ｒ  Ｓ１０３Ａ、Ｖ１０４Ｉ，Ｙ，Ｎ、Ｓ１０６Ａ、Ｇ１１８Ｖ，Ｒ、Ｈ１２０Ｄ，Ｎ、Ｎ１２３Ｓ、Ｓ１２８Ｌ、Ｐ１２９Ｑ、Ｓ１３０Ａ、Ｇ１６０Ｄ、Ｙ１６７Ａ、Ｒ１７０Ｓ、Ａ１９４Ｐ、Ｇ１９５Ｅ、Ｖ１９９Ｍ、Ｖ２０５Ｉ、Ｌ２１７Ｄ、Ｎ２１８Ｄ、Ｍ２２２Ｓ、Ａ２３２Ｖ、Ｋ２３５Ｌ、Ｑ２３６Ｈ、Ｑ２４５Ｒ、Ｎ２５２Ｋ、Ｔ２７４Ａ（ＢＰＮ’番号付けを用いて）。
【０３４２】
好適な市販されているタンパク分解酵素としては、次の商品名：Ａｌｃａｌａｓｅ（登録商標）、Ｄｕｒａｌａｓｅ（商標）、Ｄｕｒａｚｙｍ（商標）、Ｒｅｌａｓｅ（登録商標）、Ｒｅｌａｓｅ（登録商標）Ｕｌｔｒａ、Ｓａｖｉｎａｓｅ（登録商標）、Ｓａｖｉｎａｓｅ（登録商標）Ｕｌｔｒａ、Ｐｒｉｍａｓｅ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ（登録商標）Ｕｌｔｒａ、Ｏｖｏｚｙｍｅ（登録商標）、Ｃｏｒｏｎａｓｅ（登録商標）、Ｃｏｒｏｎａｓｅ（登録商標）Ｕｌｔｒａ、Ｎｅｕｔｒａｓｅ（登録商標）、Ｅｖｅｒｌａｓｅ（登録商標）およびＥｓｐｅｒａｓｅ（登録商標）（Ｎｏｖｏｚｙｍｅｓ  Ａ／Ｓ）で販売されているもの、ならびに次の商品名：Ｍａｘａｔａｓｅ（登録商標）、Ｍａｘａｃａｌ（登録商標）、Ｍａｘａｐｅｍ（登録商標）、Ｐｕｒａｆｅｃｔ（登録商標）、Ｐｕｒａｆｅｃｔ  Ｐｒｉｍｅ（登録商標）、Ｐｒｅｆｅｒｅｎｚ（商標）、Ｐｕｒａｆｅｃｔ  ＭＡ（登録商標）、Ｐｕｒａｆｅｃｔ  Ｏｘ（登録商標）、Ｐｕｒａｆｅｃｔ  ＯｘＰ（登録商標）、Ｐｕｒａｍａｘ（登録商標）、Ｐｒｏｐｅｒａｓｅ（登録商標）、Ｅｆｆｅｃｔｅｎｚ（商標）、ＦＮ２（登録商標）、ＦＮ３（登録商標）、ＦＮ４（登録商標）、Ｅｘｃｅｌｌａｓｅ（登録商標）、Ｏｐｔｉｃｌｅａｎ（登録商標）およびＯｐｔｉｍａｓｅ（登録商標）（Ｄａｎｉｓｃｏ／ＤｕＰｏｎｔ）、Ａｘａｐｅｍ（商標）（Ｇｉｓｔ−Ｂｒｏｃａｓｅｓ  Ｎ．Ｖ．）、ＢＬＡＰ（米国特許第５３５２６０４号明細書の図２９に示される配列）およびその変異体（Ｈｅｎｋｅｌ  ＡＧ）、およびＫＡＰ（バチルス・アルカロフィルス（Ｂａｃｉｌｌｕｓ  ａｌｋａｌｏｐｈｉｌｕｓ）スブチリシン）（花王株式会社から）で販売されているものが挙げられる。
【０３４３】
リパーゼおよびクチナーゼ
好適なリパーゼおよびクチナーゼは、細菌または真菌由来のものを含む。化学的に修飾されたミュータント酵素またはタンパク質改変ミュータント酵素が含まれる。例としては、欧州特許第２５８０６８号明細書および欧州特許第３０５２１６号明細書に記載されている、テルモマイセス属（Ｔｈｅｒｍｏｍｙｃｅｓ）由来、例えば、Ｔ．ラヌギノスス（Ｔ．ｌａｎｕｇｉｎｏｓｕｓ）（以前はフミコラ・ラヌギノサ（Ｈｕｍｉｃｏｌａ  ｌａｎｕｇｉｎｏｓａ）と命名されていた）由来のリパーゼ；例えば、Ｈ．インソレンス（Ｈ．ｉｎｓｏｌｅｎｓ）といったフミコラ属（Ｈｕｍｉｃｏｌａ）由来のクチナーゼ（国際公開第９６／１３５８０号パンフレット）、例えば、Ｐ．アルカリゲネス（Ｐ．ａｌｃａｌｉｇｅｎｅｓ）またはＰ．シュードアルカリアルカリゲネス（Ｐ．ｐｓｅｕｄｏａｌｃａｌｉｇｅｎｅｓ）（欧州特許第２１８２７２号明細書）、Ｐ．セパシア（Ｐ．ｃｅｐａｃｉａ）（欧州特許第３３１３７６号明細書）、シュードモナス属（Ｐ．ｓｐ．）ＳＤ７０５株（国際公開第９５／０６７２０号パンフレットおよび国際公開第９６／２７００２号パンフレット）、Ｐ．ウィスコンシネンシス（Ｐ．ｗｉｓｃｏｎｓｉｎｅｎｓｉｓ）（国際公開第９６／１２０１２号パンフレット）といったシュードモナス属（Ｐｓｅｕｄｏｍｏｎａｓ）（これらの一部は、現在、バークホルデリア属（Ｂｕｒｋｈｏｌｄｅｒｉａ）と改名されている）株由来のリパーゼ；ＧＤＳＬタイプのストレプトマイセス（Ｓｔｒｅｐｔｏｍｙｃｅｓ）リパーゼ（国際公開第１０／０６５４５５号パンフレット）、イネいもち病菌（Ｍａｇｎａｐｏｒｔｈｅ  ｇｒｉｓｅａ）（国際公開第１０／１０７５６０号パンフレット）、シュードモナス・メンドシナ（Ｐｓｅｕｄｏｍｏｎａｓ  ｍｅｎｄｏｃｉｎａ）由来のクチナーゼ（米国特許第５，３８９，５３６号明細書）、サーモビフィダ・フスカ（Ｔｈｅｒｍｏｂｉｆｉｄａ  ｆｕｓｃａ）由来のリパーゼ（国際公開第１１／０８４４１２号パンフレット）、ジェオバシラス・ステアロサーモフィラス（Ｇｅｏｂａｃｉｌｌｕｓ  ｓｔｅａｒｏｔｈｅｒｍｏｐｈｉｌｕｓ）リパーゼ（国際公開第１１／０８４４１７号パンフレット）、枯草菌（Ｂａｃｉｌｌｕｓ  ｓｕｂｔｉｌｉｓ）由来のリパーゼ（国際公開第１１／０８４５９９号パンフレット）、ならびにストレプトマイセス・グリセウス （Ｓｔｒｅｐｔｏｍｙｃｅｓ ｇｒｉｓｅｕｓ）（国際公開第１１／１５０１５７号パンフレット）およびストレプトマイセス・プリスチナエスピラリス（Ｓ．ｐｒｉｓｔｉｎａｅｓｐｉｒａｌｉｓ）（国際公開第１２／１３７１４７号パンフレット）由来のリパーゼが挙げられる。
【０３４４】
他の例は、欧州特許第４０７２２５号明細書、国際公開第９２／０５２４９号パンフレット、国際公開第９４／０１５４１号パンフレット、国際公開第９４／２５５７８号パンフレット、国際公開第９５／１４７８３号パンフレット、国際公開第９５／３０７４４号パンフレット、国際公開第９５／３５３８１号パンフレット、国際公開第９５／２２６１５号パンフレット、国際公開第９６／００２９２号パンフレット、国際公開第９７／０４０７９号パンフレット、国際公開第９７／０７２０２号パンフレット、国際公開第００／３４４５０号パンフレット、国際公開第００／６００６３号パンフレット、国際公開第０１／９２５０２号パンフレット、国際公開第０７／８７５０８号パンフレットおよび国際公開第０９／１０９５００号パンフレットに記載のものなどのリパーゼ変異体である。
【０３４５】
好ましい市販されているリパーゼ酵素としては、Ｌｉｐｏｌａｓｅ（商標）、Ｌｉｐｅｘ（商標）；Ｌｉｐｏｌｅｘ（商標）およびＬｉｐｏｃｌｅａｎ（商標）（Ｎｏｖｏｚｙｍｅｓ  Ａ／Ｓ）、Ｌｕｍａｆａｓｔ（当初、Ｇｅｎｅｎｃｏｒから市販）およびＬｉｐｏｍａｘ（当初、Ｇｉｓｔ−Ｂｒｏｃａｄｅｓから市販）が挙げられる。
【０３４６】
また別の例は、アシルトランスフェラーゼまたはペルヒドロラーゼと呼ばれこともあるリパーゼ、例えば、カンディダ・アンタークティカ（Ｃａｎｄｉｄａ  ａｎｔａｒｃｔｉｃａ）リパーゼＡとの相同体を有するアシルトランスフェラーゼ（国際公開第１０／１１１１４３号パンフレット）、マイコバクテリウム・スメグマチス（Ｍｙｃｏｂａｃｔｅｒｉｕｍ  ｓｍｅｇｍａｔｉｓ）由来のアシルトランスフェラーゼ（国際公開第０５／５６７８２号パンフレット）、ＣＥ  ７ファミリー由来のペルヒドロラーゼ（国際公開第０９／６７２７９号パンフレット）、ならびに、Ｍ．スメグマチス（Ｍ．ｓｍｅｇｍａｔｉｓ）ペルヒドロラーゼの変異体、特に、Ｈｕｎｔｓｍａｎ  Ｔｅｘｔｉｌｅ  Ｅｆｆｅｃｔｓ  Ｐｔｅ  Ｌｔｄ製の商品Ｇｅｎｔｌｅ  Ｐｏｗｅｒ  Ｂｌｅａｃｈに使用されているＳ５４Ｖ変異体（国際公開第１０／１０００２８号パンフレット）である。
【０３４７】
アミラーゼ
本発明の酵素と一緒に用いることができる、好適なアミラーゼは、α−アミラーゼまたはグルコアミラーゼであってよく、細菌または真菌由来のいずれであってもよい。化学的に修飾されたミュータントまたはタンパク質改変ミュータントが含まれる。アミラーゼとしては、例えば、英国特許第１，２９６，８３９号明細書にさらに詳細に記載されているバチルス・リケニホルミス（Ｂａｃｉｌｌｕｓ  ｌｉｃｈｅｎｉｆｏｒｍｉｓ）の特殊な系統といった、例えばバチルス属（Ｂａｃｉｌｌｕｓ）から得られるα−アミラーゼが挙げられる。
【０３４８】
好適なアミラーゼとしては、国際公開第９５／１０６０３号パンフレットに記載の配列番号２を有するアミラーゼ、またはその配列番号３に対して９０％配列同一性を有する変異体が挙げられる。好ましい変異体は、国際公開第９４／０２５９７号パンフレット、国際公開第９４／１８３１４号パンフレット、国際公開第９７／４３４２４号パンフレットおよび国際公開第９９／０１９４６７号パンフレットの配列番号４に記載の変異体、例えば、以下の１つまたは複数の位置に置換を伴う変異体である：１５、２３、１０５、１０６、１２４、１２８、１３３、１５４、１５６、１７８、１７９、１８１、１８８、１９０、１９７、２０１、２０２、２０７、２０８、２０９、２１１、２４３、２６４、３０４、３０５、３９１、４０８、および４４４。
【０３４９】
別の好適なアミラーゼとして、国際公開第０２／０１０３５５号パンフレットに記載の配列番号６を有するアミラーゼ、または配列番号６に対して９０％配列同一性を有する変異体が挙げられる。配列番号６の好ましい変異体は、１８１位および１８２位に欠失を有し、１９３位に置換を有するものである。
【０３５０】
好適な他のアミラーゼは、国際公開第２００６／０６６５９４号パンフレットに記載の配列番号６に示されるバチルス・アミロリケファシエンス（Ｂ．ａｍｙｌｏｌｉｑｕｅｆａｃｉｅｎｓ）から得られるα−アミラーゼの残基１〜３３と、国際公開第２００６／０６６５９４号パンフレットに記載の配列番号４に示されるＢ．リケニホルミス（Ｂ．ｌｉｃｈｅｎｉｆｏｒｍｉｓ）α−アミラーゼの残基３６〜４８３を含むハイブリッドα−アミラーゼまたはそれらの９０％配列同一性を有する変異体である。このハイブリッドα−アミラーゼの好ましい変異体は、以下の１つまたは複数の位置に置換、欠失もしくは挿入を伴う変異体である：Ｇ４８、Ｔ４９、Ｇ１０７、Ｈ１５６、Ａ１８１、Ｎ１９０、Ｍ１９７、Ｉ２０１、Ａ２０９およびＱ２６４。国際公開第２００６／０６６５９４号パンフレットに記載の配列番号６に示されるＢ．アミロリケファシエンス（Ｂ．ａｍｙｌｏｌｉｑｕｅｆａｃｉｅｎｓ）から得られるα−アミラーゼの残基１〜３３と、配列番号４の残基３６〜４８３を含むハイブリッドα−アミラーゼの最も好ましい変異体は、以下の置換を有するものである：
Ｍ１９７Ｔ；
Ｈ１５６Ｙ＋Ａ１８１Ｔ＋Ｎ１９０Ｆ＋Ａ２０９Ｖ＋Ｑ２６４Ｓ；または
Ｇ４８Ａ＋Ｔ４９Ｉ＋Ｇ１０７Ａ＋Ｈ１５６Ｙ＋Ａ１８１Ｔ＋Ｎ１９０Ｆ＋Ｉ２０１Ｆ＋Ａ２０９Ｖ＋Ｑ２６４Ｓ。
【０３５１】
好適なさらに別のアミラーゼは、国際公開第９９／０１９４６７号パンフレットに記載の配列番号６を有するアミラーゼまたは配列番号６に対して９０％配列同一性を有するその変異体である。配列番号６の好ましい変異体は、以下の１つまたは複数の位置に置換、欠失もしくは挿入を伴う変異体である：Ｒ１８１、Ｇ１８２、Ｈ１８３、Ｇ１８４、Ｎ１９５，Ｉ２０６、Ｅ２１２、Ｅ２１６およびＫ２６９。特に好ましいアミラーゼは、Ｒ１８１およびＧ１８２位、またはＨ１８３およびＧ１８４位に欠失を有するものである。
【０３５２】
用いることができる別のアミラーゼは、国際公開第９６／０２３８７３号パンフレットの配列番号１、配列番号３、配列番号２もしくは配列番号７を有するもの、または配列番号１、配列番号２、配列番号３もしくは配列番号７に対して９０％配列同一性を有する変異体である。配列番号１、配列番号２、配列番号３もしくは配列番号７の好ましい変異体は、国際公開第９６／０２３８７３号パンフレットの配列番号２を番号付けに用いて、以下の１つまたは複数の位置に置換、欠失もしくは挿入を伴う変異体である：１４０、１８１、１８２、１８３、１８４、１９５、２０６、２１２、２４３、２６０、２６９、３０４および４７６。より好ましい変異体は、１８１、１８２、１８３および１８４から選択される２つの位置、例えば、１８１および１８２、１８２および１８３に欠失を有するものである。配列番号１、配列番号２もしくは配列番号７の最も好ましい変異体は、１８３および１８４位における欠失と、１４０、１９５、２０６、２４３、２６０、３０４および４７６の１つまたは複数の位置に置換を有するものである。
【０３５３】
用いることができる他のアミラーゼは、国際公開第０８／１５３８１５号パンフレットの配列番号２、国際公開第０１／６６７１２号パンフレットの配列番号１０を有するアミラーゼ、または国際公開第０８／１５３８１５号パンフレットの配列番号２に対して９０％配列同一性を有するその変異体、国際公開第０１／６６７１２号パンフレットの配列番号１０に対して９０％配列同一性を有する変異体である。国際公開第０１／６６７１２号パンフレットの配列番号１０の好ましい変異体は、以下の１つまたは複数の位置に置換、欠失もしくは挿入を伴う変異体である：１７６、１７７、１７８、１７９、１９０、２０１、２０７、２１１および２６４。
【０３５４】
さらに別の好適なアミラーゼは、国際公開第０９／０６１３８０号パンフレットの配列番号２を有するアミラーゼまたはその配列番号２に対して９０％配列同一性を有する変異体である。配列番号２の好ましい変異体は、Ｃ末端の切断および／または以下の１つまたは複数の位置に置換、欠失もしくは挿入を伴う変異体である：Ｑ８７、Ｑ９８、Ｓ１２５、Ｎ１２８、Ｔ１３１、Ｔ１６５、Ｋ１７８、Ｒ１８０、Ｓ１８１、Ｔ１８２、Ｇ１８３、Ｍ２０１、Ｆ２０２、Ｎ２２５、Ｓ２４３、Ｎ２７２、Ｎ２８２、Ｙ３０５、Ｒ３０９、Ｄ３１９、Ｑ３２０、Ｑ３５９、Ｋ４４４およびＧ４７５。配列番号２のより好ましい変異体は、以下の１つまたは複数の位置：Ｑ８７Ｅ，Ｒ、Ｑ９８Ｒ、Ｓ１２５Ａ、Ｎ１２８Ｃ、Ｔ１３１Ｉ、Ｔ１６５Ｉ、Ｋ１７８Ｌ、Ｔ１８２Ｇ、Ｍ２０１Ｌ、Ｆ２０２Ｙ、Ｎ２２５Ｅ，Ｒ、Ｎ２７２Ｅ，Ｒ、Ｓ２４３Ｑ，Ａ，Ｅ，Ｄ、Ｙ３０５Ｒ、Ｒ３０９Ａ、Ｑ３２０Ｒ、Ｑ３５９Ｅ、Ｋ４４４ＥおよびＧ４７５Ｋにおける置換、ならびに／または以下の位置：Ｒ１８０および／もしくはＳ１８１またはＴ１８２および／もしくはＧ１８３における欠失を伴うものである。配列番号２の最も好ましいアミラーゼ変異体は、以下の置換：
Ｎ１２８Ｃ＋Ｋ１７８Ｌ＋Ｔ１８２Ｇ＋Ｙ３０５Ｒ＋Ｇ４７５Ｋ；
Ｎ１２８Ｃ＋Ｋ１７８Ｌ＋Ｔ１８２Ｇ＋Ｆ２０２Ｙ＋Ｙ３０５Ｒ＋Ｄ３１９Ｔ＋Ｇ４７５Ｋ；
Ｓ１２５Ａ＋Ｎ１２８Ｃ＋Ｋ１７８Ｌ＋Ｔ１８２Ｇ＋Ｙ３０５Ｒ＋Ｇ４７５Ｋ；または
Ｓ１２５Ａ＋Ｎ１２８Ｃ＋Ｔ１３１Ｉ＋Ｔ１６５Ｉ＋Ｋ１７８Ｌ＋Ｔ１８２Ｇ＋Ｙ３０５Ｒ＋Ｇ４７５Ｋ
を有するものであり、変異体は、Ｃ末端切断されており、任意選択で、２４３位の置換ならびに／または１８０位および／もしくは１８１位の欠失をさらに含む。
【０３５５】
他の好適なアミラーゼは、国際公開第０１／６６７１２号パンフレットに記載の配列番号１２を有するα−アミラーゼまたは配列番号１２に対して少なくとも９０％配列同一性を有する変異体である。好ましいアミラーゼ変異体は、国際公開第０１／６６７１２号パンフレットに記載の配列番号１２の以下の１つまたは複数の位置に置換、欠失もしくは挿入を伴う変異体である：Ｒ２８、Ｒ１１８、Ｎ１７４；Ｒ１８１、Ｇ１８２、Ｄ１８３、Ｇ１８４、Ｇ１８６、Ｗ１８９、Ｎ１９５、Ｍ２０２、Ｙ２９８、Ｎ２９９、Ｋ３０２、Ｓ３０３、Ｎ３０６、Ｒ３１０、Ｎ３１４；Ｒ３２０、Ｈ３２４、Ｅ３４５、Ｙ３９６、Ｒ４００、Ｗ４３９、Ｒ４４４、Ｎ４４５、Ｋ４４６、Ｑ４４９、Ｒ４５８、Ｎ４７１、Ｎ４８４。特に好ましいアミラーゼは、Ｄ１８３およびＧ１８４の欠失を有し、且つ、次の置換：Ｒ１１８Ｋ、Ｎ１９５Ｆ、Ｒ３２０ＫおよびＲ４５８Ｋを有する変異体、ならびに以下：Ｍ９、Ｇ１４９、Ｇ１８２、Ｇ１８６、Ｍ２０２、Ｔ２５７、Ｙ２９５、Ｎ２９９、Ｍ３２３、Ｅ３４５およびＡ３３９の群から選択される１つまたは複数の位置に置換をさらに有する変異体であり、これらの位置に置換をさらに有する変異体が最も好ましい。
【０３５６】
他の例は、国際公開第２０１１／０９８５３１号パンフレット、国際公開第２０１３／００１０７８号パンフレットおよび国際公開第２０１３／００１０８７号パンフレットに記載されているものなどのアミラーゼ変異体である。
【０３５７】
市販されているアミラーゼは、Ｄｕｒａｍｙｌ（商標）、Ｔｅｒｍａｍｙｌ（商標）、Ｆｕｎｇａｍｙｌ（商標）、Ｓｔａｉｎｚｙｍｅ（商標）、Ｓｔａｉｎｚｙｍｅ  Ｐｌｕｓ（商標）、Ｎａｔａｌａｓｅ（商標）、Ｌｉｑｕｏｚｙｍｅ  ＸおよびＢＡＮ（商標）（Ｎｏｖｏｚｙｍｅｓ  Ａ／Ｓから）、ならびにＲａｐｉｄａｓｅ（商標）、Ｐｕｒａｓｔａｒ（商標）／Ｅｆｆｅｃｔｅｎｚ（商標）、ＰｏｗｅｒａｓｅおよびＰｒｅｆｅｒｅｎｚ  Ｓ１００（Ｇｅｎｅｎｃｏｒ  Ｉｎｔｅｒｎａｔｉｏｎａｌ  Ｉｎｃ．／ＤｕＰｏｎｔから）である。
【０３５８】
ペルオキシダーゼ／オキシダーゼ
本発明のペルオキシダーゼは、国際生化学分子生物学連合（Ｉｎｔｅｒｎａｔｉｏｎａｌ  Ｕｎｉｏｎ  ｏｆ  Ｂｉｏｃｈｅｍｉｓｔｒｙ  ａｎｄ  Ｍｏｌｅｃｕｌａｒ  Ｂｉｏｌｏｇｙ）（ＩＵＢＭＢ）の命名委員会（Ｎｏｍｅｎｃｌａｔｕｒｅ  Ｃｏｍｍｉｔｔｅｅ）により記載されている酵素分類ＥＣ１．１１．１．７に含まれるペルオキシダーゼ酵素、またはそれから得られる、ペルオキシダーゼ活性を呈示するあらゆるいずれかの断片である。
【０３５９】
好適なペルオキシダーゼは、植物、細菌または真菌由来のものを含む。化学的に修飾されたミュータントまたはタンパク質改変ミュータントが含まれる。有用なペルオキシダーゼの例としては、例えば、ウシグソヒトヨタケ（Ｃ．ｃｉｎｅｒｅａ）といったヒトヨタケ属（Ｃｏｐｒｉｎｏｐｓｉｓ）由来のペルオキシダーゼ（欧州特許第１７９，４８６号明細書）、ならびに、国際公開第９３／２４６１８号パンフレット、国際公開第９５／１０６０２号パンフレットおよび国際公開第９８／１５２５７号パンフレットに記載されているものなどのその変異体が挙げられる。
【０３６０】
本発明のペルオキシダーゼはまた、クロロペルオキシダーゼ、ブロモペルオキシダーゼなどのハロペルオキシダーゼ酵素、およびクロロペルオキシダーゼまたはブロモペルオキシダーゼ活性を呈示する化合物も含む。ハロペルオキシダーゼは、ハロゲン化物イオンに対する特異性に従って分類される。クロロペルオキシダーゼ（ＥＣ１．１１．１．１０）は、塩化物イオンからの次亜塩素酸塩の形成を触媒する。
【０３６１】
一実施形態では、本発明のハロペルオキシダーゼは、クロロペルオキシダーゼである。好ましくは、ハロペルオキシダーゼは、バナジウムペルオキシダーゼ、すなわち、バナジン酸塩含有ハロペルオキシダーゼである。本発明の好ましい方法において、バナジン酸塩含有ハロペルオキシダーゼは、塩化物イオンの供給源と組み合わせる。
【０３６２】
ハロペルオキシダーゼは、多種の真菌、特に、暗色線菌科（ｄｅｍａｔｉａｃｅｏｕｓ  ｈｙｐｈｏｍｙｃｅｔｅｓ）の真菌群、例えば、Ｃ．フマゴ（Ｃ．ｆｕｍａｇｏ）などのカルダリオマイセス属（Ｃａｌｄａｒｉｏｍｙｃｅｓ）、アルテルナリア属（Ａｌｔｅｒｎａｒｉａ）、例えば、Ｃ．ベルクローサ（Ｃ．ｖｅｒｒｕｃｕｌｏｓａ）およびＣ．イナエクアリス（Ｃ．ｉｎａｅｑｕａｌｉｓ）などのクルブラリア属（Ｃｕｒｖｕｌａｒｉａ）、ドレクスレラ属（Ｄｒｅｃｈｓｌｅｒａ）、ウロクラジウム属（Ｕｌｏｃｌａｄｉｕｍ）およびボトリチス属（Ｂｏｔｒｙｔｉｓ）から単離されている。
【０３６３】
ハロペルオキシダーゼはまた、シュードモナス属（Ｐｓｅｕｄｏｍｏｎａｓ）、例えば、Ｐ．ピロシニア（Ｐ．ｐｙｒｒｏｃｉｎｉａ）およびストレプトマイセス属（Ｓｔｒｅｐｔｏｍｙｃｅｓ）、例えば、Ｓ．オーレオファシエンス（Ｓ．ａｕｒｅｏｆａｃｉｅｎｓ）などの細菌からも単離されている。
【０３６４】
好ましい実施形態では、ハロペルオキシダーゼは、クルブラリア属（Ｃｕｒｖｕｌａｒｉａ  ｓｐ．）、特に、クルブラリア・ベルクローサ（Ｃｕｒｖｕｌａｒｉａ  ｖｅｒｒｕｃｕｌｏｓａ）およびクルブラリア・イナエクアリス（Ｃｕｒｖｕｌａｒｉａ  ｉｎａｅｑｕａｌｉｓ）、例えば、国際公開第９５／２７０４６号パンフレットに記載のＣ．イナエクアリス（Ｃ．ｉｎａｅｑｕａｌｉｓ）ＣＢＳ１０２．４２；または国際公開第９７／０４１０２号パンフレットに記載のＣ．ベルクローサ（Ｃ．ｖｅｒｒｕｃｕｌｏｓａ）ＣＢＳ１４７．６３もしくはＣ．ベルクローサ（Ｃ．ｖｅｒｒｕｃｕｌｏｓａ）ＣＢＳ４４４．７０；または国際公開第０１／７９４５９号パンフレットに記載のドレクスレラ・ハルトレビイ（Ｄｒｅｃｈｓｌｅｒａ  ｈａｒｔｌｅｂｉｉ）、国際公開第０１／７９４５８号パンフレットに記載のデンドリフィエラ・サリナ（Ｄｅｎｄｒｙｐｈｉｅｌｌａ  ｓａｌｉｎａ）、国際公開第０１／７９４６１号パンフレットに記載のファエオトリココニス・クロタラリエ（Ｐｈａｅｏｔｒｉｃｈｏｃｏｎｉｓ  ｃｒｏｔａｌａｒｉｅ）、または国際公開第０１／７９４６０号パンフレットに記載のジェニクロスポリウム属（Ｇｅｎｉｃｕｌｏｓｐｏｒｉｕｍ  ｓｐ．）から得ることができる。
【０３６５】
本発明のオキシダーゼは、特に、酵素分類ＥＣ１．１０．３．２に含まれるいずれかのラッカーゼ酵素、またはそれから得られる、ラッカーゼ活性を呈示するいずれかの断片、または類似の活性を呈示する化合物、例えば、カテコールオキシダーゼ（ＥＣ１．１０．３．１）、ｏ−アミノフェノールオキシダーゼ（ＥＣ１．１０．３．４）、またはビリルビンオキシダーゼ（ＥＣ１．３．３．５）である。
【０３６６】
好ましいラッカーゼ酵素は、微生物由来の酵素である。酵素は、植物、細菌または真菌（糸状真菌および酵母を含む）から得ることができる。
【０３６７】
真菌由来の好適な例としては、以下の株：アスペルギルス属（Ａｓｐｅｒｇｉｌｌｕｓ）、ニューロスポラ属（Ｎｅｕｒｏｓｐｏｒａ）、例えば、Ｎ．クラッサ（Ｎ．ｃｒａｓｓａ）、ポドスポラ属（Ｐｏｄｏｓｐｏｒａ）、ボトリチス属（Ｂｏｔｒｙｔｉｓ）、コリビア属（Ｃｏｌｌｙｂｉａ）、ツリガネタケ属（Ｆｏｍｅｓ）、レンチヌス（Ｌｅｎｔｉｎｕｓ）、ヒラタケ属（Ｐｌｅｕｒｏｔｕｓ）、カワラタケ属（Ｔｒａｍｅｔｅｓ）、例えば、フルイカワラタケ（Ｔ．ｖｉｌｌｏｓａ）およびカワラタケ（Ｔ．ｖｅｒｓｉｃｏｌｏｒ）、リゾクトニア属（Ｒｈｉｚｏｃｔｏｎｉａ）、例えば、Ｒ．ソラニ（Ｒ．ｓｏｌａｎｉ）、ヒヨタケ属（Ｃｏｐｒｉｎｏｐｓｉｓ）、例えば、ウシグソヒトヨタケ（Ｃ．ｃｉｎｅｒｅａ）、ササクレヒトヨタケ（Ｃ．ｃｏｍａｔｕｓ）、ヒメヒトヨタケ（Ｃ．ｆｒｉｅｓｉｉ）、およびヒメヒガサヒトヨタケ（Ｃ．ｐｌｉｃａｔｉｌｉｓ）、ナヨタケ属（Ｐｓａｔｈｙｒｅｌｌａ）、例えば、イタチタケ（Ｐ．ｃｏｎｄｅｌｌｅａｎａ）、ヒカゲタケ属（Ｐａｎａｅｏｌｕｓ）、例えば、ワライタケ（Ｐ．ｐａｐｉｌｉｏｎａｃｅｕｓ）、ミセリオフトラ属（Ｍｙｃｅｌｉｏｐｈｔｈｏｒａ）、例えば、Ｍ．サーモフィラ（Ｍ．ｔｈｅｒｍｏｐｈｉｌａ）、シタリジウム属（Ｓｃｈｙｔａｌｉｄｉｕｍ）、例えば、Ｓ．サーモフィルム（Ｓ．ｔｈｅｒｍｏｐｈｉｌｕｍ）、ポリポルス属（Ｐｏｌｙｐｏｒｕｓ）、例えばＰ．ピンシツス（Ｐ．ｐｉｎｓｉｔｕｓ）、フレビア属（Ｐｈｌｅｂｉａ）、例えば、Ｐ．ラジアータ（Ｐ．ｒａｄｉａｔａ）（国際公開第９２／０１０４６号パンフレット）、またはコリオルス属（Ｃｏｒｉｏｌｕｓ）、例えば、Ｃ．ヒルスツス（Ｃ．ｈｉｒｓｕｔｕｓ）（ＪＰ第２２３８８８５号公報）から得られるラッカーゼが挙げられる。
【０３６８】
細菌由来の好適な例としては、バチルス属（Ｂａｃｉｌｌｕｓ）の株から得られるラッカーゼが挙げられる。
【０３６９】
ヒトヨタケ属（Ｃｏｐｒｉｎｏｐｓｉｓ）またはミセリオフトラ属（Ｍｙｃｅｌｉｏｐｈｔｈｏｒａ）由来のラッカーゼ；特に、国際公開第９７／０８３２５号パンフレットに開示のウシグソヒトヨタケ（Ｃｏｐｒｉｎｏｐｓｉｓ  ｃｉｎｅｒｅａ）から得られるラッカーゼ；または国際公開第９５／３３８３６号パンフレットに開示のミセリオフトラ・サーモフィラ（Ｍｙｃｅｌｉｏｐｈｔｈｏｒａ  ｔｈｅｒｍｏｐｈｉｌａ）が好ましい。
【０３７０】
洗剤酵素は、１種または複数種の酵素を含有する個別の添加剤を加えることにより、または、これらの酵素のすべてを含む複合添加剤を加えることにより、洗剤組成物に含まれていてもよい。本発明の洗剤添加剤（すなわち、個別の添加剤または複合添加剤）は、例えば、粒質物、液体、スラリーなどとして配合されることが可能である。好ましい洗剤添加剤配合物は、粒質物、特に非発塵性粒質物、液体、特に安定化された液体またはスラリーである。
【０３７１】
非発塵性粒質物は、例えば、米国特許第４，１０６，９９１号明細書および米国特許第４，６６１，４５２号明細書に開示のとおり生成され得、任意により、技術分野において公知である方法によりコーティングされてもよい。ワックス状コーティング材の例は、１０００〜２００００の平均モル重量を有するポリ（エチレンオキシド）生成物（ポリエチレングリコール、ＰＥＧ）；１６〜５０個のエチレンオキシドユニットを有するエトキシル化ノニルフェノール；アルコールが１２〜２０個の炭素原子を含有し、および、１５〜８０個のエチレンオキシドユニットが存在するエトキシル化脂肪族アルコール；脂肪族アルコール；脂肪酸；ならびに、脂肪酸のモノ−およびジ−およびトリグリセリドである。流動床技術による用途に対して好適なフィルム形成性コーティング材の例は英国特許第１４８３５９１号明細書に記載されている。液体酵素調製物は、例えば、確立された方法に従って、プロピレングリコールなどのポリオール、糖質または糖質アルコール、乳酸またはホウ酸を添加することにより安定化され得る。保護された酵素は、欧州特許第２３８，２１６号明細書に開示されている方法に従って調製され得る。
【０３７２】
他の材料
洗剤において用いられる技術分野において公知であるいずれかの洗剤成分もまた利用され得る。他の任意の洗剤成分としては、単独もしくは組み合わせで、耐食剤、収縮防止剤、再汚染防止剤、しわ防止剤、殺菌剤、バインダ、腐食抑制剤、崩壊剤／分解剤、染料、酵素安定化剤（ホウ酸、ホウ酸塩、ＣＭＣ、および／または、プロピレングリコールなどのポリオールを含む）、クレイを含む布地コンディショナ、充填材／加工助剤、蛍光性白色化剤／光学増白剤、起泡増進剤、起泡（セッケンの泡）調節剤、香料、汚染物−懸濁剤、軟化剤、セッケン泡抑制剤、色あせ防止剤、および、ウィッキング剤が挙げられる。洗剤において用いられる技術分野において公知であるいずれかの処方成分が利用され得る。このような処方成分の選択は十分に当業者の技能の範囲内である。
【０３７３】
分散剤−本発明の洗剤組成物はまた、分散剤を含有することが可能である。特に粉末洗剤が分散剤を含んでいてもよい。好適な水溶性有機材料としては、ホモ−またはコポリマー酸またはその塩が挙げられ、ここで、ポリカルボン酸は、２個以下の炭素原子によって相互に分離された少なくとも２つのカルボキシルラジカルを含む。好適な分散剤は、例えば、Ｐｏｗｄｅｒｅｄ  Ｄｅｔｅｒｇｅｎｔｓ，  Ｓｕｒｆａｃｔａｎｔ  ｓｃｉｅｎｃｅ  ｓｅｒｉｅｓ  ｖｏｌｕｍｅ  ７１，Ｍａｒｃｅｌ  Ｄｅｋｋｅｒ，Ｉｎｃ．に記載されている。
【０３７４】
移染防止剤−本発明の洗剤組成物はまた、１種または複数種の移染防止剤を含み得る。好適な高分子移染防止剤としては、これらに限定されないが、ポリビニルピロリドンポリマー、ポリアミンＮ−オキシドポリマー、Ｎ−ビニルピロリドンおよびＮ−ビニルイミダゾールのコポリマー、ポリビニルオキサゾリドンおよびポリビニルイミダゾールまたはこれらの混合物が挙げられる。主題の組成物中に存在する場合、移染防止剤は、組成物の約０．０００１％〜約１０％、約０．０１％〜約５％、または、さらには約０．１％〜約３重量％のレベルで存在し得る。
【０３７５】
蛍光性白色化剤−本発明の洗剤組成物はまた、好ましくは、蛍光性白色化剤または光学増白剤などのクリーニングされる物品の色合いを変え得る追加の成分を含有するであろう。存在する場合、増白剤は、約０，０１％〜約０，５％のレベルであることが好ましい。ランドリー洗剤組成物での使用に好適であれば、どんな蛍光性白色化剤を本発明の組成物に用いてもよい。最も一般的に用いられる蛍光性白色化剤は、ジアミノスチルベン−スルホン酸誘導体、ジアリールピラゾリン誘導体およびビスフェニル−ジスチリル誘導体のクラスに属するものである。ジアミノスチルベン−スルホン酸誘導体タイプの蛍光性白色化剤の例としては、以下：４，４’−ビス−（２−ジエタノールアミノ−４−アニリノ−ｓ−トリアジン−６−イルアミノ）スチルベン−２，２’−ジスルホネート、４，４’−ビス−（２，４−ジアニリノ−ｓ−トリアジン−６−イルアミノ）スチルベン−２．２’−ジスルホネート、４，４’−ビス−（２−アニリノ−４（Ｎ−メチル−Ｎ−２−ヒドロキシ−エチルアミノ）−ｓ−トリアジン−６−イルアミノ）スチルベン−２，２’−ジスルホネート、４，４’−ビス−（４−フェニル−１，２，３トリアゾール−２−イル）スチルベン−２，２’−ジスルホネートおよびナトリウム５−（２Ｈ−ナフト［１，２−ｄ］［１，２，３］トリアゾール−２−イル）−２−［（Ｅ）−２−フェニルビニル］ベンゼンスルホネートのナトリウム塩が挙げられる。好ましい蛍光性白色化剤は、Ｃｉｂａ−Ｇｅｉｇｙ  ＡＧ，Ｂａｓｅｌ，Ｓｗｉｔｚｅｒｌａｎｄから市販されているＴｉｎｏｐａｌ  ＤＭＳおよびＴｉｎｏｐａｌ  ＣＢＳである。Ｔｉｎｏｐａｌ  ＤＭＳは、４，４’−ビス−（２−モルホリノ−４−アニリノ−ｓ−トリアジン−６−イルアミノ）スチルベン−２，２’−ジスルホネートの二ナトリウム塩である。Ｔｉｎｏｐａｌ  ＣＢＳは、２，２’−ビス−（フェニル−スチリル）−ジスルホネートの二ナトリウム塩である。また、好ましい蛍光性白色化剤は、Ｐａｒａｍｏｕｎｔ  Ｍｉｎｅｒａｌｓ  ａｎｄ  Ｃｈｅｍｉｃａｌｓ，Ｍｕｍｂａｉ，Ｉｎｄｉａ製の市販のＰａｒａｗｈｉｔｅ  ＫＸである。Ｔｉｎｏｐａｌ  ＣＢＳ−Ｘは、ジスチリルビフェニルジスルホン酸二ナトリウムとしても知られている、４，４’−ビス−（スルホスチリル）−ビフェニルニナトリウム塩である。本発明における使用に好適な他の蛍光剤としては、１−３−ジアリールピラゾリンおよび７−アルキルアミノクマリンが挙げられる。
【０３７６】
好適な蛍光性増白剤レベルは、約０．０１、０．０５、約０．１、または、さらには約０．２重量％の下限レベルから、０．５またはさらには０．７５重量％の上限レベルを含む。
【０３７７】
汚染物遊離ポリマー−本発明の洗剤組成物はまた、綿およびポリエステル系布地などの布地からの汚染物の除去、特にポリエステル系布地からの疎水性汚染物の除去を補助する１種または複数種の汚染物遊離ポリマーを含み得る。汚染物遊離ポリマーは、例えば、ノニオン性またはアニオン性テレフタレート系ポリマー、ポリビニルカプロラクタムおよび関連するコポリマー、ビニルグラフトコポリマー、ポリエステルポリアミドであり得る（例えばＣｈａｐｔｅｒ  ７，Ｐｏｗｄｅｒｅｄ  Ｄｅｔｅｒｇｅｎｔｓ，Ｓｕｒｆａｃｔａｎｔ  ｓｃｉｅｎｃｅ  ｓｅｒｉｅｓ  ｖｏｌｕｍｅ  ７１，Ｍａｒｃｅｌ  Ｄｅｋｋｅｒ，Ｉｎｃ．を参照のこと）。他のタイプの汚染物遊離ポリマーは、コア構造と、このコア構造に結合した複数のアルコキシレート基とを含む両親媒性アルコキシル化油脂クリーニングポリマーである。コア構造は、国際公開第２００９／０８７５２３号パンフレット（本明細書において参照により援用されている）に詳述されているとおり、ポリアルキレンイミン構造またはポリアルカノールアミン構造を含み得る。さらに、ランダムグラフトコポリマーは、好適な汚染物遊離ポリマーである。好適なグラフトコポリマーは、国際公開第２００７／１３８０５４号パンフレット、国際公開第２００６／１０８８５６号パンフレットおよび国際公開第２００６／１１３３１４号パンフレット（本明細書において参照により援用されている）により詳細に記載されている。他の汚染物遊離ポリマーは、欧州特許第１８６７８０８号明細書または国際公開第２００３／０４０２７９号パンフレット（共に本明細書において参照により援用されている）に記載されているものなどの変性セルロース誘導体などの特に置換セルロース系構造といった置換多糖類構造である。好適なセルロース系ポリマーとしては、セルロース、セルロースエーテル、セルロースエステル、セルロースアミドおよびこれらの混合物が挙げられる。好適なセルロース系ポリマーとしては、アニオン性変性セルロース、ノニオン性変性セルロース、カチオン性変性セルロース、両性イオン性変性セルロース、および、これらの混合物が挙げられる。好適なセルロース系ポリマーとしては、メチルセルロース、カルボキシメチルセルロース、エチルセルロース、ヒドロキシルエチルセルロース、ヒドロキシルプロピルメチルセルロース、エステルカルボキシメチルセルロースおよびこれらの混合物が挙げられる。
【０３７８】
再汚染防止剤−本発明の洗剤組成物としてはまた、カルボキシメチルセルロース（ＣＭＣ）、ポリビニルアルコール（ＰＶＡ）、ポリビニルピロリドン（ＰＶＰ）、ポリオキシエチレンおよび／またはポリエチレングリコール（ＰＥＧ）、アクリル酸のホモポリマー、アクリル酸とマレイン酸とのコポリマー、ならびに、エトキシル化ポリエチレンイミンなどの１種または複数種の再汚染防止剤が挙げられ得る。上記の汚染物遊離ポリマーに記載のセルロース系ポリマーは、再汚染防止剤としても機能し得る。
【０３７９】
レオロジー改質剤
本発明の洗剤組成物は、粘度降下剤とは異なる、１種または複数種のレオロジー改質剤、構造化剤（ｓｔｒｕｃｔｕｒａｎｔ）または増粘剤を含んでもよい。粘度降下剤は、液体洗剤組成物の水性液体マトリックスにせん断減粘性を付与する、非ポリマー性結晶、ヒドロキシ−機能材料、ポリマー性レオロジー改質剤からなる群から選択される。洗剤のレオロジーおよび粘性は、例えば、欧州特許第２１６９０４０号明細書に示すように、当分野で公知の方法により、改変および調節することができる。
【０３８０】
その他の好適な補助材としては、これらに限定されないが、収縮防止剤、しわ防止剤、殺菌剤、バインダ、キャリア、染料、酵素安定化剤、布地軟化剤、充填材、起泡調節剤、ヒドロトロープ、香料、顔料、セッケン泡抑制剤、溶剤、液体洗剤用構造化剤、および／または、構造弾性化剤が挙げられる。
【０３８１】
洗剤生成物の配合物
本発明の洗剤組成物は、例えば、バー、均質な錠剤、２つ以上の層を有する錠剤、１つまたは複数のコンパートメントを有するポーチ、通常のもしくは圧縮された粉末、顆粒、ペースト、ゲル、または、通常の、圧縮もしくは濃縮液体といったいずれかの簡便な形態であってよい。
【０３８２】
ポーチは、単一または複数のコンパートメントとして構成されることが可能である。例えば水との接触に先だってポーチから組成物が漏れ出るような組成物の漏れが防止される、組成物の保持に好適であれば如何なる形態、形状および材料のものであることも可能である。ポーチは、内部容積を有する水溶性フィルム製のものである。前記内部容積は、ポーチのコンパートメントに分離されていることが可能である。好ましいフィルムは、フィルムまたはシートに形成される好ましくはポリマーである高分子材料である。好ましいポリマー、コポリマーまたはその誘導体は、ポリアクリレート、および、水溶性アクリレートコポリマー、メチルセルロース、カルボキシメチルセルロース、ナトリウムデキストリン、エチルセルロース、ヒドロキシエチルセルロース、ヒドロキシプロピルメチルセルロース、マルトデキストリン、ポリメタクリレート、最も好ましくはポリビニルアルコールコポリマーおよびヒドロキシプロピルメチルセルロース（ＨＰＭＣ）から選択される。好ましくは、フィルム中のポリマーのレベルは、例えばＰＶＡで少なくとも約６０％である。好ましい平均分子量は、典型的には約２０，０００〜約１５０，０００であろう。フィルムはまた、ポリアクチドおよびポリビニルアルコール（ＭｏｎｏＳｏｌ  ＬＬＣ，Ｉｎｄｉａｎａ，ＵＳＡから市販されている商品名Ｍ８６３０で知られている）などの加水分解により分解性で、水溶性ポリマーのブレンドと、グリセロール、エチレングリセロール、プロピレングリコール、ソルビトールおよびこれらの混合物などの可塑剤とを含むブレンド組成物から成るものであってよい。ポーチは、水溶性フィルムにより分離された固体ランドリークリーニング組成物または部分成分および／または液体クリーニング組成物または部分成分を含んでいることが可能である。液体成分用のコンパートメントは、固形分を含有するコンパートメントとは組成が異なっていることが可能である：米国特許出願公開第２００９／００１１９７０  Ａ１号明細書。
【０３８３】
洗剤処方成分は、水溶性ポーチ中のコンパートメントにより、または、錠剤の異なる層中において相互に物理的に分離されていることが可能である。これにより、成分間の負の保管相互作用を防止することが可能である。コンパートメントの各々の異なる溶解プロファイルはまた、洗浄溶液中における選択された成分の溶解を遅延させることが可能である。
【０３８４】
単位用量にない液体またはゲル洗剤は、水性であり得、典型的には、最大で約７０％の水、最大で約６５％の水、最大で約５５％の水、最大で約４５％の水、最大で約３５％の水などの少なくとも２０重量％および最大で９５％の水を含有し得る。特に限定されないが、アルカノール、アミン、ジオール、エーテルおよびポリオールを含む他のタイプの液体が、水性液体またはゲル中に含まれていてもよい。水性液体またはゲル洗剤は０〜３０％の有機溶剤を含有していてもよい。
【０３８５】
液体またはゲル洗剤は非水性であってもよい。
【０３８６】
固形洗濯石鹸
本発明のＤＮａｓｅは、固形洗濯石鹸に添加して、ランドリー、布地および／または生地の手洗いのために用いることができる。「固形洗濯石鹸」と言う用語は、洗濯石鹸、固形石鹸、複合化粧石鹸、合成化粧石鹸および洗剤石鹸を含む。固形石鹸の種類は一般に、それらが含有する界面活性剤の種類が異なり、固形洗濯石鹸と言う用語は、脂肪酸由来の石鹸および／または合成石鹸を含むものを包含する。固形洗濯石鹸は、室温で固体の物理的形態をしており、液体、ジェルまたは粉末ではない。固形と言う用語は、時間が経過しても有意に変化しない物理的形態として定義する。すなわち、固形物（例えば、固形洗濯石鹸）が容器内に配置されていれば、固形物が変化して、それが配置されている容器を充填することはない。固形洗濯石鹸は、典型的に、棒状であるが、丸や楕円形などの別の形状をしていてもよい。
【０３８７】
固形洗濯石鹸は、１つまたは複数の酵素、ペプチドアルデヒド（またはハイドロサルファイト付加物もしくはヘミアセタール付加物）などのプロテアーゼ阻害剤、ホウ酸、ホウ酸塩、ホウ砂および／またはフェニルボロン酸誘導体、例えば、４−ホルミルフェニルホウ酸、１種または複数種の石鹸もしくは合成界面活性剤、グリセリンなどのポリオール、脂肪酸、クエン酸、酢酸および／もしくはギ酸などのｐＨ制御化合物、ならびに／または一価カチオンおよび有機アニオンの塩を含みうるが、ここで、一価カチオンは例えば、Ｎａ+、Ｋ+もしくはＮＨ4+であってよく、また、有機アニオンは、例えば、ギ酸塩、酢酸塩、クエン酸塩もしくは乳酸塩であってよく、従って、一価カチオンと有機アニオンの塩は、例えば、ギ酸ナトリウムであってよい。
【０３８８】
固形洗濯石鹸はまた、ＥＤＴＡおよびＨＥＤＰのような錯化剤、香料および／または別の種類の充填材、界面活性剤、例えば、アニオン系合成界面活性剤、ビルダー、ポリマー系汚れ放出剤、洗剤キレート剤、安定剤、充填材、染料、着色剤、移染防止剤、アルコキシル化ポリカーボネート、泡抑制剤、組織化剤、結合剤、浸出剤、漂白活性化剤、泥汚れ除去剤、再付着防止剤、ポリマー系分散剤、増白材、布柔軟剤、香料および／または当分野では公知のその他の化合物を含んでもよい。
【０３８９】
固形洗濯石鹸は、限定するものではないが、ミキサー、プロッダー（ｐｌｏｄｄｅｒ）（例えば、２段式真空プロッダー）、押出機、カッター、ロゴスタンパー、冷却トンネルおよびラッピング装置などの従来の固形洗濯石鹸製造設備において処理してよい。本発明は、いずれかの単一の方法で固形洗濯石鹸を製造することに限定されない。本発明のプレミックスを工程の様々な段階で石鹸に添加してもよい。例えば、石鹸、ＤＮａｓｅ、任意選択で１種または複数種の別の酵素、プロテアーゼ阻害剤、ならびに一価カチオンと有機アニオンの塩を含有するプレミックスを調製した後、混合物をプロッド（ｐｌｏｄ）する。ＤＮａｓｅと任意選択の別の酵素は、例えば、液状で、プロテアーゼ阻害剤と同時に添加してもよい。混合ステップおよびプロッドステップ以外に、この方法は、粉砕、押出、切断、スタンピング、冷却および／またはラッピングのステップをさらに含んでもよい。
【０３９０】
複合顆粒（ｃｏ−ｇｒａｎｕｌｅ）状の酵素の配合物
ＤＮａｓｅは、例えば、１種または複数種の酵素を組み合わせた複合顆粒といた顆粒として配合してもよい。その場合、各酵素は、より多くの顆粒中に存在して、洗剤中への酵素のより均質な分布を確実にするであろう。これはまた、様々な粒径による多種酵素の物理的分離も抑制する。洗剤業界用の多酵素複合顆粒を生成する方法は、ＩＰ．ｃｏｍ開示ＩＰＣＯＭ０００２００７３９Ｄに開示されている。
【０３９１】
複合顆粒の使用による酵素の配合の別の例が、国際公開第２０１３／１８８３３１号パンフレットに開示されており、これは、（ａ）多酵素複合顆粒；（ｂ）１０ｗｔ未満のゼオライト（無水物基準）；および（ｃ）１０ｗｔ未満のリン酸塩（無水物基準）を含む洗剤組成物に関し、ここで、前記酵素複合顆粒は、１０〜９８重量％の水分シンク（ｍｏｉｓｔｕｒｅ  ｓｉｎｋ）成分を含み、組成物は、さらに、２０〜８０重量％の洗剤水分シンク（ｍｏｉｓｔｕｒｅ  ｓｉｎｋ）成分を含む。国際公開第２０１３／１８８３３１号パンフレットはまた、表面、好ましくは布地表面を処理および／またはクリーニングする方法にも関し、この方法は、（ｉ）前記表面を特許請求の範囲に記載され、また、本明細書に記載される水性洗浄液中の洗剤組成物と接触させるステップ、（ｉｉ）表面をすすぎ、および／または乾燥させるステップを含む。
【０３９２】
多酵素複合顆粒は、ＤＮａｓｅと、（ａ）第１洗浄用リパーゼ、クリーニング用セルラーゼ、キシログルカナーゼ、ペルヒドロラーゼ、ペルオキシダーゼ、リポキシゲナーゼ、ラッカーゼおよびこれらの混合物からなる群から選択される１種または複数種の酵素；ならびに（ｂ）以下：ヘミセルラーゼ、プロテーゼ、ケア用セルラーゼ、セロビオースデヒドロゲナーゼ、キシラナーゼ、ホスホリパーゼ、エステラーゼ、クチナーゼ、ペクチナーゼ、マンナーゼ、ペクチン酸リアーゼ、ケラチナーゼ、レダクターゼ、オキシダーゼ、フェノールオキシダーゼ、リグニナーゼ、プルラナーゼ、タンナーゼ、ペントサナーゼ、リケナーゼ、グルカナーゼ、アラビノシダーゼ、ヒアルロニダーゼ、コンドロイチナーゼ、アミラーゼ、およびこれらの混合物からなる群から選択される１種または複数種の酵素を含んでもよい。
【０３９３】
本発明は、以下のパラグラフにまとめる：
１．品目からバイオフィルムを防止、低減または除去するためのＤＮａｓｅ活性を有するポリペプチドの使用であって、ポリペプチドが、真菌供給源から得られ、品目が生地である、使用。
２．品目の粘着性を防止、低減または除去するためのパラグラフ１に記載の使用。
３．品目の汚れを前処理するためのパラグラフ１または２のいずれかに記載の使用。
４．洗浄サイクル中の汚れの再付着を防止、低減または除去するためのパラグラフ１〜３のいずれかに記載の使用。
５．品目への汚れの付着を防止、低減または除去するためのパラグラフ１〜４のいずれかに記載の使用。
６．品目の白色度を維持または改善するための先行するパラグラフのいずれかに記載の使用。
７．ポリペプチドが、パラグラフ４７〜５６に記載のポリペプチドである、先行するパラグラフのいずれかに記載の使用。
８．品目から悪臭を低減または除去する、先行するパラグラフのいずれかに記載の使用。
９．悪臭が、Ｅ−２ノネナールを原因とする、先行するパラグラフのいずれかに記載の使用。
１０．濡れた生地に存在するＥ−２ノネナールの量を低減または除去する、先行するパラグラフのいずれかに記載の使用。
１１．乾いた生地に存在するＥ−２ノネナールの量を低減または除去する、先行するパラグラフのいずれかに記載の使用。
１２．デオキシリボヌクレアーゼ（ＤＮａｓｅ）活性を有するポリペプチドと、洗剤補助成分を含む洗剤組成物であって、ポリペプチドが、真菌供給源から得られる、洗剤組成物。
１３．ポリペプチドが、アスペルギルス属（Ａｓｐｅｒｇｉｌｌｕｓ）から得られる、パラグラフ１２に記載の洗剤組成物。
１４．ポリペプチドが、アスペルギルス・オリゼー（Ａｓｐｅｒｇｉｌｌｕｓ  ｏｒｙｚａｅ）から得られる、先行する組成物パラグラフのいずれかに記載の洗剤組成物。
１５．ポリペプチドが、パラグラフ４７〜５６に記載のポリペプチドである、先行するパラグラフのいずれかに記載の洗剤組成物。
１６．洗剤補助成分が、以下：界面活性剤、ビルダー、凝集助剤、キレート化剤、移染防止剤、酵素、酵素安定剤、酵素阻害剤、触媒材料、漂白活性化剤、過酸化水素、過酸化水素の供給源、事前形成された過酸（ｐｒｅｆｏｒｍｅｄ  ｐｅｒａｃｉｄ）、ポリマー分散剤、泥汚れ除去／再付着防止剤、増白剤、セッケン泡抑制剤、染料、香料、構造弾性化剤、布地柔軟剤、キャリア、ヒドロトロープ、ビルターおよびコビルダー、布地色相剤、消泡剤、分散剤、加工助剤、および／または顔料からなる群から選択される、先行する組成物パラグラフのいずれかに記載の洗剤組成物。
１７．組成物が、以下：プロテアーゼ、リパーゼ、クチナーゼ、アミラーゼ、カルボヒドラーゼ、セルラーゼ、ペクチナーゼ、マンナナーゼ、アラビナーゼ、ガラクタナーゼ、キシラナーゼおよびオキシダーゼからなる群から選択される１種または複数種の酵素をさらに含む、先行する組成物パラグラフのいずれかに記載の洗剤組成物。
１８．酵素が、動物、植物または微生物由来のプロテアーゼである、先行する組成物パラグラフのいずれかに記載の洗剤組成物。
１９．プロテアーゼが、化学的に修飾されているか、またはタンパク質改変されている、先行する組成物パラグラフのいずれかに記載の洗剤組成物。
２０．プロテアーゼが、セリンプロテアーゼまたはメタロプロテアーゼ、好ましくはアルカリ微生物プロテアーゼまたはトリプシン様プロテアーゼである、先行する組成物パラグラフのいずれかに記載の洗剤組成物。
２１．プロテアーゼが、以下：バチルス属（Ｂａｃｉｌｌｕｓ）、例えば、スブチリシン・ノボ（Ｎｏｖｏ）、スブチリシン・カールスバーグ（Ｃａｒｌｓｂｅｒｇ）、スブチリシン３０９、スブチリシン１４７、スブチリシン１６８、ウシ由来のトリプシン、ブタ由来のトリプシン、およびフサリウム（Ｆｕｓａｒｉｕｍ）プロテアーゼからなる群から選択される、先行する組成物パラグラフのいずれかに記載の洗剤組成物。
２２．プロテアーゼが、配列番号１０に対して、少なくとも９０％、例えば、少なくとも９５％の配列同一性を有する、先行する組成物パラグラフのいずれかに記載の洗剤組成物。
２３．プロテアーゼが、配列番号１０のアミノ酸配列、または次の位置：２７、３６、５７、７６、８７、９７、１０１、１０４、１２０、１２３、１６７、１７０、１９４、２０６、２１８、２２２、２２４、２３５、および２７４の１つまたは複数に置換を有するその変異体に対して、少なくとも９０％の配列同一性を有し、好ましくは、変異体は、次の置換：Ｍ２２２Ｓまたは置換Ｎ７６Ｄ＋Ｇ１９５Ｅを伴い、配列番号１０のアミノ酸配列に対して、少なくとも９０％の同一性を有するアルカリプロテアーゼである、先行する組成物パラグラフのいずれかに記載の洗剤組成物。
２４．洗剤組成物が、以下：アシネトバクター属（Ａｃｉｎｅｔｏｂａｃｔｅｒ  ｓｐ．）、アエロミクロビウム属（Ａｅｒｏｍｉｃｒｏｂｉｕｍ  ｓｐ．）、ブレバンジモナス属（Ｂｒｅｖｕｎｄｉｍｏｎａｓ  ｓｐ．）、ミクロバクテリウム属（Ｍｉｃｒｏｂａｃｔｅｒｉｕｍ  ｓｐ．）、ミクロコッカス・ルテウス（Ｍｉｃｒｏｃｏｃｃｕｓ  Ｌｕｔｅｕｓ）、シュードモナス属（Ｐｓｅｕｄｏｍｏｎａｓ  ｓｐ．）、表皮ブドウ球菌（Ｓｔａｐｈｙｌｏｃｏｃｃｕｓ  ｅｐｉｄｅｒｍｉｄｉｓ）、およびステノトロホモナス属（Ｓｔｅｎｏｔｒｏｐｈｏｍｏｎａｓ  ｓｐ．）からなる群から選択される細菌の、表面への付着を低減する、またはそれらが付着した表面から細菌を解離させることができる、先行する組成物パラグラフのいずれかに記載の洗剤組成物。
２５．表面が、生地表面である、先行する組成物パラグラフのいずれかに記載の洗剤組成物。
２６．生地が、綿、綿／ポリエステル、ポリエステル、ポリアミド、ポリアクリルおよび／または絹から製造されたものである、先行する組成物パラグラフのいずれかに記載の洗剤組成物。
２７．洗剤組成物が、バー、均質錠剤、２つ以上の層を有する錠剤、１つまたは複数のコンパートメントを有するポーチ、通常または圧縮粉末、顆粒、ペースト、ゲル、または通常、圧縮もしくは濃縮液体である、先行する組成物パラグラフのいずれかに記載の洗剤組成物。
２８．組成物が、液体洗剤、粉末洗剤または顆粒状洗剤である、先行する組成物パラグラフのいずれかに記載の洗剤組成物。
２９．品目を洗濯する方法であって、以下：
ａ．パラグラフ４７〜５６に記載のポリペプチドを含む洗浄液またはパラグラフ１２〜２８のいずれかに記載の洗剤組成物に、品目を曝露するステップ；
ｂ．少なくとも１つの洗浄サイクルを完了するステップ；および
ｃ．任意選択で品目をすすぐステップ
を含み、
ここで、上記品目は生地である、方法。
３０．洗浄液のｐＨが、１〜１１の範囲である、パラグラフ２８に記載の方法。
３１．洗浄液のｐＨが、５．５〜１１の範囲、例えば、７〜９の範囲、７〜８の範囲または７〜８．５の範囲である、先行する方法パラグラフのいずれかに記載の方法。
３２．洗浄液の温度が、５℃〜９５℃の範囲、または１０℃〜８０℃の範囲、１０℃〜７０℃の範囲、１０℃〜６０℃の範囲、１０℃〜５０℃の範囲、１５℃〜４０℃の範囲または２０℃〜３０℃の範囲である、先行する方法パラグラフのいずれかに記載の方法。
３３．洗浄液の温度が、３０℃である、先行する方法パラグラフのいずれかに記載の方法。
３４．方法が、洗浄サイクルの完了後に洗浄液または洗浄液の一部を排出するステップをさらに含む、先行する方法パラグラフのいずれかに記載の方法。
３５．第１洗浄サイクル、および任意選択で第２または第３洗浄サイクル中に、品目を洗浄液に曝露する、先行する方法パラグラフのいずれかに記載の方法。
３６．洗浄液に曝露した後、品目をすすぐ、先行する方法パラグラフのいずれかに記載の方法。
３７．水またはコンディショナを含む水で品目をすすぐ、先行する方法パラグラフのいずれかに記載の方法。
３８．品目の粘着性が低減される、先行する方法パラグラフのいずれかに記載の方法。
３９．パラグラフ４７〜５６に記載のポリペプチドまたはパラグラフ１２〜２８のいずれかに記載の洗剤組成物で、品目に存在する汚れを前処理する、先行する方法パラグラフのいずれかに記載の方法。
４０．汚れの再付着が低減される、先行する方法パラグラフのいずれかに記載の方法。
４１．品目に対する汚れの付着が低減または除去される、先行する方法パラグラフのいずれかに記載の方法。
４２．品目の白色度が維持または改善される、先行する方法パラグラフのいずれかに記載の方法。
４３．品目から悪臭が低減または除去される、先行する方法パラグラフのいずれかに記載の方法。
４４．悪臭が、Ｅ−２ノネナールを原因とする、先行する方法パラグラフのいずれかに記載の方法。
４５．濡れた、もしくは乾いた生地に存在するＥ−２ノネナールの量が低減または除去される、先行する方法パラグラフのいずれかに記載の方法。
４６．洗浄液中のポリペプチドの濃度が、洗浄液１リットル当たり、少なくとも１ｍｇのＤＮａｓｅタンパク質、例えば、少なくとも５ｍｇのタンパク質、好ましくは少なくとも１０ｍｇのタンパク質、より好ましくは少なくとも１５ｍｇのタンパク質、さらに好ましくは少なくとも２０ｍｇのタンパク質、非常に好ましくは少なくとも３０ｍｇのタンパク質、最も好ましくは少なくとも４０ｍｇのタンパク質である、先行する方法パラグラフのいずれかに記載の方法。
４７．ＤＮａｓｅ活性を有するポリペプチドであって、以下：
ａ．配列番号２の成熟型ポリペプチドに対して、少なくとも６０％の配列同一性を有するポリペプチド、または配列番号９の成熟型ポリペプチドに対して、少なくとも６０％の配列同一性を有するポリペプチド；
ｂ．低度の緊縮条件下で、
ｉ．配列番号１の成熟型ポリペプチドコード配列、
ｉｉ．そのｃＤＮＡ配列、または
ｉｉｉ．（ｉ）もしくは（ｉｉ）の完全長相補体
にハイブリダイズするポリヌクレオチドによりコードされるポリペプチド；
ｃ．配列番号１の成熟型ポリペプチドコード配列またはそのｃＤＮＡ配列に対して、少なくとも６０％の配列同一性を有するポリヌクレオチドによりコードされるポリペプチド；
ｄ．１つまたは複数の位置に置換、欠失および／もしくは挿入を含む、配列番号２の成熟型ポリペプチドの変異体、または１つまたは複数の位置に置換、欠失および／もしくは挿入を含む、配列番号９の成熟型ポリペプチドの変異体；ならびに
ｅ．ＤＮａｓｅ活性を有する（ａ）、（ｂ）、（ｃ）、または（ｄ）のポリペプチドの断片からなる群から選択される、ポリペプチド。
４８．配列番号２の成熟型ポリペプチドまたは配列番号９の成熟型ポリペプチドに対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有する、パラグラフ４７に記載のポリペプチド。
４９．低度の緊縮条件、低度−中度の緊縮条件、中度の緊縮条件、中度−高度の緊縮条件、高度の緊縮条件、または極めて高度の緊縮条件下で、
ｉ．配列番号１の成熟型ポリペプチドコード配列、
ｉｉ．そのｃＤＮＡ配列、または
ｉｉｉ．（ｉ）もしくは（ｉｉ）の完全長相補体
にハイブリダイズするポリヌクレオチドによりコードされる、パラグラフ４７または４８に記載のポリペプチド。
５０．配列番号１の成熟型ポリペプチドコード配列またはそのｃＤＮＡ配列に対して、少なくとも６０％、例えば、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、少なくとも９９％、または１００％の配列同一性を有するポリヌクレオチドによってコードされる、パラグラフ４７〜４９のいずれかに記載のポリペプチド。
５１．配列番号２もしくは配列番号２の成熟型ポリペプチドを含むか、またはこれから構成される、パラグラフ４７〜５０のいずれかに記載のポリペプチド。
５２．配列番号９もしくは配列番号９の成熟型ポリペプチドを含むか、またはこれから構成される、パラグラフ４７〜５０のいずれかに記載のポリペプチド。
５３．成熟型ポリペプチドが、配列番号２のアミノ酸１〜２０６である、パラグラフ５１に記載のポリペプチド。
５４．成熟型ポリペプチドが、配列番号９のアミノ酸１〜２０４である、パラグラフ５２に記載のポリペプチド。
５５．１つまたは複数の位置に置換、欠失および／もしくは挿入を含む、配列番号２の成熟型ポリペプチドの変異体、または１つまたは複数の位置に置換、欠失および／もしくは挿入を含む、配列番号９の成熟型ポリペプチドの変異体である、パラグラフ４７〜５６のいずれかに記載のポリペプチド。
５６．断片がＤＮａｓｅ活性を有する配列番号２の断片、または断片がＤＮａｓｅ活性を有する配列番号９の断片である、パラグラフ５５に記載のポリペプチド。
５７．パラグラフ４７〜５６のいずれかに記載のポリペプチドをコードするポリヌクレオチド。
５８．発現宿主において、ポリペプチドの産生を指令する１つまたは複数の制御配列に作動可能にリンクされたパラグラフ５７に記載のポリヌクレチドを含む、核酸構築物または発現ベクター。
５９．ポリペプチドの産生を指令する１つまたは複数の制御配列に作動可能にリンクされたパラグラフ５７〜５８に記載のポリヌクレチドを含む、組換え宿主細胞。
６０．パラグラフ４７〜５０のいずれかに記載のポリペプチドを生成する方法であって、その野生型形態でポリペプチドを産生する細胞を、ポリペプチドの産生を促す条件下で培養するステップを含む、パラグラフ４７〜５０のいずれかに記載の方法。
６１．ポリペプチドを回収するステップをさらに含む、パラグラフ６０に記載の方法。
６２．ＤＮａｓｅ活性を有するポリペプチドを生成する方法であって、ポリペプチドの産生を促す条件下で、パラグラフ５９に記載の宿主細胞を培養するステップを含む、方法。
６３．ポリペプチドを回収するステップをさらに含む、パラグラフ６２に記載の方法。
６４．配列番号２のアミノ酸−３７〜−１を含むか、またはこれから構成されるシグナルペプチドをコードするポリヌクレオチド。
６５．配列番号２のアミノ酸−１５〜−１を含むか、またはこれから構成されるプロペプチドをコードするポリヌクレオチドをさらに含む、請求項６４に記載のポリヌクレオチド。
６６．パラグラフ６５に記載のポリヌクレオチドに作動可能にリンクされたタンパク質をコードする遺伝子を含む核酸構築物または発現ベクターであって、遺伝子が、シグナルペプチドをコードするポリヌクレオチドに対して外来性である、核酸構築物または発現ベクター。
６７．パラグラフ６５に記載のポリヌクレオチドに作動可能にリンクされたタンパク質をコードする遺伝子を含む組換え宿主細胞であって、遺伝子が、シグナルペプチドをコードするポリヌクレオチドに対して外来性である、組換え宿主細胞。
６８．パラグラフ６４に記載のポリヌクレオチドに作動可能にリンクされたタンパク質をコードする遺伝子を含む組換え宿主細胞を、タンパク質の産生を促す条件下で培養するステップを含むタンパク質の生成方法であって、遺伝子が、シグナルペプチドをコードするポリヌクレオチドに対して外来性である、方法。
６９．タンパク質を回収するステップをさらに含む、パラグラフ６７に記載の方法。
７０．配列番号２のアミノ酸−１５〜−１を含むか、またはこれから構成されるプロペプチドをコードする、単離されたポリヌクレオチド。
７１．パラグラフ６４に記載のポリヌクレオチドに作動可能にリンクされたタンパク質をコードする遺伝子を含む核酸構築物または発現ベクターであって、遺伝子が、プロペプチドをコードするポリヌクレオチドに対して外来性である、核酸構築物または発現ベクター。
７２．パラグラフ６４に記載のポリヌクレオチドに作動可能にリンクされたタンパク質をコードする遺伝子を含む組換え宿主細胞であって、遺伝子が、プロペプチドをコードするポリヌクレオチドに対して外来性である、組換え宿主細胞。
７３．パラグラフ６２に記載のポリヌクレオチドに作動可能にリンクされたタンパク質をコードする遺伝子を含む組換え宿主細胞を、タンパク質の産生を促す条件下で培養するステップを含むタンパク質の生成方法であって、遺伝子が、プロペプチドをコードするポリヌクレオチドに対して外来性である、方法。
７４．タンパク質を回収するステップをさらに含む、パラグラフ７３に記載の方法。
７５．パラグラフ４７〜５６のいずれかに記載のポリペプチドを含む全ブロス配合物または細胞培養組成物。
７６．パラグラフ２９〜４６のいずれかに記載の方法に従って洗濯される品目。
７７．ＤＮａｓｅ活性を有するポリペプチドと、医薬補助成分とを含む医薬組成物であって、ポリペプチドが、真菌供給源から得られる医薬組成物。
７８．ＤＮａｓｅ活性を有するポリペプチドが、アスペルギルス属（Ａｓｐｅｒｇｉｌｌｕｓ）から得られる、パラグラフ７７に記載の医薬組成物。
７９．ＤＮａｓｅ活性を有するポリペプチドが、アスペルギルス・オリゼー（Ａｓｐｅｒｇｉｌｌｕｓ  ｏｒｙｚａｅ）から得られる、パラグラフ７７〜７８に記載の医薬組成物。
８０．ポリペプチドが、パラグラフ４７〜５６のいずれかに記載のポリペプチドである、パラグラフ７７〜７９のいずれかに記載の医薬組成物。
８１．組成物が、歯磨きペースト、液体歯磨き剤、うがい薬、トローチまたは歯肉マッサージ軟膏として配合される、パラグラフ７７〜８０のいずれかに記載の医薬組成物。
８２．抗細菌化合物、抗寄生体化合物、抗真菌化合物および抗ウイルス化合物などの１種または複数種の抗菌化合物をさらに含む、パラグラフ７７〜８１のいずれかに記載の医薬組成物。
８３．患者に接触可能なデバイスの表面の少なくとも一部が、パラグラフ７７〜８３のいずれかに記載の医薬組成物でコーティングされていることを特徴とする留置医療デバイス。
８４．前記デバイスが、中心静脈カテーテル、血管内カテーテル、尿道カテーテル、ヒックマン（Ｈｉｃｋｍａｎ）カテーテル、腹膜透析カテーテル、気管内カテーテルなどのカテーテル、またはデバイスが人工心臓弁である場合、心臓ペースメーカ、動静脈シャント、強膜バックル、人工関節、鼓膜換気チューブ、気管切開チューブ、ボイスプロテーゼ、人工陰茎、人工尿道括約筋、合成恥骨膣スリング、縫合糸、骨アンカー、骨ねじ、眼内レンズ、コンタクトレンズ、子宮内避妊器具、大動脈大腿動脈移植片、血管移植片、ニードル、ルアーロック（Ｌｕｅｒ−Ｌｏｋ）コネクター、ニードルレスコネクターまたは手術器具である、パラグラフ８３に記載のデバイス。
８５．パラグラフ４７〜５６のいずれかに記載のポリペプチドを生成する方法であって、ポリペプチドの産生を促す条件下で、パラグラフ５９に記載の宿主細胞を培養するステップを含む、方法。
８６．ポリペプチドを回収するステップをさらに含む、パラグラフ８５に記載の方法。
８７．対象の第２ポリペプチド；好ましくは対象の酵素；より好ましくは対象の分泌酵素；さらに好ましくはヒドロラーゼ、イソメラーゼ、リガーゼ、リアーゼ、オキシドレダクターゼ、またはトランスフェラーゼをコードするポリヌクレオチドをさらに含み；分泌酵素は、α−ガラクトシダーゼ、α−グルコシダーゼ、アミノペプチダーゼ、アミラーゼ、アスパラギナーゼ、β−ガラクトシダーゼ、β−グルコシダーゼ、β−キシロシダーゼ、カルボヒドラーゼ、カルボキシペプチダーゼ、カタラーゼ、セロビオヒドロラーゼ、セルラーゼ、キチナーゼ、クチナーゼ、シクロデキストリングリコシルトランスフェラーゼ、デオキシリボヌクレアーゼ、エンドグルカナーゼ、エステラーゼ、緑色蛍光タンパク質、グルカノトランスフェラーゼ、グルコアミラーゼ、インベルターゼ、ラッカーゼ、リパーゼ、マンノシダーゼ、ムタナーゼ、オキシダーゼ、ペクチン分解酵素、ペルオキシダーゼ、フィターゼ、ポリフェノールオキシダーゼ、タンパク質分解酵素、リボヌクレアーゼ、トランスグルタミナーゼ、またはキシラナーゼであるのが最も好ましい、パラグラフ５９に記載の組換え宿主細胞。
８８．対象の第２ポリペプチドが、宿主細胞に対して異種または相同性である、パラグラフ８７に記載の組換え宿主細胞。
８９．真菌宿主細胞；好ましくは、糸状真菌宿主細胞；より好ましくは、アクレモニウム属（Ａｃｒｅｍｏｎｉｕｍ）、アスペルギルス属（Ａｓｐｅｒｇｉｌｌｕｓ）、アウレオバシジウム属（Ａｕｒｅｏｂａｓｉｄｉｕｍ）、ブエルカンデラ属（Ｂｊｅｒｋａｎｄｅｒａ）、セリポリオプシス属（Ｃｅｒｉｐｏｒｉｏｐｓｉｓ）、クリソスポリウム属（Ｃｈｒｙｓｏｓｐｏｒｉｕｍ）、コプリヌス属（Ｃｏｐｒｉｎｕｓ）、コリオルス属（Ｃｏｒｉｏｌｕｓ）、クリプトコッカス属（Ｃｒｙｐｔｏｃｏｃｃｕｓ）、フィリバシジウム属（Ｆｉｌｉｂａｓｉｄｉｕｍ）、フザリウム属（Ｆｕｓａｒｉｕｍ）、フミコラ属（Ｈｕｍｉｃｏｌａ）、マグナポルテ属（Ｍａｇｎａｐｏｒｔｈｅ）、ムコール属（Ｍｕｃｏｒ）、ミセリオフトラ属（Ｍｙｃｅｌｉｏｐｈｔｈｏｒａ）、ネオカリマスチクス属（Ｎｅｏｃａｌｌｉｍａｓｔｉｘ）、ニューロスポラ属（Ｎｅｕｒｏｓｐｏｒａ）、パエシロマイセス属（Ｐａｅｃｉｌｏｍｙｃｅｓ）、ペニシリウム属（Ｐｅｎｉｃｉｌｌｉｕｍ）、ファネロケーテ属（Ｐｈａｎｅｒｏｃｈａｅｔｅ）、フレビア属（Ｐｈｌｅｂｉａ）、ピロマイセス属（Ｐｉｒｏｍｙｃｅｓ）、プレウロツス属（Ｐｌｅｕｒｏｔｕｓ）、シゾフィルム属（Ｓｃｈｉｚｏｐｈｙｌｌｕｍ）、タラロマイセス属（Ｔａｌａｒｏｍｙｃｅｓ）、テルモアスクス属（Ｔｈｅｒｍｏａｓｃｕｓ）、チエラビア属（Ｔｈｉｅｌａｖｉａ）、トリポクラジウム属（Ｔｏｌｙｐｏｃｌａｄｉｕｍ）、トラメテス属（Ｔｒａｍｅｔｅｓ）、またはトリコデルマ属（Ｔｒｉｃｈｏｄｅｒｍａ）細胞；最も好ましくは、アスペルギルス・アワモリ（Ａｓｐｅｒｇｉｌｌｕｓ  ａｗａｍｏｒｉ）、アスペルギルス・フォエティダス（Ａｓｐｅｒｇｉｌｌｕｓ  ｆｏｅｔｉｄｕｓ）、アスペルギルス・フミガーツス（Ａｓｐｅｒｇｉｌｌｕｓ  ｆｕｍｉｇａｔｕｓ）、アスペルギルス・ジャポニクス（Ａｓｐｅｒｇｉｌｌｕｓ  ｊａｐｏｎｉｃｕｓ）、アスペルギルス・ニズランス（Ａｓｐｅｒｇｉｌｌｕｓ  ｎｉｄｕｌａｎｓ）、アスペルギルス・ニガー（Ａｓｐｅｒｇｉｌｌｕｓ  ｎｉｇｅｒ）、アスペルギルス・オリゼー（Ａｓｐｅｒｇｉｌｌｕｓ  ｏｒｙｚａｅ）、ヤケイロタケ（Ｂｊｅｒｋａｎｄｅｒａ  ａｄｕｓｔａ）、セリポリオプシス・アネイリナ（Ｃｅｒｉｐｏｒｉｏｐｓｉｓ  ａｎｅｉｒｉｎａ）、セリポリオプシス・カレギエア（Ｃｅｒｉｐｏｒｉｏｐｓｉｓ  ｃａｒｅｇｉｅａ）、セリポリオプシス・ギルベスセンス（Ｃｅｒｉｐｏｒｉｏｐｓｉｓ  ｇｉｌｖｅｓｃｅｎｓ）、セリポリオプシス・パンノシンタ（Ｃｅｒｉｐｏｒｉｏｐｓｉｓ  ｐａｎｎｏｃｉｎｔａ）、セリポリオプシス・リブロサ（Ｃｅｒｉｐｏｒｉｏｐｓｉｓ  ｒｉｖｕｌｏｓａ）、セリポリオプシス・スブルファ（Ｃｅｒｉｐｏｒｉｏｐｓｉｓ  ｓｕｂｒｕｆａ）、セリポリオプシス・スブベルミスポラ（Ｃｅｒｉｐｏｒｉｏｐｓｉｓ  ｓｕｂｖｅｒｍｉｓｐｏｒａ）、クリソスポリウム・イノプス（Ｃｈｒｙｓｏｓｐｏｒｉｕｍ  ｉｎｏｐｓ）、クリソスポリウム・ケラチノフィルム（Ｃｈｒｙｓｏｓｐｏｒｉｕｍ  ｋｅｒａｔｉｎｏｐｈｉｌｕｍ）、クリソスポリウム・ルクノウェンス（Ｃｈｒｙｓｏｓｐｏｒｉｕｍ  ｌｕｃｋｎｏｗｅｎｓｅ）、クリソスポリウム・メルダリウム（Ｃｈｒｙｓｏｓｐｏｒｉｕｍ  ｍｅｒｄａｒｉｕｍ）、クリソスポリウム・パンニコラ（Ｃｈｒｙｓｏｓｐｏｒｉｕｍ  ｐａｎｎｉｃｏｌａ）、クリソスポリウム・クイーンスランジクム（Ｃｈｒｙｓｏｓｐｏｒｉｕｍ  ｑｕｅｅｎｓｌａｎｄｉｃｕｍ）、クリソスポリウム・トロピクム（Ｃｈｒｙｓｏｓｐｏｒｉｕｍ  ｔｒｏｐｉｃｕｍ）、クリソスポリウム・ゾナツム（Ｃｈｒｙｓｏｓｐｏｒｉｕｍ  ｚｏｎａｔｕｍ）、コプリヌス・シネレウス（Ｃｏｐｒｉｎｕｓ  ｃｉｎｅｒｅｕｓ）、クリオルス・ヒルスツス（Ｃｏｒｉｏｌｕｓ  ｈｉｒｓｕｔｕｓ）、フザリウム・バクテリジオイデス（Ｆｕｓａｒｉｕｍ  ｂａｃｔｒｉｄｉｏｉｄｅｓ）、フザリウム・セレアリス（Ｆｕｓａｒｉｕｍ  ｃｅｒｅａｌｉｓ）、フザリウム・クロークウェレンス（Ｆｕｓａｒｉｕｍ  ｃｒｏｏｋｗｅｌｌｅｎｓｅ）、フザリウム・クルモルム（Ｆｕｓａｒｉｕｍ  ｃｕｌｍｏｒｕｍ）、フザリウム・グラミネアルム（Ｆｕｓａｒｉｕｍ  ｇｒａｍｉｎｅａｒｕｍ）、フザリウム・グラミヌム（Ｆｕｓａｒｉｕｍ  ｇｒａｍｉｎｕｍ）、フザリウム・ヘテロスポルム（Ｆｕｓａｒｉｕｍ  ｈｅｔｅｒｏｓｐｏｒｕｍ）、フザリウム・ネグンディ（Ｆｕｓａｒｉｕｍ  ｎｅｇｕｎｄｉ）、フザリウム・オキシスポルム（Ｆｕｓａｒｉｕｍ  ｏｘｙｓｐｏｒｕｍ）、フザリウム・レチクラツム（Ｆｕｓａｒｉｕｍ  ｒｅｔｉｃｕｌａｔｕｍ）、フザリウム・ロゼウム（Ｆｕｓａｒｉｕｍ  ｒｏｓｅｕｍ）、フザリウム・サムブシヌム（Ｆｕｓａｒｉｕｍ  ｓａｍｂｕｃｉｎｕｍ）、フザリウム・サルコクロウム（Ｆｕｓａｒｉｕｍ  ｓａｒｃｏｃｈｒｏｕｍ）、フザリウム・スポロトリキオイデス（Ｆｕｓａｒｉｕｍ  ｓｐｏｒｏｔｒｉｃｈｉｏｉｄｅｓ）、フザリウム・スルフレウム（Ｆｕｓａｒｉｕｍ  ｓｕｌｐｈｕｒｅｕｍ）、フザリウム・トルロスム（Ｆｕｓａｒｉｕｍ  ｔｏｒｕｌｏｓｕｍ）、フザリウム・トリコテシオイデス（Ｆｕｓａｒｉｕｍ  ｔｒｉｃｈｏｔｈｅｃｉｏｉｄｅｓ）、フザリウム・ベネナツム（Ｆｕｓａｒｉｕｍ  ｖｅｎｅｎａｔｕｍ）、フミコラ・インソレンス（Ｈｕｍｉｃｏｌａ  ｉｎｓｏｌｅｎｓ）、フミコラ・ラヌギノサ（Ｈｕｍｉｃｏｌａ  ｌａｎｕｇｉｎｏｓａ）、ムコール・ミエヘイ（Ｍｕｃｏｒ  ｍｉｅｈｅｉ）、ミセリオフトラ・テルモフィラ（Ｍｙｃｅｌｉｏｐｈｔｈｏｒａ  ｔｈｅｒｍｏｐｈｉｌａ）、ニューロスポラ・クラッサ（Ｎｅｕｒｏｓｐｏｒａ  ｃｒａｓｓａ）、ペニシリウム・プルプロゲヌム（Ｐｅｎｉｃｉｌｌｉｕｍ  ｐｕｒｐｕｒｏｇｅｎｕｍ）、ファネロケーテ・クリソスポリウム（Ｐｈａｎｅｒｏｃｈａｅｔｅ  ｃｈｒｙｓｏｓｐｏｒｉｕｍ）、フレビア・ラジアタ（Ｐｈｌｅｂｉａ  ｒａｄｉａｔａ）、プレウロツス・エリンギイ（Ｐｌｅｕｒｏｔｕｓ  ｅｒｙｎｇｉｉ）、チエラビア・テルレストリス（Ｔｈｉｅｌａｖｉａ  ｔｅｒｒｅｓｔｒｉｓ）、トラメテス・ビロサ（Ｔｒａｍｅｔｅｓ  ｖｉｌｌｏｓａ）、トラメテス・ベルシコロル（Ｔｒａｍｅｔｅｓ  ｖｅｒｓｉｃｏｌｏｒ）、トリコデルマ・ハルジアヌム（Ｔｒｉｃｈｏｄｅｒｍａ  ｈａｒｚｉａｎｕｍ）、トリコデルマ・コニンギイ（Ｔｒｉｃｈｏｄｅｒｍａ  ｋｏｎｉｎｇｉｉ）、トリコデルマ・ロンギブラキアツム（Ｔｒｉｃｈｏｄｅｒｍａ  ｌｏｎｇｉｂｒａｃｈｉａｔｕｍ）、トリコデルマ・レエセイ（Ｔｒｉｃｈｏｄｅｒｍａ  ｒｅｅｓｅｉ）、またはトリコデルマ・ビリデ（Ｔｒｉｃｈｏｄｅｒｍａ  ｖｉｒｉｄｅ）細胞である、パラグラフ８７または８８に記載の組換え宿主細胞。
９０．細菌宿主細胞；好ましくは、原核宿主細胞；より好ましくは、グラム陽性宿主細胞；さらに好ましくは、バチルス属（Ｂａｃｉｌｌｕｓ）、クロストリジウム属（Ｃｌｏｓｔｒｉｄｉｕｍ）、エンテロコッカス属（Ｅｎｔｅｒｏｃｏｃｃｕｓ）、ゲオバチルス属（Ｇｅｏｂａｃｉｌｌｕｓ）、ラクトバチルス属（Ｌａｃｔｏｂａｃｉｌｌｕｓ）、ラクトコッカス属（Ｌａｃｔｏｃｏｃｃｕｓ）、オセアノバチルス属（Ｏｃｅａｎｏｂａｃｉｌｌｕｓ）、スタフィロコッカス属（Ｓｔａｐｈｙｌｏｃｏｃｃｕｓ）、ストレプトコッカス属（Ｓｔｒｅｐｔｏｃｏｃｃｕｓ）、またはストレプトマイセス属（Ｓｔｒｅｐｔｏｍｙｃｅｓ）；ならびに最も好ましくは、バチルス・アルカロフィルス（Ｂａｃｉｌｌｕｓ  ａｌｋａｌｏｐｈｉｌｕｓ）、バチルス・アミロリケファシエンス（Ｂａｃｉｌｌｕｓ  ａｍｙｌｏｌｉｑｕｅｆａｃｉｅｎｓ）、バチルス・ブレビス（Ｂａｃｉｌｌｕｓ  ｂｒｅｖｉｓ）、バチルス・シルクランス（Ｂａｃｉｌｌｕｓ  ｃｉｒｃｕｌａｎｓ）、バチルス・クラウシイ（Ｂａｃｉｌｌｕｓ  ｃｌａｕｓｉｉ）、バチルス・コアグランス（Ｂａｃｉｌｌｕｓ  ｃｏａｇｕｌａｎｓ）、バチルス・フィルムス（Ｂａｃｉｌｌｕｓ  ｆｉｒｍｕｓ）、バチルス・ラウツス（Ｂａｃｉｌｌｕｓ  ｌａｕｔｕｓ）、バチルス・レンツス（Ｂａｃｉｌｌｕｓ  ｌｅｎｔｕｓ）、バチルス・リケニホルミス（Ｂａｃｉｌｌｕｓ  ｌｉｃｈｅｎｉｆｏｒｍｉｓ）、バチルス・メガテリウム（Ｂａｃｉｌｌｕｓ  ｍｅｇａｔｅｒｉｕｍ）、バチルス・プミルス（Ｂａｃｉｌｌｕｓ  ｐｕｍｉｌｕｓ）、バチルス・ステアロテルモフィルス（Ｂａｃｉｌｌｕｓ  ｓｔｅａｒｏｔｈｅｒｍｏｐｈｉｌｕｓ）、枯草菌（Ｂａｃｉｌｌｕｓ  ｓｕｂｔｉｌｉｓ）、およびバチルス・チューリンゲンシス（Ｂａｃｉｌｌｕｓ  ｔｈｕｒｉｎｇｉｅｎｓｉｓ）宿主細胞である、パラグラフ８７または８８に記載の組換え宿主細胞。
９１．パラグラフ８７〜８８のいずれかに記載の対象の第２ポリペプチドを生成する方法であって、対象の第２ポリペプチドの産生を促す条件下で、パラグラフ８７〜９０のいずれかに記載の宿主細胞を培養するステップを含む、方法。
９２．対象の第２ポリペプチドを回収するステップをさらに含む、パラグラフ９１に記載の方法。
９３．洗剤補助成分が、界面活性剤である、先行する組成物パラグラフのいずれかに記載の洗剤組成物。
９４．洗剤補助成分が、ビルダーである、先行する組成物パラグラフのいずれかに記載の洗剤組成物。
９５．洗剤補助成分が、泥汚れ除去／再付着防止剤である、先行する組成物パラグラフのいずれかに記載の洗剤組成物。
９６．組成物が液体洗剤組成物であり、これは、合計濃度が少なくとも３重量％の界面活性剤および洗剤ビルダー、ならびに洗剤酵素含有マイクロカプセルを含み、ここで、マイクロカプセルの膜は、１ｋＤａ超の分子量を有する多分岐ポリアミンの架橋によって生成される、パラグラフ２８に記載の洗剤組成物。
９７．多分岐ポリアミンの反応性アミノ基が、分子量の少なくとも１５重量％を占める、パラグラフ９６に記載の洗剤組成物。
９８．マイクロカプセルが、架橋剤として酸塩化物を用いることにより生成される、パラグラフ９６〜９７のいずれかに記載の洗剤組成物。
９９．マイクロカプセルの直径が、少なくとも５０マイクロメートル、またはそれ以上である、パラグラフ９６〜９８のいずれかに記載の洗剤組成物。
１００．マイクロカプセルが、少なくとも１重量％の活性酵素を含有する、パラグラフ９６〜９９のいずれかに記載の洗剤組成物。
１０１．ポリオールなどのアルコールをさらに含む、パラグラフ９６〜１００のいずれかに記載の洗剤組成物。
１０２．界面活性剤が、アニオン性界面活性剤である、パラグラフ９６〜１０１のいずれかに記載の洗剤組成物。
１０３．液体洗濯組成物である、パラグラフ９６〜１０２のいずれかに記載の洗剤組成物。
１０４．９０重量％未満の水を含有する、パラグラフ９６〜１００のいずれかに記載の洗剤組成物。
１０５．洗剤酵素が、ＤＮａｓｅ活性を有するポリペプチド、プロテアーゼ、アミラーゼ、リパーゼ、セルラーゼ、マンナーゼ、ペクチナーゼ、またはオキシドレダクターゼである、パラグラフ９６〜１０４のいずれかに記載の洗剤組成物。
１０６．プロテアーゼが、メタロプロテアーゼまたはアルカリセリンプロテアーゼ、例えば、スブチリシンである、パラグラフ９６〜１０５のいずれかに記載の洗剤組成物。
１０７．ＤＮａｓｅ活性を有するポリペプチドが、請求項４７〜５４のいずれかに記載のポリペプチドである、パラグラフ９６〜１０５のいずれかに記載の洗剤組成物。
１０８．マイクロカプセルが、架橋剤として酸塩化物を用いる界面重合によって生成される、パラグラフ９６〜１０７のいずれかに記載の洗剤組成物。
１０９．多分岐ポリアミンが、ポリエチレンイミンである、パラグラフ９６〜１０８のいずれかに記載の洗剤組成物。
１１０．マイクロカプセルが、Ｍｇ２＋、Ｃａ２＋、またはＺｎ２＋の難溶性塩などのＭｇ２＋、Ｃａ２＋、またはＺｎ２＋イオンの供給源を含む、パラグラフ９６〜１０９のいずれかに記載の洗剤組成物。
【０３９４】
アッセイおよび洗剤組成物
洗剤組成物
以下に挙げる洗剤組成物を本発明の酵素と組み合わせて使用することができる。
【０３９５】
Ｂｉｏｔｅｘ  ｂｌａｃｋ（液体）
５〜１５％アニオン性界面活性剤、＜５％ノニオン性界面活性剤、香料、酵素、ＤＭＤＭおよびヒダントイン。
【０３９６】
Ａｒｉｅｌ  Ｓｅｎｓｉｔｉｖｅ  Ｗｈｉｔｅ  ＆  Ｃｏｌｏｒの組成物（液体洗剤組成物）
水、アルコールエトキシ硫酸塩、アルコールエトキシレート、アミノオキシド、クエン酸、Ｃ１２〜１８抜頭（ｔｏｐｐｅｄ）パーム核脂肪酸、プロテアーゼ、グリコシダーゼ、アミラーゼ、エタノール、１，２−プロパンジオール、ギ酸ナトリウム、塩化カルシウム、水酸化ナトリウム、シリコーン乳剤、トランス−硫酸化ＥＨＤＱ（成分は、降順で記載する）。
【０３９７】
ＷＦＫ  ＩＥＣ−Ａモデル洗剤の組成物（粉末）
成分：直鎖アルキルベンゼンスルホン酸ナトリウム８．８％、エトキシル化脂肪族アルコールＣ１２〜１８（７  ＥＯ）４．７％、ナトリウムセッケン３．２％、消泡ＤＣ２−４２４８Ｓ３．９％、ケイ酸アルミニウムナトリウムゼオライト４Ａ  ２８．３％、炭酸ナトリウム１１．６％、アクリル酸およびマレイン酸からのコポリマーのナトリウム塩（Ｓｏｋａｌａｎ  ＣＰ５）２．４％、ケイ酸ナトリウム３．０％、カルボキシメチルセルロース１．２％、Ｄｅｑｕｅｓｔ  ２０６６  ２．８％、光学増白剤０．２％、硫酸ナトリウム６．５％、プロテアーゼ０．４％。
【０３９８】
モデル洗剤Ａの組成物（液体）
成分：１２％ＬＡＳ、１１％ＡＥＯ  Ｂｉｏｓｏｆｔ  Ｎ２５−７（ＮＩ）、７％ＡＥＯＳ（ＳＬＥＳ）、６％ＭＰＧ（モノプロピレングリコール）、３％エタノール、３％ＴＥＡ、２．７５％ココアセッケン、２．７５％ダイズセッケン、２％グリセロール、２％水酸化ナトリウム、２％クエン酸ナトリウム、１％ナトリウムホルミエート（ｆｏｒｍｉａｔｅ）、０．２％ＤＴＭＰＡおよび０．２％ＰＣＡ（パーセンテージは全てｗ／ｗである）。
【０３９９】
Ａｒｉｅｌ  Ａｃｔｉｌｉｆｔの組成物（液体）
成分：５〜１５％アニオン性界面活性剤；＜５％ノニオン性界面活性剤、ホスホン酸塩、セッケン；酵素、光学増白剤、ベンズイソチアゾリノン、メチルイソチアゾリノン、香料、α−イソメチルイオノン、シトロネロール、ゲラニオール、リナロール。
【０４００】
Ａｒｉｅｌ  Ａｃｔｉｌｉｆｔ  Ｃｏｌｏｕｒ＆Ｓｔｙｌｅの組成物（液体）
成分：５〜１５％アニオン性界面活性剤；＜５％ノニオン性界面活性剤、ホスホン酸塩、セッケン；酵素、香料、ベンズイソチアゾリノン、メチルイソチアゾリノン、α−イソメチルイオノン、ブチルフェニルメチルプロピオナール、シトロネロール、ゲラニオール、リナロール。
【０４０１】
Ｐｅｒｓｉｌ  Ｓｍａｌｌ  ＆  Ｍｉｇｈｔｙの組成物（液体）
成分：１５〜３０％のアニオン性界面活性剤、ノニオン性界面活性剤、５〜１５％のセッケン、＜５％のポリカルボキシレート、香料、ホスホン酸塩、光学増白剤。
【０４０２】
Ｐｅｒｓｉｌ  ２  ｉｎ  １  ｗｉｔｈ  Ｃｏｍｆｏｒｔ  Ｐａｓｓｉｏｎ  Ｆｌｏｗｅｒ  Ｐｏｗｄｅｒ
硫酸ナトリウム、炭酸ナトリウム、ドデシルベンゼンスルホン酸ナトリウム、ベントナイト、炭酸ナトリウム過酸化水素化物、ケイ酸ナトリウム、ゼオライト、水、クエン酸、ＴＡＥＤ、Ｃ１２〜１５パレス（Ｐａｒｅｔｈ）−７、ステアリン酸、香料、ナトリウムアクリル酸／ＭＡコポリマー、セルロースゴム、加工トウモロコシデンプン、塩化ナトリウム、エチドロン酸四ナトリウム、カルシウムナトリウムＥＤＴＭＰ、アニリノモルホリノトリアジニルアミノスチルベンゼンスルホン酸二ナトリウム、重炭酸ナトリウム、フェニルプロピルエチルメチコン、ブチルフェニルメチルプロピオナール、ステアリン酸グリセリル、炭酸カルシウム、ポリアクリル酸ナトリウム、α−イソメチルイオノン、ジスチリルビフェニルジスルホン酸二ナトリウム、セルロース、プロテアーゼ、リモネン、ＰＥＧ−７５、二酸化チタン、デキストリン、スクロース、ポリアリールスルホン酸ナトリウム、ＣＩ１２４９０、ＣＩ４５１００、ＣＩ４２０９０、チオ硫酸ナトリウム、ＣＩ６１５８５。
【０４０３】
Ｐｅｒｓｉｌ  Ｂｉｏｌｏｇｉｃａｌ  Ｐｏｗｄｅｒ
スクロース、ソルビトール、ケイ酸アルミニウム、ポリオキシメチレンメラミン、ポリアリールスルホン酸ナトリウム、ＣＩ６１５８５、ＣＩ４５１００、リパーゼ、アミラーゼ、キサンタンゴム、ヒドロキシプロピルメチルセルロース、ＣＩ１２４９０、ジスチリルビフェニルジスルホン酸二ナトリウム、チオ硫酸ナトリウム、ＣＩ４２０９０、マンナナーゼ、ＣＩ１１６８０、エチドロン酸、四ナトリウムＥＤＴＡ。
【０４０４】
Ｐｅｒｓｉｌ  Ｂｉｏｌｏｇｉｃａｌ  Ｔａｂｌｅｔｓ
炭酸ナトリウム、炭酸ナトリウム過酸化水素化物、重炭酸ナトリウム、ゼオライト、水、ケイ酸ナトリウム、ラウリル硫酸ナトリウム、セルロース、ＴＡＥＤ、ドデシルベンゼンスルホン酸ナトリウム、ヘミセルロース、リグニン、ラウリルグルコシド、ナトリウムアクリル酸／ＭＡコポリマー、ベントナイト、塩化ナトリウム、香料、エチドロン酸四ナトリウム、硫酸ナトリウム、ポリアクリル酸ナトリウム、ジメチコン、アニリノモルホリノトリアジニルアミノスチルベンゼンスルホン酸二ナトリウム、ドデシルベンゼンスルホン酸、トリメチルシロキシケイ酸、炭酸カルシウム、セルロース、ＰＥＧ−７５、二酸化チタン、デキストリン、プロテアーゼ、加工トウモロコシデンプン、スクロース、ＣＩ１２４９０、ポリアリールスルホン酸ナトリウム、チオ硫酸ナトリウム、アミラーゼ、カオリン。
【０４０５】
Ｐｅｒｓｉｌ  Ｃｏｌｏｕｒ  Ｃａｒｅ  Ｂｉｏｌｏｇｉｃａｌ  Ｐｏｗｄｅｒ
スブチリシン、イミダゾリジノン、ヘキシルシンナマル、スクロース、ソルビトール、ケイ酸アルミニウム、ポリオキシメチレンメラミン、ＣＩ６１５８５、ＣＩ４５１００、リパーゼ、アミラーゼ、キサンタンゴム、ヒドロキシプロピルメチルセルロース、ＣＩ１２４９０、ジスチリルビフェニルジスルホン酸二ナトリウム、チオ硫酸ナトリウム、ＣＩ４２０９０、マンナナーゼ、ＣＩ１１６８０、エチドロン酸、四ナトリウムＥＤＴＡ。
【０４０６】
Ｐｅｒｓｉｌ  Ｃｏｌｏｕｒ  Ｃａｒｅ  Ｂｉｏｌｏｇｉｃａｌ  Ｔａｂｌｅｔｓ
重炭酸ナトリウム、炭酸ナトリウム、ゼオライト、水、ケイ酸ナトリウム、ラウリル硫酸ナトリウム、セルロースゴム、ドデシルベンゼンスルホン酸ナトリウム、ラウリルグルコシド、塩化ナトリウム、ナトリウムアクリル酸／ＭＡコポリマー、香料、チオグリコール酸ナトリウム、ＰＶＰ、硫酸ナトリウム、エチドロン酸四ナトリウム、ポリアクリル酸ナトリウム、ジメチコン、ベントナイト、ドデシルベンゼンスルホン酸、トリメチルシロキシケイ酸、炭酸カルシウム、セルロース、ＰＥＧ−７５、二酸化チタン、デキストリン、プロテアーゼ、加工トウモロコシデンプン、スクロース、チオ硫酸ナトリウム、アミラーゼ、ＣＩ７４１６０、カオリン。
【０４０７】
Ｐｅｒｓｉｌ  Ｄｕａｌ  Ａｃｔｉｏｎ  Ｃａｐｓｕｌｅｓ  Ｂｉｏ
ＭＥＡ−ドデシルベンゼンスルホン酸塩、ＭＥＡ−水添ヤシ脂肪酸塩、Ｃ１２〜１５パレス−７、ジプロピレングリコール、水、エチドロン酸四ナトリウム、ポリビニルアルコール、グリセリン、アジリジン、エトキシル化ホモポリマー、プロピレングリコール、香料、ジエチレントリアミンペンタメチレンホスホン酸ナトリウム、ソルビトール、ＭＥＡ−硫酸塩、エタノールアミン、スブチリシン、グリコール、ブチルフェニルメチルプロピオナール、ボロン酸、（４−ホルミルフェニル）、ヘキシルシンナマル、リモネン、リナルール、ジスチリルビフェニルジスルホン酸二ナトリウム、α−イソメチルイオノン、ゲラニオール、アミラーゼ、ポリマーブルー着色剤（Ｐｏｌｙｍｅｒｉｃ  Ｂｌｕｅ  Ｃｏｌｏｕｒａｎｔ）、ポリマーイエロー着色剤（Ｐｏｌｙｍｅｒｉｃ  Ｙｅｌｌｏｗ  Ｃｏｌｏｕｒａｎｔ）、タルク、塩化ナトリウム、ベンズイソチアゾリノン、マンナナーゼ、安息香酸デナトニウム。
【０４０８】
Ｐｅｒｓｉｌ  ２  ｉｎ  １  ｗｉｔｈ  Ｃｏｍｆｏｒｔ  Ｓｕｎｓｈｉｎｙ  Ｄａｙｓ  Ｐｏｗｄｅｒ
硫酸ナトリウム、炭酸ナトリウム、ドデシルベンゼンスルホン酸ナトリウム、ベントナイト、炭酸ナトリウム過酸化水素化物、ケイ酸ナトリウム、ゼオライト、水、クエン酸、ＴＡＥＤ、Ｃ１２〜１５パレス−７、香料、ステアリン酸、ナトリウムアクリル酸／ＭＡコポリマー、セルロースゴム、加工トウモロコシデンプン、塩化ナトリウム、エチドロン酸四ナトリウム、カルシウムナトリウムＥＤＴＭＰ、アニリノモルホリノトリアジニルアミノスチルベンゼンスルホン酸二ナトリウム、重炭酸ナトリウム、フェニルプロピルエチルメチコン、ブチルフェニルメチルプロピオナール、ステアリン酸グリセリル、炭酸カルシウム、ポリアクリル酸ナトリウム、ゲラニオール、ジスチリルビフェニルジスルホン酸二ナトリウム、セルロース、プロテアーゼ、ＰＥＧ−７５、二酸化チタン、デキストリン、スクロース、ポリアリールスルホン酸ナトリウム、ＣＩ１２４９０、ＣＩ４５１００、ＣＩ４２０９０、チオ硫酸ナトリウム、ＣＩ６１５８５。
【０４０９】
Ｐｅｒｓｉｌ  Ｓｍａｌｌ  ＆  Ｍｉｇｈｔｙ  ２  ｉｎ  １  ｗｉｔｈ  Ｃｏｍｆｏｒｔ  Ｓｕｎｓｈｉｎｙ  Ｄａｙｓ
水、Ｃ１２〜１５パレス−７、ドデシルベンゼンスルホン酸ナトリウム、プロピレングリコール、水添ヤシ脂肪酸ナトリウム、トリエタノールアミン、グリセリン、ＴＥＡ−水添ヤシ脂肪酸ナトリウム、香料、塩化ナトリウム、ポリクオタニウム−１０、ＰＶＰ、ポリマーピンク着色剤（Ｐｏｌｙｍｅｒｉｃ  Ｐｉｎｋ  Ｃｏｌｏｕｒａｎｔ）、硫酸ナトリウム、ジスチリルビフェニルジスルホン酸二ナトリウム、ブチルフェニルメチルプロピオナール、スチレン／アクリレートコポリマー、ヘキシルシンナマル、シトロネロール、オイゲノール、ポリビニルアルコール、酢酸ナトリウム、イソプロピルアルコール、ポリマーイエロー着色剤（Ｐｏｌｙｍｅｒｉｃ  Ｙｅｌｌｏｗ  Ｃｏｌｏｕｒａｎｔ）、ラウリル硫酸ナトリウム。
【０４１０】
Ｐｅｒｓｉｌ  Ｓｍａｌｌ  ＆  Ｍｉｇｈｔｙ  Ｂｉｏ
水、ＭＥＡ−ドデシルベンゼンスルホン酸塩、プロピレングリコール、ラウレス硫酸ナトリウム、Ｃ１２〜１５パレス−７、ＴＥＡ−水添ヤシ脂肪酸塩、ＭＥＡ−クエン酸塩、エトキシル化アジリジンホモポリマー、ＭＥＡ−エチドロン酸塩、トリエタノールアミン、香料、アクリレートコポリマー、ソルビトール、ＭＥＡ−硫酸塩、亜硫酸ナトリウム、ジスチリルビフェニルジスルホン酸二ナトリウム、ブチルフェニルメチルプロピオナール、スチレン／アクリレートコポリマー、シトロネロール、硫酸ナトリウム、ペプチド、塩、発酵（工程）からの糖、スブチリシン、グリセリン、ボロン酸、（４−ホルミルフェニル）、ゲラニオール、ペクチン酸リアーゼ、アミラーゼ、ラウリル硫酸ナトリウム、マンナナーゼ、ＣＩ４２０５１。
【０４１１】
Ｐｅｒｓｉｌ  Ｓｍａｌｌ  ＆  Ｍｉｇｈｔｙ  Ｃａｐｓｕｌｅｓ  Ｂｉｏｌｏｇｉｃａｌ
ＭＥＡ−ドデシルベンゼンスルホン酸塩、ＭＥＡ−水添ヤシ脂肪酸塩、Ｃ１２〜１５パレス−７、ジプロピレングリコール、水、グリセリン、ポリビニルアルコール、香料、エトキシル化アジリジンホモポリマー、ジエチレントリアミンペンタメチレンホスホン酸ナトリウム、プロピレングリコール、ソルビトール、ＭＥＡ−硫酸塩、エタノールアミン、スブチリシン、グリオール、ブチルフェニルメチルプロピオナール、ヘキシルシンナマル、デンプン、ボロン酸、（４−ホルミルフェニル）、リモネン、リナルール、ジスチリルビフェニルジスルホン酸二ナトリウム、α−イソメチルイオノン、ゲラニオール、アミラーゼ、タルク、ポリマーブルー着色剤（Ｐｏｌｙｍｅｒｉｃ  Ｂｌｕｅ  Ｃｏｌｏｕｒａｎｔ）、塩化ナトリウム、ベンズイソチアゾリノン、安息香酸デナトニウム、ポリマーイエロー着色剤（Ｐｏｌｙｍｅｒｉｃ  Ｙｅｌｌｏｗ  Ｃｏｌｏｕｒａｎｔ）、マンナナーゼ。
【０４１２】
Ｐｅｒｓｉｌ  Ｓｍａｌｌ  ＆  Ｍｉｇｈｔｙ  Ｃａｐｓｕｌｅｓ  Ｃｏｌｏｕｒ  Ｃａｒｅ
ＭＥＡ−ドデシルベンゼンスルホン酸塩、ＭＥＡ−水添ヤシ脂肪酸塩、Ｃ１２〜１５パレス−７、ジプロピレングリコール、水、グリセリン、ポリビニルアルコール、香料、エトキシル化アジリジンホモポリマー、ジエチレントリアミンペンタメチレンホスホン酸ナトリウム、プロピレングリコール、ＭＥＡ−硫酸塩、エタノールアミン、ＰＶＰ、ソルビトール、ブチルフェニルメチルプロピオナール、スブチリシン、ヘキシルシンナマル、デンプン、リモネン、リナルール、ボロン酸、（４−ホルミルフェニル）、α−イソメチルイオノン、ゲラニオール、タルク、ポリマーブルー着色剤（Ｐｏｌｙｍｅｒｉｃ  Ｂｌｕｅ  Ｃｏｌｏｕｒａｎｔ）、安息香酸デナトニウム、ポリマーイエロー着色剤（Ｐｏｌｙｍｅｒｉｃ  Ｙｅｌｌｏｗ  Ｃｏｌｏｕｒａｎｔ）。
【０４１３】
Ｐｅｒｓｉｌ  Ｓｍａｌｌ  ＆  Ｍｉｇｈｔｙ  Ｃｏｌｏｕｒ  Ｃａｒｅ
水、ＭＥＡ−ドデシルベンゼンスルホン酸塩、プロピレングリコール、ラウレス硫酸ナトリウム、Ｃ１２〜１５パレス−７、ＴＥＡ−水添ヤシ脂肪酸塩、ＭＥＡ−クエン酸塩、エトキシル化アジリジンホモポリマー、ＭＥＡ−エチドロン酸塩、トリエタノールアミン、香料、アクリレートコポリマー、ソルビトール、ＭＥＡ−硫酸塩、亜硫酸ナトリウム、グリセリン、ブチルフェニルメチルプロピオナール、シトロネロール、硫酸ナトリウム、ペプチド、塩、発酵（工程）からの糖、スチレン／アクリレートコポリマー、スブチリシン、ボロン酸、（４−ホルミルフェニル）、ゲラニオール、ペクチン酸リアーゼ、アミラーゼ、ラウリル硫酸ナトリウム、マンナナーゼ、ＣＩ６１５８５、ＣＩ４５１００。
【０４１４】
Ｆａｉｒｙ  Ｎｏｎ  Ｂｉｏの組成物（液体）
成分：１５〜３０％アニオン性界面活性剤、５〜１５％ノニオン性界面活性剤、セッケン、ベンズイソチアゾリノン、メチルイソチアゾリノン、香料。
【０４１５】
モデル洗剤Ｔの組成物（粉末）
成分：１１％ＬＡＳ、２％ＡＳ／ＡＥＯＳ、２％セッケン、３％ＡＥＯ、１５．１５％炭酸ナトリウム、３％ケイ酸ナトリウム、１８．７５％ゼオライト、０．１５％キレート剤、２％クエン酸ナトリウム、１．６５％ＡＡ／ＭＡコポリマー、２．５％ＣＭＣおよび０．５％ＳＲＰ（パーセンテージは全てｗ／ｗである）。
【０４１６】
モデル洗剤Ｘの組成物（粉末）
成分：１６．５％のＬＡＳ、１５％のゼオライト、１２％の二ケイ酸ナトリウム、２０％の炭酸ナトリウム、１％のソカラン、３５．５％の硫酸ナトリウム（パーセンテージは全てｗ／ｗである）。
【０４１７】
Ａｒｉｅｌ  Ａｃｔｉｌｉｆｔ  Ｃｏｌｏｕｒ＆Ｓｔｙｌｅの組成物（粉末）
成分：５〜３０％アニオン性界面活性剤、＜５％ノニオン性界面活性剤、ホスホン酸塩、ポリカルボキシレート、ゼオライト；酵素、香料、ヘキシルシンナマル。
【０４１８】
Ａｒｉｅｌ  Ａｃｔｉｌｉｆｔの組成物（粉末）
成分：５〜１５％アニオン性界面活性剤、酸素系漂白剤、＜５％ノニオン性界面活性剤、ホスホン酸塩、ポリカルボキシレート、ゼオライト、光学増白剤、酵素、香料、ブチルフェニルメチルプロピオナール、クーマリン、ヘキシルシンナマル。
【０４１９】
Ｐｅｒｓｉｌ  Ｍｅｇａｐｅｒｌｓの組成物（粉末）
成分：１５〜３０％の下記成分：アニオン性界面活性剤、酸素系漂白剤およびゼオライト、５％未満の下記成分：ノニオン性界面活性剤、ホスホン酸塩、ポリカルボキシレート、セッケン、その他の成分：香料、ヘキシルシンナマル、サリチル酸ベンジル、リナロール、光学増白剤、酵素およびシトロネロール。
【０４２０】
Ｇｒａｉｎ  Ｌｉｑｕｉｄ，Ｏｒｉｇｉｎａｌ：
成分：水、アルコールエトキシ硫酸塩、ジエチレングリコール、アルコールエトキシレート、エタノールアミン、直鎖アルキルベンゼンスルホン酸塩、ナトリウム脂肪酸、ポリエチレンイミンエトキシレート、クエン酸、ボラックス（Ｂｏｒａｘ）、ナトリウムクメンスルホン酸塩、プロピレングリコール、ＤＴＰＡ、ジアミノスチルベンジスルホン酸二ナトリウム、ジプロピルエチルテトラミン、水酸化ナトリウム、ギ酸ナトリウム、ギ酸カルシウム、ジメチコン、アミラーゼ、プロテアーゼ、Ｌｉｑｕｉｔｉｎｔ（商標）、水添ヒマシ油、芳香剤。
【０４２１】
Ｔｉｄｅ  Ｌｉｑｕｉｄ，Ｏｒｉｇｉｎａｌ：
成分：直鎖アルキルベンゼンスルホン酸塩、プロピレングリコール、クエン酸、水酸化ナトリウム、ボラックス、エタノールアミン、エタノール、アルコール硫酸塩、ポリエチレンイミンエトキシレート、ナトリウム脂肪酸、ジクオタニウムエトキシ硫酸塩、プロテアーゼ、ジエチレングリコール、ラウレス−９、アルキルジメチルアミンオキシド、芳香剤、アミラーゼ、ジアミノスチルベンジスルホン酸二ナトリウム、ＤＴＰＡ、ギ酸ナトリウム、ギ酸カルシウム、ポリエチレングリコール４０００、マンナナーゼ、Ｌｉｑｕｉｔｉｎｔ（商標）Ｂｌｕｅ、ジメチコン。
【０４２２】
Ｌｉｑｕｉｄ  Ｔｉｄｅ、Ｆｒｅｅ  ａｎｄ  Ｇｅｎｔｌｅ：
水、アルコールエトキシ硫酸ナトリウム、プロピレングリコール、ボラックス、エタノール、直鎖アルキルベンゼンスルホンナトリウム、塩、ポリエチレンイミンエトキシレート、ジエチレングリコール、トランス硫酸化およびエトキシル化ヘキサメチレンジアミン、アルコールエトキシレート、直鎖アルキルベンゼンスルホン酸塩、ＭＥＡ塩、ギ酸ナトリウム、アルキル硫酸ナトリウム、ＤＴＰＡ、アミンオキシド、ギ酸カルシウム、二ナトリウムジアミノスチルベン、ジスルホン酸塩、アミラーゼ、プロテアーゼ、ジメチコン、ベンズイソチアゾリノン。
【０４２３】
Ｔｉｄｅ  Ｃｏｌｄｗａｔｅｒ  Ｌｉｑｕｉｄ、Ｆｒｅｓｈ  Ｓｃｅｎｔ：
水、アルコールエトキシ硫酸塩、直鎖アルキルベンゼンスルホン酸塩、ジエチレングリコール、プロピレングリコール、エタノールアミン、クエン酸、ボラックス（Ｂｏｒａｘ）、硫酸アルコール、水酸化ナトリウム、ポリエチレンイミン、エトキシレート、ナトリウム脂肪酸、エタノール、プロテアーゼ、ラウレス−９、ジクオタニウムエトキシ硫酸塩、ラウラミンオキシド、ナトリウムクメン、スルホン酸塩、芳香剤、ＤＴＰＡ、アミラーゼ、二ナトリウム、ジアミノスチルベン、ジスルホン酸塩、ギ酸ナトリウム、ジスチリルビフェニルジスルホン酸二ナトリウム、ギ酸カルシウム、ポリエチレングリコール４０００、マンナナーゼ、ペクチナーゼ、Ｌｉｑｕｉｔｉｎｔ（商標）Ｂｌｕｅ、ジメチコン。
【０４２４】
Ｔｉｄｅ  ＴＯＴＡＬＣＡＲＥ（商標）Ｌｉｑｕｉｄ，Ｃｏｏｌ  Ｃｏｔｔｏｎ：
水、アルコールエトキシ硫酸塩、プロピレングリコール、ナトリウム脂肪酸、塩化ラウトリモニウム、エタノール、水酸化ナトリウム、クメンスルホン酸ナトリウム、クエン酸、エタノールアミン、ジエチレングリコール、シリコーンポリエーテル、ボラックス、芳香剤、ポリエチレンイミンエトキシレート、プロテアーゼ、ラウレス−９、ＤＴＰＡ、ポリアクリルアミドクオタニウム塩化物、ジアミノスチルベンジスルホン酸二ナトリウム、ギ酸ナトリウム、Ｌｉｑｕｉｔｉｎｔ（商標）Ｏｒａｎｇｅ、ジプロピルエチレンテトラアミン、ジメチコン、セルラーゼ。
【０４２５】
Ｌｉｑｕｉｄ  Ｔｉｄｅ  Ｐｌｕｓ  Ｂｌｅａｃｈ  Ａｌｔｅｒｎａｔｉｖｅ（商標），Ｖｉｖｉｄ  Ｗｈｉｔｅ  ａｎｄ  Ｂｒｉｇｈｔ，Ｏｒｉｇｉｎａｌ  ａｎｄ  Ｃｌｅａｎ  Ｂｒｅｅｚｅ：
水、アルコールエトキシ硫酸ナトリウム、アルキル硫酸ナトリウム、ＭＥＡクエン酸塩、直鎖アルキルベンゼンスルホン酸塩、ＭＥＡ塩、プロピレングリコール、ジエチレングリコール、ポリエチレンイミン  エトキシレート、エタノール、ナトリウム脂肪酸、エタノールアミン、ラウラミンオキシド、ボラックス、ラウレス−９、ＤＴＰＡ、クメンスルホン酸ナトリウム、ギ酸ナトリウム、ギ酸カルシウム、直鎖アルキルベンゼンスルホン酸塩、ナトリウム塩、硫酸アルコール、水酸化ナトリウム、ジクオタニウムエトキシ硫酸塩、芳香剤、アミラーゼ、プロテアーゼ、マンナナーゼ、ペクチナーゼ、ジアミノスチルベンジスルホン酸二ナトリウム、ベンズイソチアゾリノン、Ｌｉｑｕｉｔｉｎｔ（商標）Ｂｌｕｅ、ジメチコン、ジプロピルエチルテトラアミン。
【０４２６】
Ｌｉｑｕｉｄ  Ｔｉｄｅ  ＨＥ，Ｏｒｉｇｉｎａｌ  Ｓｃｅｎｔ：
水、アルコールエトキシ硫酸ナトリウム、ＭＥＡクエン酸塩、アルキル硫酸ナトリウム、アルコールエトキシレート、直鎖アルキルベンゼンスルホン酸塩、ＭＥＡ塩、ナトリウム脂肪酸、ポリエチレンイミンエトキシレート、ジエチレングリコール、プロピレングリコール、ジクオタニウムエトキシ硫酸塩、ボラックス、ポリエチレンイミン、エトキシレートプロポキシレート、エタノール、クメンスルホン酸ナトリウム、芳香剤、ＤＴＰＡ、ジアミノスチルベンジスルホン酸二ナトリウム、マンナナーゼ、セルラーゼ、アミラーゼ、ギ酸ナトリウム、ギ酸カルシウム、ラウラミンオキシド、Ｌｉｑｕｉｔｉｎｔ（商標）Ｂｌｕｅ、ジメチコン／ポリジメチルシリコーン。
【０４２７】
Ｔｉｄｅ  ＴＯＴＡＬＣＡＲＥ  ＨＥ  Ｌｉｑｕｉｄ，ｒｅｎｅｗｉｎｇ  Ｒａｉｎ：
水、アルコールエトキシ硫酸ナトリウム、直鎖アルキルベンゼンスルホン酸塩、アルコールエトキシレート、クエン酸、エタノールアミン、ナトリウム脂肪酸、ジエチレングリコール、プロピレングリコール、水酸化ナトリウム、ボラックス、ポチエチレンイミンエトキシレート、シリコーンポリエーテル、エタノール、プロテアーゼ、クメンスルホン酸ナトリウム、ジクオタニウムエトキシ硫酸塩、ラウレス−９、芳香剤、アミラーゼ、ＤＴＰＡ、ジアミノスチルベンジスルホン酸二ナトリウム、ジスチリルビフェニルジスルホン酸二ナトリウム、ギ酸ナトリウム、ギ酸カルシウム、マンナナーゼ、Ｌｉｑｕｉｔｉｎｔ（商標）Ｏｒａｎｇｅ、ジメチコン、ポリアクリルアミドクオタニウム塩化物、セルラーゼ、ジプロピルエチルテトラアミン。
【０４２８】
Ｔｉｄｅ  Ｌｉｑｕｉｄ  ＨＥ  Ｆｒｅｅ：
水、アルコールエトキシ硫酸ナトリウム、ジエチレングリコール、クエン酸モノエタノールアミン、ギ酸ナトリウム、プロピレングリコール、直鎖アルキルベンゼンスルホン酸塩、エタノールアミン、エタノール、ポリエチレンイミンエトキシレート、アミラーゼ、ベンズイソチアゾリン、ボラックス、ギ酸カルシウム、クエン酸、ジエチレントリアミン五酢酸ナトリウム、ジメチコン、ジクオタニウムエトキシ硫酸塩、ジアミノスチルベンジスルホン酸二ナトリウム、ラウレス−９、マンナナーゼ、プロテアーゼ、クメンスルホン酸ナトリウム、ナトリウム脂肪酸。
【０４２９】
Ｔｉｄｅ  Ｃｏｌｄｗａｔｅｒ  ＨＥ  Ｌｉｑｕｉｄ，Ｆｒｅｓｈ  Ｓｃｅｎｔ：
水、アルコールエトキシ硫酸塩、ＭＥＡクエン酸塩、硫酸アルコール、アルコールエトキシレート、直鎖アルキルベンゼンスルホン酸塩ＭＥＡ、ナトリウム脂肪酸、ポリエチレンイミンエトキシレート、ジエチレングリコール、プロピレングリコール、ジクオタニウムエトキシ硫酸塩、ボラックス、ポリエチレンイミンエトキシレートプロポキシレート、エタノール、クメンスルホン酸ナトリウム、芳香剤、ＤＴＰＡ、ジアミノスチルベンジスルホン酸二ナトリウム、プロテアーゼ、マンナナーゼ、セルラーゼ、アミラーゼ、ギ酸ナトリウム、ギ酸カルシウム、ラウラミンオキシド、Ｌｉｑｕｉｔｉｎｔ（商標）Ｂｌｕｅ、ジメチコン。
【０４３０】
Ｔｉｄｅ  ｆｏｒ  Ｃｏｌｄｗａｔｅｒ  ＨＥ  Ｆｒｅｅ  Ｌｉｑｕｉｄ：
水、アルコールエトキシ硫酸ナトリウム、ＭＥＡクエン酸塩、直鎖アルキルベンゼンスルホン酸塩：ナトリウム塩、アルコールエトキシレート、直鎖アルキルベンゼンスルホン酸塩：ＭＥＡ塩、ナトリウム脂肪酸、ポリエチレンイミンエトキシレート、ジエチレングリコール、プロピレングリコール、ジクオタニウムエトキシ硫酸塩、ボラックス、プロテアーゼ、ポリエチレンイミンエトキシレートプロポキシレート、エタノール、クメンスルホン酸ナトリウム、アミラーゼ、クエン酸、ＤＴＰＡ、ジアミノスチルベンジスルホン酸二ナトリウム、ギ酸ナトリウム、ギ酸カルシウム、ジメチコン。
【０４３１】
Ｔｉｄｅ  Ｓｉｍｐｌｙ  Ｃｌｅａｎ  ＆  Ｆｒｅｓｈ：
水、アルコールエトキシ硫酸ナトリウム、直鎖アルキルベンゼンスルホン酸塩ナトリウム／ＭＥＡ塩、プロピレングリコール、ジエチレングリコール、ギ酸ナトリウム、エタノール、ボラックス、ナトリウム脂肪酸、芳香剤、ラウラミンオキシド、ＤＴＰＡ、ポリエチレンアミンエトキシレート、ギ酸カルシウム、ジアミノスチルベンジスルホン酸二ナトリウム、ジメチコン、テトラミン、Ｌｉｑｕｉｔｉｎｔ（商標）Ｂｌｕｅ。
【０４３２】
Ｔｉｄｅ  Ｐｏｄｓ，Ｏｃｅａｎ  Ｍｉｓｔ，Ｍｙｓｔｉｃ  Ｆｏｒｅｓｔ，Ｓｐｒｉｎｇ  Ｍｅａｄｏｗ：
直鎖アルキルベンゼンスルホン酸塩、Ｃ１２〜１６パレス−９、プロピレングリコール、アルコールエトキシ硫酸塩、水、ポリエチレンイミンエトキシレート、グリセリン、脂肪酸塩、ＰＥＧ−１３６ポリ酢酸ビニル、エチレンジアミンジコハク酸塩、モノエタノールアミンクエン酸塩、亜硫酸水素ナトリウム、ジエチレントリアミン五酢酸ナトリウム、ジスチリルビフェニルジスルホン酸二ナトリウム、ギ酸カルシウム、マンナナーゼ、エキシログルカナーゼ、ギ酸ナトリウム、水添ヒマシ油、ナタラーゼ、色素、テルマミル、スブチリシン、ベンズイソチアゾリン、香料。
【０４３３】
Ｔｉｄｅ  ｔｏ  Ｇｏ：
脱イオン水、ジプロピレングリコールブチルエーテル、アルキル硫酸ナトリウム、過酸化水素、エタノール、硫酸マグネシウム、アルキルジメチルアミンオキシド、クエン酸、水酸化ナトリウム、トリメトキシ安息香酸、芳香剤。
【０４３４】
Ｔｉｄｅ  Ｓｔｒａｉｎ  Ｒｅｌｅａｓｅ  Ｌｉｑｕｉｄ：
水、アルキルエトキシレート、直鎖アルキルベンゼンスルホン酸塩、過酸化水素、ジクオタニウムエトキシ硫酸塩、エタノールアミン、ジスチリルビフェニルジスルホン酸二ナトリウム、テトラブチルエチリジンビスフェノール、Ｆ＆ＤＣ  Ｙｅｌｌｏｗ  ３、芳香剤。
【０４３５】
Ｔｉｄｅ  Ｓｔｒａｉｎ  Ｒｅｌｅａｓｅ  Ｐｏｗｄｅｒ：
過炭酸ナトリウム、硫酸ナトリウム、炭酸ナトリウム、アルミノケイ酸ナトリウム、ノナノイルオキシベンゼンスルホン酸塩、ポリアクリル酸ナトリウム、水、アルキルベンゼンスルホン酸塩、ＤＴＰＡ、ポリエチレングリコール、パルミチン酸ナトリウム、アミラーゼ、プロテアーゼ、加工デンプン、Ｆ＆ＤＣ  Ｂｌｕｅ  １、芳香剤。
【０４３６】
Ｔｉｄｅ  Ｓｔｒａｉｎ  Ｒｅｌｅａｓｅ，Ｐｒｅ  Ｔｒｅａｔｅｒ  Ｓｐｒａｙ：
水、アルキルエトキシレート、ＭＥＡホウ酸塩、直鎖アルキルベンゼンスルホン酸塩、プロピレングリコール、ジクオタニウムエトキシ硫酸塩、塩化カルシウム酵素、プロテアーゼ、エタノールアミン、ベンズイソチアゾリノン、アミラーゼ、クエン酸ナトリウム、水酸化ナトリウム、芳香剤。
【０４３７】
Ｔｉｄｅ  ｔｏ  Ｇｏ  Ｓｔａｉｎ  Ｅｒａｓｅｒ：
水、アルキルアミンオキシド、ジプロピレングリコールフェニルエーテル、過酸化水素、クエン酸、エチレンジアミンジコハク酸ナトリウム塩、アルキル硫酸ナトリウム、芳香剤。
【０４３８】
Ｔｉｄｅ  ｂｏｏｓｔ  ｗｉｔｈ  Ｏｘｉ：
重炭酸ナトリウム、炭酸ナトリウム、過炭酸ナトリウム、アルコールエトキシレート、塩化ナトリウム、マレイン酸／アクリリル酸コポリマー、ノナノイルオキシベンゼンスルホン酸塩、硫酸ナトリウム、着色剤、ジエチレントリアミン五酢酸ナトリウム塩、水和アルミノケイ酸塩（ゼオライト）、ポリエチレングリコール、アルキルベンゼンスルホン酸ナトリウム、パルミチン酸ナトリウム、デンプン、水、芳香剤。
【０４３９】
Ｔｉｄｅ  Ｓｔｒａｉｎ  Ｒｅｌｅａｓｅ  ｂｏｏｓｔ  Ｄｕｏ  Ｐａｃ：
液体部分と粉末部分が充填されている、ポリビニルアルコールポーチフィルム：
【０４４０】
液体成分：ジプロピレングリコール、ジクオタニウムエトキシ硫酸塩、水、グリセリン、Ｌｉｑｕｉｔｉｎｔ（商標）Ｏｒａｎｇｅ、粉末成分：過炭酸ナトリウム、ノナノイルオキシベンゼンスルホン酸塩、炭酸ナトリウム、硫酸ナトリウム、アミノケイ酸ナトリウム、ポリアクリル酸ナトリウム、アルキルベンゼンスルホン酸ナトリウム、マレイン酸／アクリル酸コポリマー、水、アミラーゼ、ポリエチレングリコール、パルミチン酸ナトリウム、加工デンプン、プロテアーゼ、グリセリン、ＤＴＰＡ、芳香剤。
【０４４１】
Ｔｉｄｅ  Ｕｌｔｒａ  Ｓｔａｉｎ  Ｒｅｌｅａｓｅ：
水、アルコールエトキシ硫酸ナトリウム、直鎖アルキルベンゼンスルホン酸塩、ナトリウム／ＭＥＡ塩、ＭＥＡクエン酸塩、プロピレングリコール、ポリエチレンイミンエトキシレート、エタノール、ジエチレングリコール、ポリエチレンイミンプロポキシエトキシレート、ナトリウム脂肪酸、プロテアーゼ、ボラックス、クメンスルホン酸ナトリウム、ＤＴＰＡ、芳香剤、アミラーゼ、ジアミノスチルベンジスルホン酸二ナトリウム、ギ酸カルシウム、ギ酸ナトリウム、グルコナーゼ、ジメチコン、Ｌｉｑｕｉｔｉｎｔ（商標）Ｂｌｕｅ、マンナナーゼ。
【０４４２】
Ｕｌｔｒａ  Ｔｉｄｅ  ｗｉｔｈ  ａ  Ｔｏｕｃｈ  ｏｆ  Ｄｏｗｎｙ（登録商標）Ｐｏｗｄｅｒｅｄ  Ｄｅｔｅｒｇｅｎｔ，Ａｐｒｉｌ  Ｆｒｅｓｈ／Ｃｌｅａｎ  Ｂｒｅｅｚｅ／Ａｐｒｉｌ  Ｅｓｓｅｎｃｅ：
炭酸ナトリウム、アルミノケイ酸ナトリウム、硫酸ナトリウム、直鎖アルキルベンゼンスルホン酸塩、ベントナイト、水、過炭酸ナトリウム、ポリアクリル酸ナトリウム、ケイ酸塩、アルキル硫酸塩、ノナノイルオキシベンゼンスルホン酸塩、ＤＴＰＡ、ポリエチレングリコール４０００、シリコーン、エトキシレート、芳香剤、ポリエチレンオキシド、パルミチン酸、ジアミノスチルベンジスルホン酸二ナトリウム、プロテアーゼ、Ｌｉｑｕｉｔｉｎｔ（商標）Ｒｅｄ、ＦＤ＆Ｃ  Ｂｌｕｅ  １、セルラーゼ。
【０４４３】
Ｕｌｔｒａ  Ｔｉｄｅ  ｗｉｔｈ  ａ  Ｔｏｕｃｈ  ｏｆ  Ｄｏｗｎｙ  Ｃｌｅａｎ  Ｂｒｅｅｚｅ：
水、アルコールエトキシ硫酸ナトリウム、ＭＥＡクエン酸塩、直鎖アルキルベンゼンスルホン酸塩：ナトリウム／ＭＥＡ塩、プロピレングリコール、ポリエチレンイミンエトキシレート、エタノール、ジエチレングリコール、ポリエチレンイミン、プロポキシエトキシレート、ジクオタニウムエトキシ硫酸塩、硫酸アルコール、ジメチコン、芳香剤、ボラックス、ナトリウム脂肪酸、ＤＴＰＡ、プロテアーゼ、亜硫酸水素ナトリウム、ジアミノスチルベンジスルホン酸二ナトリウム、アミラーゼ、グルコナーゼ、ヒマシ油、ギ酸カルシウム、ＭＥＡ、スチレンアクリレートコポリマー、ギ酸ナトリウム、Ｌｉｑｕｉｔｉｎｔ（商標）Ｂｌｕｅ。
【０４４４】
Ｕｌｔｒａ  Ｔｉｄｅ  ｗｉｔｈ  Ｄｏｗｎｙ  Ｓｕｎ  Ｂｌｏｓｓｏｍ：
水、アルコールエトキシ硫酸ナトリウム、ＭＥＡクエン酸塩、直鎖アルキルベンゼンスルホン酸塩：ナトリウム／ＭＥＡ塩、プロピレングリコール、エタノール、ジエチレングリコール、ポリエチレンイミンプロポキシエトキシレート、ポリエチレンイミンエトキシレート、硫酸アルコール、ジメチコン、芳香剤、ボラックス、ナトリウム脂肪酸、ＤＴＰＡ、プロテアーゼ、亜硫酸水素ナトリウム、ジアミノスチルベンジスルホン酸二ナトリウム、アミラーゼ、ヒマシ油、ギ酸カルシウム、ＭＥＡ、スチレンアクリレートコポリマー、プロパンアンミウムプロパンアミド、グルコナーゼ、ギ酸ナトリウム、Ｌｉｑｕｉｔｉｎｔ（商標）Ｂｌｕｅ。
【０４４５】
Ｕｌｔｒａ  Ｔｉｄｅ  ｗｉｔｈ  Ｄｏｗｎｙ  Ａｐｒｉｌ  Ｆｒｅｓｈ／Ｓｗｅｅｔ  Ｄｒｅａｍ：
水、アルコールエトキシ硫酸ナトリウム、ＭＥＡクエン酸塩、直鎖アルキルベンゼンスルホン酸塩：ナトリウム／ＭＥＡ塩、プロピレングリコール、ポリエチレンイミンエトキシレート、エタノール、ジエチレングリコール、ポリエチレンイミンプロポキシエトキシレート、ジクオタニウムエトキシ硫酸塩、硫酸アルコール、ジメチコン、芳香剤、ボラックス、ナトリウム脂肪酸、ＤＴＰＡ、プロテアーゼ、亜硫酸水素ナトリウム、ジアミノスチルベンジスルホン酸二ナトリウム、アミラーゼ、グルコナーゼ、ヒマシ油、ギ酸カルシウム、ＭＥＡ、スチレンアクリレートコポリマー、プロパンアミニウムプロパンアミド、ギ酸ナトリウム、Ｌｉｑｕｉｔｉｎｔ（商標）Ｂｌｕｅ。
【０４４６】
Ｕｌｔｒａ  Ｔｉｄｅ  Ｆｒｅｅ  Ｐｏｗｄｅｒｅｄ  Ｄｅｔｅｒｇｅｎｔ：
炭酸ナトリウム、アルミノケイ酸ナトリウム、アルキル硫酸塩、硫酸ナトリウム、直鎖アルキルベンゼンスルホン酸塩、水、ポリアクリル酸ナトリウム、ケイ酸塩、エトキシレート、過炭酸ナトリウム、ポリエチレングリコール４０００、プロテアーゼ、ジアミノスチルベンジスルホン酸二ナトリウム、シリコーン、セルラーゼ。
【０４４７】
Ｕｌｔｒａ  Ｔｉｄｅ  Ｐｏｗｄｅｒｅｄ  Ｄｅｔｅｒｇｅｎｔ，Ｃｌｅａｎ  Ｂｒｅｅｚｅ／Ｓｐｒｉｎｇ  Ｌａｖｅｎｄｅｒ／ｍｏｕｎｔａｉｎ  Ｓｐｒｉｎｇ：
炭酸ナトリウム、アルミノケイ酸ナトリウム、硫酸ナトリウム、直鎖アルキルベンゼンスルホン酸塩、硫酸ナトリウム、過炭酸ナトリウム、水、ポリアクリル酸ナトリウム、ケイ酸塩、ノナノイルオキシベンゼンスルホン酸塩、エトキシレート、ポリエチレングリコール４０００、芳香剤、ＤＴＰＡ、ジアミノスチルベンジスルホン酸二ナトリウム、パルミチン酸、プロテアーゼ、シリコーン、セルラーゼ。
【０４４８】
Ｕｌｔｒａ  Ｔｉｄｅ  ＨＥ（ｈｉｇｈ  Ｅｆｆｉｃｉｅｎｃｙ）  Ｐｗｄｅｒｅｄ  Ｄｅｔｅｒｇｅｎｔ，Ｃｌｅａｎ  Ｂｒｅｅｚｅ：
炭酸ナトリウム、アルミノケイ酸ナトリウム、硫酸ナトリウム、直鎖アルキルベンゼンスルホン酸塩、水、ノナノイルオキシベンゼンスルホン酸塩、アルキル硫酸塩、ポリアルキル硫酸ナトリウム、ケイ酸塩、過炭酸ナトリウム、エトキシレート、ポリエチレングリコール４０００、芳香剤、ＤＴＰＡ、パルミチン酸、ジアミノスチルベンジスルホン酸二ナトリウム、プロテアーゼ、シリコーン、セルラーゼ。
【０４４９】
Ｕｌｔｒａ  Ｔｉｄｅ  Ｃｏｌｄｗａｔｅｒ  Ｐｏｗｄｅｒｅｄ  Ｄｅｔｅｒｇｅｎｔ，Ｆｒｅｓｈ  Ｓｃｅｎｔ：
炭酸ナトリウム、アルミノケイ酸ナトリウム、硫酸ナトリウム、過炭酸ナトリウム、アルキル硫酸塩、直鎖アルキルベンゼンスルホン酸塩、水、ノナノイルオキシベンゼンスルホン酸塩、ポリアクリル酸ナトリウム、ケイ酸塩、エトキシレート、ポリエチレングリコール４０００、ＤＴＰＡ、芳香剤、ナタラーゼ、パルミチン酸、プロテアーゼ、二ナトリウム、ジアミノスチルベンジスルホン酸塩、ＦＤ＆Ｃ  Ｂｌｕｅ  １、シリコーン、セルラーゼ、アルキルエーテル硫酸塩。
【０４５０】
Ｕｌｔｒａ  Ｔｉｄｅ  ｗｉｔｈ  ｂｌｅａｃｈ  Ｐｏｗｄｅｒｅｄ  Ｄｅｔｅｒｇｅｎｔ，Ｃｌｅａｎ  Ｂｒｅｅｚｅ：
炭酸ナトリウム、アルミノケイ酸ナトリウム、硫酸ナトリウム、直鎖アルキルベンゼンスルホン酸塩、過炭酸ナトリウム、ノナノイルオキシベンゼンスルホン酸塩、アルキル硫酸塩、水、ケイ酸塩、ポリアクリル酸ナトリウム、エトキシレート、ポリエチレングリコール４０００、芳香剤、ＤＴＰＡ、パルミチン酸、プロテアーゼ、ジアミノスチルベンジスルホン酸二ナトリウム、シリコーン、ＦＤ＆Ｃ  Ｂｌｕｅ  １、セルラーゼ、アルキルエーテル硫酸塩。
【０４５１】
Ｕｌｔｒａ  Ｔｉｄｅ  ｗｉｔｈ  Ｆｅｂｒｅｅｚｅ  Ｆｒｅｓｈｎｅｓｓ（商標）Ｐｏｗｄｅｒｅｄ  Ｄｅｔｅｒｇｅｎｔ，Ｓｐｒｉｎｇ  Ｒｅｎｅｗａｌ：
炭酸ナトリウム、アルミノケイ酸ナトリウム、硫酸ナトリウム、直鎖アルキルベンゼンスルホン酸塩、過炭酸ナトリウム、アルキル硫酸塩、水、ポリアクリル酸ナトリウム、ケイ酸塩、ノナノイルオキシベンゼンスルホン酸塩、エトキシレート、ポリエチレングリコール４０００、ＤＴＰＡ、芳香剤、セルラーゼ、プロテアーゼ、ジアミノスチルベンジスルホン酸二ナトリウム、シリコーン、ＦＤ＆Ｃ  Ｂｌｕｅ  １。
【０４５２】
Ｌｉｑｕｉｄ  Ｔｉｄｅ  Ｐｌｕｓ  ｗｉｔｈ  Ｆｅｂｒｅｅｚｅ  Ｆｒｅｓｈｎｅｓｓ−Ｓｐｏｒｔ  ＨＥ  Ａｃｔｉｖｅ  Ｆｒｅｓｈ：
水、アルコールエトキシ硫酸ナトリウム、ＭＥＡクエン酸塩、直鎖アルキルベンゼンスルホン酸塩、ナトリウム塩、直鎖アルキルベンゼンスルホン酸塩：ＭＥＡ塩、アルコールエトキシレート、ナトリウム脂肪酸、プロピレングリコール、ジエチレングリコール、ポリエチレンイミンエトキシレートプロポキシレート、ジクオタニウムエトキシ硫酸塩、エタノール、クメンスルホン酸ナトリウム、ボラックス、芳香剤、ＤＴＰＡ、亜硫酸水素ナトリウム、ジアミノスチルベンジスルホン酸二ナトリウム、マンナナーゼ、セルラーゼ、アミラーゼ、ギ酸ナトリウム、ギ酸カルシウム、ラウラミンオキシド、Ｌｉｑｕｉｔｉｎｔ（商標）Ｂｌｕｅ、ジメチコン／ポリジメチルシリコーン。
【０４５３】
Ｔｉｄｅ  Ｐｌｕｓ  Ｆｅｂｒｅｅｚｅ  Ｆｒｅｓｈｎｅｓｓ  Ｓｐｒｉｎｇ  ＆  Ｒｅｎｅｗａｌ：
水、アルコールエトキシ硫酸ナトリウム、直鎖アルキルベンゼンスルホン酸塩：ナトリウム／ＭＥＡ塩、ＭＥＡクエン酸塩、プロピレングリコール、ポリエチレンイミンエトキシレート、芳香剤、エタノール、ジエチレングリコール、ポリエチレンイミンプロポキシエトキシレート、プロテアーゼ、硫酸アルコール、ボラックス、ナトリウム脂肪酸、ＤＴＰＡ、ジアミノスチルベンジスルホン酸二ナトリウム、ＭＥＡ、マンナナーゼ、グルコナーゼ、ギ酸ナトリウム、ジメチコン、Ｌｉｑｕｉｔｉｎｔ（商標）Ｂｌｕｅ、テトラミン。
【０４５４】
Ｌｉｑｕｉｄ  Ｔｉｄｅ  Ｐｌｕｓ  ｗｉｔｈ  Ｆｅｂｒｅｅｚｅ  Ｆｒｅｓｈｎｅｓｓ，Ｓｐｏｒｔ  ＨＥ  Ａｃｔｉｖｅ  Ｖｉｃｔｏｒｙ  Ｆｒｅｓｈ：
水、アルコールエトキシ硫酸ナトリウム、ＭＥＡクエン酸塩、直鎖アルキルベンゼンスルホン酸塩、ナトリウム塩、直鎖アルキルベンゼンスルホン酸塩：ＭＥＡ塩、アルコールエトキシレート、ナトリウム脂肪酸、プロピレングリコール、ジエチレングリコール、ポリエチレンイミンエトキシレートプロポキシレート、ジクオタニウムエトキシ硫酸塩、エタノール、クメンスルホン酸ナトリウム、ボラックス、芳香剤、ＤＴＰＡ、亜硫酸水素ナトリウム、ジアミノスチルベンジスルホン酸二ナトリウム、マンナナーゼ、セルラーゼ、ギ酸ナトリウム、ギ酸カルシウム、ラウラミンオキシド、Ｌｉｑｕｉｔｉｎｔ（商標）Ｂｌｕｅ、ジメチコン／ポリジメチルシリコーン。
【０４５５】
Ｔｉｄｅ  Ｖｉｖｉｄ  Ｗｈｉｔｅ  ＋  Ｂｒｉｇｈｔ  Ｐｏｗｄｅｒ，Ｏｒｉｇｉｎａｌ：
炭酸ナトリウム、アルミノケイ酸ナトリウム、硫酸ナトリウム、直鎖アルキルベンゼンスルホン酸塩、過炭酸ナトリウム、ノナノイルオキシベンゼンスルホン酸塩、アルキル硫酸塩、水、ケイ酸塩、ポリアクリル酸ナトリウムエトキシレート、ポリエチレングリコール４０００、芳香剤、ＤＴＰＡ、パルミチン酸、プロテアーゼ、ジアミノスチルベンジスルホン酸二ナトリウム、シリコーン、ＦＤ＆Ｃ  Ｂｌｕｅ  １、セルラーゼ、アルキルエーテル硫酸塩。
【０４５６】
ＨＥＹ  ＳＰＯＲＴ  ＴＥＸ  ＷＡＳＨ  Ｄｅｔｅｒｇｅｎｔ
水、ドデシルベンゼンスルホンサウーレ（ｄｏｄｅｃｙｌｂｅｎｚｅｎｅｓｕｌｆｏｎｓａｅｕｒｅ）、ラウレス−１１、ｐｅｇ−７５、ラノリン、プロピレングリコール、変性アルコール、ダイズカリウム（ｐｏｔａｓｓｉｕｍ  ｓｏｙａｔｅ）、水酸化カリウム、ココアンホジ酢酸二ナトリウム、エチレンジアミン三酢酸ココサルキル（ｃｏｃｏｓａｌｋｙｌ）アセトアミド、香料、リシノール酸亜鉛、塩化ナトリウム、ベンズイソチアゾリノン、メチルイソチアゾリノン、ｃｉ１６２５５、ベンジルアルコール。
【０４５７】
Ｔｉｄｅ、Ａｒｉｅｌ、ＧａｉｎおよびＦａｉｒｙと称する製品は、Ｐｒｏｃｔｅｒ  ＆  Ｇａｍｂｌｅにより供給される市販の製品である。Ｐｅｒｓｉｌと称する製品は、Ｕｎｉｌｅｖｅｒ  ａｎｄ  Ｈｅｎｋｅｌにより供給される市販の製品である。Ｈｅｙ  Ｓｐｏｒｔと称する製品は、Ｈｅｙ  Ｓｐｏｒｔにより供給される市販の製品である。
【０４５８】
【表１】
2017512885.tif 000003
【０４５９】
【表２】
2017512885.tif 000004
【０４６０】
【表３】
2017512885.tif 000005
【０４６１】
【表４】
2017512885.tif 000006
【０４６２】
【表５】
2017512885.tif 000007
【０４６３】
【表６】
2017512885.tif 000008
【０４６４】
酵素レベルは全て、洗剤組成物１００ｇ当たりのｒｕｇ活性酵素タンパク質として表される。界面活性剤成分は、ＢＡＳＦ，Ｌｕｄｗｉｇｓｈａｆｅｎ，Ｇｅｒｍａｎｙ（Ｌｕｔｅｎｓｏｌ（登録商標））；Ｓｈｅｌｌ  Ｃｈｅｍｉｃａｌｓ，Ｌｏｎｄｏｎ，ＵＫ；Ｓｔｅｐａｎ，Ｎｏｒｔｈｆｉｅｌｄ，ＩＩＩ，ＵＳＡ；Ｈｕｎｔｓｍａｎ，Ｈｕｎｔｓｍａｎ，Ｓａｌｔ  Ｌａｋｅ  Ｃｉｔｙ，Ｕｔａｈ，ＵＳＡ；Ｃｌａｒｉａｎｔ，Ｓｕｌｚｂａｃｈ，Ｇｅｒｍａｎｙ（Ｐｒａｅｐａｇｅｎ（登録商標））から入手することができる。
【０４６５】
トリポリリン酸ナトリウムは、Ｒｈｏｄｉａ，Ｐａｒｉｓ，Ｆｒａｎｃｅから入手することができる。ゼオライトは、Ｉｎｄｕｓｔｒｉａｌ  Ｚｅｏｌｉｔｅ（ＵＫ）  Ｌｔｄ，Ｇｒａｙｓ，Ｅｓｓｅｘ，ＵＫから入手することができる。クエン酸およびクエン酸ナトリウムは、Ｊｕｎｇｂｕｎｚｌａｕｅｒ，Ｂａｓｅｌ，Ｓｗｉｔｚｅｒｌａｎｄから入手することができる。ＮＯＢＳは、Ｅａｓｔｍａｎ，Ｂａｔｅｓｖｉｌｌｅ，Ａｒｋ．，ＵＳＡにより供給されるノナノイルオキシベンゼンスルホン酸ナトリウムである。
【０４６６】
ＴＡＥＤは、Ｐｅｒａｃｔｉｖｅ（登録商標）という商品名で、Ｃｌａｒｉａｎｔ  ＧｍｂＨ，Ｓｕｌｚｂａｃｈ，Ｇｅｒｍａｎｙにより供給されるテトラアセチルエチレンジアミンである。
【０４６７】
炭酸ナトリウムおよび重炭酸ナトリウムは、Ｓｏｌｖａｙ，Ｂｒｕｓｓｅｌｓ，Ｂｅｌｇｉｕｍから入手することができる。
【０４６８】
ポリアクリレート、ポリアクリレート／マレエートコポリマーは、ＢＡＳＦ，Ｌｕｄｗｉｇｓｈａｆｅｎ，Ｇｅｒｍａｎｙから入手することができる。
【０４６９】
Ｒｅｐｅｌ−Ｏ−Ｔｅｘ（登録商標）は、Ｒｈｏｄｉａ，Ｐａｒｉｓ，Ｆｒａｎｃｅから入手することができる。
【０４７０】
Ｔｅｘｃａｒｅ（登録商標）は、Ｃｌａｒｉａｎｔ，Ｓｕｌｚｂａｃｈ，Ｇｅｒｍａｎｙから入手することができる。過炭酸ナトリウムおよび炭酸ナトリウムは、Ｓｏｌｖａｙ，Ｈｏｕｓｔｏｎ，Ｔｅｘ．，ＵＳＡから入手することができる。
【０４７１】
エチレンジアミン−Ｎ，Ｎ’−ジコハク酸のナトリウム塩、（Ｓ，Ｓ）異性体（ＥＤＤＳ）は、Ｏｃｔｅｌ，Ｅｌｌｅｓｍｅｒｅ  Ｐｏｒｔ，ＵＫにより供給された。
【０４７２】
ヒドロキシエタンジリン酸塩（ＨＥＤＰ）は、Ｄｏｗ  Ｃｈｅｍｉｃａｌ，Ｍｉｄｌａｎｄ，Ｍｉｃｈ．，ＵＳＡにより供給された。
【０４７３】
酵素：Ｓａｖｉｎａｓｅ（登録商標）、Ｓａｖｉｎａｓｅ（登録商標）Ｕｌｔｒａ、Ｓｔａｉｎｚｙｍｅ（登録商標）Ｐｌｕｓ、Ｌｉｐｅｘ（登録商標）、Ｌｉｐｏｌｅｘ（登録商標）、Ｌｉｐｏｃｌｅａｎ（登録商標）、Ｃｅｌｌｕｃｌｅａｎ（登録商標）、Ｃａｒｅｚｙｍｅ（登録商標）、Ｎａｔａｌａｓｅ（登録商標）、Ｓｔａｉｎｚｙｍｅ（登録商標）、Ｓｔａｉｎｚｙｍｅ（登録商標）Ｐｌｕｓ、Ｔｅｒｍａｍｙｌ（登録商標）、Ｔｅｒｍａｍｙｌ（登録商標）ｕｌｔｒａ、およびＭａｎｎａｗａｙ（登録商標）は、Ｎｏｖｏｚｙｍｅｓ，Ｂａｇｓｖａｅｒｄ，Ｄｅｎｍａｒｋから入手することができる。
【０４７４】
酵素：Ｐｕｒａｆｅｃｔ（登録商標）、ＦＮ３、ＦＮ４およびＯｐｔｉｓｉｚｅは、Ｇｅｎｅｎｃｏｒ  Ｉｎｔｅｒｎａｔｉｏｎａｌ  Ｉｎｃ．，  Ｐａｌｏ  Ａｌｔｏ，  Ｃａｌｉｆｏｒｎｉａ，ＵＳから入手することができる。
【０４７５】
Ｄｉｒｅｃｔ  ｖｉｏｌｅｔ  ９および９９は、ＢＡＳＦ  ＤＥ，Ｌｕｄｗｉｇｓｈａｆｅｎ，Ｇｅｒｍａｎｙから入手することができる。Ｓｏｌｖｅｎｔ  ｖｉｏｌｅｔ  １３は、Ｎｉｎｇｂｏ  Ｌｉｘｉｎｇ  Ｃｈｅｍｉｃａｌ  Ｃｏ．，Ｌｔｄ．Ｎｉｎｇｂｏ，Ｚｈｅｊｉａｎｇ，Ｃｈｉｎａから入手することができる。増白剤は、Ｃｉｂａ  Ｓｐｅｃｉａｌｔｙ  Ｃｈｅｍｉｃａｌｓ，Ｂａｓｅｌ，Ｓｗｉｔｚｅｒｌａｎｄから入手することができる。
【０４７６】
別に記載のない限り、パーセンテージは全て、重量基準で計算する。別に記載のない限り、パーセンテージおよび比は全て、全組成物に基づいて計算する。本明細書全体を通して付与されるあらゆる最大数値限界は、より低い数値限界が明記されているものとして、こうしたより低い数値限界を全て包含することを理解すべきである。本明細書全体を通して付与されるあらゆる最小数値限界は、より高い数値限界が明記されているものとして、こうしたより高い数値限界を全て包含することになる。本明細書全体を通して付与されるあらゆる数値範囲は、こうしたより狭い数値範囲が本明細書に明記されているものとして、こうしたより広い数値範囲に含まれるより狭い数値範囲を全て包含することになる。
【０４７７】
洗浄アッセイ
Ｌａｕｎｄｅｒ−Ｏ−Ｍｅｔｅｒ（ＬＯＭ）モデル洗浄システム
Ｌａｕｎｄｅｒ−Ｏ−Ｍｅｔｅｒ（ＬＯＭ）は、２０以下の異なる洗浄条件を同時にテストするために適用することができる中規模モデル洗浄システムである。ＬＯＭは、基本的に、大きな温度制御ウォーターバスであり、その内部に、回転する２０個の密閉された金属ビーカを備える。各ビーカは、１つの小さな洗浄機を構成し、実験の間、各々が、テストしようとする特定の洗剤／酵素系の溶液を、テスト対象の汚れた布地および汚れていない布地と一緒に含む。機械的ストレスは、ウォーターバス内で回転させるビーカにより、ならびにビーカ内に金属ボールを導入することにより達成される。
【０４７８】
ＬＯＭモデル洗浄システムは、主に、欧州洗浄条件での洗剤および酵素の中規模テストに使用されている。ＬＯＭ実験において、汚れに対するバラストの比や洗浄液に対する布地の比などの係数は、変動し得る。このように、ＬＯＭは、ＡＭＳＡおよびミニ洗浄などの小規模実験と、フロントローダ式洗浄機を用い、より多くの時間がかかる実物実験とをつなげる役割を果たす。
【０４７９】
Ｍｉｎｉ  Ｌａｕｎｄｅｒ−Ｏ−Ｍｅｔｅｒ（ＭｉｎｉＬＯＭ）モデル洗浄システム
ＭｉｎｉＬＯＭは、Ｌａｕｎｄｅｒ−Ｏ−Ｍｅｔｅｒ（ＬＯＭ）の改良された小型洗浄システムであり、２０以下の異なる洗浄条件を同時にテストするために適用することができる中規模モデル洗浄システムである。ＬＯＭは、基本的に、大きな温度制御ウォーターバスであり、その内部に、回転する２０個の密閉された金属ビーカを備える。各ビーカは、１つの小さな洗浄機を構成し、実験の間、各々は、テストしようとする特定の洗剤／酵素系の溶液を、テスト対象の汚れた布地および汚れていない布地と一緒に含む。機械的ストレスは、ウォーターバス内で回転させるビーカにより、ならびにビーカ内に金属ボールを導入することにより達成される。
【０４８０】
ＬＯＭモデル洗浄システムは、主に、欧州洗浄条件での洗剤および酵素の中規模テストに使用されている。ＬＯＭ実験において、汚れに対するバラストの比や洗浄液に対する布地の比などの係数は、変動し得る。このように、ＬＯＭは、ＡＭＳＡおよびミニ洗浄などの小規模実験と、フロントローダ式洗浄機を用い、より多くの時間がかかる実物実験とをつなげる役割を果たす。
【０４８１】
ｍｉｎｉＬＯＭの場合、洗浄は、Ｓｔｕａｒｔローテータ内に配置した５０ｍｌ試験チューブ中で実施する。
【０４８２】
Ｔｅｒｇ−Ｏ−ｔｉｍｅｔｅｒ（ＴＯＭ）洗浄アッセイ
Ｔｅｒｇ−Ｏ−Ｍｅｔｅｒ（ＴＯＭ）は、１２以下の異なる洗浄条件を同時にテストするために適用することができる中規模モデル洗浄システムである。ＴＯＭは、基本的に、大きな温度制御ウォーターバスであり、その中に浸漬させた１２個以下の開放金属ビーカを備える。各ビーカは、１つの小さなトップローダ式洗浄機を構成し、実験の間、それらの各々は、特定の洗剤／酵素系の溶液と、その性能をテストする対象の汚れた布地および汚れていない布地を含有する。機械的ストレスは、回転攪拌アームによって達成され、このアームは、各ビーカ内の液体を攪拌する。ＴＯＭビーカには蓋がないので、洗浄中のオンライン情報のためにＴＯＭ実験およびアッセイ中にサンプルを抜き取ることが可能である。
【０４８３】
ＴＯＭモデル洗浄システムは、主に、米国またはＬＡ／ＡＰ洗浄条件での洗剤および酵素の中規模テストに使用されている。ＴＯＭ実験において、汚れに対するバラストの比や洗浄液に対する布地の比などの係数は、変動し得る。このように、ＴＯＭは、ＡＭＳＡおよびミニ洗浄などの小規模実験と、トップローダ式洗浄機を用い、より多くの時間がかかる実物実験とをつなげる役割を果たす。
【０４８４】
設備：１２個のスチール製ビーカと、５００または１２００ｍＬの洗剤溶液容量を有するビーカにつき１つの回転アームとを備えるウォーターバス。温度範囲は、５〜８０℃である。ウォーターバスには、脱イオン水を充填しなければならない。回転速度は、７０〜１２０ｒｐｍ／分以下に設定することができる。
【０４８５】
Ｔｅｒｇ−Ｏ−Ｔｏｍｅｔｅｒの温度を設定し、ウォーターバス内の回転を開始する。温度が調節される（誤差は、＋／−０．５℃）のを待つ。ビーカは全て清浄であり、微量の以前のテスト材料を含まないものとする。
【０４８６】
所望の量の洗剤、温度および水硬度を有する洗浄溶液をバケツ中に調製する。１０分間の磁気攪拌の間に洗剤を溶解させる。洗浄溶液は、調製後３０〜６０分以内に使用すべきである。
【０４８７】
８００ｍｌの洗浄溶液をＴＯＭビーカに添加する。洗浄溶液を１２０ｒｐｍで攪拌した後、任意選択で、１種または複数種の酵素をビーカに添加する。布切れ、続いてバラスト負荷をビーカに導入する。布切れとバラストをビーカに添加したとき、時間測定を開始する。布切れを２０分間洗浄した後、攪拌を停止する。続いて、洗浄負荷をＴＯＭビーカから篩に移して、常温の水道水ですすぐ。汚れた布切れをバラスト負荷から分ける。汚れた布切れは、５分間水を流しながら、常温の水道水を含む５Ｌビーカに移す。バラスト負荷は、次の不活性化のために、分けたままにしておく。布切れを手で穏やかに絞って排水し、紙で覆ったトレイの上に置く。もう１枚の布を布切れの上に置く。布切れを一晩乾燥させた後、本明細書に記載するＣｏｌｏｒ  Ｅｙｅを用いた色の強度の計測などの分析に付す。
【０４８８】
酵素アッセイ
アッセイＩ：ＤＮａｓｅ活性のテスト
ＤＮａｓｅ活性をＤＮａｓｅ  Ｔｅｓｔ  Ａｇａｒ  ｗｉｔｈ  Ｍｅｔｈｙｌ  Ｇｒｅｅｎ（ＢＤ，Ｆｒａｎｋｌｉｎ  Ｌａｋｅｓ，ＮＪ，ＵＳＡ）で決定したが、これは、供給業者のマニュアルに従って調製した。手短には、２１ｇの寒天を５００ｍｌの水に溶解させた後、１２１℃で１５分間オートクレーブ処理した。オートクレーブ処理した寒天をウォーターバス中で４８℃に温度調節した後、２０ｍｌの寒天をペトリ皿に注ぎ込み、室温でのインキュベーションｏ／ｎにより凝固させた。凝固した寒天プレート上に、５μｌの酵素溶液を添加し、班点状の酵素溶液周辺の無色領域としてＤＮａｓｅ活性を観察した。
【０４８９】
アッセイＩＩ
Ｅノーズを用いた、生地のＥ−２ノネナールの分析。
【０４９０】
生地に付いた悪臭の存在をテストする一方法は、Ｅ−２ノネナールが、ランドリーの悪臭に寄与することから、この化合物を悪臭のマーカとして用いるものである。
【０４９１】
Ｅ−ノネナールの溶液を５ｃｍ×５ｃｍの布切れに添加してから、布切れをＧＣ分析用の２０ｍＬガラスバイアル中に配置して、バイアルにキャップをする。４０℃で２０分のインキュベーション後に、Ａｌｐｈａ  Ｍ．Ｏ．Ｓ．Ｆｒａｎｃｅ製のＨｅｒａｃｌｅｓ  ＩＩ  Ｅｌｅｃｔｒｏｎｉｃ  ｎｏｓｅ（２ＦＩＤを有する二重カラムガスクロマトグラフィー、カラム１：ＭＸＴ５およびカラム２：ＭＸＴ１７０１）により、キャップしたバイアルからの５ｍＬヘッドスペースを分析する。
【実施例】
【０４９２】
方法
ＰＣＲ、クローニング、ヌクレオチドの連結などの一般的方法は、当業者にはよく知られており、例えば、以下の文献に見出すことができる：“Ｍｏｌｅｃｕｌａｒ  ｃｌｏｎｉｎｇ：Ａ  ｌａｂｏｒａｔｏｒｙ  ｍａｎｕａｌ”，Ｓａｍｂｒｏｏｋ  ｅｔ  ａｌ．（１９８９），Ｃｏｌｄ  Ｓｐｒｉｎｇ  Ｈａｒｂｏｒ  ｌａｂ．，Ｃｏｌｄ  Ｓｐｒｉｎｇ  Ｈａｒｂｏｒ，ＮＹ；Ａｕｓｕｂｅｌ，Ｆ  Ｍ．  ｅｔ  ａｌ．（ｅｄｓ．）；“Ｃｕｒｒｅｎｔ  ｐｒｏｔｏｃｏｌｓ  ｉｎ  Ｍｏｌｅｃｕｌａｒ  Ｂｉｏｌｏｇｙ”，Ｊｏｈｎ  Ｗｉｌｅｙ  ａｎｄ  Ｓｏｎｓ，（１９９５）；Ｈａｒｗｏｏｄ，Ｃ．Ｒ．，ａｎｄ  Ｃｕｔｔｉｎｇ，Ｓ  Ｍ．（ｅｄｓ．）；“ＤＮＡ  Ｃｌｏｎｉｎｇ：Ａ  Ｐｒａｃｔｉｃａｌ  Ａｐｐｒｏａｃｈ，Ｖｏｌｕｍｅｓ  Ｉ  ａｎｄ  ＩＩ”，Ｄ．Ｎ．Ｇｌｏｖｅｒ  ｅｄ．（１９８５）；“Ｏｌｉｇｏｎｕｃｌｅｏｔｉｄｅ  Ｓｙｎｔｈｅｓｉｓ”，Ｍ．Ｊ．Ｇａｉｔ  ｅｄ．（１９８４）；“Ｎｕｃｌｅｉｃ  Ａｃｉｄ  Ｈｙｂｒｉｄｉｚａｔｉｏｎ”，Ｂ．Ｄ．Ｈａｍｅｓ  ＆  Ｓ．Ｊ．Ｈｉｇｇｉｎｓ  ｅｄｓ（１９８５）；“Ａ  Ｐｒａｃｔｉｃａｌ  Ｇｕｉｄｅ  Ｔｏ Ｍｏｌｅｃｕｌａｒ  Ｃｌｏｎｉｎｇ”，Ｂ．Ｐｅｒｂａｌ，（１９８４）。
【０４９３】
実施例１
ＰＣＲ増幅
ＰＣＲ増幅は全て、５０ｍＭ  ＫＣｌ、１０ｍＭトリス−ＨＣｌ  ｐＨ８．０、１．５ｍＭ  ＭｇＣｌ２の反応緩衝液中の２．５単位のＴａｑポリメラーゼ、１００ｎｇのｐＳＯ２、２５０ｎＭの各ｄＮＴＰ、および前述した２つのプライマー各々１０ｐモルを含有する１００マイクロリットルの容量中で実施した。
【０４９４】
増幅は、Ｐｅｒｋｉｎ−Ｅｌｍｅｒ  Ｃｅｔｕｓ  ＤＮＡ  Ｔｅｒｍａｌ  ４８０で実施し、９４℃で３分を１サイクル、続いて９４℃で１分、５５℃で３０秒、および７２℃で１分を２５サイクルから構成された。
【０４９５】
アスペルギルス属（Ａｓｐｅｒｇｉｌｌｕｓ）形質転換
アスペルギルス・オリゼー（Ａｓｐｅｒｇｉｌｌｕｓ  ｏｒｙｚａｅ）ＮＢＲＣ４１７７：発酵研究所（Ｉｎｓｔｉｔｕｔｅ ｆｏｒ ｆｅｒｍｅｎｔａｔｉｏｎ）、Ｏｓａｋａ；１７−２５  Ｊｕｓｏ，Ｈａｍｍａｃｈｉ  ２−Ｃｈｏｍｅ  Ｙｏｄｏｇａｗａ−Ｋｕ，Ｏｓａｋａ，Ｊａｐａｎから入手可能。
【０４９６】
アスペルギルス属（Ａｓｐｅｒｇｉｌｌｕｓ）形質転換は、Ｃｈｒｉｓｔｅｎｓｅｎ ｅｔ ａｌ．；Ｂｉｏｔｅｃｈｎｏｌｏｇｙ １９８８ ６ １４１９−１４２２に記載されている通りに実施した。手短には、Ａ．オリゼー（Ａ．ｏｒｙｚａｅ）菌糸体を濃厚な栄養ブロス中で成長させた。濾過により、菌糸体をブロスから分離した。酵素調製物Ｎｏｖｏｚｙｍｅ（登録商標）（Ｎｏｖｏｚｙｍｅｓ）を、リン酸ナトリウムでｐＨ５．０に緩衝した１．２Ｍ  ＭｇＳＯ4などの浸透圧安定化緩衝液中の菌糸体に添加した。懸濁液を攪拌しながら、３７℃で６０分間インキュベートした。プロトプラストをミラクロスでろ過して、菌糸体残屑を除去した。プロトプラストを回収し、ＳＴＣ（１．２Ｍソルビトール、１０ｍＭ  ＣａＣｌ2、１０ｍＭトリス−ＨＣｌ  ｐＨ７．５）で２回洗浄した。最後に、プロトプラストを２００〜１０００マイクロリットルのＳＴＣに再懸濁させた。
【０４９７】
形質転換のために、５μｇのＤＮＡを１００μｌのプロトプラスト懸濁液に添加した後、２００μｌのＰＥＧ溶液（６０％ＰＥＧ  ４０００、１０ｍＭ  ＣａＣｌ2、１０ｍＭトリス−ＨＣｌ  ｐＨ７．５）を添加し、混合物を室温で２０分間インキュベートした。プロトプラストを回収し、１．２Ｍソルビトールで２回洗浄した。最後に、プロトプラストを２００μｌの１．２Ｍソルビトールに再懸濁させた。ａｍｄＳ遺伝子を含有する形質転換体は、炭素源として１．０Ｍスクロースを、窒素源として１０ｍＭアセトアミドを含有する最少プレート（Ｃｏｖｅ  Ｄ．Ｊ．１９６６．Ｂｉｏｃｈｅｍ．Ｂｉｏｐｈｙｓ．Ａｃｔａ．１１３：５１−５６）上で、窒素の唯一の供給源としてアセトアミドを利用するその能力について選択した。３７℃で４〜５日の増殖後に、安定した形質転換体が勢いよく増殖し、かつ胞子形成するコロニーとして出現した。前述の選択プレート上の分生胞子により、形質転換体を２回精製した。
【０４９８】
実施例２
アスペルギルス属（Ａｓｐｅｒｇｉｌｌｕｓ）発現カセットｐＪａＬ１３６８の構築
推定ヌクレアーゼ（配列番号２）をコードするＡ．オリゼー（Ａ．ｏｒｙｚａｅ）遺伝子（配列番号１）の発現のために、Ａ．オリゼー（Ａ．ｏｒｙｚａｅ）ＮＢＲＣ４１７７ゲノムＤＮＡを鋳型として用いて、プライマーセットｏＪａＬ３１６（配列番号３）およびｏＪａＬ３１７（配列番号４）により、イントロンを含有するコード領域（配列番号１）を９３１ｂｐのＰＣＲ断片として増幅した。９３１ｂｐのＰＣＲ断片をＢａｍＨＩおよびＸｈｏＩで消化することにより、９１９ｂｐ断片（配列番号５）が得られた。９１９ＢａｍＨＩ−ＸｈｏＩ断片をｐＪａＬ１２６２の対応する部位にクローニングして、ｐＪａＬ１３６８を得た。
【０４９９】
実施例３
アスペルギルス・オリゼー（Ａｓｐｅｒｇｉｌｌｕｓ  ｏｒｙｚａｅ）株ＭＴ３５６８における推定Ａ．オリゼー（Ａ．ｏｒｙｚａｅ）ヌクレアーゼ遺伝子の発現
Ｃｈｒｉｓｔｅｎｓｅｎ ｅｔ ａｌ．；Ｂｉｏｔｅｃｈｎｏｌｏｇｙ １９８８ ６ １４１９−１４２２に記載されている通りに、アスペルギルス属（Ａｓｐｅｒｇｉｌｌｕｓ）発現プラスミドｐＪａＬ１３６８をアスペルギルス・オリゼー（Ａｓｐｅｒｇｉｌｌｕｓ  ｏｒｙｚａｅ）株ＭＴ３５６８に形質転換させた。１２のランダムに選択した形質転換体を精製した後、１０ｍｌのＹＰＭ培地（２ｇ／ｌの酵母エキス、２ｇ／ｌのペプトン、および２％マルトース）を含有するチューブに接種してから、これを振盪（２００ｒｐｍ）しながら、３０℃で４日間インキュベートした。Ａ．オリゼー（Ａ．ｏｒｙｚａｅ）ＡＯ０９０７０１０００５４０タンパク質を産生した形質転換体を、非形質転換親株からの上清と比較して、２５ｋＤ（計算分子量２３８９３Ｄａ）のさらなるバンドの出現によって同定した。バンドのアイデンティティーは、１）エドマン（Ｅｄｍａｎ）分解によるＮ末端の決定および２）ＩｎＧｅｌ消化およびＭＳ／ＭＳにより確認した。Ｎ末端の決定により、２つの優勢なＮ末端配列ＡＬＫＴＧＳＧ（配列番号６）およびＫＴＧＳＧＤＳ（配列番号７）が得られた。ＭＳ／ＭＳデータにより、推定遺伝子（配列番号１）が、成熟型タンパク質配列番号８および配列番号９（配列番号２のタンパク質の一部である）をコードすることも確認される。以下の実施例では、ｐＪａＬ１３６８で形質転換したアスペルギルス・オリゼー（Ａｓｐｅｒｇｉｌｌｕｓ  ｏｒｙｚａｅ）株ＭＴ３５６８から得られたアスペルギルス・オリゼー（Ａｓｐｅｒｇｉｌｌｕｓ  ｏｒｙｚａｅ）ＤＮＡｓｅを使用する。
【０５００】
実施例４
モデル洗剤および市販の洗剤におけるアスペルギルス・オリゼー（Ａｓｐｅｒｇｉｌｌｕｓ  ｏｒｙｚａｅ）ＤＮａｓｅ（配列番号２）の性能
ランドリー特異的細菌株の単離
ランドリーから単離したブレブンディモナス属（Ｂｒｅｖｕｎｄｉｍｏｎａｓ  ｓｐ．）の１株を本実施例で使用した。
【０５０１】
ブレブンディモナス属（Ｂｒｅｖｕｎｄｉｍｏｎａｓ）種を試験中に単離し、試験では、１５、４０および６０℃でそれぞれ洗浄した後、ランドリー中の細菌多様性を調べた。試験は、デンマークの家庭から収集したランドリーについて行った。各々の洗浄について、２０ｇのランドリー品目（ティータオル、タオル、皿拭き用ふきん、よだれ掛け、Ｔシャツ脇部分、Ｔシャツ襟部分、ソックス）を４：３：２：２：１：１：１の範囲で使用した。洗浄は、１５、４０および６０℃でＬａｕｎｄｒ−Ｏ−Ｍｅｔｅｒ（ＬＯＭ）により実施した。１５および４０℃での洗浄の場合、Ａｒｉｅｌ  Ｓｅｎｓｉｔｉｖｅ  Ｗｈｉｔｅ  ＆  Ｃｏｌｏｒを使用し、６０℃で洗浄の場合にはＷＦＫ  ＩＥＣ−Ａ*モデル洗剤を使用した。Ａｒｉｅｌ  Ｓｅｎｓｉｔｉｖｅ  Ｗｈｉｔｅ  ＆  Ｃｏｌｏｒは、５．１ｇを計量し、水道水を１０００ｍｌまで添加した後、５分間攪拌することにより調製した。ＷＦＫ  ＩＥＣ−Ａ*モデル洗剤（ＷＦＫ  Ｔｅｓｔｇｅｗｅｂｅ  ＧｍｂＨから入手可能である）は、５ｇを計量し、水道水を１３００ｍｌまで添加した後、１５分間攪拌することにより調製した。洗浄は、１５、４０および６０℃でそれぞれ１時間ずつ実施した後、１５℃の水道水で２０分間のすすぎを２回行った。
【０５０２】
１５、４０および６０℃でそれぞれ洗浄した後直ちにランドリーを取り出した。２０ｇのランドリーに、ストマッカーバッグ中で、０．９％（ｗ／ｖ）ＮａＣｌ（１．０６４０４；Ｍｅｒｋ，Ｄａｍｓｔａｄｔ，Ｇｅｒｍａｎｙ）を０．５％（ｗ／ｗ）ｔｗｅｅｎ  ８０と共に１：１０希釈を達成するように添加した。中間の速度で２分間ストマッカー（Ｓｔｏｍａｃｈｅｒ）を用いて、混合物を均質化した。均質化後、１０倍希釈物を０．９％（ｗ／ｖ）ＮａＣｌ中で調製した。３０℃で好気的に５〜７日間インキュベートしたトリプシンダイズ寒天（Ｔｒｙｐｔｏｎｅ  Ｓｏｙａ  Ａｇａｒ）（ＴＳＡ）（ＣＭ０１２９，Ｏｘｏｉｄ，Ｂａｓｉｎｇｓｔｏｋｅ，Ｈａｍｐｓｈｉｒｅ，ＵＫ）上で細菌を数えた。酵母およびカビの増殖を抑制するために、０．２％ソルビン酸（３５９７６９，Ｓｉｇｍａ）および０．１％シクロヘキシミド（１８０７９；Ｓｉｇｍａ）を添加した。細菌コロニーを計数可能なプレートから選択して、ＴＳＡ上で２回再ストリークすることにより精製した。長期貯蔵のために、精製済み単離物を−８０℃の２０％（ｗ／ｖ）グリセロールを含有するＴＳＢ（４９７７９；Ｓｉｇｍａ）中で保存した。
【０５０３】
バイオフィルムの付いたドナー布切れの調製
ブレブンディモナス属（Ｂｒｅｖｕｎｄｉｍｏｎａｓ  ｓｐ．）を、３０℃のトリプシンダイズ寒天（Ｔｒｙｐｔｏｎｅ  Ｓｏｙａ  Ａｇａｒ）（ＴＳＡ）（ｐＨ７．３）（ＣＭ０１３１；Ｏｘｏｉｄ，Ｂａｓｉｎｇｓｔｏｋｅ，ＵＫ）上で２〜５日間事前に増殖させた。単一コロニーから、ループ一杯分（ｌｏｏｐ−ｆｕｌｌ）を１０ｍＬのＴＳＢに移した後、振盪（２４０ｒｐｍ）しながら、３０℃で１日インキュベートした。増殖後、遠心分離（Ｓｉｇｍａ  Ｌａｂｏｒａｔｏｒｙ  Ｃｅｎｔｒｉｆｕｇｅ  ６Ｋ１５）（２１℃、３０００ｇで、７分）によりブレブンディモナス属（Ｂｒｅｖｕｎｄｉｍｏｎａｓ）種をペレット化してから、水で２倍希釈した１０ｍＬのＴＳＢに再懸濁させた。分光光度計（ＰＯＬＡＲｓｔａｒ  Ｏｍｅｇａ（ＢＭＧ  Ｌａｂｔｅｃｈ，Ｏｒｔｅｎｂｅｒｇ，Ｇｅｒｍａｎｙ）を用いて、６００ｎｍでの光学密度（ＯＤ）を計測した。水で２倍希釈した新鮮なＴＳＢに０．０３のＯＤ600nmまで接種してから、１．６ｍＬを１２ウェルポリスチレン平底マイクロプレート（３５１２；Ｃｏｒｎｉｎｇ  Ｉｎｃｏｒｐｏｒａｔｅｄ，Ｃｏｒｎｉｎｇ，ＮＹ，ＵＳＡ）の各ウェルに添加し、そこに、滅菌ポリエステルＷＦＫ３０Ａの丸い布切れ（直径２ｃｍ）を配置した。インキュベーション（振盪（１００ｒｐｍ）しながら、１５℃で２４時間）後、布切れを０．９％（ｗ／ｖ）ＮａＣｌで２回すすいだ。
【０５０４】
洗浄実験
ブレブンディモナス属（Ｂｒｅｖｕｎｄｉｍｏｎａｓ）種の付いた５枚のすすぎ済み布切れを、５０ｍＬ試験チューブ中で５枚の滅菌ポリエステルＷＦＫ３０Ａ布切れと合わせてから、以下の洗剤組成物を表示の濃度で含む１０ｍＬの洗剤洗浄溶液：モデル洗剤Ａ（ＥＵ、３．３ｇ／Ｌ）、Ａｒｉｅｌ Ａｃｔｉｌｉｆｔ（ＥＵ、６．９ｇ／Ｌ）、Ｐｅｒｓｉｌ  Ｓｍａｌｌ ＆ Ｍｉｇｈｔｙ（ＥＵ、４ ｇ／Ｌ）、Ｆａｉｒｙ（ＥＵ、５．６ｇ／Ｌ）およびＴｉｄｅ  Ｏｒｉｇｉｎａｌ（ＵＳ、３．２  ｇ／Ｌ）、モデル洗剤Ｔ（ＥＵ、５．３ｇ／Ｌ）、モデル洗剤Ｘ（Ｄ＆Ｅ、１．８  ｇ／Ｌ）、Ａｒｉｅｌ（ＥＵ、 ５．３ｇ／Ｌ）およびＰｅｒｓｉｌ Ｍｅｇａｐｅｒｌｓ（ＥＵ、４．０ｇ／Ｌ）を０．７ｇ／Ｌの汚れ（Ｐｉｇｍｅｎｔｓｃｈｍｕｔｚ、０９Ｖ，ｗｆｋ，Ｋｒｅｆｅｌｄ，Ｇｅｒｍａｎｙ）を、メチルグリーンを用いたＤＮａｓｅテスト寒天（アッセイＩ）上で陽性であることが判明したアスペルギルス・オリゼー（Ａｓｐｅｒｇｉｌｌｕｓ  ｏｒｙｚａｅ）ＤＮａｓｅ（０．０４  ｐｐｍ）と一緒に添加した。試験チューブをＳｔｕａｒｔローテータ（Ｍｉｎｉ  ＬＯＭ）内に３０℃で１時間配置した。布切れを水道水で２回すすいだ後、ろ紙上で一晩乾燥させた。対照として、前述の洗剤を用いるが、Ａ．オリゼー（Ａ．ｏｒｙｚａｅ）ＤＮａｓｅは添加しない洗浄を並行して実施した。Ｃｏｌｏｒ  Ｅｙｅ（Ｍａｃｂｅｔｈ  Ｃｏｌｏｒ  Ｅｙｅ  ７０００反射分光光度計）を用いて、色差（Ｌ値）を計測した。計測は、入射光においてＵＶなしで実施し、ＣＩＥ  Ｌａｂ色空間からのＬ値を抽出した。
【０５０５】
前述のＥＵ条件、例えば、（ＥＵ、３．３ｇ／Ｌ）に関しては、硬度１５°ｄＨ（Ｃａ：Ｍｇ：ＮａＨＣＯ3  ４：１：１．５）の水を使用した。ＵＳ洗剤（ＵＳ、３．２  ｇ／Ｌ）の場合、硬度６°ｄＨ（Ｃａ：Ｍｇ：ＮａＨＣＯ3  ２：１：１．５）の水を使用した。Ｄ＆Ｅ（途上および新興市場）洗剤（Ｄ＆Ｅ、１．８ｇ／Ｌ）については、硬度１４°ｄＨ（Ｃａ：Ｍｇ：ＮａＨＣＯ3  ２：１：１．５）の水を使用した。
【０５０６】
本実施例は、Ａ．オリゼー（Ａ．ｏｒｙｚａｅ）ＤＮａｓｅが、細菌（ドナー）を事前に増殖させたポリエステル布切れならびに洗浄に付加した滅菌ポリエステル布切れ（トレーサ）に対する汚れ付着を防ぐ（再付着防止）ことを明らかにしている。汚れ付着の防止は、ｐＨ８．０の液体洗剤だけではなく、ｐＨ１０の粉末洗剤およびＴｉｄｅ  Ｐｏｄｓにおいても観察された。観察された効果は、Ａ．オリゼー（Ａ．ｏｒｙｚａｅ）ＤＮａｓｅ（配列番号２）のディープクリーニング効果によるものである。最も重要なことには、本実施例は、Ａ．オリゼー（Ａ．ｏｒｙｚａｅ）ＤＮａｓｅが、洗浄中の異なる生地品目同士の汚れ移りを防止するため、汚れたランドリーを余り汚れていないランドリーと一緒に洗浄できることを可能にすることを明らかにしている。これによって、生地の白色度の改善が確実になる。
【０５０７】
【表７】
2017512885.tif 000009
【０５０８】
実施例５
異なる生地タイプに対するＡ．オリゼー（Ａ．ｏｒｙｚａｅ）ＤＮＡｓｅ（配列番号２）の性能
様々なタイプの生地に対するＡ．オリゼー（Ａ．ｏｒｙｚａｅ）ＤＮＡｓｅのディープクリーニングおよび白色化効果を調べるために、綿（ＷＦＫ１０Ａ）、ポリエステル／綿（ＷＦＫ２０Ａ）、ポリエステル（ＷＦＫ３０Ａ）、ポリアミド（ＷＦＫ４０Ａ）、ポリアクリル（ＷＦＫ５０Ａ）および絹（ＷＦＫ７０Ａ）の丸い布切れ（直径２ｃｍ）にブレブンディモナス属（Ｂｒｅｖｕｎｄｉｍｏｎａｓ）種を１日かけて増殖させた（実施例４−ドナー布切れの調製を参照のこと）。
【０５０９】
ブレブンディモナス属（Ｂｒｅｖｕｎｄｉｍｏｎａｓ）種の付いた５枚のすすぎ済み布切れを、５０ｍＬ試験チューブ中で５枚の滅菌布切れと合わせてから、０．７ｇ／Ｌの汚れ（Ｐｉｇｍｅｎｔｓｃｈｍｕｔｚ、０９Ｖ，ｗｆｋ，Ｋｒｅｆｅｌｄ，Ｇｅｒｍａｎｙ）およびアスペルギルス・オリゼー（Ａｓｐｅｒｇｉｌｌｕｓ  ｏｒｙｚａｅ）ＤＮａｓｅ（０．０４  ｐｐｍ）を含有する１０ｍＬのモデル洗剤Ａ洗浄溶液モデル洗剤Ａ（ＥＵ、３．３ｇ／Ｌ）を添加した。試験チューブをＳｔｕａｒｔローテータ（ＭｉｎｉＬＯＭ）内に３０℃で１時間配置した。布切れを水道水で２回すすいだ後、ろ紙上で一晩乾燥させた。対照として、Ａ．オリゼー（Ａ．ｏｒｙｚａｅ）ＤＮａｓｅを添加しない洗浄を並行して実施した。Ｃｏｌｏｒ  Ｅｙｅ（Ｍａｃｂｅｔｈ  Ｃｏｌｏｒ  Ｅｙｅ  ７０００反射分光光度計）を用いて、色差（Ｌ値）を計測した。計測は、入射光においてＵＶなしで実施し、ＣＩＥ  Ｌａｂ色空間からのＬ値を抽出した。本実施例は、Ａ．オリゼー（Ａ．ｏｒｙｚａｅ）ＤＮａｓｅが、様々なタイプの布切れに対する汚れ付着を防ぐ（再付着防止）こと、およびＡ．オリゼー（Ａ．ｏｒｙｚａｅ）ＤＮａｓｅが存在する場合、生地の白色度が改善されることを明らかにしている。
【０５１０】
【表８】
2017512885.tif 000010
【０５１１】
実施例６
モデル洗剤Ａにおけるアスペルギルス・オリゼー（Ａｓｐｅｒｇｉｌｌｕｓ  ｏｒｙｚａｅ）ＤＮＡｓｅの安定性
Ａ．オリゼー（Ａ．ｏｒｙｚａｅ）ＤＮＡｓｅの洗剤およびプロテアーゼ安定性を調べるために、２０ｇのモデル洗剤Ａを計量して５０ｍｌ試験チューブに導入し、１．３５％（ｗ／ｗ）プロテアーゼ１およびプロテアーゼ２をそれぞれ添加した。さらに、２ｇ／ｌおよび４ｇ／ｌのプロテアーゼ阻害剤系１または２ｇ／ｌのプロテアーゼ阻害剤系２を添加した。
【０５１２】
−１８℃および３７℃でそれぞれインキュベーション後、ブレブンディモナス属（Ｂｒｅｖｕｎｄｉｍｏｎａｓ  ｓｐ．）布切れについて、ディープクリーニング効果を調べた。対照として、洗浄前にＡ．オリゼー（Ａ．ｏｒｙｚａｅ）ＤＮＡｓｅを添加したモデル洗剤Ａおよび添加しないモデル洗剤Ａを使用した。Ｃｏｌｏｒ  Ｅｙｅ（Ｍａｃｂｅｔｈ  Ｃｏｌｏｒ  Ｅｙｅ  ７０００反射分光光度計）を用いて、色差（Ｌ値）を計測した。計測は、入射光においてＵＶなしで実施し、ＣＩＥ  Ｌａｂ色空間からのＬ値を抽出した。本実施例は、Ａ．オリゼー（Ａ．ｏｒｙｚａｅ）ＤＮａｓｅが、液体洗剤、ならびに様々なプロテーゼおよびプロテアーゼ阻害系を添加した液体洗剤において安定していることを明らかにしている。
【０５１３】
この実施例で使用したプロテーゼ１は、修飾Ｍ２２２Ｓを有する配列番号１０である。プロテーゼ２は、修飾：Ｍ７６Ｄ＋Ｇ１９５Ｅを有する配列番号１０である。プロテアーゼ阻害系１は、特許出願：国際公開第１９９６／０４１８５９号パンフレットに記載されている４−ホルミル−フェニル−ボロン酸である。プロテアーゼ阻害系２は、特許出願：国際公開第２００９／１１８３７５号パンフレットに記載されている化合物Ｃｂｚ−Ｇｌｙ−Ａｌａ−Ｔｙｒ−Ｈである。
【０５１４】
【表９】
2017512885.tif 000011
【０５１５】
実施例７
ＤＮＡｓｅの付加（ａｄｄ  ｏｎ）効果
観察されたＡ．オリゼー（Ａ．ｏｒｙｚａｅ）ＤＮＡｓｅのディープクリーニング効果および白色化効果が、既存のランドリーと比較して、Ａ．オリゼー（Ａ．ｏｒｙｚａｅ）ＤＮＡｓｅに特有であるかどうかを調べるために、比較試験を実施した。ポリエステル（ＷＦＫ３０Ａ）の丸い布切れ（直径２ｃｍ）にブレブンディモナス属（Ｂｒｅｖｕｎｄｉｍｏｎａｓ）種を１日かけて増殖させた（実施例４−ドナー布切れの調製を参照のこと）。
【０５１６】
ブレブンディモナス属（Ｂｒｅｖｕｎｄｉｍｏｎａｓ）種の付いた５枚のすすぎ済み布切れを、５０ｍＬ試験チューブ中で５枚の滅菌布切れと混合し、０．７ｇ／Ｌの汚れ（Ｐｉｇｍｅｎｔｓｃｈｍｕｔｚ、０９Ｖ，ｗｆｋ，Ｋｒｅｆｅｌｄ，Ｇｅｒｍａｎｙ）および酵素を含有する１０ｍＬのモデル洗剤Ａ洗浄溶液（組成については実施例４を参照のこと）を添加した。以下の酵素を使用した：アスペルギルス・オリゼー（Ａｓｐｅｒｇｉｌｌｕｓ  ｏｒｙｚａｅ）ＤＮａｓｅ（０．０４ｐｐｍ）（配列番号２）、Ｃｅｌｌｕｃｌｅａｎ（商標）５０００Ｌ（０．００２ｐｐｍ）、Ｃｅｌｌｕｃｌｅａｎ（商標）５．０Ｔ（０．００１  ｐｐｍ）、Ｃａｒｅｚｙｍｅ（商標）（０．２ｐｐｍ）、Ｓａｖｉｎａｓｅ（商標）（２．７ｐｐｍ）、Ｌｉｐｅｘ（商標）（０．０６ｐｐｍ）およびＳｔａｉｎｚｙｍｅ（商標）（０．２ｐｐｍ）（酵素は全て、Ｎｏｖｏｚｙｍｅｓ  Ａ／Ｓにより供給された）。ｐｐｍで表す濃度は、洗浄液中の酵素の濃度を示す。並行して、酵素を添加しない対照を調製した。
【０５１７】
試験チューブをＳｔｕａｒｔローテータ（ＭｉｎｉＬＯＭ）内に３０℃で１時間配置した。布切れを水道水で２回すすいだ後、ろ紙上で一晩乾燥させた。Ｃｏｌｏｒ  Ｅｙｅ（Ｍａｃｂｅｔｈ  Ｃｏｌｏｒ  Ｅｙｅ  ７０００反射分光光度計）を用いて、色差（Ｌ値）を計測した。計測は、入射光においてＵＶなしで実施し、ＣＩＥ  Ｌａｂ色空間からのＬ値を抽出した。本実施例から、Ａ．オリゼー（Ａ．ｏｒｙｚａｅ）ＤＮａｓｅが、汚れ付着を防ぐ（再付着防止）と共に、試験したランドリー酵素の唯一の酵素として白色化を改善することが判明し、これは、既存のランドリー酵素と比較して、Ａ．オリゼー（Ａ．ｏｒｙｚａｅ）ＤＮａｓｅによるディープクリーニングおよび白色化効果が付加効果であることを示している。
【０５１８】
【表１０】
2017512885.tif 000012
【０５１９】
実施例８
ランニング用Ｔシャツの汗臭の検出
１００％ポリエステル製の２枚のランニング用Ｔシャツを、３．３３ｇ／Ｌのモデル洗剤Ａを用いて、洗浄機で予洗した。
【０５２０】
これらの２枚のＴシャツを試験者（男性）に、１度に１枚ずつ着用させた。試験者は、Ｔシャツを各々運動の間１時間ずつ着用した。着用後、１枚のＴシャツは、配列番号２のＤＮＡｓｅ（１ｐｐｍ）と一緒に３．３３ｇ／Ｌのモデル洗剤Ａを用い、洗浄機で洗浄したのに対し、２枚目のＴシャツは、ＤＮＡｓｅなし（０ｐｐｍ）の３．３３ｇ／Ｌのモデル洗剤Ａを用い、洗浄機で洗浄した。Ｔシャツは、前述の実物規模の洗浄で記載したように洗浄し、洗浄のために１５Ｌの水道水を使用した。いずれのＴシャツも運動中に着用し、その後洗浄した。この着用および洗浄サイクルを１０回反復した。
【０５２１】
臭いの評価のために、専門の検査員が、Ｔシャツの臭いを嗅ぐことにより、汗臭（悪臭）について、使用前のＴシャツを調べた。汗臭が検出されれば、以下の表にマーク（×）を付けた。以下の観察は、１０回の洗浄工程中にＤＮａｓｅを用いた洗浄が臭いの蓄積を防ぐことを明らかにしている。
【０５２２】
【表１１】
2017512885.tif 000013
【０５２３】
実施例９
この実施例では、プロテーゼ、アミラーゼ、リパーゼ、マンナナーゼ、ペクチン酸リアーゼおよびセルラーゼなどの酵素のしみ除去が、ＤＮａｓｅの存在により低減されないことを立証する。
【０５２４】
しみ除去は、以下のしみ（括弧内は有効酵素）について示した：Ｃ−Ｓ−１０バター脂（リパーゼ）、Ｃ−Ｓ−０３チョコレートミルク／すす（プロテーゼ）、Ｃ−Ｓ−２８着色コメデンプン（アミラーゼ）、Ｃ−Ｓ−７３色素付きのローカストビーンガム（マンナナーゼ）、Ｃ−Ｓ−５４オートミール／チョコレート（セルラーゼ）（これらは全て、Ｃｅｎｔｅｒ  Ｆｏｒ  Ｔｅｓｔｍａｔｅｒｉａｌｓ  ＢＶ，ｔｈｅ  Ｎｅｔｈｅｒｌａｎｄｓから入手）、ならびに０１３ＫＣフレッシュバナナ（ペクチン酸リアーゼ）（Ｗａｒｗｉｃｋ  Ｅｑｕｅｓｔ  Ｌｔｄ．，Ｕｎｉｔｅｄ  Ｋｉｎｇｄｏｍから入手）。
【０５２５】
しみは全て、４×９ｃｍの布切れに裁断したが、例外として、Ｃ−Ｓ−１０バター脂は、５×５ｃｍの布切れに裁断し、またしみ０１３Ｋは、１０×２０ｃｍ布切れ上のΦ５ｃｍの円形のしみであった。各しみの付いた布切れ２枚ずつをホッチキスでティータオル（１００％綿）に留めた。しみ付き布切れを含む１枚のティータオルを以下から構成される３ｋｇのバラストと一緒に各洗浄機に導入した：３枚のＴシャツ（１００％綿）、１０枚の短い袖（５５％綿、４５％ポリエステル）、４枚の枕カバー（３５％綿、６５％ポリエステル）（１１０×７５ｃｍ）、１枚の小さなベッドシーツ（１００％綿）（１００×７５ｃｍ）、および４枚のティータオル（１００％綿）。
【０５２６】
洗浄は、３ｋｇの生地に対して１２〜１３リットルの水と共に、標準的洗浄プログラムを用い、３０℃にて、Ｍｉｅｌｅ  Ｓｏｆｔｔｒｏｎｉｃ  Ｗ２４４５洗浄機で実施した。洗浄は、前述した３．３３ｇ／Ｌのモデル洗剤Ａを用いて、Ｂａｇｓｖａｅｒｄ水道水で実施し、２１℃で９１９μＳまでの水の導電率を計測するために、Ｈａｎｎｎａ  Ｉｎｓｔｒｕｍｅｎｔｓ製のＨＩ９６３５導電率計を使用した。
【０５２７】
酵素を４つの洗浄物に以下の表に表示する量で添加した。
【０５２８】
【表１２】
2017512885.tif 000014
【０５２９】
酵素は、洗浄機の個別のプラスチック製ビーカ中に添加し、１００ｍＬの１５°ｄＨ水に溶解させた（１５°ｄＨ水：３．００ｍＬの０．７１３モル／ＬのＣａＣｌ２、１．５０ｍＬの０．３５７モル／ＬのＭｇＣｌ２および０．３３７１ｇのＮａＨＣＯ３を１Ｌメスシリンダーに導入し、１ＬまでＭｉｌｌｉＱ水で充填する）。ＤＮａｓｅ用に個別のプラスチック製ビーカを使用し、プロテーゼ用に別のプラスチック製ビーカを使用して、残りの酵素（アミラーゼ、リパーゼ、マンナナーゼ、ペクチン酸リアーゼおよびセルロース）は、第３のプラスチック製ビーカ中に溶解させた。ビーカを洗浄機のドラム内部に配置した後、洗浄を開始した。
【０５３０】
洗浄後、布切れをろ紙上で一晩乾燥させて、前述のように、４６０ｎｍで再発光を計測した。Ｃ−Ｓ−１０バター脂布切れを洗浄終了から２２時間後に計測した。
【０５３１】
洗浄後、しみ付き布切れについての４６０ｎｍでの平均再発光を以下の表に示す。再発光値が高いほど、洗浄後の布切れは清浄である。
【０５３２】
【表１３】
2017512885.tif 000015
【０５３３】
両側Ｔ検定（不等分散を有する）に基づいて、洗浄３における各種しみについての平均再発光値は、５％の有意性レベルで洗浄４とは統計的に有意な差はなかった。これらの結果から、プロテーゼ、アミラーゼ、リパーゼ、マンナナーゼ、ペクチン酸リアーゼ、およびセルラーゼなどの酵素のしみ除去が、洗浄中のＤＮａｓｅの存在により低減されないことが明らかである。
【０５３４】
実施例１０
洗浄実験は、少なくとも５０回トレーニング運動で着用され、着用した毎に洗浄したランニングウエア（スエットシャツおよびランニング用Ｔシャツ）の収集物に対して行った。トレーニング運動中、ランニングウエアは、汗で湿ってきたが、概して汚れなかった。ランニングウエアは、推奨される標準的用量のＢｉｏ  Ｔｅｘ  Ｂｌａｃｋ（Ｕｎｉｌｅｖｅｒ）を用いて、Ｍｉｅｌｅ  Ｓｏｆｔｔｒｏｎｉｃ  Ｗ５８２５により３０℃で（洗浄機の少量充填）事前に洗浄しておいた。
【０５３５】
本実験を実施する前に、スエットシャツおよびランニング用Ｔシャツ（１００％ポリエステル）を専門の臭気パネリストが評価したところ、特に、ウエアの脇部分に存在する顕著な汗の酸敗臭（悪臭）を認めた。悪臭は、Ｂｉｏ  Ｔｅｘ  Ｂｌａｃｋを用いたウエアの洗浄後も存在し、ランニングウエアを使用する回数と共に悪臭は蓄積した。
【０５３６】
標準的用量のＢｉｏ  Ｔｅｘ  Ｂｌａｃｋと、洗浄液中の特定用量のＡ．オリゼー（Ａ．ｏｒｙｚａｅ）ＤＮａｓｅ（０．４ｐｐｍ）を用いて、Ｍｉｅｌｅ  Ｓｏｆｔｔｒｏｎｉｃ  Ｗ５８２５により３０℃で（洗浄機の少量充填）ランニングウエアを洗浄した。
【０５３７】
トレーニング運動毎に、ランニングウエアを臭気パネリストによる、もう１ラウンドの評価に付した。臭気パネリストは、本発明のＡ．オリゼー（Ａ．ｏｒｙｚａｅ）ＤＮａｓｅの存在下で１〜３洗浄サイクル後に悪臭が有意に低減し、ほとんど検出不能であることを認めた。延長試験では、ランニングウエアは、ウエアを洗浄するたびに本発明のＡ．オリゼー（Ａ．ｏｒｙｚａｅ）ＤＮａｓｅの存在下で洗浄した。臭気パネリストは、Ａ．オリゼー（Ａ．ｏｒｙｚａｅ）ＤＮａｓｅの存在下でランニングウエアを洗浄しておくと、悪臭がはっきりと検出可能となるまで、少なくとも２回のトレーニング運動にわたってウエアを着用可能である（それらのトレーニング運動の間にウエアを洗濯せずに乾かすことができる）と判定した。
【０５３８】
実施例１１
アスペルギルス・オリゼー（Ａｓｐｅｒｇｉｌｌｕｓ  ｏｒｙｚａｅ）ＤＮＡｓｅの安定性、比較試験
サンプル洗剤調製
サンプル洗剤を以下の表（表８）に示す仕様に従って調製した後、一定温度（それぞれ、−１８℃、３０℃および３７℃）で４週間にわたり保存した。
【０５３９】
【表１４】
2017512885.tif 000016
【０５４０】
バイオフィルムの付いたドナー布切れの調製
ブレブンディモナス属（Ｂｒｅｖｕｎｄｉｍｏｎａｓ  ｓｐ．）を、３０℃のトリプシンダイズ寒天（Ｔｒｙｐｔｏｎｅ  Ｓｏｙａ  Ａｇａｒ）（ＴＳＡ）（ｐＨ７．３）（ＣＭ０１３１；Ｏｘｏｉｄ，Ｂａｓｉｎｇｓｔｏｋｅ，ＵＫ）上で２〜５日間事前に増殖させた。単一コロニーから、ループ一杯分（ｌｏｏｐ−ｆｕｌｌ）を１０ｍＬのＴＳＢに移した後、振盪（２４０ｒｐｍ）しながら、３０℃で１日インキュベートした。増殖後、遠心分離（Ｓｉｇｍａ  Ｌａｂｏｒａｔｏｒｙ  Ｃｅｎｔｒｉｆｕｇｅ  ６Ｋ１５）（２１℃、３０００ｇで、７分）によりブレブンディモナス属（Ｂｒｅｖｕｎｄｉｍｏｎａｓ  ｓｐ．）をペレット化してから、水で２倍希釈した１０ｍＬのＴＳＢに再懸濁させた。分光光度計（ＰＯＬＡＲｓｔａｒ  Ｏｍｅｇａ（ＢＭＧ  Ｌａｂｔｅｃｈ，Ｏｒｔｅｎｂｅｒｇ，Ｇｅｒｍａｎｙ）を用いて、６００ｎｍでの光学密度（ＯＤ）を計測した。水で２倍希釈した新鮮なＴＳＢを０．０３のＯＤ６００ｎｍまで接種し、２０ｍＬをペトリ皿に添加し、そこに、滅菌ポリエステルＷＦＫ３０Ａの５ｃｍ×５ｃｍ布切れを配置した。インキュベーション（振盪（１００ｒｐｍ）しながら、１５℃で２４時間）後、布切れを０．９％（ｗ／ｖ）ＮａＣｌで２回すすいだ。次に、５ｃｍ×５ｃｍドナー布切れから丸い布切れ（直径１ｃｍ）を抜き取った。
【０５４１】
洗浄
洗浄液は、アッセイに必要な洗剤の量、すなわち硬度１５°ｄＨの滅菌ＭｉｌｌｉＱ水に溶解させたモデル洗剤Ａ３．３ｇ／Ｌ；Ａｒｉｅｌ  Ａｃｔｉｌｉｆｔ  Ｃｏｌｏｒ  ＆  Ｓｔｙｌｅ  ６．９ｇ／Ｌを計量してフラスコに導入することにより調製した。汚れは、汚れ（Ｐｉｇｍｅｎｔｓｃｈｍｕｔｚ、０９Ｖ，ｗｆｋ，Ｋｒｅｆｅｌｄ，Ｇｅｒｍａｎｙ）を水道水に再懸濁させて、使用前に３０分間懸濁液を攪拌させることによって調製した。続いて、汚れを各フラスコ汚れに０．３５ｇの汚れ／Ｌ（Ｐｉｇｍｅｎｔｓｃｈｍｕｔｚ、０９Ｖ，ｗｆｋ，Ｋｒｅｆｅｌｄ，Ｇｅｒｍａｎｙ）の濃度に達するように添加した後、フラスコを水道水で最終容量（４ｍｌ）まで充填した。
【０５４２】
丸い布切れを２４ウェルフォーマットプレート内に配置した（ウェル毎に、同じドナー布切れから得た２枚の丸い布切れ）。プラスチックで被覆された細長い金属物（１ｃｍ）の形態をした機械的ストレス物体（ＭＳＯ）を各ウェルに配置した。プレートをＨｍｉｌｔｏｎロボット内に配置し、以下の条件を用いた洗浄シミュレーションプログラムに付した：洗浄サイクルの持続時間：振盪（１０００ｒｐｍ）しながら、３０分）；温度３０℃；洗浄液の量（合計）；ウェル当たり４ｍｌ。洗浄時間中、プレートを周期的に振盪することにより、試験溶液を生地と接触させ、規則的、定期的振盪方式で機械的ストレスを適用する。洗浄シミュレーションサイクルの完了後に、布切れを洗浄液から取り出し、ろ紙上で乾燥させた。乾燥した布切れを走査のために１枚の白い紙の上に固定した。
【０５４３】
洗浄性能は、洗浄した生地の色の輝度として計測される。輝度はまた、白色の光を照射した際のサンプルからの反射光の強度として表すこともできる。サンプルが汚れていれば、きれいなサンプルのものよりも反射光の強度は低くなる。従って、反射光の強度を用いて、洗浄性能を計測することが可能である。色の計測は、洗浄した生地のイメージを撮像するために用いられる平面スキャナ（ＥＰＳＯＮ  Ｖ７５０  ＰＲＯ）で行われる。スキャンしたイメージからの光強度の値を抽出するために、イメージからの２４ビットピクセル値をレッド、グリーンおよびブルー（ＲＧＢ）の値に変換する。強度値（Ｉｎｔ）は、ＲＧＢ値をベクターとして一緒に加算し、次いで、得られるベクターの長さを考慮することによって算出する：
【０５４４】
【数１】
2017512885.tif 000017
【０５４５】
【表１５】
2017512885.tif 000018
【０５４６】
結論：この比較試験は、本発明のアスペルギルス・オリゼー（Ａｓｐｅｒｇｉｌｌｕｓ  ｏｒｙｚａｅ）ＤＮＡｓｅが、バチルス・リケニホルミス（Ｂａｃｉｌｌｕｓ  ｌｉｃｈｅｎｉｆｏｒｍｉｓ）ＤＮａｓｅ（配列番号１１に記載される配列の成熟型ペプチド）と比較して、プロテーゼに対する優れた安定性を有することを立証するものである。
【０５４７】
実施例１２
ｍｉｎｉＬＯＭアッセイにおけるアスペルギルス・オリゼー（Ａｓｐｅｒｇｉｌｌｕｓ  ｏｒｙｚａｅ）ＤＮＡｓｅおよびバチルス・リケニホルミス（Ｂａｃｉｌｌｕｓ  ｌｉｃｈｅｎｉｆｏｒｍｉｓ）ＤＮａｓｅの安定性
バチルス・リケニホルミス（Ｂａｃｉｌｌｕｓ  ｌｉｃｈｅｎｉｆｏｒｍｉｓ）ＤＮａｓｅおよび本発明のアスペルギルス・オリゼー（Ａｓｐｅｒｇｉｌｌｕｓ  ｏｒｙｚａｅ）ＤＮＡｓｅの貯蔵安定性を比較するために、これら２タイプのＤＮａｓｅの貯蔵安定性をモデル洗剤ＡおよびＡｒｉｅｌ  Ａｃｔｉｌｉｆｔ  Ｃｏｌｏｕｒ＆Ｓｔｙｌｅで設定した。洗剤サンプルは、実施例１１に記載されているように調製し、一定温度（−１８℃、および３５℃）で２週間および４週間にわたり保存した。洗浄液中のＤＮＡｓｅ用量は、０．４ｐｐｍであった。洗浄液中のプロテーゼ（Ｓａｖｉｎａｓｅ、配列番号１０に記載の配列）用量は、０．１５ｐｐｍであった。保存後、ポリエステルブレブンディモナス属（Ｂｒｅｖｕｎｄｉｍｏｎａｓ  ｓｐ．）バイオフィルム布切れ（実施例１１に記載のように調製した）を用いたｍｉｎｉＬＯＭアッセイ（本明細書に記載する）で洗浄性能をテストした。洗浄性能は、洗浄した生地の色の輝度として計測される。色差（Ｌ値）は、Ｃｏｌｏｒ  Ｅｙｅ（Ｍａｃｂｅｔｈ  Ｃｏｌｏｒ  Ｅｙｅ  ７０００反射分光光度計）を用いて計測した。計測は、入射光においてＵＶなしで実施し、ＣＩＥ  Ｌａｂ色空間からのＬ値を抽出した。
【０５４８】
【表１６】
2017512885.tif 000019
【０５４９】
【表１７】
2017512885.tif 000020
【０５５０】
結論：この比較試験は、アスペルギルス・オリゼー（Ａｓｐｅｒｇｉｌｌｕｓ  ｏｒｙｚａｅ）ＤＮａｓｅが、バチルス・リケニホルミス（Ｂａｃｉｌｌｕｓ  ｌｉｃｈｅｎｉｆｏｒｍｉｓ）ＤＮａｓｅ（配列番号１１に記載される配列の成熟型ペプチド）と比較して、プロテーゼに対する優れた安定性を有することを立証するものである。
【０５５１】
実施例１３
ＤＮａｓｅによる臭いの除去（Ｅ−ノーズ）
Ｅ−２−ノネナールの付いたＤＮＡ布切れの調製
シュードモナス属（Ｐｓｅｕｄｏｍｏｎａｓ  ｓｐ．）からの染色体ＤＮＡは、ＱＩＡａｍｐ  ＤＮＡ  Ｂｌｏｏｄ  Ｍｉｎｉ  Ｋｉｔにより、製造者の指示（Ｑｉａｇｅｎ，Ｈｉｌｄｅｎ，Ｇｅｒｍａｎｙ）に従って単離した。ポリエステル布切れ（ＷＦＫ３０Ａ）（直径２ｃｍ）を１２１℃のＨｏｌｍ  ＆  Ｈａｌｂｙ  Ｓｙｓｔｅｃ  ＤＢ−２３オートクレーブで６０分間滅菌した。１ｎｇ／μｌの最終濃度に希釈した１００μｌの精製済みシュードモナス属（Ｐｓｅｕｄｏｍｏｎａｓ  ｓｐ．）をオートクレーブ処理した布切れの各々に添加した後、Ｌａｍｉｎａｒ Ａｉｒ Ｆｌｏｗ Ｂｅｎｃｈ内の連続流の下、２時間にわたって布切れを乾燥させた。乾燥後、ＤＮＡを含む１０枚の布切れを２５ｍＬ滅菌ＮＵＮＣチューブ（３６４２３８；Ｔｈｅｒｍｏ  Ｓｃｉｅｎｔｉｆｉｃ）中に導入し、１０ｍｌの０．２ｍＭ  Ｅ−２−ノネナール（２５５６５３；Ｓｉｇｍａ−Ａｌｄｒｉｃｈ）を添加した。チューブをＳｔｕａｒｔローテータ内に（２０ｒｐｍ、室温で２０分間）配置した。１０枚の布切れを５０．０００ＭＷＣＯ遠心分離チューブ（ＶＳ２０３，Ｖｉｖａｓｐｉｎ  ２０，Ｓａｔｏｒｉｕｓ）に移した。チューブを３０００ｇ、２１℃で１分間遠心分離した後、１０枚の布切れを２つの滅菌ＮＵＮＣチューブ（３６４２３８；Ｔｈｅｒｍｏ  Ｓｃｉｅｎｔｉｆｉｃ）に、各チューブにつき５枚ずつ分けた。さらに、ＤＮＡおよびＥ−２−ノネナールを含まない５枚の滅菌ポリエステル布切れ（ＷＦＫ３０Ａ）（直径２ｃｍ）をチューブの各々に添加した。ＤＮＡなしの布切れには、ＤＮＡ／Ｅ−２−ノネナールを含む布切れから識別できるように印を付けた。
【０５５２】
Ｅ−２−ノネナールを含むＤＮＡ布切れの洗浄手順
Ａｒｉｅｌ Ａｃｔｉｌｉｆｔ粉末Ｃｏｌｏｕｒ＆ＳｔｙｌｅおよびＡｒｉｅｌ  Ａｃｔｉｌｉｆｔ粉末の洗浄液は、５．０ｇの洗剤を１０００ｍｌの硬度１５°ｄＨの滅菌ＭｉｌｌｉＱ水（ＥＵ条件）に溶解させることによって調製した。Ｔｉｄｅ  Ｐｏｄｓの洗浄液は、１．８ｇのホワイトフェーズ（ｗｈｉｔｅ  ｐｈａｓｅ）洗剤を１０００ｍｌの硬度６°ｄＨの滅菌ＭｉｌｌｉＱ水に溶解させることによって調製した。洗浄液は、使用前の２０分間マグネチックスターラ上に放置した。
【０５５３】
Ｅ−２−ノネナールを有する５枚のＤＮＡ布切れおよび５枚の滅菌布切れを含む２つの同一チューブの各々に、洗浄液（１０ｍｌ）を添加し、１０μｌの本発明のアスペルギルス・オリゼー（Ａｓｐｅｒｇｉｌｌｕｓ  ｏｒｙｚａｅ）ＤＮＡｓｅ（最終濃度は５ｐｐｍ）を一方のチューブに添加した。チューブをＳｔｕａｒｔローテータ内に配置した（２０ｒｐｍ、３０℃で６０分間）。洗浄液を流し出し、布切れを２０ｍｌの硬度１５°ｄＨの滅菌ＭｉｌｌｉＱ水で２回すすいだ。各チューブからの布切れを５０．０００ＭＷＣＯ遠心分離管（ＶＳ２０３，Ｖｉｖａｓｐｉｎ  ２０，Ｓａｔｏｒｉｕｓ）に移してから、３０００ｇ、２１℃で１分間遠心分離した。次に、清潔な滅菌ピンセットを用いて、Ｅ−２−ノネナールを有する各布切れを２０ｍＬのＧＣヘッドスペースバイアルに移して、各布切れを１枚ずつ各バイアルに配置した。次に、ＨＳ１００自動サンプラーおよびＦＩＤ検出器を用い、Ｒｅｓｔｅｋ ＭＸＴ−５毛管カラムを備えるＡｌｐｈａ  ＭＯＳ  ＨＥＲＡＣＬＥＳ  Ｆｌａｓｈ  Ｇａｓ  Ｃｈｒｏｍａｔｏｇｒａｐｈｙ  Ｅｌｅｃｔｒｏｎｉｃ  Ｎｏｓｅで、これらを分析した。
【０５５４】
【表１８】
2017512885.tif 000021
【０５５５】
結論：生地のＤＮＡがトラップした臭いは、アスペルギルス・オリゼー（Ａｓｐｅｒｇｉｌｌｕｓ  ｏｒｙｚａｅ）ＤＮＡｓｅによって除去することができ、これにより、臭いの低減が達成される。
【０５５６】
実施例１４
ＤＮａｓｅによる臭いの除去（官能分析）
ポリエステルおよび綿布切れ（直径２ｃｍ）をシュードモナス属（Ｐｓｅｕｄｏｍｏｎａｓ  ｓｐ．）ＤＮＡおよび０．５ｍＭ  Ｅ−２−ノネナール（２５５６５３；Ｓｉｇｍａ−Ａｌｄｒｉｃｈ）で汚した（ＤＮＡ布切れの調製について詳しくは、実施例１３を参照のこと）後、本発明のアスペルギルス・オリゼー（Ａｓｐｅｒｇｉｌｌｕｓ  ｏｒｙｚａｅ）ＤＮＡｓｅ（５ｐｐｍ）の存在または非存在下で、モデル洗剤Ａ（硬度１５°ｄＨのＭｉｌｌｉＱ水に３．３３ｇを溶解させることによって調製）を用いて、Ｓｔｕａｒｔローテータ内で、３０℃で６０分間洗浄した。洗浄後、布切れを２０ｍｌの硬度１５°ｄＨのＭｉｌｌｉＱ水で２回すすいだ。４人の専門の臭気パネリストにより、知覚されるＥ−２−ノネナールの強度について布切れを評価した（サンプルはマスクされている）。評価のために、０から９までの知覚強度等級を用いた。０は、Ｅ−２−ノネナールの知覚強度がないことを示すのに対し、９は、Ｅ−２−ノネナールの最も高い知覚強度を示した。結果は、４人の臭気パネリスト全員の一致を示したものである。
【０５５７】
【表１９】
2017512885.tif 000022
【０５５８】
生地上のＤＮＡをトラップした臭い（ＤＮＡ‐ｔｒａｐｐｅｄ  ｏｄｏｒ）は、アスペルギルス・オリゼー（Ａｓｐｅｒｇｉｌｌｕｓ  ｏｒｙｚａｅ）ＤＮＡｓｅによって除去することができ、これにより、臭いの低減が達成される。
【０５５９】
実施例１５
臭いの除去の視覚的測定
ブレブンディモナス属（Ｂｒｅｖｕｎｄｉｍｏｎａｓ  ｓｐ．）を、３０℃のトリプシンダイズ寒天（Ｔｒｙｐｔｏｎｅ  Ｓｏｙａ  Ａｇａｒ）（ＴＳＡ）（ｐＨ７．３）（ＣＭ０１３１；Ｏｘｏｉｄ，Ｂａｓｉｎｇｓｔｏｋｅ，ＵＫ）上で２〜５日間事前に増殖させた。単一コロニーから、ループ一杯分（ｌｏｏｐ−ｆｕｌｌ）を１０ｍＬのＴＳＢに移した後、振盪（２４０ｒｐｍ）しながら、３０℃で２０時間にわたってインキュベートした。増殖後、遠心分離（Ｓｉｇｍａ  Ｌａｂｏｒａｔｏｒｙ  Ｃｅｎｔｒｉｆｕｇｅ  ６Ｋ１５）（３０００ｇ、２１℃で７分）によりブレブンディモナス属（Ｂｒｅｖｕｎｄｉｍｏｎａｓ  ｓｐ．）をペレット化してから、水で２倍希釈した１０ｍＬのＴＳＢに再懸濁させた。分光光度計（ＰＯＬＡＲｓｔａｒ  Ｏｍｅｇａ（ＢＭＧ  Ｌａｂｔｅｃｈ，Ｏｒｔｅｎｂｅｒｇ，Ｇｅｒｍａｎｙ）を用いて、６００ｎｍでの光学密度（ＯＤ）を計測した。水で２倍希釈した新鮮なＴＳＢを０．０３のＯＤ６００ｎｍまで接種し、２０ｍＬをペトリ皿に添加し、そこに、滅菌ポリエステルＷＦＫ３０Ａの５ｃｍ×５ｃｍ布切れを配置した。インキュベーション（振盪（７５ｒｐｍ）しながら、１５℃で２４時間）後、布切れを０．９％（ｗ／ｖ）ＮａＣｌで２回すすいだ。布切れは、すすいだ後直接、またはＬＡＦベンチ内で２４時間乾燥させた後、ＴＯＭで洗浄した。
【０５６０】
溶液状の視覚的指示薬フェノールレッドは、１００ｍｌの９９％エタノールに０．１ｇを溶解させることによって調製した。指示薬溶液（５０μＬ）をろ紙（直径２ｃｍ）に添加して、ヒュームフード内で一晩乾燥させることにより、視覚的指示薬（フェノールレッド）を含有する臭い捕捉剤を形成した。４枚の洗浄済布切れをガラス容器の底に配置した（布切れ毎に１容器）後、５００μＬの１７％ＴＳＢを添加した。対照として、洗浄した清浄な生地ポリエステルを別のガラス容器の底に配置して、５００μＬの１７％ＴＳＢを添加した。布切れを含む容器を３７℃でインキュベートした。フェノールレッドトレーサの色の変化を検知するために、容器を最大４８時間モニターした。
【０５６１】
【表２０】
2017512885.tif 000023
【０５６２】
実施例１６
生地に付いた緑膿菌（Ｐｓｅｕｄｏｍｏｎａｓ  ａｅｒｕｇｉｎｏｓａ）バイオフィルムに対する洗剤中のＤＮＡｓｅの存在の作用
本実施例では、ランドリーから単離した緑膿菌（Ｐｓｅｕｄｏｍｏｎａｓ  ａｅｒｕｇｉｎｏｓａ）の１株を使用した。緑膿菌（Ｐ．ａｅｒｕｇｉｎｏｓａ）は、３０℃のトリプシンダイズ寒天（Ｔｒｙｐｔｏｎｅ  Ｓｏｙａ  Ａｇａｒ）（ＴＳＡ）（ｐＨ７．３）（ＣＭ０１３１；Ｏｘｏｉｄ，Ｂａｓｉｎｇｓｔｏｋｅ，ＵＫ）上で３日間事前に増殖させた。単一コロニーから、ループ一杯分（ｌｏｏｐ−ｆｕｌｌ）を１０ｍＬのＴＳＢに移した後、振盪（２００ｒｐｍ）しながら、３０℃で一晩インキュベートした。増殖後、一晩の培養物を新鮮なＴＳＢ培地で１０００倍希釈し、１．６２ｍＬのこの培養希釈物を１２ウェルポリスチレン平底マイクロプレート（３５１２；Ｃｏｒｎｉｎｇ  Ｉｎｃｏｒｐｏｒａｔｅｄ，Ｃｏｒｎｉｎｇ，ＮＹ，ＵＳＡ）の各ウェルに添加し、そこに、滅菌ポリエステル（ＷＦＫ３０Ａ）の丸い布切れ（直径２ｃｍ）を配置した。振盪（７０ｒｐｍ）しながら、３０℃で４８時間後、増殖培地を除去してから、布切れを０．９％（ｗ／ｖ）ＮａＣｌで２回すすいだ。
【０５６３】
緑膿菌（Ｐ．ａｅｒｕｇｉｎｏｓａ）の付いた５枚のすすぎ済み布切れを５０ｍＬ試験チューブ中に配置して、０．７ｇ／Ｌの顔料汚れ（Ｐｉｇｍｅｎｔｓｃｈｍｕｔｚ  ０９Ｖ，ｗｆｋ，Ｋｒｅｆｅｌｄ，Ｇｅｒｍａｎｙ）および本発明のアスペルギルス・オリゼー（Ａｓｐｅｒｇｉｌｌｕｓ  ｏｒｙｚａｅ）ＤＮａｓｅ（洗浄液中０．１ｐｐｍ）と一緒に、硬度１５°ｄＨの水で調製した１０ｍＬのモデルＡ液体洗剤Ａを添加した。対照として、ＤＮａｓｅなしの洗浄を並行して実施した。洗浄は、Ｓｔｕａｒｔローテータを用いて、３０℃で１時間実施した（本明細書に記載するＭｉｎｉＬＯＭアッセイ）。洗浄液を除去してから、布切れを水道水で２回すすいだ後、ろ紙上で一晩乾燥させた。
【０５６４】
色差（Ｌ*ａ*ｂ色空間中のＬ値）は、Ｍｉｎｏｌｔａ  ＣＲ−３００  Ｃｈｒｏｍａ  ＭｅｔｅｒヘッドおよびＭｉｎｏｌｔａ  ＤＰ−３０１  Ｄａｔａ  Ｐｒｏｃｅｓｓｏｒを用いて計測した。色差（Ｌ値、Ｌ*）は、Ｌ*＝０で最も暗い黒、またＬ*＝１００で最も明るい白を示す。
【０５６５】
結果から、ＤＮＡｓｅが、生地の粘着性を低下し、および／または緑膿菌（Ｐ．ａｅｒｕｇｉｎｏｓａ）の量を低減できることが明らかである。
【０５６６】
【表２１】
2017512885.tif 000024
【０５６７】
実施例１７
光学増白剤の存在下でのＤＮＡｓｅの洗浄性能
材料および方法
バイオフィルム布切れの調製
ブレブンディモナス属（Ｂｒｅｖｕｎｄｉｍｏｎａｓ  ｓｐ．）バイオフィルムの付いた滅菌ポリエステルＷＦＫ３０Ａの丸い布切れ（直径２ｃｍ）を実施例４に記載の通りに調製した。
【０５６８】
洗浄実験
漂白剤なしの粉末モデル洗剤Ｔの洗浄液は、硬度１５°ｄＨの水に洗剤（５．３３ｇ／ｌ）を溶解させることによって調製した。モデル洗剤ＴのＡＥＯ  Ｂｉｏｓｏｆｔ  Ｎ２５−７（ＮＩ）（０．１６ｇ／ｌ）を個別に添加した。顔料汚れ（Ｐｉｇｍｅｎｔｓｃｈｍｕｔｚ  ０９Ｖ，ｗｆｋ，Ｋｒｅｆｅｌｄ，Ｇｅｒｍａｎｙ）（０．７ｇ／Ｌ）を洗浄液に添加した。ブレブンディモナス属（Ｂｒｅｖｕｎｄｉｍｏｎａｓ  ｓｐ．）の付いた５枚のすすぎ済み布切れと５枚の滅菌ポリエステル（ＷＦＫ３０Ａ）布切れを含む５０ｍｌチューブに、洗浄液（１０ｍｌ）を添加した。ＤＮａｓｅが含まれる洗浄の場合、ＤＮａｓｅ（０．５ｐｐｍ）を添加した。光学増白剤が含まれる洗浄の場合、Ｔｉｎｏｐａｌ  ＣＢＳ−Ｘ（０．１ｇ／ｌ）を洗浄液に添加した。洗浄は、Ｓｔｕａｒｔローテータを用いて、３０℃で１時間実施した（本明細書に記載するＭｉｎｉＬＯＭアッセイ）。洗浄後、ブレブンディモナス属（Ｂｒｅｖｕｎｄｉｍｏｎａｓ  ｓｐ．）の付いた布切れを水道水で２回すすいだ後、ろ紙上で一晩乾燥させた。Ｃｏｌｏｒ  Ｅｙｅ（Ｍａｃｂｅｔｈ  Ｃｏｌｏｒ  Ｅｙｅ  ７０００反射分光光度計）を用いて、色差（Ｌ値）を計測した。計測は、入射光においてＵＶなしで実施し、ＣＩＥ  Ｌａｂ色空間からのＬ値を抽出した。
【０５６９】
【表２２】
2017512885.tif 000025
【０５７０】
表１６に示すデータは、本発明のＡ．オリゼー（Ａ．ｏｒｙｚａｅ）ＤＮａｓｅの洗浄性能が、光学増白剤の存在によって影響されないことを立証するものである。
【配列表】
2017512885000001.app
【国際調査報告】
2017512885.tif 000026
2017512885.tif 000027
2017512885.tif 000028
2017512885.tif 000029